(57)【要約】【課題】内部空間の利用方法の良好な遊技機を提供すること。【解決手段】上皿１７に形成される開口部１７ａを通過した球が流下可能な各板部材３１０，３２０を備え、その開口部１７ａの供給開口１７ｇ側に被収容部材ＩＮＢを収容可能な収容凹部ＩＮＣが形成されることから、遊技盤１３の厚み範囲よりも正面側に、球を排出する流路を配置することができると共に、その流路の供給開口１７ｇ側の領域を被収容部材ＩＮＢの収容部分として有効利用することができる。【選択図】図４０
2020006241.tif 000002
【特許請求の範囲】
【請求項１】
球を貯留可能な貯留部と、その貯留部に球を供給する供給手段と、球が通過可能な開口として前記貯留部に形成される球排出開口と、を備える遊技機において、
前記球排出開口を通過した球が流下可能な球流路を備え、その球流路の前記供給手段側に、所定の構造物を収容可能な収容部が形成されることを特徴とする遊技機。
【請求項２】
前記貯留部が配設される第１部材と、その第１部材と対向配置される第２部材と、を備え、
前記収容部は、前記第１部材および第２部材の内部を連通して形成されることを特徴とする請求項１記載の遊技機。
【請求項３】
前記第１部材および第２部材を開閉可能に軸支する軸支手段を備え、
前記収容部は、前記第１部材および第２部材の軸径方向長さの中間位置よりも前記軸支手段に近接する側に配置されることを特徴とする請求項２記載の遊技機。
【発明の詳細な説明】
【技術分野】
【０００１】
本発明は、パチンコ機などの遊技機に関するものである。
【背景技術】
【０００２】
ここで、パチンコ機等の遊技機において、発射前の球を上皿に貯留し、上皿が満タンになった後は払い出された球を下皿への誘導路へ落下させる上皿オーバーフロー装置を備える遊技機がある（特許文献１）。
【先行技術文献】
【特許文献】
【０００３】
【特許文献１】特開２００１−０８７５１８号公報
【発明の概要】
【発明が解決しようとする課題】
【０００４】
しかしながら、上述した従来の遊技機では、内部空間の利用方法に改良の余地があるという問題点があった。
【０００５】
本発明は、上記例示した問題点を解決するためになされたものであり、内部空間の利用方法の良好な遊技機を提供することを目的とする。
【課題を解決するための手段】
【０００６】
この目的を達成するために請求項１記載の遊技機は、球を貯留可能な貯留部と、その貯留部に球を供給する供給手段と、球が通過可能な開口として前記貯留部に形成される球排出開口と、を備える遊技機において、前記球排出開口を通過した球が流下可能な球流路を備え、その球流路の前記供給手段側に、所定の構造物を収容可能な収容部が形成される。
【０００７】
請求項２記載の遊技機は、請求項１記載の遊技機において、前記貯留部が配設される第１部材と、その第１部材と対向配置される第２部材と、を備え、前記収容部は、前記第１部材および第２部材の内部を連通して形成される。
【０００８】
請求項３記載の遊技機は、請求項２記載の遊技機において、前記第１部材および第２部材を開閉可能に軸支する軸支手段を備え、前記収容部は、前記第１部材および第２部材の軸径方向長さの中間位置よりも前記軸支手段に近接する側に配置される。
【発明の効果】
【０００９】
請求項１記載の遊技機によれば、収容部を球流路の供給手段側に形成することにより、内部空間を良好に利用することができる。
【００１０】
請求項２記載の遊技機によれば、請求項１記載の遊技機の奏する効果に加え、収容部が第１部材および第２部材の内部を連通して形成されるので、収容部の寸法が第１部材の寸法よりも大きくなっても対応することができる。
【００１１】
請求項３記載の遊技機によれば、請求項２記載の遊技機の奏する効果に加え、収容部が軸支手段に近接する側に配置されるので、収容部として確保すべき範囲を最小限に抑えることができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】正面枠の部分正面斜視図である。
【図６】流下装置の正面分解斜視図である。
【図７】流下装置の正面分解斜視図である。
【図８】（ａ）は、第１板部材の正面図であり、（ｂ）は、図８（ａ）のＶＩＩＩｂ−ＶＩＩＩｂ線における第１板部材の断面図であり、（ｃ）は、第１板部材の背面図であり、（ｄ）は、図８（ａ）のＶＩＩＩｄ−ＶＩＩＩｄ線における第１板部材の断面図である。
【図９】（ａ）は、第２板部材の正面図であり、（ｂ）は、図９（ａ）のＩＸｂ−ＩＸｂ線における第２板部材の断面図であり、（ｃ）は、第２板部材の背面図であり、（ｄ）は、図９（ａ）のＩＸｄ−ＩＸｄ線における第２板部材の断面図である。
【図１０】（ａ）は、傾倒部材の正面図であり、（ｂ）は、図１０（ａ）のＸｂ−Ｘｂ線における傾倒部材の断面図であり、（ｃ）は、図１０（ａ）の矢印Ｘｃ方向視における傾倒部材の上面図であり、（ｄ）は、図１０（ａ）の矢印Ｘｄ方向視における傾倒部材の底面図である。
【図１１】（ａ）は、解除部材の正面図であり、（ｂ）は、図１１（ａ）のＸＩｂ−ＸＩｂ線における解除部材の断面図であり、（ｃ）は、図１１（ｂ）の矢印ＸＩｃ方向視における解除部材の上面図である。
【図１２】上皿の上面図である。
【図１３】図１２のＸＩＩＩ−ＸＩＩＩ線における正面枠の部分断面図である。
【図１４】（ａ）及び（ｂ）は、図１３のＸＩＶａ−ＸＩＶａ線における正面枠の部分断面図である。
【図１５】（ａ）及び（ｂ）は、傾倒部材及び解除部材に与えられる負荷を示す模式図である。
【図１６】上皿の背面斜視図である。
【図１７】上皿の背面斜視図である。
【図１８】（ａ）から（ｃ）は、上皿の上面図である。
【図１９】（ａ）から（ｃ）は、上皿の上面図である。
【図２０】上皿に継続的に球が供給される（払い出される）場合に上皿に残る球の個数変化の一例を示すタイミングチャートである。
【図２１】（ａ）は、正面枠の部分正面図であり、（ｂ）は、図２１（ａ）のＸＸＩｂ−ＸＸＩｂ線における正面枠の断面図である。
【図２２】（ａ）は、図２１（ａ）のＸＸＩＩａ−ＸＸＩＩａ線における第１板部材及び第２板部材の断面図であり、（ｂ）は、図２１（ａ）のＸＸＩＩｂ−ＸＸＩＩｂ線における第１板部材及び第２板部材の断面図であり、（ｃ）は、図２１（ａ）のＸＸＩＩｃ−ＸＸＩＩｃ線における第１板部材及び第２板部材の断面図である。
【図２３】（ａ）及び（ｂ）は、図１２のＸＩＩＩ−ＸＩＩＩ線における正面枠の部分断面図である。
【図２４】第２実施形態における正面枠の分解正面斜視図である。
【図２５】（ａ）から（ｄ）は、順序規定装置の側面図である。
【図２６】上皿の上面図である。
【図２７】上皿の背面斜視図である。
【図２８】上皿の背面斜視図である。
【図２９】上皿の背面斜視図である。
【図３０】上皿の上面図である。
【図３１】上皿の上面図である。
【図３２】（ａ）及び（ｂ）は、上皿に継続的に球が供給される（払い出される）場合に上皿に残る球の個数変化の一例を示すタイミングチャートである。
【図３３】（ａ）及び（ｂ）は、図１３のＸＩＶａ−ＸＩＶａ線に対応する線における正面枠の断面図である。
【図３４】（ａ）は、第３実施形態における正面枠の部分上面図であり、（ｂ）及び（ｃ）は、図３４（ａ）のＸＸＸＩＶｂ−ＸＸＸＩＶｂ線における正面枠の部分断面図である。
【図３５】第４実施形態における上皿の背面斜視図である。
【図３６】上皿の背面斜視図である。
【図３７】（ａ）及び（ｂ）は、図１３のＸＩＶａ−ＸＩＶａ線に対応する線における第５実施形態における正面枠の部分断面図である。
【図３８】上皿の背面斜視図である。
【図３９】上皿の背面斜視図である。
【図４０】第６実施形態におけるパチンコ機の側面図である。
【図４１】（ａ）及び（ｂ）は、パチンコ機の上面図である。
【発明を実施するための形態】
【００１３】
以下、本発明の実施形態について、添付図面を参照して説明する。まず、図１から図２６を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、スロットマシン１０の上下方向，左右方向，前後方向をそれぞれ示している。
【００１５】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側（矢印Ｌ側）の上下２カ所に金属製のヒンジ１８が取り付けられ、そのヒンジ１８が設けられた側を開閉の軸として内枠１２が正面手前側（矢印Ｆ側）へ開閉可能に支持されている。
【００１６】
内枠１２には、多数の釘や入賞口６３，６４等を有する遊技盤１３（図２参照）が裏面側から着脱可能に装着される。この遊技盤１３の正面を球（以下、遊技球やパチンコ球とも称す）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１７】
内枠１２の正面側には、その正面を覆う正面枠１４が設けられている。正面枠１４を支持するために正面視（図１参照）左側（矢印Ｌ側）の上下２カ所に金属製のヒンジ１９が取り付けられ、そのヒンジ１９が設けられた側を開閉の軸として正面枠１４が正面手前側（矢印Ｆ側）へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１８】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側から視認可能となっている。
【００１９】
正面枠１４には、球を貯留する上皿１７が正面側へ張り出して上面を開放した略箱状に形成されており、この上皿１７に賞球や貸出球などが排出される。更に、上皿１７の下方に下皿１５が正面側へ張り出して形成される。上皿１７の底面は右側（矢印Ｒ側）に下降傾斜して形成され、上皿１７に投入された球がその傾斜により発射供給口１７ｋ（図１２参照）を通過して球発射ユニット１１２ａ（図４参照）へと案内される。また、上皿１７の上面（矢印Ｕ側面）には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２０】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部（矢印Ｌ，Ｕ側部分）には、ＬＥＤ等の発光手段が内蔵され賞球の払い出し中とエラー発生時とを表示可能な表示ランプ３４が設けられている。
【００２１】
また、右側（矢印Ｒ側）の電飾部３２下側（矢印Ｄ側）には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２２】
窓部１４ｃの下方（矢印Ｄ方向）には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２３】
上皿１７の下側（矢印Ｄ側）に位置する下皿１５は、上皿１７に貯留しきれなかった球を貯留するための球受け部分であって、上面を開放した略箱状に形成されている。下皿１５の右側（矢印Ｒ側）には、球を遊技盤１３の正面へ打ち込むために遊技者によって操作される操作ハンドル５１が配設される。
【００２４】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２５】
下皿１５の正面下方部には、下皿１５に貯留された球を下方へ排出する際に操作するための球抜きレバー５２が設けられている。この球抜きレバー５２を押し込むたびに、下皿１５の底面に形成された底面口１５ａが、開状態と閉状態とで切り替えられる。底面口１５ａが開状態となると、底面口１５ａから球が自然落下して排出される。この球抜きレバー５２の操作は、通常、下皿１５の下方に下皿１５から排出された球を受け取る箱（一般に「千両箱」と称される。以下、同じ）を置いた状態で行われる。下皿１５の右方には、上述したように操作ハンドル５１が配設され、下皿１５の左方には灰皿（図示せず）が取り付けられている。
【００２６】
図２に示すように、遊技盤１３は、正面視略正方形状に切削加工したベース板６０に、球案内用の多数の釘や風車の他、レール６１，６２、一般入賞口６３、第１入球口６４、第２入球口６４０、普通入球口（スルーゲート）６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入球口６４、第２入球口６４０、可変表示装置ユニット８０は、ルータ加工によってベース板６０に形成された貫通穴に配設され、遊技盤１３の正面側からタッピングネジ等により固定されている。
【００２７】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２８】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の円弧部材７０とにより区画して形成される領域（入賞口等が配設され、発射された球が流下する領域）である。
【００２９】
２本のレール６１，６２は、球発射ユニット１１２ａ（図４参照）から発射された球を遊技盤１３上部（矢印Ｕ側部分）へ案内するために設けられたものである。内レール６１の先端部分（図２の左上部、矢印Ｌ側上部）には戻り球防止部材６８が取り付けられ、一旦、遊技盤１３の上部へ案内された球が再度球案内通路内に戻ってしまうといった事態が防止される。外レール６２の先端部（図２の右上部、矢印Ｒ側上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側（矢印Ｒ側下方）の先端部と外レール６２の右上側（矢印Ｒ側上方）の先端部との間には、レール間を繋ぐ円弧を内面側に設けて形成された樹脂製の円弧部材７０がベース板６０に打ち込んで固定されている。
【００３０】
本パチンコ機１０では、第１入球口６４、および第２入球口６４０へ入賞があったことを契機として特別図柄（第１図柄）の抽選が行われ、球が普通入球口６７を通過した場合に普通図柄（第２図柄）の抽選が行われる。第１入球口６４、および第２入球口６４０への入球に対して行われる特別図柄の抽選では、特別図柄の大当たりか否かの当否判定が行われると共に、特別図柄の大当たりと判定された場合にはその大当たり種別の判定も行われる。なお、本パチンコ機１０では、特別図柄の低確率状態では、例えば、３２０分の１の確率で特別図柄の大当たりと判定され、特別図柄の高確率状態（特別図柄の確変状態とも称する）では、例えば、６０分の１の確率で特別図柄の大当たりと判定される。なお、説明の便宜上、第１入球口６４への入球に対して行われる特別図柄の抽選を「特別図柄１の抽選」と称し、第２入球口６４０への入球に対して行われる特別図柄の抽選を「特別図柄２の抽選」と称する。
【００３１】
特別図柄の大当たりになると、パチンコ機１０が特別遊技状態へ移行すると共に、通常時には閉鎖されている第１特定入賞口６５ａが所定時間（例えば、３０秒経過するまで、或いは、球が１０個入賞するまで）開放される動作が最大１５回（１５ラウンド）繰り返される。その結果、その第１特定入賞口６５ａに多量の球が入賞するので、通常時より多量の賞球の払い出しが行われる。
【００３２】
なお、特別図柄の大当たり種別としては、「大当たりＡ」、「大当たりＢ」、「大当たりＣ」、「大当たりａ」、「大当たりｂ」、「大当たりｃ」の６種類が設けられている。大当たり種別によって、第１特定入賞口６５ａの開放パターンが異なって構成されており、第１可変入賞装置６５への球の入球個数を変化させるように構成される。
【００３３】
特別図柄（第１図柄）の抽選が行われると、第１図柄表示装置３７において特別図柄の変動表示が開始されて、所定時間（例えば、１１秒〜６０秒など）が経過した後に、抽選結果を示す特別図柄が停止表示される。第１図柄表示装置３７において変動表示が行われている間に球が第１入球口６４、または第２入球口６４０へと入球すると、その入球回数は入球口の種別毎にそれぞれ最大４回まで保留され、その保留球数が第１図柄表示装置３７により示されると共に、第３図柄表示装置８１においても示される。第１図柄表示装置３７において変動表示が終了した場合に、第１入球口６４についての保留球数（特別図柄１の保留球数）、または第２入球口６４０についての保留球数（特別図柄２の保留球数）が残っていれば、次の特別図柄の抽選が行われると共に、その抽選に応じた変動表示が開始される。なお、特別図柄１の保留球数と特別図柄２の保留球数が共に残っている場合は、特別図柄２の保留球に基づく抽選が優先的に実行される。
【００３４】
普通図柄（第２図柄）の抽選では、普通図柄の当たりか否かの当否判定が行われる。普通図柄の当たりになると、所定時間（例えば、０．２秒または１秒）だけ第２入球口６４０に付随する電動役物６４０ａが開放され、第２入球口６４０へ球が入球し易い状態になる。つまり、普通図柄の当たりになると、球が第２入球口６４０へ入球し易くなり、その結果、特別図柄の抽選が行われ易くなる。
【００３５】
また、普通図柄（第２図柄）の抽選が行われると、第２図柄表示装置８３において普通図柄の変動表示が開始されて、所定時間（例えば、３秒や３０秒など）が経過した後に、抽選結果を示す普通図柄が停止表示される。第２図柄表示装置８３において変動表示が行われている間に球が普通入球口６７を通過すると、その通過回数は最大４回まで保留され、その保留球数が第１図柄表示装置３７により表示されると共に、第２図柄保留ランプ８４においても示される。第２図柄表示装置８３において変動表示が終了した場合に、普通入球口６７についての保留球数が残っていれば、次の普通図柄の抽選が行われると共に、その抽選に応じた変動表示が開始される。
【００３６】
本実施形態では、大当たり終了後の付加価値として、特別遊技状態が終了してから特別図柄の抽選が１００回終了するまで特別図柄の確変状態（高確率状態）が付与され、特別図柄の抽選が１００回終了して以降は通常状態に設定されるように構成される。
【００３７】
なお、本実施形態では、特別遊技状態の終了後に特別図柄の確変状態が付与される場合に、その特別図柄の確変状態が特別図柄の抽選の回数に応じて終了するように構成したが、これに限られるものではなく、例えば、所定の大当たり種別（例えば、大当たりＡ、大当たりＢ、大当たりａ）の大当たり遊技の後に、その大当たり終了後から次に大当たりとなるまでの間、パチンコ機１０が特別図柄の高確率状態（特別図柄の確変中）へ移行するようにしても良い。この場合、他の大当たり種別（例えば、大当たりＣ、大当たりｂ、大当たりｃ）の大当たり遊技の後に、特別図柄の抽選が１００回終了するまで普通図柄の時短状態となるように構成される。
【００３８】
なお、上述した特別図柄の確変状態（高確率状態）が付与される特別図柄の抽選回数は、１００回に限られるものではない。例えば、５０回でも良いし、２００回でも良い。
【００３９】
また、上述した普通図柄の時短状態となる特別図柄の抽選回数は、１００回に限られる物ではない。例えば、５０回でも良いし、５回でも良い。
【００４０】
ここで、「特別図柄の高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における特別図柄の高確率状態（特別図柄の確変中）は、普通図柄（第２図柄）の当たり確率がアップして第２入球口６４０へ球が入賞し易い遊技の状態を含む。一方、「特別図柄の低確率状態」とは、特別図柄の確変中でない時をいい、大当たり確率が通常の状態、即ち、特別図柄の確変中よりも大当たり確率が低い状態をいう。
【００４１】
また、「普通図柄の時短状態」（時短中）とは、普通図柄の当たり確率がアップして第２入球口６４０へ球が入賞し易い遊技の状態のことをいう。また、「通常状態」とは、特別図柄の確変中でも普通図柄の時短中でもない遊技の状態（大当たり確率も普通図柄（第２図柄）の当たり確率もアップしていない状態）のことをいう。
【００４２】
特別図柄の確変中や、普通図柄の時短中では、普通図柄の当たり確率がアップするだけではなく、第２入球口６４０に付随する電動役物６４０ａが開放される時間も変更され、通常状態に比較して長い時間が設定される。電動役物６４０ａが開放された状態（開放状態）にある場合は、その電動役物６４０ａが閉鎖された状態（閉鎖状態）にある場合と比較して、第２入球口６４０へ球が入賞しやすい状態となる。よって、特別図柄の確変中や普通図柄の時短中は、第２入球口６４０へ球が入球し易い状態となる。即ち、特別図柄の抽選が行われやすくなる。
【００４３】
なお、特別図柄の確変中や普通図柄の時短中において、第２入球口６４０に付随する電動役物６４０ａの開放時間を変更するのではなく、又は、その開放時間を変更することに加えて、普通図柄の当たりとなった場合における電動役物６４０ａの開放回数を、通常状態よりも増やすように構成してもよい。また、特別図柄の確変中や普通図柄の時短中において、普通図柄（第２図柄）の当たり確率は変更せず、第２入球口６４０に付随する電動役物６４０ａが開放される時間、および電動役物６４０ａの開放回数のうち少なくとも一方を変更するものとしてもよい。また、特別図柄の確変中や普通図柄の時短中において、第２入球口６４０に付随する電動役物６４０ａが開放される時間や、電動役物６４０ａの開放回数は変更せず、普通図柄（第２図柄）の当たり確率だけを、通常状態に比較してアップするように構成してもよい。
【００４４】
遊技領域の正面視右側上部（図２の矢印Ｒ，Ｕ側部分）には、発光手段である複数の発光ダイオード（以下、「ＬＥＤ」と略す）３７ａと７セグメント表示器３７ｂとが設けられた第１図柄表示装置３７が配設されている。第１図柄表示装置３７は、後述する主制御装置１１０で行われる各制御に応じた表示がなされるものであり、主にパチンコ機１０の遊技状態の表示が行われる。複数のＬＥＤ３７ａは、第１入球口６４、または第２入球口６４０への入球（始動入賞）に伴って行われる特別図柄の抽選が実行中であるか否かを点灯状態により示すことによって変動表示を行ったり、変動終了後の停止図柄として、その特別図柄の抽選結果に応じた特別図柄（第１図柄）を点灯状態により示したり、第１入球口６４に入球された球のうち変動が未実行である球（保留球）の数である保留球数を点灯状態により示すものである。
【００４５】
この第１図柄表示装置３７において特別図柄（第１図柄）の変動表示が行われている間に球が第１入球口６４、または第２入球口６４０へと入球した場合、その入球回数は入球口の種別毎にそれぞれ最大４回まで保留され、その保留球数は第１図柄表示装置３７により示されると共に、第３図柄表示装置８１においても示される。なお、本実施形態においては、第１入球口６４、および第２入球口６４０への入球は、それぞれ最大４回まで保留されるように構成したが、最大保留回数は４回に限定されるものでなく、３回以下、又は、５回以上の回数（例えば、８回）に設定しても良い。
【００４６】
７セグメント表示器３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態（特別図柄の高確率状態や、普通図柄の時短中など）を表示することができる。また、ＬＥＤ３７ａには、変動終了後の停止図柄として特別図柄の抽選結果が大当たりであるか否かが示されるだけでなく、大当たりである場合はその大当たり種別（大当たりＡ、大当たりＢ、大当たりＣ、大当たりａ、大当たりｂ、大当たりｃ）に応じた特別図柄（第１図柄）が示される。
【００４７】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入賞（始動入賞）をトリガとして、第１図柄表示装置３７における変動表示と同期させながら、第３図柄の変動表示を行う液晶ディスプレイ（以下単に「表示装置」と略す）で構成された第３図柄表示装置８１と、普通入球口（スルーゲート）６７の球の通過をトリガとして第２図柄を変動表示するＬＥＤで構成される第２図柄表示装置８３とが設けられている。この可変表示装置ユニット８０には、第３図柄表示装置８１の外周を囲むようにして、センターフレーム８６が配設されている。
【００４８】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４９】
本実施形態では、第３図柄は、「０」から「９」の数字を付した１０種類の主図柄により構成されている。本実施形態のパチンコ機１０においては、後述する主制御装置１１０（図４参照）により行われる特別図柄の抽選結果が大当たりであった場合に、同一の主図柄が揃う変動表示が行われ、その変動表示が終わった後に大当たりが発生するよう構成されている。一方、特別図柄の抽選結果が外れであった場合は、同一の主図柄が揃わない変動表示が行われる。
【００５０】
例えば、特別図柄の抽選結果が「大当たりＢ」、「大当たりＣ」、「大当たりｂ」、「大当たりｃ」であれば、偶数番号である「０，２，４，６，８」が付加された主図柄が揃う変動表示が行われる。一方、「大当たりＡ」、「大当たりａ」であれば、奇数番号も加えたすべての番号「０，１，２，３，４，５，６，７，８，９」のうちいずれかの番号が付加された主図柄が揃う変動表示が行われる。一方、特別図柄の抽選結果が外れであれば、同一番号の主図柄が揃わない変動表示が行われる。
【００５１】
次に、第３図柄表示装置８１に表示される、遊技盤１３の右側の経路（流路）を狙って球を打ち出すように促す表示（右打ちナビ）について説明する。
【００５２】
上述した通り、本実施形態のパチンコ機１０では、特別図柄の確変状態や、普通図柄の時短状態となった場合に、電動役物６４０ａが開放しやすくなるので、遊技盤１３の右側へと球を打ち出す（右打ちする）ことにより、第２入球口６４０へと球を入球させやすくなる。また、詳細については後述するが、第２入球口６４０へと球が入球したことに基づいて行われる特別図柄の抽選（特別図柄２の抽選）により大当たりとなると、第１入球口６４へと球が入球したことに基づいて行われる特別図柄の抽選（特別図柄１の抽選）により大当たりとなる場合に比較して、最大の利益を獲得できる大当たり（大当たりａ）となりやすい。よって、大当たりの終了後に付与される特別図柄の確変状態や、普通図柄の時短状態では、右打ちを実行することにより、遊技者にとって有利となる。換言すれば、特別図柄の確変状態や、普通図柄の時短状態に設定されたとしても、遊技者が右打ちしなければ第２入球口６４０へと球を入球させることができないため、特別図柄の確変状態や、普通図柄の時短状態の恩恵を遊技者が十分に受けることができなくなってしまう。
【００５３】
そこで、本実施形態では、特別図柄の確変状態や、普通図柄の時短状態においては、特定の画像（右打ちナビ）を表示させることにより、遊技者が特別図柄の確変状態や普通図柄の時短状態となることによる恩恵を十分に受けられない事態が発生することを防止している。
【００５４】
右打ちナビでは、第３図柄表示装置８１に「右を狙え！！」との文字が表示されると共に、その文字の上下（矢印Ｕ側および矢印Ｄ側）に右向きの（矢印Ｒ方向を向いた）矢印が３つずつ表示される。これらの文字、および矢印が表示されることにより、遊技者に対して球を遊技盤１３の右側に設けられた経路（流路）へと打ち出すべきであると感じさせることができる。よって、遊技者に、特別図柄の確変状態、および普通図柄の時短状態となることによる恩恵を受けさせることができる。
【００５５】
次に、本実施形態のパチンコ機１０において第３図柄表示装置８１に対して表示される警告画像の一例について説明する。この警告画像は、遊技者が遊技盤１３の右側に設けられた経路（流路）へと球を打ち出す（右打ちする）べき期間でないにもかかわらず、右打ちを実行していると判別された場合に第３図柄表示装置８１に対して表示される画像（右打ち警告画像）である。より具体的には、通常状態（特別図柄の確変状態でも、普通図柄の時短状態でもない状態）において、遊技者が右打ちを行っていると判別した場合に表示される。
【００５６】
本実施形態のパチンコ機１０では、通常状態において電動役物６４０ａが開放されにくくなるように制御される（右打ちを行ったとしても第２入球口６４０へと球を入球させにくい）。このため、通常状態において右打ちを行うと、左打ちにより第１入球口６４を狙って球を打ち出す場合に比較して、特別図柄の抽選を受ける機会が少なくなってしまう。即ち、通常状態において右打ちを行うと、大当たりとなりにくくなるので、遊技者にとって損となってしまう。よって、右打ち警告画像を表示させて左打ちを促すことにより、遊技者が損をしてしまうことを防止（抑制）できるように構成している。
【００５７】
通常状態において遊技者が右打ちを行っていると判別した場合には、第３図柄表示装置８１に対して、「警告」との文字と、「左打ちで遊技してね！！」との文字とが表示される。これらの文字が表示されることにより、遊技者に対して右打ちをすべきではない（左打ちを行うべきである）と気付かせることができる。また、ホールの店員も右打ち警告画面の有無を確認することにより、通常状態において右打ちを行う変則的な遊技方法を実行している遊技者がいるか否かを容易に判別することができる。
【００５８】
なお、右打ちを行っているか否かの判断方法としては、例えば、右打ちを行った場合に球が流入し得る普通入球口（スルーゲート）６７（図２参照）に対して球が入球したか否かによって判断する。
【００５９】
本実施形態では、通常状態において普通入球口（スルーゲート）６７（図２参照）に球が入球したことを検出した場合に、右打ち警告画像を表示させるように構成していたが、これに限られるものではない。例えば、特別遊技状態（大当たり状態）以外の状態において、第１特定入賞口６５ａへと球が入賞（入球）したことを検出した場合に、不正遊技が行われていると判別して、右打ち警告画像を表示させるように構成してもよい。これにより、ホールの店員は右打ち警告画像の有無を確認するだけで容易に不正の有無を判別することができる。また、特別遊技状態（大当たり状態）以外の状態において、第１特定入賞口６５ａへと球が入球したことを検出した場合に、ホールコンピュータに対して不正が行われていることを示す信号を出力するように構成してもよい。これにより、ホールコンピュータの操作者は容易に不正が行われている可能性の有無、および不正行為が行われているパチンコ機１０の台番号（位置）を判断することができる。
【００６０】
次に、第１可変入賞装置６５において異常が発生していることを検知した場合に表示される警告画像について説明する。ここで、第１可変入賞装置６５の異常が発生した場合とは、例えば、特別遊技状態（大当たり状態）でないにもかかわらず第１特定入賞口６５ａへの入球を検出した場合などが例示される。
【００６１】
第１可変入賞装置６５において異常が発生していると判別した場合は、第３図柄表示装置８１の中央部分に「警告」との文字が大きく表示される。また、その下部には、「ゲートエラー係員を呼んで下さい」との文字が表示される。これらの文字により、遊技者は、パチンコ機１０においてエラーが発生していると判別することができるので、ホールの店員等に対して迅速に修理等を依頼することができる。
【００６２】
第２図柄表示装置８３は、球が普通入球口（スルーゲート）６７を通過する毎に表示図柄（第２図柄（図示せず））としての「○」の図柄と「×」の図柄とを所定時間交互に点灯させる変動表示を行うものである。パチンコ機１０では、球が普通入球口（スルーゲート）６７を通過したことが検出されると、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第２図柄の変動表示後に「×」の図柄が停止表示される。
【００６３】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００６４】
第２図柄の変動表示にかかる時間（変動時間）は、遊技状態が通常状態中よりも、特別図柄の確変中、または普通図柄の時短中の方が短くなるように設定される。これにより、特別図柄の確変中、および普通図柄の時短中は、第２図柄の変動表示が短い時間で行われるので、普通図柄（第２図柄）の抽選を通常状態中よりも多く行うことができる。よって、普通図柄の当たりとなる機会が増えるので、第２入球口６４０の電動役物６４０ａが開放状態となる機会を遊技者に多く与えることができる。従って、特別図柄の確変中、および普通図柄の時短中は、第２入球口６４０へ球が入賞しやすい状態とすることができる。
【００６５】
なお、特別図柄の確変中、または普通図柄の時短中において、当たり確率をアップさせたり、電動役物６４０ａの開放時間や開放回数を増やしたりするなど、その他の方法によって第２入球口６４０へ球が入賞しやすい状態としている場合は、第２図柄の変動表示にかかる時間を遊技状態にかかわらず一定としてもよい。一方、第２図柄の変動表示にかかる時間を、特別図柄の確変中、または普通図柄の時短中において、通常状態中よりも短く設定する場合は、普通図柄の当たり確率を遊技状態にかかわらず一定にしてもよいし、１回の普通図柄の当たりに対する電動役物６４０ａの開放時間や開放回数を遊技状態にかかわらず一定にしてもよい。
【００６６】
普通入球口（スルーゲート）６７は、可変表示装置ユニット８０の下側の領域における右方において遊技盤に組み付けられ、遊技盤に発射された球のうち、遊技盤の右方（矢印Ｒ側）を流下する球の一部が通過可能に構成されている。普通入球口（スルーゲート）６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００６７】
球の普通入球口（スルーゲート）６７の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００６８】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、普通入球口（スルーゲート）６７の球の通過に対する最大保留球数は４回に限定されるものでなく、３回以下、又は、５回以上の回数（例えば、８回）に設定しても良い。また、普通入球口（スルーゲート）６７の組み付け数は１つに限定されるものではなく、複数（例えば、２つ）であっても良い。また、普通入球口（スルーゲート）６７の組み付け位置は可変表示装置ユニット８０の右方（矢印Ｒ方向）に限定されるものではなく、例えば、可変表示装置ユニット８０の左方（矢印Ｌ方向）でも良い。また、第１図柄表示装置３７により保留球数が示されるので、第２図柄保留ランプ８４により点灯表示を行わないものとしてもよい。
【００６９】
可変表示装置ユニット８０の下方（矢印Ｄ方向）には、球が入賞し得る第１入球口６４が配設されている。この第１入球口６４へ球が入賞すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７で示される。
【００７０】
一方、第１入球口６４の正面視右方（矢印Ｒ方向）には、球が入賞し得る第２入球口６４０が配設されている。この第２入球口６４０へ球が入賞すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７で示される。
【００７１】
また、第１入球口６４および第２入球口６４０は、それぞれ、球が入賞すると５個の球が賞球として払い出される入賞口の１つにもなっている。なお、本実施形態においては、第１入球口６４へ球が入賞した場合に払い出される賞球数と第２入球口６４０へ球が入賞した場合に払い出される賞球数とを同じに構成したが、第１入球口６４へ球が入賞した場合に払い出される賞球数と第２入球口６４０へ球が入賞した場合に払い出される賞球数とを異なる数、例えば、第１入球口６４へ球が入賞した場合に払い出される賞球数を３個とし、第２入球口６４０へ球が入賞した場合に払い出される賞球数を５個として構成してもよい。
【００７２】
第２入球口６４０には電動役物６４０ａが付随されている。この電動役物６４０ａは開閉可能に構成されており、通常は電動役物６４０ａが閉鎖状態（縮小状態、矢印Ｌ側に起立する状態、図２参照）となって、球が第２入球口６４０へ入賞しにくい状態となっている。一方、普通入球口（スルーゲート）６７への球の通過を契機として行われる第２図柄の変動表示の結果、「○」の図柄が第２図柄表示装置８３に表示された場合、電動役物６４０ａが開放状態（拡大状態、矢印Ｒ側に傾倒（下端付近を起点に傾倒）する状態）となり、球が第２入球口６４０へ入賞しやすい状態となる。
【００７３】
上述した通り、特別図柄の確変中および普通図柄の時短中は、通常状態中に比較して普通図柄の当たり確率が高く、また、普通図柄の変動表示にかかる時間も短いので、普通図柄の変動表示において「○」の図柄が表示され易くなる。よって、電動役物６４０ａが開放状態（拡大状態）となる回数が増える。更に、特別図柄の確変中および普通図柄の時短中は、電動役物６４０ａが開放される時間も、通常状態中より長くなる。よって、特別図柄の確変中および普通図柄の時短中は、通常状態に比較して、第２入球口６４０へ球が入賞しやすい状態を作ることができる。一方、第１入球口６４は、第２入球口６４０に設けられているような電動役物は有しておらず、球が常時入賞可能な状態となっている。
【００７４】
ここで、第１入球口６４に球が入賞した場合と第２入球口６４０へ球が入賞した場合とで、大当たりとなる確率は、低確率状態であっても高確率状態でも同一である。しかしながら、大当たりとなった場合に選定される大当たりの種別として最大の利益（出球）が得られる大当たり（大当たりＡ、大当たりａ）となる確率は、第２入球口６４０へ球が入賞した場合のほうが第１入球口６４へ球が入賞した場合よりも高く設定されている。
【００７５】
通常中においては、第２入球口６４０に付随する電動役物が閉鎖状態にある場合が多く、第２入球口６４０に入賞しづらいので、電動役物のない第１入球口６４へ向けて、可変表示装置ユニット８０の左方を球が通過するように球を発射し（所謂「左打ち」）、第１入球口６４への入賞によって大当たり抽選の機会を多く得て、大当たりとなることを狙った方が、遊技者にとって有利となる。
【００７６】
一方、特別図柄の確変中や普通図柄の時短中は、普通入球口（スルーゲート）６７に球を通過させることで、第２入球口６４０に付随する電動役物６４０ａが開放状態となりやすく、第２入球口６４０に入賞しやすい状態であるので、第２入球口６４０へ向けて、可変表示装置８０の右方を球が通過するように球を発射し（所謂「右打ち」）、普通入球口（スルーゲート）６７を通過させて電動役物６４０ａを開放状態にすると共に、第２入球口６４０への入賞によって大当たりとなることを狙った方が、遊技者にとって有利となる。
【００７７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技者を楽しませることができる。
【００７８】
第１入球口６４の下方右側（第２入球口６４０の下側、矢印Ｄ側）には、第１可変入賞装置６５が配設されており、その略中央部分に左右方向に長い開口として配設される第１特定入賞口（大開放口）６５ａが設けられている。パチンコ機１０においては、第１入球口６４、または第２入球口６４０への入賞に起因して行われた特別図柄の抽選で大当たりになると、所定時間（変動時間）が経過した後に、大当たりの停止図柄となるよう第１図柄表示装置３７を点灯させる。加えて、大当たりに対応した停止図柄を第３図柄表示装置８１に表示させて、大当たりの発生が報知される。その後、球が入賞し易い特別遊技状態（大当たり）に遊技状態が遷移する。この特別遊技状態として、通常時には閉鎖されている第１特定入賞口６５ａが、所定時間（例えば、３０秒経過するまで、或いは、球が１０個入賞するまで）開放される。
【００７９】
この第１特定入賞口６５ａは、所定時間が経過すると閉鎖され、その閉鎖後、再度、その第１特定入賞口６５ａが所定時間開放される。この第１特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量（本実施形態では、１個の球の入賞に基づき１５個）の賞球の払い出しが行われる。
【００８０】
第１可変入賞装置６５は、具体的には、遊技盤１３の内側へ退避することにより球を第１特定入賞口６５ａへ案内する開状態を形成する開閉板と、その開閉板を動作させるソレノイドとを備えている。開閉板は、通常時は、第１特定入賞口６５ａに球が入賞できないか又は入賞し難い閉状態になっている。大当たりの際にはソレノイドの駆動により開閉板を退避させ球が第１特定入賞口６５ａに入賞しやすい開状態を一時的に形成し、その開状態と通常時の閉状態とを交互に繰り返すようにソレノイドが作動する。
【００８１】
遊技盤１３の下側（矢印Ｄ側）における右隅部（矢印Ｒ側隅部）には、証紙や識別ラベル等を貼着するための貼着スペースＫ１が設けられ、貼着スペースＫ１に貼られた証紙等は、正面枠１４の小窓３５（図１参照）を通じて視認することができる。
【００８２】
遊技盤１３には、第１入球口６４の下方（矢印Ｄ側方向）に第１アウト口６６が設けられている。遊技領域を流下する球であって、いずれの入球口６３，６４，６５ａ，６４０にも入賞しなかった球は、第１アウト口６６を通って図示しない球排出路へと案内される。遊技盤１３には、球の落下方向を適宜分散、調整等するために多数の釘が植設されているとともに、風車等の各種部材（役物）とが配設されている。
【００８３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００８４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００８５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００８６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００８７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００８８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００８９】
次に、図４を参照して、本パチンコ機１０の電気的構成について説明する。図４は、パチンコ機１０の電気的構成を示すブロック図である。
【００９０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７及び第３図柄表示装置８１における表示の設定、第２図柄表示装置における表示結果の抽選といったパチンコ機１０の主要な処理を実行する。
【００９１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００９２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００９３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００９４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置、第２図柄保留ランプ、第１特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００９５】
また、入出力ポート２０５には、図示しないスイッチ群およびスライド位置検出センサＳや回転位置検出センサＲを含むセンサ群などからなる各種スイッチ２０８（検出センサ１２４０、第２検出センサ２２５５等を含む）、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００９６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００９７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【０１００】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【０１０１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【０１０２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【０１０３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【０１０４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【０１０５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１０６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【０１０７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１０８】
次いで図５から図２２を参照して、流下装置３００について説明する。図５は、正面枠１４の部分正面斜視図である。図５に示すように、流下装置３００は、正面枠１４の正面側に配設される上皿１７と下皿１５との間に配設され、上皿１７から排出された球を下方へ案内する案内流路を構成する装置である。次いで、図６及び図７を参照して、流下装置３００の詳細について説明する。
【０１０９】
図６及び図７は、流下装置３００の正面分解斜視図である。なお、図６では、正面枠１４から、前カバー３９０及び第２板部材３２０が分解された状態が、図７では、更に、正面枠１４から、第１板部材３１０、傾倒部材３３０及び解除部材３４０が分解された状態が、それぞれ図示される。また、図６及び図７では、上皿１７の開口部１７ａが拡大して図示される。
【０１１０】
流下装置３００は、光透過性の樹脂材料から形成されると共に正面枠１４に締結固定される第１板部材３１０と、光透過性の樹脂材料から形成され、第１板部材３１０に重ねられた状態で正面枠１４に締結固定されると共に第１板部材３１０との間に案内流路を形成する第２板部材３２０と、回転動作により球を貯留する状態と排出可能な状態とで切り替えられる傾倒部材３３０と、その傾倒部材３３０と係合可能に配設される解除部材３４０と、正面枠１４の正面側から取り付けられる前カバー３９０と、を主に備える。
【０１１１】
上皿１７は、その底面および正面側側面（矢印Ｆ側の側面）に連続的に穿設される開口部１７ａと、その開口部１７ａの正面側において解除部材３４０を回転可能に支持する部分として背面側（矢印Ｂ側）へ向けて凹む一対の第１支持凹部１７ｂと、開口部１７ａの下方において傾倒部材３３０を回転可能に支持する部分として背面側へ向けて凹む一対の第２支持凹部１７ｃと、を主に備える。
【０１１２】
第１支持凹部１７ｂ及び第２支持凹部１７ｃは、上皿１７上を流下する球の経路における上流側である正面視左側（矢印Ｌ側）に配置されると共に、球発射ユニット１１２ａが配設される背面側（矢印Ｂ側）の反対側である上皿１７の正面側（矢印Ｆ側）に配置される。これにより、傾倒部材３３０上を球発射ユニット１１２ａへ向けて通り過ぎようとする球が解除部材３４０に負荷を与えることを防止することができる。
【０１１３】
本実施形態では、傾倒部材３３０及び解除部材３４０が近接し、開口部１７ａの球の通過を規制する規制状態（図６参照）と、その規制状態から傾倒部材３３０又は解除部材３４０が互いに離反する方向へ回転し、開口部１７ａの球の通過が許容される許容状態（図１４（ｂ）参照）とで、流下装置３００の状態を変化可能とされる。
【０１１４】
ここで、規制状態の態様は、何ら限定されるものでは無い。例えば、規制状態を、傾倒部材３３０に解除部材３４０が押し付けられることにより、傾倒部材３３０と解除部材３４０との間に摩擦力が生じる状態として構成しても良いし、傾倒部材３３０と解除部材３４０とが一定の間隔を保ち球の通過を規制する状態として構成しても良いし（図１４（ｂ）参照、傾倒部材３３０は想像線で図示）、傾倒部材３３０と解除部材３４０とが滑らかな面で当接し摩擦力の発生を極力抑える状態として構成しても良い。
【０１１５】
なお、本実施形態では、規制状態において、傾倒部材３３０に解除部材３４０が押し付けられることにより、傾倒部材３３０と解除部材３４０との間に摩擦力が生じる。
【０１１６】
また、許容状態の態様は、何ら限定されるものでは無い。例えば、傾倒部材３３０又は解除部材３４０が移動可能範囲の端部まで移動しきった状態（図１４（ｂ）参照）として構成しても良いし、傾倒部材３３０と解除部材３４０とが移動可能範囲の途中で止まった場合において、間の間隔が球の直径以上に保たれることで球の通過を許容する状態として構成しても良い。
【０１１７】
なお、本実施形態では、許容状態において、傾倒部材３３０が規制状態（図１４（ａ）参照）の姿勢から傾倒し、傾倒部材３３０と解除部材３４０との間が球の直径以上の間隔（球が通過可能な間隔）で開放される。
【０１１８】
次いで、図８及び図９を参照して、開口部１７ａを通過した球を案内する案内流路を形成する第１板部材３１０、第２板部材３２０について説明する。
【０１１９】
図８（ａ）は、第１板部材３１０の正面図であり、図８（ｂ）は、図８（ａ）のＶＩＩＩｂ−ＶＩＩＩｂ線における第１板部材３１０の断面図であり、図８（ｃ）は、第１板部材３１０の背面図であり、図８（ｄ）は、図８（ａ）のＶＩＩＩｄ−ＶＩＩＩｄ線における第１板部材３１０の断面図である。
【０１２０】
第１板部材３１０は、正面枠１４に締結固定される部材であって、平行に配置される一対の板から形成される側壁部３１１と、その側壁部３１１の間に配設され略Ｌ字状に屈曲すると共に球の案内面を形成する案内板部３１２と、その案内板部３１２の天面に凸設されるバネ受け部３１３と、案内板部３１２の下端に連設されると共に案内面を背面側へ移動させる連設板部３１４と、を主に備える。
【０１２１】
側壁部３１１は、第１板部材３１０が正面枠１４に締結された状態（図６参照）において、第２支持凹部１７ｃを正面側から塞ぐ位置に配置される端部である閉塞端部３１１ａを備える。即ち、第１板部材３１０を正面枠１４に締結することにより、第２支持凹部１７ｃに支持される傾倒部材３３０が第２支持凹部１７ｃから脱落することを防止できる。
【０１２２】
案内板部３１２は、上面（矢印Ｕ側の面）を形成する天板部３１２ａと、その天板部３１２ａの正面側端部（矢印Ｆ側端部）から下方へ延設される延設板部３１２ｂと、を主に備える。
【０１２３】
天板部３１２ａは、開口部１７ａの下方に配置され、開口部１７ａを通過した球は天板部３１２ａの延設方向に沿って正面側（矢印Ｆ側）へ流下し、延設板部３１２ｂの正面側を案内される。なお、本実施形態では、開口部１７ａと天板部３１２ａとの間に。天板部３１２ａを覆う態様で傾倒部材３３０が配設されるため、球は天板部３１２ａ上を転動することはなく、傾倒部材３３０上を転動する。
【０１２４】
延設板部３１２ｂの下端部は、正面視右方（矢印Ｒ方向）へ向かう程、下降傾斜される。即ち、延設板部３１２ｂは、正面視で、左辺（矢印Ｌ側の辺）を上底、右辺（矢印Ｒ側の辺）を下底とする台形形状から形成される。
【０１２５】
連設板部３１４は、延設板部３１２ｂの背面側に配設されると共に、幅方向右側（矢印Ｌ−Ｒ方向、矢印Ｒ側）へ向かうほど正面側（矢印Ｆ側）へ湾曲し、上端部が左右方向（矢印Ｌ−Ｒ方向）でほぼ平坦な湾曲板部３１４ａと、延設板部３１２ｂの下端部から湾曲板部３１４ａの上端部まで背面側（矢印Ｂ側）へ下降傾斜して延設される傾斜板部３１４ｂと、を主に備える。
【０１２６】
傾斜板部３１４ｂは、前後端部間（矢印Ｆ−Ｂ側端部間）の距離が右方（矢印Ｒ側方向）へ向かうほど短くなる。また、傾斜板部３１２ｂの傾斜角度は、幅方向どの位置でも同等で、本実施形態では水平面に対して約４５度の傾斜とされる（図２２参照）。
【０１２７】
図９（ａ）は、第２板部材３２０の正面図であり、図９（ｂ）は、図９（ａ）のＩＸｂ−ＩＸｂ線における第２板部材３２０の断面図であり、図９（ｃ）は、第２板部材３２０の背面図であり、図９（ｄ）は、図９（ａ）のＩＸｄ−ＩＸｄ線における第２板部材３２０の断面図である。
【０１２８】
第２板部材３２０は、第１板部材３１０の正面側に重ねられた状態で正面枠１４に締結固定される部材であって、平行に配置される一対の板から形成される側壁部３２１と、その側壁部３２１の間に配設され略Ｌ字状に屈曲すると共に球の案内面を形成する案内板部３２２と、案内板部３２２の下端に連設されると共に案内面を背面側へ移動させる連設板部３２３と、を主に備える。
【０１２９】
側壁部３２１は、第２板部材３２０が正面枠１４に締結された状態（図５参照）において、第１支持凹部１７ｂを正面側から塞ぐ位置に配置される端部である閉塞端部３２１ａを備える。即ち、第２板部材３２０を正面枠１４に締結することにより、第１支持凹部１７ｂに支持される解除部材３４０が第１支持凹部１７ｂから脱落することを防止できる。
【０１３０】
案内板部３２２は、球を案内する流路の上底面を形成する傾斜面である案内上底面３２２ａと、その案内上底面３２２ａの背面視右側（矢印Ｌ側）において案内上底面３２２ａよりも上方に形成される傾斜面である受け止め面３２２ｂと、案内上底面３２２ａ及び受け止め面３２２ｂの下端部から下方へ板状に延設される延設板部３２２ｃと、を主に備える。
【０１３１】
受け止め面３２２ｂは、延設板部３２２ｃに対する傾斜角度が案内上底面３２２ａの傾斜角度と同じに形成される。受け止め面３２２ｂは、後述する解除部材３４０が回転した際に当接する面として形成され、解除部材３４０が受け止め面３２２ｂと当接する状態において、解除部材３４０の面であって球と当接する当接面と、案内上底面３２２ａとが面位置となる寸法とされる。即ち、案内上底面３２２ａと受け止め面３２２ｂとの間隔Ｔ１が、解除部材３４０の厚みと同程度の長さとされる。
【０１３２】
延設板部３２２ｃの下端部は、正面視右方（矢印Ｒ方向）へ向かう程、下降傾斜される。即ち、延設板部３２２ｃは、正面視で、左辺（矢印Ｌ側の辺）を上底、右辺（矢印Ｒ側の辺）を下底とする台形形状から形成される。
【０１３３】
連設板部３２３は、延設板部３２２ｃの背面側に配設されると共に、幅方向右側（矢印Ｌ−Ｒ方向、矢印Ｒ側）へ向かうほど正面側（矢印Ｆ側）へ湾曲し、上端部が左右方向（矢印Ｌ−Ｒ方向）でほぼ平坦な湾曲板部３２３ａと、延設板部３２２ｃの下端部から湾曲板部３２３ａの上端部まで背面側（矢印Ｂ側）へ下降傾斜して延設される傾斜板部３２３ｂと、を主に備える。
【０１３４】
傾斜板部３２３ｂは、前後端部間（矢印Ｆ−Ｂ側端部間）の距離が右方（矢印Ｒ側方向）へ向かうほど短くなる。また、傾斜板部３１２ｂの傾斜角度は、幅方向どの位置でも同等で、本実施形態では水平面に対して約４５度の傾斜とされる（図２２参照）。
【０１３５】
図１０（ａ）は、傾倒部材３３０の正面図であり、図１０（ｂ）は、図１０（ａ）のＸｂ−Ｘｂ線における傾倒部材３３０の断面図であり、図１０（ｃ）は、図１０（ａ）のＸｃ−Ｘｃ線における傾倒部材３３０の断面図であり、図１０（ｄ）は、図１０（ａ）の矢印Ｘｄ方向視における傾倒部材３３０の上面図であり、図１０（ｅ）は、図１０（ａ）の矢印Ｘｅ方向視における傾倒部材３３０の底面図である。
【０１３６】
なお、図１０（ｂ）では、本体部材３３１を軸方向長さで８等分する平面の内、本体部材３３１の左端部（矢印Ｌ側端部）に最も近い平面（本体部材３３１の左端部から本体部材３３１の軸方向長さの１／８の長さだけ内に入った位置に配置される平面）で断面視された状態が、図１０（ｃ）では、本体部材３３１を軸方向に８等分する平面の内、本体部材３３１の右端部（矢印Ｒ側端部）に最も近い平面（本体部材３３１の右端部から本体部材３３１の軸方向長さの１／８の長さだけ内に入った位置に配置される平面）で断面視された状態が、それぞれ図示される。
【０１３７】
傾倒部材３３０は、剛性の高い樹脂材料から形成され、上下方向に球の重みがかけられても、形状を維持する態様とされる。なお、傾倒部材３３０の材料としては種々の材料が例示される。例えば、金属材料でも良いし、可撓性の樹脂材料でも良いし、繊維強化プラスチックでも良い。
【０１３８】
図１０に示すように、傾倒部材３３０は、底面側（矢印Ｄ側）が開口した断面矩形の逆カップ形状から形成される本体部材３３１と、その本体部材３３１に挿通された後で本体部材３３１から取り出し不能とされる棒状の軸棒部３３２と、その軸棒部３３２を回転軸として回転する場合の本体部材３３１の先端部から軸棒部３３２の軸と平行な平面に沿って延設される延設部３３３と、軸棒部３３２に巻き付けられる弾性バネ３３４と、本体部材３３１の上底面から下方へ延設される延設板部３３５と、その延設板部３３５に凹設され弾性バネ３３４の端部が挟み込まれる凹設部３３６と、を主に備える。
【０１３９】
本体部材３３１は、断面矩形の枠状に形成される本体枠３３１ａと、その本体枠３３１ａを連結する板部である上底板部３３１ｂと、本体枠３３１ａの対向する一対の面の背面側（矢印Ｂ側）の端部に一直線上に穿設される一対の貫通孔３３１ｃと、本体枠３３１ａの上端部と上底板部３３１ｂの背面側面との連結部分に湾曲面として形成される湾曲部３３１ｄと、を主に備える。
【０１４０】
本体枠３３１ａは、貫通孔３３１ｃが形成される板部の上底板部３３１ｂが配設される側の反対側（矢印Ｄ側）の端部が、正面側（矢印Ｆ側）へ向かうほど上底板部３３１ｂとの距離が短くなる態様の傾斜面として形成される。この傾斜面が、傾倒部材３３０が回転する際に、第１板部材３１０と面当たりすることで、傾倒部材３３０と第１板部材３１０との間で生じる衝撃を弱めることができる。
【０１４１】
上底板部３３１ｂは、上面が、軸棒部３３２の軸方向（水平方向）に対して、正面視右方（矢印Ｒ方向）へ向かうほど下降傾斜する傾斜面として形成される。なお、本実施形態では、上底板部３３１ｂの軸棒部３３２に対する傾斜角度が約３°で設計される。
【０１４２】
軸棒部３３２は、本体部材３３１の中心位置を基準として延設部３３３の反対側において本体枠３３１ａに挿通された後、本体部材３３１の内部における本体部材３３１の内壁付近の位置に市販のＥリングが嵌め込まれることにより、本体部材３３１に対する相対移動が抑制される。これにより、軸棒部３３２は、両端部が本体部材３３１の左右端部（矢印Ｌ−Ｒ側端部）から突出した状態で固定される。
【０１４３】
本実施形態によれば、傾倒部材３３０は、上底板部３３１ｂに乗った球の重みで軸棒部３３２を軸として回転動作するところ、上底板部３３１ｂの上面が軸棒部３３２の軸方向に対して傾斜しているので、球の重みを、軸棒部３３２の径方向と軸方向とに分けることができる。そのため、傾倒部材３３０にかけられる球の重量の、傾倒部材３３０の回転方向成分の大きさを低減することができ、例えば、上皿１７に遊技者が手づかみで供給した球の重さが傾倒部材３３０にかけられた場合に、その重みで傾倒部材３３０が回転する可能性を低くすることができる。
【０１４４】
ここで、図１０（ｂ）及び図１０（ｃ）を参照して、傾倒部材３３０の軸方向位置における形状の違いに因る作用および効果について説明する。図１０（ｂ）及び図１０（ｃ）に示すように、軸棒部３３２は、軸心が本体部材３３１の背面側（矢印Ｂ側）外面から共通長さＡｃだけ離間した位置に配置されると共に、軸方向断面視において上底板部３３１ｂの上面から長さＡｌ，Ａｓだけ離間した位置に配置される。なお、便宜上、図１０（ｂ）における軸棒部３３２と上底板部３３１ｂの上面との間隔を上流側長さＡｌと、図１０（ｃ）における軸棒部３３２と上底板部３３１ｂの上面との間隔を下流側長さＡｓと、それぞれ称する。
【０１４５】
上述したように、上底板部３３１ｂは上面が、軸棒部３３２の軸方向（水平方向）に対して、右方（矢印Ｒ方向）へ向かうほど下降傾斜する傾斜面として形成される。即ち、正面視右方（矢印Ｒ方向）へ向かうほど（組立状態（図１参照）において下流側（矢印Ｒ側）へ向かうほど）、軸棒部３３２と上底板部３３１ｂとの間隔が短くなる（上流側長さＡｌ＞下流側長さＡｓ）。
【０１４６】
図１０（ｂ）及び図１０（ｃ）では、傾倒部材３３０が同じ角度だけ傾倒した状態における傾倒部材３３０の外形が部分的に想像線で図示される。傾倒部材３３０の傾倒により、本体部材３３１の背面側部分（矢印Ｂ側部分）であって、軸棒部３３２の真横に配置された部分Ｗ１が上昇することに伴って、上底板部３３１の背面側部分の上面位置が上昇する。
【０１４７】
その上昇距離を余剰長さｅｘＡｌ，ｅｘＡｓとして図示する場合、共通長さＡｃは図１０（ｂ）及び図１０（ｃ）で共通なので、余剰長さｅｘＡｌ，ｅｘＡｓの長さは、それぞれ上流側長さＡｌ及び下流側長さＡｓの長さに対応して変化する。即ち、上流側長さＡｌ及び下流側長さＡｓの長さの関係（Ａｌ＞Ａｓ）から、余剰長さの関係（ｅｘＡｌ＞ｅｘＡｓ）が決定される。
【０１４８】
即ち、本実施形態では、組立状態において球の流下経路の上流側（図１０（ａ）矢印Ｌ側）ほど、傾倒部材３３０の傾倒に伴う上底板部３３１ｂの上面位置の上昇度合いが大きくなる。従って、球の流下経路の上流側の方が、下流側に比較して、傾倒部材３３０の傾倒時に傾倒部材３３０の上面へ球が侵入することを防止し易くすることができる。
【０１４９】
これにより、本実施形態では、組立状態において上流側に配置される傾倒部材３３０の部分（図１０（ａ）矢印Ｌ側部分）における背面側（図１０（ｂ）矢印Ｂ側）からの球の侵入を防止し易くでき、傾倒部材３３０の傾倒時に傾倒部材３３０の背面側（上流側、図１４（ａ）矢印Ｂ側）で球を貯留し易くすることができる一方、組立状態において下流側に配置される傾倒部材３３０の部分（図１０（ａ）矢印Ｒ側部分）における背面側（図１０（ｂ）矢印Ｂ側）からは球の侵入を許容し、傾倒部材３３０の上面に球が貯留するまでにかかる間隔の短縮化を図ることができる。
【０１５０】
なお、余剰長さの設定態様は、これに限定されるものでは無い、例えば、傾倒部材３３０の傾倒時であっても、傾倒部材３３０の軸方向全範囲において、背面側からの球の侵入を防止できる余剰長さを設定しても良い。この場合、傾倒部材３３０の背面側に貯留された球が傾倒部材３３０の上面に進入するタイミングを傾倒部材３３０が起き上がった後にできるので傾倒部材３３０の動作間隔を長くすることができる。
【０１５１】
また、例えば、傾倒部材３３０の軸方向全範囲において、背面側からの球の侵入を許容する余剰長さを設定しても良い。この場合、傾倒部材３３０の背面側に貯留された球をまとめて排出することができるので、傾倒部材３３０が１回傾倒することで排出される球の個数を多くすることができる。
【０１５２】
延設部３３３は、上面が上底板部３３１ｂと面位置とされる傾斜部３３３ａと、上面が軸棒部３３２の軸方向と平行とされる係合部３３３ｂと、を主に備える。係合部３３３ｂは、上底板部３３１ｂの上端側に配設される。
【０１５３】
弾性バネ３３４は、傾倒部材３３０を起き上がり方向（矢印Ｕ方向）に回転させる付勢力を発生する。弾性バネ３３４の弾性係数は任意に設定することができる。本実施形態における弾性バネ３３４の弾性係数ｋ１については、後述する。
【０１５４】
延設板部３３５は、本体枠３３１ａに固着される。これにより、本体部材３３１の剛性を高めることができると共に、耐久性を向上させることができる。
【０１５５】
図１１（ａ）は、解除部材３４０の正面図であり、図１１（ｂ）は、図１１（ａ）のＸＩｂ−ＸＩｂ線における解除部材３４０の断面図であり、図１１（ｃ）は、図１１（ｂ）の矢印ＸＩｃ方向視における解除部材３４０の上面図である。
【０１５６】
解除部材３４０は、剛性の高い樹脂材料から形成され、球による負荷がかけられても、形状を維持する態様とされる。なお、解除部材３４０の材料としては種々の材料が例示される。例えば、金属材料でも良いし、可撓性の樹脂材料でも良いし、繊維強化プラスチックでも良い。
【０１５７】
図１１に示すように、解除部材３４０は、組立状態（図５参照）において第１支持凹部１７ｂに支持される棒状の軸棒部３４１と、その軸棒部３４１の軸方向と平行な平面板として軸径方向に延設される当接板部３４２と、その当接板部３４２の厚さ方向の一面から複数列の板状に延設される補強板部３４３と、その補強板部３４３の軸棒部３４１と反対側の端部から当接板部３４２の延設方向と平行な方向に板状に延設される段違い板部３４４と、その段違い板部３４４の下端部から当接板部３４２側へ凸設される係合凸部３４５と、軸棒部３４１に巻き付けられ一方の端部が当接板部３４２に係止される弾性バネ３４６と、を主に備える。
【０１５８】
補強板部３４３の延設先端面は、当接板部３４２の当接面と平行とされる。係合凸部３４５の上面は、当接板部３４２側（矢印Ｂ側）へ向かうほど下降傾斜する傾斜面として形成される。これにより、傾倒部材３３０との衝突が起きても、傾倒部材３３０の動作抵抗が過大となることを防止することができる。
【０１５９】
図１２は、上皿１７の上面図である。なお、図１２では、解除部材３４０付近が部分的に断面視される。上皿１７は、開口部１７ａが傾倒部材３３０及び解除部材３４０に閉鎖される状態において上方に開口すると共に底面が右方（矢印Ｒ方向）へ向かうにつれて下降傾斜する態様とされる容器形状から形成され、上皿１７の底面における開口部１７ａの右方（矢印Ｒ側）の領域であって球発射ユニット１１２ａ（図４参照）へ球が供給される発射球貯留領域１７ｄと、上皿１７の底面における開口部１７ａの背面側（矢印Ｂ側）の領域である橋渡し球貯留領域１７ｅと、上皿１７の底面における開口部１７ａの左方（矢印Ｌ側）の領域であると共に橋渡し球貯留領域１７ｅの正面側（矢印Ｆ側）の領域である後追い球貯留領域１７ｆと、払出ユニット９３（図３参照）から上皿１７へ連通されると共に球が通過可能な開口である供給開口１７ｇと、発射供給領域１７ｄに配置された球を球発射ユニット１１２ａに案内する開口である発射供給口１７ｋと、を主に備える。
【０１６０】
発射球貯留領域１７ｄは、右方へ向かうほど先細りする上面視略三角形形状の領域であり、正面側の内側面が、上面視でその内側面よりも正面側に中心を持つ円弧に沿った湾曲形状に形成されると共に、その円弧の径方向外方へ向けて下方傾斜する。そのため、正面側の内側面に沿って流下する球は、球発射ユニット１１２ａ側に球が溜まっていれば、内側面の傾斜に沿って、それら溜まっている球の上流側に流下し、球発射ユニット１１２ａ側に球が無ければ、球発射ユニット１１２ａ側に流下する。
【０１６１】
また、発射球貯留領域１７ｄは、傾倒部材３３０の右方において、傾倒部材３３０の上面よりも球の半径ｒａの１／２程度、上面位置が低い。そのため、傾倒部材３３０から右方へ流下し発射球貯留領域１７ｄに着地する球は、球の半径ｒａの１／２程度の段差を落下し上皿１７と衝突することになるので、上皿１７との間で摩擦が生じ、上皿１７の上面の傾斜にそって滑らかに流下する場合に比較して減速される。この減速の度合いは、摩擦力の大小に起因し、その摩擦力の大小は球から上皿１７に上下方向で与える負荷の大小に起因する。ここで、傾倒部材３３０の傾倒前の状態における傾倒部材３３０の上面と、発射球貯留領域１７ｄの傾倒部材３３０と隣設する部分の上面との段差の高さ寸法は、正面側へ向かうほど小さくなる（図１６参照）。
【０１６２】
これにより、上皿１７の正面側の内側面に沿って傾倒部材３３０の上面から発射球貯留領域１７ｄに流入する球の減速度合いを低減することができ、球をスムーズに発射球貯留領域１７ｄへ流すことができる。
【０１６３】
橋渡し球貯留領域１７ｅは、供給開口１７ｇの下方から、上面が後追い球貯留領域１７ｆ及び傾倒部材３３０の上面よりも球の半径ｒａの１／２程度低い位置（図１４（ａ）及び図１６参照）を右方へ延びる領域であって、前後方向に最大で３個の球が並ぶことが可能な幅寸法で形成される（図１９（ａ）参照）。
【０１６４】
後追い球貯留領域１７ｆは、供給開口１７ｇの開口が向く方向（本実施形態では、矢印Ｆ方向）に配設される。これにより、後述するように、供給開口１７ｇから供給された球が橋渡し球貯留領域１７ｅに満たされる球の上を通過する際に速度が落ちた場合であっても、後追いで供給開口１７ｇから供給される球から与えられる圧により、先行する球を後追い球貯留領域１７ｆまで送ることができる。
【０１６５】
後追い球貯留領域１７ｆは、傾倒部材３３０側の端部と上皿１７の正面側内面とを連結する湾曲面として形成される湾曲部１７ｆ１と、供給開口１７ｇと対向配置される内側面であって、右方（矢印Ｒ方向）へ向かうほど正面側（矢印Ｆ側）へ張り出す湾曲面として形成される湾曲側面１７ｆ２と、を主に備える。
【０１６６】
湾曲側面１７ｆ２は、上皿１７の底面を転動する球の内側面との当接位置における（底面から球の半径ｒａ分高い位置における）曲率半径である半径Ｒ１が、球の半径ｒａ以上の長さとされる。そのため、供給開口１７ｇから排出方向Ｎ１に沿って排出された球の速度を湾曲側面１７ｆ２に沿って左右方向（矢印Ｌ−Ｒ方向）の速度に変化させることができる。
【０１６７】
これにより、後追い球貯留領域１７ｆに入球した球を速やかに傾倒部材３３０側へ送ることができるので、傾倒部材３３０の上面に球が満たされていない状態で、後追い球貯留領域１７ｆに球が停留することを抑制することができ、傾倒部材３３０の上面に球を貯留し易くすることができる（後追い球貯留領域１７ｆからスムーズに傾倒部材３３０の上面へ球を送ることができる）。
【０１６８】
尚かつ、傾倒部材３３０側へ送球された球の速度成分の内、解除部材３４０へ向く速度成分の大きさを低減することができるので、球と解除部材３４０との衝突が生じたとしても、送球された球の勢いによる解除部材３４０の回転の発生を抑制することができる。
【０１６９】
供給開口１７ｇは、前後方向（矢印Ｆ−Ｂ方向）に開口され、解除部材３４０よりも左方（上流側、矢印Ｌ側）に配設される。尚かつ、供給開口１７ｇの上流側の流路は、払出ユニット９３から送球される球が案内される流路であって、高さ方向（矢印Ｕ−Ｄ方向）に直線的に延設される。そのため、供給開口１７ｇの上流側の流路から上皿１７に排出される球は、左右方向の速度が抑制され、排出時の速度が前後方向に向く。これにより、供給開口１７ｇから上皿１７に供給される球が供給開始時の速度方向で解除部材３４０に衝突することを防止することができる。
【０１７０】
換言すれば、本実施形態では、供給開口１７ｇから排出される球の方向である排出方向Ｎ１には、後追い球貯留領域１７ｆの湾曲側面１７ｆ２が配置されており、解除部材３４０は配置されないことから、供給開口１７ｇから排出された球が、その排出方向Ｎ１に沿って解除部材３４０に衝突することを防止することができる。
【０１７１】
供給開口１７ｇは、正面視において上皿１７の底面よりも球の直径以上上方に下底面が形成される。これにより、上皿１７の底面が球で満たされた後に供給開口１７ｂから供給された球を、その底面に敷き詰められた球の上に積むことができる。
【０１７２】
本実施形態によれば、橋渡し球貯留領域１７ｅの上流側端部が供給開口１７ｇの正面に配置される。そのため、球を発射することにより上皿１７に残る球が減り生じる空間（橋渡し球貯留領域１７ｅの上流側の空間）に直接的に球を供給できるので、供給開口１７ｇからの球の供給を円滑に行うことができる。
【０１７３】
供給開口１７ｇから供給された球の内、後追い球貯留領域１７ｆまで到達した球は、上皿１７の傾斜に沿って傾倒部材３３０の上面に流入する。球が傾倒部材３３０の上面を転動する際には、傾倒部材３３０の上面の形状であって正面側（矢印Ｆ側）へ向かうにつれて下降傾斜する傾斜方向ＦＩ及び発射球貯留領域１７ｄの底面の形状であって背面側（矢印Ｂ側）へ向かうにつれて下降傾斜する傾斜方向ＢＩの影響を受ける。即ち、傾倒部材３３０の上面に流入した球は、右方（矢印Ｒ方向）への流下の過程で傾斜方向ＦＩに沿って正面側へ寄せられ、傾倒部材３３０を通過した後は、傾斜方向ＢＩに沿って背面側（矢印Ｂ側、発射供給口１７ｋの配置される側）へ寄せられる。
【０１７４】
これにより、傾倒部材３３０上に球を滞留させず、素早く球を下流へ流す状態と、傾倒部材３３０に球を滞留させる状態との、両方の状態に好適に対応することができる。
【０１７５】
即ち、例えば、発射球貯留領域１７ｄに貯留されていた球が遊技領域へ発射され、発射球貯留領域１７ｄに配置される球が不足した状態では、傾倒部材３３０の上面に流入した球を早期に発射球貯留領域１７ｄの球が不足している部分へ送球することが望ましい。
【０１７６】
ここで、遊技領域への球の発射に伴い、発射球貯留領域１７ｄの球は上皿１７の傾斜（右方へ向かって下降傾斜する傾斜、及び傾斜方向ＢＩの傾斜）に沿って流下することから、傾倒部材３３０の右方正面側端部から、発射球貯留領域１７ｄの球が不足し始める（球を受け入れ可能な空間ができ始める）。
【０１７７】
傾倒部材３３０の上面に流入した球は傾倒部材３３０の上面の傾斜方向Ｃに沿って、正面側（矢印Ｆ側）に寄せられながら傾倒部材３３０の上面を右方へ通過するので、傾倒部材３３０の上面から降りる球は、傾斜方向ＢＩの根本側（矢印Ｆ側）から発射球貯留領域１７ｄに流入する。
【０１７８】
従って、傾倒部材３３０の右方正面側端部（矢印Ｒ及び矢印Ｆ側端部）に、換言すれば、発射球貯留領域１７ｄにおいて球が不足し始める（球を受け入れ可能となる）空間に、直接的に球を流入させることができるので、傾倒部材３３０に球を滞留させることなく、速やかに球を発射球貯留領域１７ｆに流入させることができる。
【０１７９】
一方、例えば、発射球貯留領域１７ｄが球で満たされている状態では、傾倒部材３３０の上面に球を貯留し易くされることが望ましい。ここで、発射球貯留領域１７ｄが球で満たされている状態では、球が傾倒部材３３０から発射球貯留領域１７ｄへ流入することが既に発射球貯留領域１７ｄに貯留されている球により規制されると共に、傾斜方向ＦＩにより、球が橋渡し貯留領域１７ｅに流入することが抑制されるので、球を傾倒部材３３０の上面に貯留し易くすることができる。
【０１８０】
このように、本実施形態では、傾倒部材３３０の上面および上皿１７の底面の形状により、傾倒部材３３０の上面に乗っているか、傾倒部材３３０を通過して傾倒部材３３０から降りているかで、前後方向（矢印Ｆ−Ｂ方向）の球の向きを切り替えることができる。
【０１８１】
図１３は、図１２のＸＩＩＩ−ＸＩＩＩ線における正面枠１４の部分断面図である。図１３に示すように、上皿１７の正面側面において、開口部１７ａは第２板部材３２０の外形に合致する形状から形成される。開口部１７ａの左右幅は傾倒部材３３０の軸方向幅よりも若干長くされ、開口部１７ａは、案内上底面３２２ａの上端位置へ向けて上皿１７の内面から上皿１７の底面と平行な面として延設される球案内天面１７ａ１と、その球案内天面１７ａ１の背面視右方（矢印Ｌ側）に配置され受け止め面３２２ｂの上端位置へ向けて上皿１７の内面から水平面（軸棒部３４１と平行な面）として延設される球被覆面１７ａ２と、を主に備える。
【０１８２】
本実施形態では、球案内天面１７ａ１は、規制状態（図１３参照）において傾倒部材３３０の上面との間隔が球の直径未満となる位置に配設され、球被覆面１７ａ２は、規制状態において傾倒部材３３０の上面との間隔が球の直径以上となり、かつ、傾倒部材３３０の上面との間隔が球の直径の２倍よりも短くなる位置に配設される。
【０１８３】
この位置関係により、規制状態において傾倒部材３３０の上面に乗る球の内、球案内天面１７ａ１の背面側に配置された球は上皿１７の側壁にせき止められ上皿１７の外方へ飛び出すことが規制される一方、球被覆面１７ａ２の背面側に配置された球は、正面方向（矢印Ｆ方向）への速度が加えられれば、球被覆面１７ａ２と傾倒部材３３０との間を通り解除部材３４０に当接可能とされる。
【０１８４】
即ち、開口部１７ａの形状により、傾倒部材３３０の上面に乗った球を、解除部材３４０に当接可能な球（球被覆面１７ａ２の背面側に配置される球）と、解除部材３４０に当接不能な球（球案内天面１７ａ１の背面に配置される球）とで分けることができる。
【０１８５】
本実施形態では、傾倒部材３３０が起き上がっている状態（図１３参照）では背面視において、橋渡し球貯留領域１７ｅを形成する底面と、傾倒部材３３０の上面とが平行とされる。
【０１８６】
なお、後述するように、供給開口１７ｇから供給され傾倒部材３３０に乗る球は主に、橋渡し球貯留領域１７ｅを正面側へ向けて通過し、後追い球貯留領域１７ｆを経由して傾倒部材３３０の上面に乗る。即ち、図１３において、傾倒部材３３０の上面を左向き（矢印Ｒ方向）に球は流下する。従って、傾倒部材３３０に供給される球は、解除部材３４０に当接する可能性を保持した状態で傾倒部材３３０の上面に流入し、流下の過程で球被覆面１７ａ２の背面側の領域を通過することで解除部材３４０に当接する可能性を失う。
【０１８７】
本実施形態では、解除部材３４０に当接する球も、解除部材３４０に当接しない球も、傾倒部材３３０への流入位置が同じとされるので（上流の流下経路が分割されることなく用意されるので）、傾倒部材３３０の上面に貯留される球の貯留態様により解除部材３４０と当接するか否かが決まる。そのため、解除部材３４０に当接する球を特別に指定した流路に流入した球に限定する場合に比較して、例えば、上皿１７にあと一球供給されることで解除部材３４０が回転可能な状態となった後、傾倒部材３３０と解除部材３４０との係合が解除されるまでにかかる時間を短縮することができる。
【０１８８】
図１４（ａ）及び図１４（ｂ）は、図１３のＸＩＶａ−ＸＩＶａ線における正面枠１４の部分断面図である。なお、図１４（ａ）では、傾倒部材３３０及び解除部材３４０の規制状態において、傾倒部材３３０の傾倒前の状態が図示され、図１４（ｂ）では、傾倒部材３３０及び解除部材３４０の許容状態において、傾倒部材３３０及び解除部材３４０が互いに離反する方向に回転しきった状態が図示される。
【０１８９】
なお、図１４（ａ）に示すように、傾倒部材３３０の傾倒前の状態では、上底板部３３１ｂの上面の、水平面に対する前後方向（矢印Ｆ−Ｂ方向）に沿った傾斜角度は約１°で設定され、図１４（ｂ）に示すように、傾倒部材３３０の傾倒後の状態では、上底板部３３１ｂの上面の、水平面に対する前後方向に沿った傾斜角度は約１５°で設定される。
【０１９０】
従って、本実施形態では、傾倒部材３３０の傾倒前は、前後方向に沿った傾斜角度（約１°）に比較して、左右方向（矢印Ｌ−Ｒ方向）に沿った傾斜角度（約３°、図１０（ａ）参照）の方が大きくされ、傾倒部材３３０の傾倒後は、前後方向に沿った傾斜角度（約１５°）に比較して、左右方向に沿った傾斜角度（約３°、図１０（ａ）参照）の方が小さくされる（角度の大小が逆転する）。そのため、傾倒部材３３０の姿勢変化に伴い、球の流下経路（球が流下し易い方向）を変化させることができる。また、図１４（ａ）及び図１４（ｂ）では、供給開口１７ｇの高さ位置が想像線で図示される。
【０１９１】
なお、上述したように、前後方向に沿った傾斜角度と、左右方向に沿った傾斜角度とが、傾倒部材３３０の傾倒により逆転するので、例えば、傾倒部材３３０に上方から着地する球が跳ね返る方向を、傾倒部材３３０の姿勢により切り替えることができる。即ち、傾倒部材３３０の傾倒前の状態（図１４（ａ）参照）では、左右方向の傾斜の方が前後方向の傾斜に比較して大きいので、傾倒部材３３０に着地した球は左右方向における下流方向（発射球貯留領域１７ｄに向く方向、矢印Ｒ方向）に跳ね返り易くされ、一方で、傾倒部材３３０の傾倒後の状態（図１４（ｂ）参照）では、前後方向の傾斜の方が左右方向の傾斜に比較して大きいので、傾倒部材３３０に着地した球を正面側（開口部１７ａから下方へ球を排出する方向、矢印Ｆ側）へ流すことができる。
【０１９２】
従って、傾倒部材３３０の傾倒前は、傾倒部材３３０の上面に着地した球を発射球貯留領域１７ｄへ流し易くできると共に、傾倒部材３３０の傾倒後は、傾倒部材３３０の上面に着地した球が開口部１７ａを通して排出されやすくすることができる。これにより、上皿１７に球が不足しているときは、発射球貯留領域１７ｄに球をより速く供給できる一方で、上皿１７に球が満杯となり、傾倒部材３３０が傾倒する際には開口部１７ａを通して球をより速く上皿１７から排出することができる。
【０１９３】
図１４（ａ）及び図１４（ｂ）に示すように、供給開口１７ｇから供給された球が着地する橋渡し球貯留領域１７ｅは、傾倒部材３３０の上面よりも低くされる。そのため、供給開口１７ｇから排出された球であって橋渡し球貯留領域１７ｅに着地した球の勢いを、傾倒部材３３０の湾曲部３３１ｄに球を当てることで減少させることができる。
【０１９４】
また、図１０で上述したように、傾倒部材３３０の上底板部３３１ｂの背面側部分（湾曲部３３１ｄ側の部分）は傾倒部材３３０が傾倒するにつれて上昇するので、傾倒部材３３０が起き上がった規制状態に比較して、傾倒部材３３０が傾倒した許容状態の方が、橋渡し球貯留領域１７ｅの上面から湾曲部３３１ｄまでの上下方向（矢印Ｕ−Ｄ方向）の間隔が大きくされる。
【０１９５】
これにより、規制状態に比較して、許容状態の方が、傾倒部材３３０上面への球の入球を防止し易くすることができる。傾倒部材３３０が傾倒し、許容状態となった後で開口部１７ａから排出される球を、傾倒部材３３０の上面に配置されていた球および傾倒部材３３０の背面側（矢印Ｂ側）を除く上流側位置（矢印Ｌ側位置）に配置されていた球に限定することができ、背面側に配置された球が傾倒部材３３０の上面に入球するタイミングを、傾倒部材３３０が再び起き上がり規制状態となった後にすることができる。そのため、許容状態の間に傾倒部材３３０に球がまばらに入球し、それらが開口部１７ａから排出される事態の発生を防止することができる。
【０１９６】
図１４（ａ）及び図１４（ｂ）に示すように、規制状態と許容状態とでは、球と傾倒部材３３０との当接位置が変化する。即ち、規制状態で傾倒部材３３０が起き上がった状態（図１４（ａ）参照）では、湾曲部３３１ｄが球に対向配置されることから、球は湾曲部３３１ｄと当接する。ここで、本実施形態では、図１４（ａ）に示すように、湾曲部３３１ｄが球の中心位置よりも下側（球の半径ｒａの１／２程度下側）に配置されるので、球は横方向の負荷のみで湾曲部３３１ｄに乗り上げ、傾倒部材３３０の上面に入球することが可能とされる。即ち、球が湾曲部３３１ｄから受ける反作用の力の内、上方へ向く成分が大きく維持されることから、球が前後方向の速度で湾曲部３３１ｄに衝突した場合であっても、湾曲部３３１ｄに乗り上げて正面側へ移動することが可能とされる（傾倒部材３３０の上面に流入可能とされる）。
【０１９７】
一方、許容状態で傾倒部材３３０が傾倒した状態（図１４（ｂ）参照）では、図１４（ａ）に示す状態に比較して湾曲部３３１ｄが上昇配置されると共に、橋渡し球貯留領域１７ｅに配置される球から離反する態様で退く。本実施形態では、これに伴い、湾曲部３３１ｄの上端位置が球の中心位置の高さ付近まで上昇すると共に、球は本体枠３３１ａの平面部分（湾曲部３３１ｄの下方に延設される部分であって傾倒部材３３０の矢印Ｂ側に配置される板部分）と当接開始することから、水平方向の負荷のみでは、球が湾曲部３３１ｄに乗り上げることを困難とすることができる。即ち、球が湾曲部３３１ｄから受ける反作用の力の内、上方へ向く成分の割合が小さくなることから、球が前後方向の速度で湾曲部３３１ｄに衝突した場合には、湾曲部３３１ｄに乗り上げるほどの反発力が生み出されにくく、球を傾倒部材３３０の背面側に維持し易くすることができる（傾倒部材３３０の上面に流入困難とすることができる）。
【０１９８】
従って、傾倒部材３３０の傾倒時に湾曲部３３１ｄに乗り上げて球が傾倒部材３３０の上面に入球することを防止し易くすることができる。また、湾曲部３３１ｄが形成されることにより、角部として形成する場合に比較して、応力集中を緩和することができ、傾倒部材３３０に割れや欠けが生じることを防止することができる。
【０１９９】
また、供給開口１７ｇは、解除部材３４０と球Ｐ１との当接位置を基準として、上下に位置ずれした位置に配置される（球の半径ｒａ以上位置ずれする）。これにより、供給開口１７ｇの上流側の経路に滞留した球から上皿１７の内部の球に与えられる圧力（排出方向Ｎに沿った圧力）が、解除部材３４０に与えられることを防止することができる。これにより、解除部材３４０の変位のタイミングを、供給開口１７ｇからの球の供給の勢いではなく、上皿１７に貯留された球の個数（球の貯留態様）によって規定し易くすることができる。
【０２００】
図１４（ａ）に示すように、解除部材３４０の係合凸部３４５が傾倒部材３３０の延設部３３３の動作軌跡と干渉する態様で凸設される。これにより、規制状態において、解除部材３４０の係合凸部３４５が延設部３３３を下から支えるので、解除部材３４０が図１４（ａ）に示す位置で維持される限り、傾倒部材３３０が回転することを防止することができる。
【０２０１】
一方、図１４（ｂ）に示すように、解除部材３４０が回転し、係合凸部３４５が延設部３３３から離れると、延設部３３３を下から支えるものは無くなるので、傾倒部材３３０に乗る球の重みが弾性バネ３３４の弾性力以上となれば傾倒部材３３０は回転する。本実施形態では、弾性バネ３３４の弾性力が、傾倒部材３３０に順序良く乗る球が９個以下であれば、傾倒部材３３０が起きた状態を維持する大きさを生じる態様で、弾性バネ３３４の弾性係数ｋ１が設定される。
【０２０２】
ここで、本実施形態では、解除部材３４０を延設部３３３から離す負荷と、傾倒部材３３０を回転させる負荷の方向が、ほぼ直交する態様で異なる。即ち、解除部材３４０を延設部３３３から離す負荷の向きは正面向き（矢印Ｆの向き）であり、傾倒部材３３０を回転させる負荷の向きは下向き（矢印Ｄの向き）である。
【０２０３】
解除部材３４０の回転と傾倒部材３３０の回転とは、必ずしも同時には開始されない。例えば、係合部材３３０の上面に十分な球が乗っている場合には、解除部材３４０が規制状態から許容状態へ向けて回転を開始した直後に傾倒部材３３０が回転し得るが、係合部材３３０の上面に球が余り無い場合に誤って解除部材３４０が規制状態から許容状態へ向けて回転を開始した場合であっても、傾倒部材３３０が規制状態の姿勢で維持される（図１４（ｂ）に想像線で図示、中間状態）。
【０２０４】
この場合、図１４（ｂ）に示すように、傾倒部材３３０と解除部材３４０との間隔が球の直径未満とされる。これにより、傾倒部材３３０の上面に球が余り無い場合に解除部材３４０が回転したとしても、開口部１７ａを通過して球が上皿１７から排出されることを防止することができる。
【０２０５】
なお、本実施形態では、係合凸部３４５の上面が傾倒部材３３０に対して傾斜していることから、解除部材３４０が規制状態から許容状態へ向けて回転開始した直後に傾倒部材３３０が回転し傾倒部材３３０の延設部３３３が係合凸部３４５に当接し（引っ掛かり）かけたとしても、傾倒部材３３０から解除部材３４０へ与えられる負荷が係合凸部３４５の傾斜の影響を受け、係合凸部３４５を許容状態へ向けて押し返す方向に変えられる。これにより、傾倒部材３３０から解除部材３４０へ与えられる負荷が解除部材３４０の径方向に集中する場合に比較して傾倒部材３３０と解除部材３４０との間で発生する動作抵抗を抑えることができ、傾倒部材３３０及び解除部材３４０の動作を滑らかにすることができる。
【０２０６】
規制状態および許容状態において、解除部材３４０と球Ｐ１とが当接する位置について説明する。図１４（ａ）及び図１４（ｂ）には、解除部材３４０と当接する球Ｐ１が図示される。
【０２０７】
図１４（ａ）及び図１４（ｂ）に示すように、規制状態では、球Ｐ１は、解除部材３４０の軸棒部３４１に近い側（回転軸に近い側、矢印Ｕ側）で当接する一方、許容状態では、球Ｐ１は、解除部材３４０の係合凸部３４５に近い側（回転軸から遠い側、矢印Ｄ側）で当接する。そのため、解除部材３４０は、規制状態に比較して許容状態の方が、球Ｐ１の負荷により回転し易くなる。
【０２０８】
従って、解除部材３４０に当接する球Ｐ１が繰り返し到達する場合に、規制状態ではその状態を維持し易く、尚かつ、許容状態でもその状態を維持し易く（流下する球Ｐ１により許容状態に戻され易く）することができる。そのため、傾倒部材３３０及び解除部材３４０の状態を安定化することができる。
【０２０９】
例えば、傾倒部材３３０が許容状態（図１４（ｂ）参照）とされ、球が開口部１７ａを通過する際、解除部材３４０と当接する位置（球被覆面１７ａ２の下側位置）を通過する球は、解除部材３４０を許容状態へ向けて押しのけながら流下する（球の流下軌跡が規制状態における解除部材３４０と干渉する）。そのため、開口部１７ａを通過する球の作用で傾倒部材３３０及び解除部材３４０を許容状態に維持し易くすることができる。
【０２１０】
本実施形態では、規制状態（図１４（ａ）において、傾倒部材３３０の上面は、水平面を基準として正面側（矢印Ｆ側）へ向けて若干（約１°）下方傾斜する。そのため、傾倒部材３３０の上面に流入した球を正面側へ流すことができる。
【０２１１】
また、本実施形態では、許容状態（図１４（ｂ）参照）において、傾倒部材３３０の上面の前後方向に沿った傾斜角度は、水平面を基準として約１５度に設定される。傾倒部材３３０が許容状態となった後、前後方向の傾斜に沿って各球が球１個分位置ずれする（球の直径である１１ｍｍずつ位置ずれする）ごとに、傾倒部材３３０の延設部３３３から球が排出される。延設部３３３から軸棒部３３２へ向けて順に球が列（軸棒部３３２の軸方向に整列した列）となって貯留されると仮定した場合、傾倒部材３３０の上面に貯留された球は、０．１秒に２列流下する程度の流量（最大で横４列で流下するとの過程のもとで、約８０［個／秒］）で上皿１７から排出される。
【０２１２】
このように、傾倒部材３３０が許容状態となると、球が傾倒部材３３０の先端側へ列をなして流下する。そのため、球の流下途中においても、傾倒部材３３０の先端側に複数個（３個以上）の球が列をなして配置される状態を維持することができるので、球の排出の途中で弾性バネ３３４の反力により傾倒部材３３０が起き上がることを防止できる。
【０２１３】
傾倒部材３３０の上面を伝って第１板部材３１０及び第２板部材３２０の間の流路を流下する球は、第１板部材３１０及び第２板部材３２０の下端部から下皿１５に排出される。図１４（ａ）及び図１４（ｂ）に示すように、第１板部材３１０及び第２板部材３２０の間の流路は上皿１７及び下皿１５の外形端部（正面側端部）付近において鉛直方向に延設される。
【０２１４】
即ち、本実施形態によれば、上皿１７から下皿１５へ球を移動させる経路を正面枠１４の正面側の正面寄り（上皿１７及び下皿１５の外形端部付近）に配置することができる。これにより、従来のように正面枠１４の背面側に分岐流路を設けて球を上皿１７と下皿１５とに分ける場合に比較して、上皿１７の下方にまとまった空きスペースを確保することができる。
【０２１５】
例えば、従来と同じように、正面枠１４と内枠１２との間の位置に分岐流路が配置される場合には、その分岐流路により正面枠１４側のスペースと内枠１２側のスペースとが分断されることから、分岐流路の正面側（矢印Ｆ側）および背面側（矢印Ｂ側）に小さなスペースを設けられるに留まり、そのスペースの利用価値が少なかったが、本実施形態によれば、分岐流路と同様の機能を果たす流路が正面枠１４の正面側の正面寄りに配置されるので、その流路を形成する第１板部材３１０の背面側に、正面枠１４及び内枠１２に連通される（矢印Ｆ−Ｂ方向に連通される）、まとまった空きスペースを確保することができる。
【０２１６】
例えば、正面枠１４及び内枠１２に連通されるスペースにスピーカーボックス等（例えば、スピーカーボックスや可動物等）を配置することができるので、大型装置の配置自由度を向上させることができる。
【０２１７】
この場合、内枠１２のスピーカーボックス等を受け入れる位置に、内枠１２の正面側側面から背面側へ向けて凹設される凹設空間がスピーカーボックス等の受け入れが可能な大きさで配設されることにより、正面枠１４の背側面から背面側へ張り出す態様で大型のスピーカーボックス等を正面枠１４に配設することができる。
【０２１８】
なお、凹設空間が配設された内枠１２と、大型のスピーカーボックス等が配設されない正面枠１４とを組み合わせてパチンコ機１０を構成するようにしても良い（内枠１２の兼用を図っても良い）。即ち、内枠１２を共用の枠として使用できることにより、例えば、交換時において、内枠１２はそのままで、正面枠１４のみの交換で済ますことができる。この場合、大型のスピーカーボックス等が配設される正面枠１４と、大型のスピーカーボックス等が配設されない正面枠１４とを、それぞれ別の専用の内枠１２と組み合わせてパチンコ機１０を構成する場合に比較して、交換時の工数を削減することができる。
【０２１９】
なお、正面枠１４から内枠１２へ向けて張り出すものは、スピーカーボックス等に限定されない。例えば、押しボタンの構造の一部でも良いし、正面枠１４と内枠１２との位置決めをする突起でも良いし、配線を部分的に覆う被覆部材でも良い。
【０２２０】
図１５（ａ）及び図１５（ｂ）を参照して、傾倒部材３３０及び解除部材３４０に与えられる負荷の関係について説明する。図１５（ａ）及び図１５（ｂ）は、傾倒部材３３０及び解除部材３４０に与えられる負荷を示す模式図である。なお、理解を容易にするために、傾倒部材３３０及び解除部材３４０の当接位置における形状が軸棒部３３２を中心とする円に沿った形状に模式的に修正して図示される。
【０２２１】
図１５（ａ）では、傾倒部材３３０が傾倒する前の状態であって、傾倒部材３３０と解除部材３４０とが当接した状態（規制状態の一部）が、図１５（ｂ）では、傾倒部材３３０と解除部材３４０とが互いに離反し、傾倒部材３３０が傾倒した状態（許容状態の一部）が、それぞれ図示される。
【０２２２】
傾倒部材３３０及び解除部材３４０に与えられる負荷がつくるモーメントの関係について説明する。まず、傾倒部材３３０の軸周りには、球が乗っていない状態において、弾性バネ３３４の弾性的な付勢力による弾性的モーメントＭｋと、解除部材３４０との当接位置において生じる静止摩擦力による静止摩擦モーメントＭｆと、第１板部材３１０の天板部３１２ａから与えられる規制力による方向限定の規制モーメントＭｒとが生じる。これらが釣り合うことで、傾倒前の状態で傾倒部材３３０の姿勢が維持される（図１５（ａ）参照）。なお、傾倒部材３３０及び解除部材３４０は軽量な部材として構成されることから、図１５の説明においては、傾倒部材３３０及び解除部材３４０の重量により生じるモーメントを無視して説明する。
【０２２３】
弾性的モーメントＭｋは、弾性バネ３３４の材質や大きさ、巻き状態などで数値が変化する。ここで、本実施形態では、傾倒前の状態（図１５（ａ）参照）において、傾倒部材３３０の上面に球が順序よく９個乗るまでは傾倒前の状態を維持できる一方で、球が１０個以上乗ると傾倒開始する大きさで設定される（弾性バネ３３４の弾性係数ｋ１が設定される）。なお、以下において「球が順序よく貯留される」とは、傾倒部材３３０の右端側から前後方向に並ぶ列として一列ずつ順番に、尚かつ、各列において正面側（軸棒部３３２から離れた側）から球が順番に貯留されることを意味する。
【０２２４】
詳述すると、解除部材３４０側から前後方向（矢印Ｆ−Ｂ方向）に球が３個並ぶ球の列が正面視左右方向（矢印Ｌ−Ｒ方向）に３列生じるまでは、解除部材３４０とは無関係に、傾倒部材３３０は傾斜前の状態を維持する。
【０２２５】
図１５（ａ）では、解除部材３４０側から３個並ぶ球の列の例が想像線で図示される。図１５（ａ）に示すように、列を形成する球の中心位置は、おおよそ等間隔で配置される。即ち、解除部材３４０から最も離れた球（矢印Ｂ側に配置された球）の中心位置は軸棒部３３２から腕長さＡＲ［ｍｍ］だけ離れた位置に、その球と隣接する球の中心位置は軸棒部３３２から腕長さＡＲの約３培だけ離れた位置に、解除部材３４０に最も近接する球（矢印Ｆ側に配置された球）の中心位置は軸棒部３３２から腕長さＡＲの約５倍だけ離れた位置に、それぞれ配置される。なお、理解を容易にするために、以下において、傾倒部材３３０の上面に配置される球は、上述した３通りの位置のいずれか（軸棒部３３２から腕長さＡＲの整数倍だけ離れた位置）に配置されるものと仮定して説明を行う。
【０２２６】
軸棒部３３２に対する上底板部３３１ｂの傾斜は、位置によらず一様なので、球から軸棒部３３２の軸周りに与えられる負荷は位置によらず等しい。ここで、球が軸棒部３３２の軸周りに与える負荷を負荷ｍｇ［Ｎ］（傾倒部材３３０の前後方向の傾斜は１°なので、傾斜の影響は無視すると仮定）とし、３列の球が傾倒部材３３０の上面に乗った状態で球から傾倒部材３３０に与えられるモーメントを球の負荷により傾倒部材３３０の軸周りに生じる負荷モーメントＭｂとして表すと（３個で一列の球により生じるモーメントが、（Ｒ＋３Ｒ＋５Ｒ）×ｍｇであり、それが３列あるとして）、Ｍｂ＝２７ｍｇ×Ｒ［Ｎｍｍ］となることから、弾性的モーメントＭｋもＭｋ≒２７ｍｇ×Ｒ［Ｎｍｍ］で設定される。なお、ｍｇは球の重量ｍ［ｋｇ］に起因して生じる負荷、ｇは重力加速度［ｍ／（ｓ＾２）］として説明する。また、本実施形態では、傾倒時（図１５（ｂ）参照）における弾性的モーメントの、傾倒前の弾性的モーメントＭｋとの違いが僅かとなるように弾性バネ３３４が構成される。
【０２２７】
例えば、本実施形態では、弾性バネ３３４の弾性係数ｋ１がｋ１＝０．２ｍｇ×Ｒ［Ｎｍｍ／ｄｅｇ］で設定され、弾性バネ３３４の形状は、傾倒前の状態における弾性バネ３３４の変位量（角度）が１３５°となるように設定される。この状態において、傾倒部材３３０の傾倒前に弾性バネ３３４が生じる弾性的モーメントＭｋは２７ｍｇ×Ｒ［Ｎｍｍ］であり、傾倒後（傾倒前の状態から１４°角度変化した状態）に弾性バネ３３４が生じる弾性的モーメントＭｋは２９．８ｍｇ×Ｒ［Ｎｍｍ］（１０個目の球が傾倒部材３３０に順序良く乗った時に傾倒部材３３０にかけられる負荷モーメントＭｂの総和よりも小さい）となる。そのため、生じる弾性的モーメントの変化が小さいことから、図１５（ｂ）においても、傾倒時の弾性的モーメントを弾性的モーメントＭｋと同じ符号で説明する。
【０２２８】
静止摩擦モーメントＭｆは、解除部材３４０が傾倒部材３３０に与える負荷と、当接面の状態と、により数値が変化する。ここで、本模式図では、図１５（ａ）に示すように、傾倒部材３３０と解除部材３４０との当接部分を通る解除部材３４０の軸棒部３４１を中心とした円の接線が傾倒部材３３０の回転軸（軸棒部３３２）を通ることから、解除部材３４０の軸周りに生じる弾性バネ３４６により生じる付勢力Ｆｍ１が、分割されることなく傾倒部材３３０に摩擦をかける負荷として生じる。
【０２２９】
従って、静止摩擦モーメントＭｆは、付勢力Ｆｍ１に傾倒部材３３０と解除部材３４０との当接状態における静止摩擦係数μを乗じたものに、傾倒部材３３０の回転軸を中心とした腕長さをかけたものになる。なお、本実施形態では、静止摩擦係数μを０．５に、付勢力Ｆｍ１（解除部材３４０の回転軸から腕長さＡＲの４倍の位置で傾倒部材３３０側に生じる負荷）を球１．５個分の重さ（１．５ｍｇ［Ｎ］）に相当する力に、それぞれ設定する（解除部材３４０の当接面の態様、及び弾性バネ３４６の弾性係数を設定する）。これにより、図１５（ａ）の状態においては、球が傾倒部材３３０の上面に１０個乗ったとしても、傾倒部材３３０を傾倒前の状態で維持することができる。
【０２３０】
詳述すると、静止摩擦モーメントＭｆは、軸棒部３３２からの距離が、腕長さＡＲの７倍の位置において、付勢力Ｆｍ１が傾倒部材３３０に働くことにより生じる摩擦力によるモーメントとして表せるので、Ｍｆ＝７Ｒ×１．５×ｍｇ×０．５＝５．２５ｍｇ×Ｒ［Ｎｍｍ］となる。これにより、傾倒部材３３０だけでは傾倒を開始する個数の球が乗ったとしても、更に静止摩擦モーメントＭｆが加えられることにより、少なくともあと１個の球が追加で乗るまでは、傾倒部材３３０の姿勢を維持させることができる。
【０２３１】
この条件を成立させる一例として、本実施形態では、弾性バネ３４６の弾性係数ｋ２がｋ２＝０．１ｍｇ×Ｒ［Ｎｍｍ／ｄｅｇ］で設定され、弾性バネ３４５の形状は、傾倒前の状態における弾性バネ３４５の変位量（角度）が６０°となるように設定される。なお、解除部材３４０は、上皿１７に形成される回り止め（図示せず）により、図１５（ａ）の姿勢よりも若干の角度だけ傾倒部材３３０側に回転した姿勢が解除部材３４０の移動範囲の限界位置として制限される。
【０２３２】
なお、上述したように、傾倒部材３３０が傾倒後、傾倒前の状態に復帰する（起き上がる）過程において傾倒部材３３０の軸周りに生じるモーメント（＞Ｍｋ）は、静止摩擦モーメントＭｆよりも大きいことから、傾倒部材３３０又は解除部材３４０のどちらが先に図１５（ａ）に示す状態に復帰するかに関わらず、傾倒部材３３０を傾倒前の状態に復帰させることができる（傾倒部材３３０が復帰の途中で静止することを防止することができる）。
【０２３３】
詳述すると、傾倒部材３３０が起き上がりきる直前において発生する負荷（初期トルクとほぼ同じ）が、解除部材３４０から受ける摩擦に打ち勝つことが要件となるところ、当接位置までの回転軸からの長さは、傾倒部材３３０：解除部材３４０＝７Ｒ：４Ｒである。そのため、当接位置で生じる負荷に、以下の式が成り立つ必要がある。
【０２３４】
即ち、ｐ×ｋ１（傾倒前の状態における弾性的モーメントＭｋ）＞７Ｒ／４Ｒ×ｑ×ｋ２（傾倒部材３３０に当接している状態における静止摩擦モーメントＭｆ×７／４）が成り立つ必要がある。ここで、ｐは、弾性バネ３３４の初期変形角度、ｑは、弾性バネ３４６の初期変形角度を意味する。なお、係合凸部３４５の影響を考慮して、ｐ×ｋ１を大きめに設定することが望ましい。本実施形態では、上述した設定において本式を満たすので、傾倒部材３３０が復帰の途中で静止することを防止することができる。
【０２３５】
ここで、傾倒部材３３０の傾倒が開始される条件としては、上述したように、解除部材３４０との間で生じる静止摩擦に球が与える負荷が打ち勝って（モーメントが勝って）動作開始する場合（Ｍｋ＋Ｍｆ＜ΣＭｂ、ΣＭｂは傾倒部材３３０の上面に乗る各球の負荷モーメントＭｂの総和を意味する）と、解除部材３４０が傾倒部材３３０から離反することで静止摩擦が解消され動作開始する場合と、が考えられる。以下、後者である、解除部材３４０が傾倒部材３３０から離反する場合について説明する。
【０２３６】
例えば、球が勢いよく解除部材３４０に衝突する場合について説明する。本模式図では、当接部分の形状関係（解除部材３４０の回転軸を中心として解除部材３４０と傾倒部材３３０との当接部分を通る円の接線が傾倒部材３３０の回転軸を通る形状関係）により、解除部材３４０が傾倒部材３３０から離反する過程で摩擦が生じない。従って、解除部材３４０に与えられる負荷が、純粋に付勢力Ｆｍ１を上回れば、解除部材３４０の姿勢が変化し、傾倒部材３３０に与えられる静止摩擦が解消する。
【０２３７】
ここで、球と解除部材３４０との当接位置における付勢力Ｆｍ１が球３個分の重さに対応すると仮定すると、例えば、解除部材３４０に衝突した球が解除部材３４０を０．１［ｍｍ］だけ変位させるのに必要な運動エネルギーを有した球を考えると、力学的な方程式であるＦｓ＝１／２ｍｖ＾２に、Ｆ＝Ｆｍ１＝３ｍｇ［Ｎ］、ｓ＝１×１０＾（−４）［ｍ］を代入することで、ｖ≒８×１０＾（−２）［ｍ／ｓ］が求められるので、球の速度は、約８［ｃｍ／ｓ］となる。
【０２３８】
即ち、例えば、傾倒部材３３０に球が９個乗った状態で球が速度８［ｃｍ／ｓ］で解除部材３４０に衝突した場合、解除部材３４０が傾倒部材３３０から離反し、静止摩擦力が消失するので、球の重みで傾倒部材３３０が傾倒する。従って、解除部材３４０に球が衝突しない場合（上述したように、１０個球が乗っても傾倒部材３３０が維持される）に比較して、傾倒部材３３０の傾倒に要する球の個数が少なくなり、傾倒部材３３０が傾倒する際に傾倒部材３３０に乗っている球の数に、若干のばらつきを生じさせることができる。これにより、開口部１７ａからの球の排出を、ランダム性のある演出として遊技者に見せることができる。
【０２３９】
また、例えば、解除部材３４０の背面側に貯留された球の重みが解除部材３４０に負荷を与える場合について説明する。傾倒部材３３０は前後方向に水平面から約１°下降傾斜していることから、解除部材３４０に１個の球が与える負荷は、ｍｇ×ＣＯＳ８９°≒０．０２ｍｇ［Ｎ］である。そのため、解除部材３４０の背面側に貯留され解除部材３４０に負荷を与える球が７５個を超えると、解除部材３４０は球に押しのけられ、回転を開始することになるが、本実施形態では、解除部材３４０に負荷を与える球の数は、最大でも２０個程度であり、７５個は超えないので、解除部材３４０はそのままの姿勢を維持する。
【０２４０】
なお、傾倒部材３３０の傾倒後は、解除部材３４０と球との当接位置が解除部材３４０の回転軸から離れるので（腕長さＡＲの２〜３倍となるので）、解除部材３４０を押しのけるのに球に必要とされる負荷が減少する。
【０２４１】
そのため、解除部材３４０を押しのけるのに必要となる解除部材３４０に負荷を与える球の数は、傾倒部材３３０の傾倒前に比較して減少する。傾倒部材３３０の傾倒後は、傾倒部材３３０の前後方向に沿った水平面からの傾斜角度が１５°に設定されるので、１個の球が解除部材３４０に与える負荷はｍｇ×ＣＯＳ７５°≒０．２５ｍｇ［Ｎ］（傾倒部材３３０の傾斜方向の負荷は水平面に対して１５°なので、傾斜方向の負荷が、そのまま解除部材３４０の回転方向にかけられると近似した場合）である。
【０２４２】
そのため、解除部材３４０を押しのけるために必要な負荷が傾倒部材３３０の傾倒前の半分であると仮定する（当接位置の解除部材３４０の回転軸からの距離が腕長さＡＲの４倍と仮定する）と、解除部材３４０に負荷を与える球の数が６個以上であれば、解除部材３４０を押しのけて流下し始めることができる。
【０２４３】
尚且つ、解除部材３４０が回転するほど、解除部材３４０から球へ与えられる負荷の球の流下方向に対する角度が大きくなると共に、球が解除部材３４０と当接する点の解除部材３４０の回転軸からの長さが長くなるので、解除部材３４０を回転させるのに必要となる負荷が減少する。
【０２４４】
例えば、図１５（ｂ）に示す状態（弾性バネ３４６の変位が最大となる状態）では、球の負荷を前後方向（矢印Ｆ−Ｂ方向）に沿って生じるものと近似した場合、その球を前後方向に押し返す方向に解除部材３４０が発生させる負荷は、付勢力Ｆｍ１の解除部材３４０の回転角度に伴う成分の力となる。図１５（ｂ）に示すように、解除部材３４０は移動しきった状態において当接板部３４２、係合凸部３４５の球と当接する側の面が鉛直方向に対して４５°傾斜するため、付勢力Ｆｍ１の球を押し返すモーメントを発生させる成分は、０．７Ｆｍ１（≒Ｆｍ１×ＣＯＳ４５°）となる。
【０２４５】
これにより、弾性バネ３４６の変位量により増大する付勢力の増加分（約１．５倍）が、球を押し返す付勢力Ｆｍ１の成分（約０．７Ｆｍ１）との関係で、相殺される。更に、解除部材３４０と球との当接位置は、解除部材３４０が回転するほど（矢印Ｆ側に移動するほど）回転軸から遠くなるので、より小さな力で解除部材３４０を押し返すことができる。
【０２４６】
従って、解除部材３４０を回転させ始めさえすれば、解除部材３４０を短時間でスムーズに、移動範囲の端部（図１５（ｂ）参照）まで回転させることができる。なお、球と傾倒部材３３０及び解除部材３４０との間で生じる動摩擦については無視している。
【０２４７】
図１５（ｂ）に示す状態に傾倒部材３３０が到達した直後は、傾倒部材３３０の上面に多数の球が乗っているため、その重みで傾倒部材３３０の姿勢は維持されるが、傾倒部材３３０の上面から球が流れ落ちるにつれて傾倒部材３３０にかけられる重みが小さくなり、弾性バネ３３４による付勢力が球の重みに打ち勝ち始める。ここで、例えば、傾倒部材３３０の上面に傷ができており、それにより球が減速され球の流下が遅れてしまうと、球が流れ落ちる前に傾倒部材３３０が復帰する（起き上がる）という不具合が生じるおそれがある。
【０２４８】
本遊技機のように、上皿１７に開口部１７ａが配設され、開口部１７ａを開閉する部材が自動で動作する場合、傾倒部材３３０に解除部材３４０から与えられる動作抵抗に打ち勝つだけの負荷を継続的に与えながら、傾倒部材３３０が傾倒する際には、即座に姿勢変化することが求められる（例えば、傾倒開始から球の排出開始までの間隔を短くすることができる）一方、傾倒後、復帰する（起き上がる）際には、球が流れ落ちるまで粘ってから（待ってから）姿勢変化することが求められる（例えば、傾倒部材３３０の上面に乗る球を残さず流れ落とすことができる）という、相反する要求が生じ、これに応える簡易な構造が求められることが予想される。
【０２４９】
これに対し、本実施形態では、傾倒部材３３０の下方に配置される第１板部材３１０の天板部３１２ａは、図１５（ａ）に示す状態では傾倒部材３３０と当接せず、そこから傾倒部材３３０が傾倒し、傾倒後の状態になる直前から傾倒部材３３０の本体枠３３１ａと当接する態様で凹設形成される抵抗凹設部３１２ａ１を備える。これにより、傾倒部材３３０が傾倒した状態から起き上がり始める際には、天板部３１２ａの抵抗凹設部３１２ａ１との間で生じる摩擦力に打ち勝つ必要があるので、動作開始までの時間を引き延ばすことができる。
【０２５０】
なお、天板部３１２ａとの当接は、傾倒部材３３０の傾倒動作時にも生じるが、この時は、傾倒部材３３０の上面に十分な個数の球がまだ配置されていることに加え、生じる摩擦は動摩擦なので、摩擦力による傾倒部材３３０の起き上がり動作開始までの時間延長の効果を維持しながら、傾倒部材３３０の傾倒動作時の減速度合いを最小限に抑えることができる。
【０２５１】
例えば、抵抗凹設部３１２ａ１と傾倒部材３３０との間で生じる静止摩擦力により生じる傾倒部材３３０の軸回りのモーメントが、傾倒時の傾倒部材３３０に生じる弾性的モーメントＭｋよりも小さく、傾倒時の傾倒部材３３０に球が１つ乗った場合における弾性的モーメントＭｋと負荷モーメントＭｂとの総和よりも大きくなるように、抵抗凹設部３１２ａ１の表面が設定されても良い。この場合、傾倒時の傾倒部材３３０の上面から球が全て流れ落ちるまで傾倒部材３３０は傾倒した状態を維持し、球が全て流れ落ちた後、静止摩擦力に抗して復帰動作を開始する。従って、傾倒部材３３０の上面に球が残っているときに傾倒部材３３０が復帰動作を開始することを防止することができる。
【０２５２】
一方で、抵抗凹設部３１２ａとの静止摩擦力に抗して傾倒部材３３０が復帰動作を開始した後は、傾倒部材３３０にかけられる摩擦は動摩擦であり小さいので、その後で球が傾倒部材３３０に少数乗ったとしても傾倒部材３３０に復帰動作を継続させることができる。従って、傾倒部材３３０の復帰動作中に傾倒部材３３０の上面に流入した球を、その後で傾倒部材３３０が復帰しきった後に傾倒部材３３０の上面に到達した球と一緒にまとめて排出することができる。
【０２５３】
なお、実際（模式的に修正する前）は、本実施形態では、解除部材３４０の係合凸部３４５が傾倒部材３３０の動作軌跡内に入り込むので、解除部材３４０を球の衝撃で傾倒部材３３０から離反させ傾倒部材３３０を傾倒させる場合には、上述したよりも（０．１［ｍｍ］）よりも、長い距離（例えば、１［ｍｍ］）だけ解除部材３４０を変位（回転）させ動作軌跡外に出す必要があるので、図１５で説明した模式図に比較して、球の衝撃で解除部材３４０が変位し傾倒部材３３０が傾倒する事態を生じ難くすることができる。
【０２５４】
なお、係合凸部３４５が解除部材３４０の軸棒部３４１から最も遠い位置に配設されることにより、係合凸部３４５が軸膨部３４１に近い位置に配設される場合に比較して、係合凸部３４５の凸設長さを確保しながら、傾倒部材３３０が傾倒した状態から復帰する際に解除部材３４０を乗り越えるために必要となる解除部材３４０の回転角度を小さくすることができる。
【０２５５】
また、係合部３３３ｂの上面が当接板部３４２の下端部に当接することで、復帰動作中の傾倒部材３３０が係止される（図１４（ａ）参照）。これにより、傾倒部材３３０の復帰時の姿勢を規定することができる。
【０２５６】
加えて、本実施形態では、解除部材３４０と傾倒部材３３０との当接位置は傾倒部材３３０の上面に沿った位置であり、図１５（ａ）で当接位置として図示した位置よりも上側とされる。従って、解除部材３４０から傾倒部材３３０に与えられる負荷の方向を示す直線は、軸棒部３３２よりも上側を通る。そのため、傾倒部材３３０は、解除部材３４０から、上向きの摩擦力に加え、軸棒部３３２よりも上側を通る上記直線に沿った付勢力Ｆｍ１の方向成分による力を受ける。これにより、傾倒部材３３０と解除部材３４０との間に生じる摩擦の大小に関わらず、付勢力Ｆｍ１により傾倒部材３３０に生じるモーメントにより、傾倒部材３３０を傾倒前の状態（図１４（ａ）参照）に維持し易くすることができる。
【０２５７】
図１６及び図１７は、上皿１７の背面斜視図である。なお、図１６及び図１７では、理解を容易とするために、供給開口１７ｇが形成される背面側板の図示が省略されると共に供給開口１７ｇの開口部外形が想像線で図示される。また、図１６では、傾倒部材３３０及び解除部材３４０の規制状態が、図１７では、傾倒部材３３０及び解除部材３４０の許容状態が、それぞれ図示される。
【０２５８】
図１７に示す状態では、球案内天面１７ａ１と傾倒部材３３０との間隔が球の直径以上とされる。従って、図１７に示す状態において、傾倒部材３３０の幅方向（矢印Ｌ−Ｒ方向）のどの位置からでも球を開口部１７ａ伝いに上皿１７の外方へ排出することができる。
【０２５９】
図１６及び図１７に示すように、供給開口１７ｇを通って上皿１７に供給された球は、まず橋渡し球貯留領域１７ｅに着地する。橋渡し球貯留領域１７ｅの上面は発射球貯留領域１７ｄの上面と面位置でつながる一方、傾倒部材３３０の上面および後追い球貯留領域１７ｆの上面は、橋渡し球貯留領域１７ｅよりも一段高い面として形成される。本実施形態では、球の半径ｒａの約１／４だけ高い面（橋渡し球貯留領域１７ｅに貯留された球が水平方向の負荷で乗り上げ可能な高さ）として形成される。
【０２６０】
これにより、供給開口１７ｇから上皿１７に供給された球は、まず発射球貯留領域１７ｄ及び橋渡し球貯留領域１７ｅを満たし、その後、橋渡し球貯留領域１７ｅに満たされた球の上を伝うか、後から来た球に橋渡し球貯留領域１７ｅに貯留されていた球が押し出されることにより、後追い球貯留領域１７ｆ及び傾倒部材３３０の上面に流入する。
【０２６１】
即ち、本実施形態では、供給開口１７ｇから上皿１７に供給された球の全てが傾倒部材３３０の上面を通るのでは無く、発射球貯留領域１７ｄ及び橋渡し球貯留領域１７ｅが球で満たされる前に上皿１７に供給された球のほとんどは傾倒部材３３０の上面を通過することなく流下する。
【０２６２】
そのため、発射球貯留領域１７ｄ及び橋渡し球貯留領域１７ｅが球で満たされる前に解除部材３４０に球が当接することを防止できる。これにより、上皿１７に貯留される球が少ない状態で傾倒部材３３０及び解除部材３４０が許容状態を形成し球が上皿１７から排出される可能性を低減することができる。
【０２６３】
このように、本実施形態では、傾倒部材３３０の上面が橋渡し球貯留領域１７ｅよりも一段高くなる配置で傾倒部材３３０を上皿１７に配設することで、球の流下経路を指定することができる。これにより、球の経路を指定する別部材を用意したり、上皿１７を特別な形状としたりする場合に比較して、部品コストや、加工コストを抑えることができる。
【０２６４】
本実施形態では、橋渡し球貯留領域１７ｅに球が供給される場合、橋渡し球貯留領域１７ｅに配置される球が予め許容される数量（段積み含む）を越えている場合には対応する数量の球が後追い球貯留領域１７ｆに押し出される一方、橋渡し球貯留領域１７ｅに配置される球が許容される数量に到達していない場合には球が供給されても後追い球貯留領域１７ｆに押し出されることはなく、橋渡し球貯留領域１７ｅに留まる。即ち、橋渡し球貯留領域１７ｅは、上面に貯留される球の個数に応じて、供給される球の案内先を変える領域として機能する。これにより、供給開口１７ｇから供給される球により橋渡し球貯留領域１７ｅを優先的に球で満たすことができる。
【０２６５】
後追い球貯留領域１７ｆの傾倒部材３３０側の端部と上皿１７の正面側内面との交差部に当たる湾曲部１７ｆ１は、球の半径ｒａよりも小さな曲率半径の湾曲形状から形成される。従って、湾曲部１７ｆ１に向かって来た球の速度を上方へ向けることができ、その勢いを急激に落とすことができる。
【０２６６】
また、供給開口１７ｇから供給された球の速度が湾曲部１７ｆ１に到達することで急激に落ち、その後で傾倒部材３３０へ流入する態様で球を流下させることができる。これにより、供給開口１７ｇから上皿１７に供給された球が傾倒部材３３０に流入する経路を狭めることができ、球が解除部材３４０に到達する経路を制限することができる。
【０２６７】
解除部材３４０は、規制状態において、当接板部３４２と湾曲部１７ｆ１との間隔Ｔ２が、球の半径ｒａ以上とされる位置に配設される。即ち、解除部材３４０が上皿１７の内面から外方へ奥まった位置に配設されるので、上皿１７の内面に沿った速度方向で流下する球が、そのままの勢いで解除部材３４０側へ流入することを回避することができる。本実施形態では、後述するように、流下する球は解除部材３４０の背面側（矢印Ｂ側）を素通りし、解除部材３４０の下流側（矢印Ｒ側）に球が満たされた後に下流側への流下が阻害された球（行き場を失った球）が解除部材３４０に到達する（球被覆面１７ａ２の下方に配置される）。
【０２６８】
また、間隔Ｔ２が球の半径ｒａ以上とされることで、球被覆面１７ａ２の下方に球Ｐ１が配置された状態において後追い球貯留領域１７ｆに配置される球から負荷が与えられ球Ｐ１が移動開始する方向を解除部材３４０側に向いた方向とすることができる。これにより、球Ｐ１が後追い球貯留領域１７ｆ１から流下する球の作用により球被覆面１７ａ２の下方の領域から上皿１７の内側へ弾き出されることを防止することができる。
【０２６９】
図１６に示すように、解除部材３４０は上皿１７の正面側面（矢印Ｆ側の側面）の更に正面側に奥まった位置に配設され、解除部材３４０の上方が球被覆面１７ａ２により覆われる。
【０２７０】
即ち、球が上皿１７の上方から供給された場合に、球が解除部材３４０へ向けて斜めに落下したとしても、球の流下経路が球被覆面１７ａ２と干渉する場合には、上皿１７の内面に球が当接し球の流下方向が上皿１７の内面形状に沿った方向に切り替えられる。これにより、球は解除部材３４０から離れた位置（球被覆面１７ａ２の背面側、矢印Ｂ側）に着地することになるので、上皿１７の上方から供給された球が、落下時の勢いで解除部材３４０に負荷を与えることを防止することができる。
【０２７１】
例えば、上皿１７に残った球が少ないと感じた遊技者が下皿１５や千両箱などから上皿１７に球を供給した場合に、その球が解除部材３４０に当接する場合があると、球を上皿１７に供給することに伴い上皿１７から球が排出されることになり、遊技者に不満を与える原因となる。これに対し、本実施形態によれば、遊技者により上皿１７に供給された球が解除部材３４０と当接することを防止することができるので、遊技者の不満を解消することができる。
【０２７２】
球被覆面１７ａ２は、上述したように、規制状態において、傾倒部材３３０の上面との間隔が球の直径の２倍よりも短くなる位置に配置される。これにより、解除部材３４０に当接する球Ｐ１の上に球が積み上がることを防止することができ、傾倒部材３３０が許容状態となり球が排出される際に、縦に２段に積み上がった状態で開口部１７ａに球が流入することに伴い球詰まりが生じるおそれを低減することができる。
【０２７３】
球被覆面１７ａ２は、傾倒時（図１７参照）において、傾倒部材３３０の上面との間隔が球の直径の２倍程度とされる（図１４（ｂ）参照）ので、傾倒部材３３０の上面において球被覆面１７ａ２の背面側で球が積層されていた場合であっても、上下方向において球の直径の２倍程度の開口幅で球を受け入れることができるので、開口部１７ａを通した球の排出をスムーズに行うことができる。
【０２７４】
本実施形態では、特に、球が積層を生じ易い供給開口１７ｇに近い側において、開口部１７ａと傾倒部材３３０との間の上下方向の開口幅が長くされるので、開口部１７ａを通した球の排出をスムーズに行うことができる。
【０２７５】
加えて、本実施形態では、開口部１７ａを通して排出される球が流下する経路（第１板部材３１０及び第２板部材３２０により形成される内部流路）が鉛直下方へ延びている（図１４（ｂ）参照）。そのため、上下方向に複数球の球が積まれた状態で開口部１７ａを通過した場合であっても、球が積まれる方向と、球が流下する経路の延びる方向とのなす角度が抑えられているので、開口部１７ａの下流における球の流下抵抗を低減することができる（例えば、開口部１７ａを通過した複数の球が噛み合い、内部流路内で挟まれることで滞留したり、噛み合わないまでもお互いに衝突し合うことで減速させたりすることを防止できる）。従って、開口部１７ａを通した球の排出をスムーズに行うことができる。
【０２７６】
図１８（ａ）から図１８（ｃ）及び図１９（ａ）から図１９（ｃ）は、上皿１７の上面図である。なお、図１８及び図１９では、上皿１７への球の貯留態様が時系列で図示される。
【０２７７】
即ち、図１８（ａ）では、発射球貯留領域１７ｄの一部に球が貯留された状態が、図１８（ｂ）では、発射球貯留領域１７ｄが球で満たされた後で橋渡し球貯留領域１７ｅの一部に球が貯留された状態が、図１８（ｃ）では、図１８（ｂ）に示す状態から更に、橋渡し球貯留領域１７ｅが球で満たされた状態が、図１９（ａ）では、図１８（ｃ）に示す状態から更に、球が傾倒部材３３０の上面に流入した状態が、図１９（ｂ）では、図１９（ａ）に示す状態から更に、後追い球貯留領域１７ｆが球で満たされた状態が、図１９（ｃ）では、図１９（ｂ）に示す状態から更に、傾倒部材３３０及び解除部材３４０が許容状態とされ傾倒部材３３０の上面に貯留されていた球および後追い球貯留領域１７ｆに貯留されていた球が上皿１７から排出された状態が、それぞれ図示される。なお、図１８（ａ）から図１８（ｃ）及び図１９（ａ）から図１９（ｃ）では、貯留される球の態様が簡略化（底面に接する一層目のみが図示され、重なる球は省略）して図示される。
【０２７８】
図１８及び図１９に示すように、供給開口１７ｇから上皿１７に供給された（払い出された）球は、まず発射球貯留領域１７ｄ及び橋渡し球貯留領域１７ｅに流入し、それらの領域が球で満たされた後、余剰分の球が傾倒部材３３０の上面へ流入する。尚かつ、発射球貯留領域１７ｄ及び橋渡し球貯留領域１７ｅに貯留された球は傾倒部材３３０が許容状態になったとしても上皿１７の開口部１７ａから排出されることは無い。
【０２７９】
従って、本実施形態によれば、上皿１７に貯留された球が発射球貯留領域１７ｄ及び橋渡し球貯留領域１７ｅを満たす球数よりも少ない場合に、球が開口部１７ａから排出されるという不具合を、簡易な構成（領域毎の底面高さに差を設けること）により解消することができる。
【０２８０】
更に、傾倒部材３３０の状態に関わらず、発射球貯留領域１７ｄに貯留された球を球発射ユニット１１２ａ（図４参照）に供給することができると共に、発射球貯留領域１７ｄ及び橋渡し球貯留領域１７ｅが球で満たされていない場合は、供給開口１７ｇから供給された球を優先的に発射球貯留領域１７ｄ及び橋渡し球貯留領域１７ｅに流入させることができる。
【０２８１】
なお、本実施形態では、発射球貯留領域１７ｄが球で満たされるまでに少なくとも（上皿１７の底面に接する球の数として）約４０個の球が発射球貯留領域１７ｄに貯留され、橋渡し球貯留領域１７ｅが球で満たされるまでに少なくとも約２０個の球が橋渡し球貯留領域１７ｅに貯留される（図１９（ｂ）参照）。
【０２８２】
図１９を参照して、傾倒部材３３０の上面に球が貯留され始めてから、その球が開口部１７ａを通って上皿１７の外方へ排出されるまでの経過について説明する。
【０２８３】
図１９（ａ）に示すように、橋渡し球貯留領域１７ｅに貯留された球の上を渡って後追い球貯留領域１７ｆ又は傾倒部材３３０の上面に流入した球は、後追い球貯留領域１７ｆ及び傾倒部材３３０が形成する傾斜に沿って流下する。ここで、規制状態において（図１４（ａ）参照）、傾倒部材３３０の上面は正面側（矢印Ｆ側）へ向かう程下降傾斜していると共に、右側（矢印Ｒ側）へ向かう程下降傾斜しているので、後追い球貯留領域１７ｆから傾倒部材３３０の上面に流入した球は右方正面側へ向けて傾斜する傾斜方向Ｃに沿って流下する。そのため、傾倒部材３３０の上面に流入した球は、傾倒部材３３０の右側正面端部（矢印Ｒ及び矢印Ｆ側端部）から順に溜まる。
【０２８４】
本実施形態では、解除部材３４０が傾倒部材３３０の左側正面端部（矢印Ｌ及び矢印Ｆ側端部）に配置されるので、傾倒部材３３０の上面に貯留される球が少ない状態（例えば、球が無い状態）において傾倒部材３３０の上面に流入する球が解除部材３４０に到達する可能性を低くすることができる。
【０２８５】
図１９（ｂ）に示すように、傾倒部材３３０の上面が球で満たされ、更に後追い球貯留領域１７ｆも球で満たされた状態では、解除部材３４０の当接板部３４２に球が当接し、更にその球の上流側（矢印Ｌ側および矢印Ｂ側）に球が貯留される。
【０２８６】
図１９（ｂ）に示す状態から、上皿１７に供給される球よりも遊技領域に発射される球の方が多くなる場合、傾倒部材３３０の上面および後追い球貯留領域１７ｆに貯留された球も徐々に上皿１７の底面の傾斜に沿って球発射ユニット１１２ａ（図４参照）の方（図１９（ｂ）右方）へ案内される。このとき、解除部材３４０に当接していた球も同様に案内される。
【０２８７】
案内される過程においては、傾倒部材３３０の上面の形状であって正面側へ向かうにつれて下降傾斜する傾斜方向ＦＩ（図１２参照）及び発射球貯留領域１７ｄの底面の形状であって背面側へ向かうにつれて下降傾斜する傾斜方向ＢＩ（図１２参照）に沿って、球は案内される。
【０２８８】
本実施形態では、貸球操作部４０の１回の操作により球が上皿１７に供給（貸出）される場合に、球が開口部１７ａから排出されることが防止される。即ち、一般的なパチンコ機１０では、貸球操作部４０の１回の操作により上皿１７に１２５個の球が供給される。この場合には、上皿１７の状態が図１９（ｂ）に示す状態で収まるように、発射供給口１７ｋから球発射ユニット１１２ａまでの経路が形成される（余剰の球が経路内に滞留する）。
【０２８９】
一方で、大当たり遊技状態などにおいて、多量の払い出しが行われる場合、図１９（ｂ）に示す状態から、更に球が上皿１７に供給されると、傾倒部材３３０の上面または後追い球貯留領域１７ｆに配置される球の上に乗った球が、球の間に沈む際に、既に上皿１７に貯留された球同士の間隔を押し広げる。この際に、上皿１７の底面と平行な方向で球が移動し、この移動する球により解除部材３４０が球発射ユニット１１２ａの配置される側の反対側である正面側（図１９（ｂ）下側）へ押し退けられる。解除部材３４０が変位することにより、傾倒部材３３０及び解除部材３４０の係合が解除され、球の重みで傾倒部材３３０が回転する。
【０２９０】
これにより、傾倒部材３３０及び回転部材３４０が許容状態となり、傾倒部材３３０の上面および後追い球貯留領域１７ｆに貯留されていた球が開口部１７ａを通って上皿１７から排出される。
【０２９１】
上述した動作をおこなわせるために、解除部材３４０を傾倒部材３３０に近接する方向へ付勢する弾性バネ３４６の弾性力は、上述のように、図１９（ｂ）の状態において解除部材３４０に球から与えられる静的な負荷（例えば、３個以上の球により生じる負荷）よりも大きく設定される。
【０２９２】
上述したように、傾倒部材３３０の上面に配置される球が１１個を越えると、傾倒部材３３０は傾倒を開始する。この状態において、上皿１７には、球を受け入れる若干の余裕がある。即ち、傾倒部材３３０が傾倒することによる開口部１７ａからの球の排出は、供給開口１７ｇから球を供給可能な状態で開始される。従って、供給開口１７ｇの上流側の流路に球が貯留される前に開口部１７ａを通して球の排出を行うことになるので、上皿１７ａから球を抜くように報知する球抜き報知が発生する前に開口部１７ａを通して球を排出することができる。
【０２９３】
図１９（ｃ）に示すように、開口部１７ａを通って傾倒部材３３０の上面および後追い球貯留領域１７ｆに貯留された球が排出される際には、解除部材３４０が球により押し退けられる。
【０２９４】
本実施形態では、毎秒１０個の球を供給する速度で払出モータ２１６が駆動される。そのため、球の「流量」として所定期間に何個の球が開口部１７ａを通過するかを定量化する量として定義する場合に、１．１秒以上の間隔で、上述したように約８０［個／秒］の流量で上皿１７から球が排出される。
【０２９５】
この排出の間、解除部材３４０が球により押し退けられることで、傾倒部材３３０及び解除部材３４０が規制状態を形成することを防止することができる。従って、排出の途中で傾倒部材３３０及び解除部材３４０が規制状態を形成してしまい、排出が中断することを防止することができる。
【０２９６】
このように、本実施形態によれば、上皿１７の球の貯留具合により、傾倒部材３３０及び解除部材３４０が自動で状態変化し、開口部１７ａを通って上皿１７から球が排出される。これにより、球の排出にかかる遊技者の操作を不要とすることができるので、その分、遊技者の集中力を第３図柄表示装置８１で表示される演出や、遊技領域に発射される球の発射速度の調整に向けさせることができる。
【０２９７】
なお、本実施形態では、傾倒部材３３０の上面から球が排除されてから（開口部１７ａを通って排出される球の流量が少なくなったり（例えば、排出流量が１［個／秒］以下となると））、傾倒部材３３０の上面に配置される球が少なくなったりすると（例えば、１個も無くなると）、傾倒部材３３０が復帰動作を行うが、その復帰にかかる期間（傾倒前の状態（図１４（ａ）参照）にもどるまでにかかる期間）を約０．２秒と仮定して、以下に説明を行う。
【０２９８】
この場合、図１９（ａ）に示す状態において傾倒部材３３０の上面および後追い球貯留領域１７ｆに貯留される球が排出されきってから、供給開口１７ｇから上皿１７に供給される球が傾倒部材３３０の上面に流入するまでの間に、傾倒部材３３０及び解除部材３４０を規制状態とすることができる。
【０２９９】
傾倒部材３３０が許容状態から起き上がる途中（規制状態を形成する前）に、球が傾倒部材３３０の上面に流入したとしても、球は、傾倒部材３３０と開口部１７ａとの間隔が狭い傾倒部材３３０の右正面側（矢印Ｒ及び矢印Ｆ側）へ向けて流下するので、その球が開口部１７ａを通って排出されることを抑制することができる。尚かつ、その球により解除部材３４０が押し退けられる可能性を低くすることで傾倒部材３３０を継続して規制状態へ向けて状態変化させることができる（起き上がり方向の回転動作を継続させることができる）。
【０３００】
図２０は、上皿１７に継続的に球が供給される（払い出される）場合に上皿１７に残る球の個数変化の一例を示すタイミングチャートである。なお、縦軸に上皿１７に貯留される球の個数が示され、横軸に経過時間が示される。また、図２０では、開口部１７ａの左右幅の全領域を球が通過可能に全開放された状態（図１８及び図１９参照）におけるタイミングチャートが図示される。なお、図２０に示すタイミングチャートは、球の発射により生じる上皿１７の球の貯留個数の変化は無視したり（球の発射個数は０個であると仮定たり）、上皿１７への球の貯留態様の違いによる影響は無視したり（上皿１７に貯留される球の個数がＭＡＸ個に到達した直後に排出が開始されると仮定したり）するなど、簡略化して図示される。
【０３０１】
図２０の縦軸において、傾倒部材３３０及び解除部材３４０が許容状態に状態変化するのに必要な球の個数（上皿１７の底面に当接する球が順序良く整列した場合の個数）がＭＡＸ個で図示される。また、横軸において、発射球貯留領域１７ｄ及び橋渡し球貯留領域１７ｅが球で満たされたタイミング（図１８（ｃ）参照、個数Ｑ１の球が上皿１７に貯留されたタイミング）が０秒で図示される。
【０３０２】
上皿１７に貯留される球の個数の変化について説明する。上述したように、払出モータ２１６による球の払出速度は毎秒１０個（１０個／秒）に設定されているので、図２０の左端部に示すように上皿１７にＭＡＸ個よりも１１個少ない球が残っていた場合、その１．１秒後に上皿１７に貯留される球の個数はＭＡＸ個となる。なお、払出モータ２１６の動作速度が一定とされるので、図２０のタイミングチャートにおける右上がりの傾斜角度は常に一定となる。なお、以下では、球の払い出しが行われる際に、払出モータ２１６は一定速度で動作を継続するという仮定のもとで説明を行う。
【０３０３】
上皿１７に貯留される球の個数がＭＡＸ個以上となると、傾倒部材３３０及び解除部材３４０が許容状態となり上皿１７から開口部１７ａを通って球が排出される。この時、開口部１７ａが全開放された状態では、傾倒部材３３０の上面および後追い球貯留領域１７ｆに配置された球（発射球貯留領域１７ｄ及び橋渡し球貯留領域１７ｅを除く範囲に配置された球）が、上述したように流量約８０［個／秒］（図２０における右下がりの傾斜部分参照）で、全て排出される（まとまって１１個以上の球が排出される）ので、排出後に上皿１７に残留する球の個数は、ＭＡＸ個から１１個以上少ない状態に戻る。その後も、同様に、約１．１秒（以上の）間隔で球の排出が行われ、上皿１７に残留する球の個数の最小値はＭＡＸ個から１１個少ない個数Ｑ１に維持される。なお、個数Ｑ１は、発射球貯留領域１７ｄ、橋渡し球貯留領域１７ｅ及び発射供給口１７ｋの下流側に貯留されている球の総数と同義である。即ち、本実施形態では、図１９（ａ）に示すように、６２個以上（即ち、上皿１７の底面に接する６２個と、その上方に積層される球の個数と、発射供給口１７ｋの下流側に貯留される球の個数と、の総数）とされる（Ｑ１＞６２［個］）。
【０３０４】
即ち、本実施形態によれば、傾倒部材３３０及び解除部材３４０が許容状態に状態変化することに伴い上皿１７に残留する球の個数を個数Ｑ１以上に保つことができるので、個数Ｑ１を適切な個数（例えば、上皿１７に貯留される球の個数の８０％以上の個数）に設定することにより、上皿１７に残留する球が過度に減少することを防止することができる。更に、傾倒部材３３０及び解除部材３４０が許容状態となり球が排出された直後は、その球の排出を視認することにより上皿１７に個数Ｑ１以上の球が残っていることを把握できる。
【０３０５】
そのため、遊技者がパチンコ機１０の正面側に座って遊技する姿勢において、上皿１７の正面側壁や前カバー３９０が視線を遮り上皿１７の内部状態（例えば、残球個数）が確認できない場合であっても、流下装置３００の内部を球が流下することを確認することにより、上皿１７に個数Ｑ１以上の球が残っていることを把握することができる。
【０３０６】
即ち、上皿１７の内部状態を把握するために上皿１７を上から覗き込んで上皿１７の内部を見なくとも上皿１７に十分な個数の球が残っていることを把握できるので、遊技者は、球切れ（上皿１７に残された球が無くなること）の恐怖感から解放され、楽な遊技姿勢で遊技を継続することができる。
【０３０７】
なお、図２０では、理解を容易とするために上皿１７に貯留される球がＭＡＸ個となった直後に傾倒部材３３０が傾倒し、上皿１７から球が排出される態様で図示したが、実際は、上皿１７にＭＡＸ個の球が貯留される（入球する）タイミングと、傾倒部材３３０が傾倒するのに十分な球が傾倒部材３３０の上面に乗るタイミングとは一致しないので、上皿１７にＭＡＸ個の球が入球した後も、若干の期間、傾倒部材３３０は傾倒前の姿勢を維持し、上皿１７にはＭＡＸ個以上の球が貯留される。その後、傾倒部材３３０が傾倒すると、傾倒部材３３０の上面と、後追い球貯留領域１７ｆに貯留されていた球が開口部１７ａを通して排出され、その他の領域（発射球貯留領域１７ｄ及び橋渡し球貯留領域１７ｅ）に配置されていた球は上皿１７に維持されるので、上皿１７に貯留される球が個数Ｑ１以上に維持されることは、図２０に示すグラフと相違ない。
【０３０８】
次いで、図２１及び図２２を参照して、上皿１７から下皿１５へ排出される球の流れについて説明する。図２１（ａ）は、正面枠１４の部分正面図であり、図２１（ｂ）は、図２１（ａ）のＸＸＩｂ−ＸＸＩｂ線における正面枠１４の断面図であり、図２２（ａ）は、図２１（ａ）のＸＸＩＩａ−ＸＸＩＩａ線における第１板部材３１０及び第２板部材３２０の断面図であり、図２２（ｂ）は、図２１（ａ）のＸＸＩＩｂ−ＸＸＩＩｂ線における第１板部材３１０及び第２板部材３２０の断面図であり、図２２（ｃ）は、図２１（ａ）のＸＸＩＩｃ−ＸＸＩＩｃ線における第１板部材３１０及び第２板部材３２０の断面図である。
【０３０９】
図２１（ａ）に示すように、球を案内する案内流路を形成する第１板部材３１０及び第２板部材３２０は、上皿１７と下皿１５との間の位置に正面側から視認可能に配設される。上述したように、第１板部材３１０及び第２板部材３２０は光透過性の樹脂材料から形成される。これにより、遊技者に第１板部材３１０及び第２板部材３２０を流下する球を視認させることができる。
【０３１０】
傾倒部材３３０及び解除部材３４０が許容状態となり、上皿１７から排出される球は、左右に並んだ列ごとに第１板部材３１０及び第２板部材３２０に形成される案内流路を流下する（図１９（ｃ）参照）。
【０３１１】
この列状の球は、延設板部３１２ｂ，３２２ｃから形成される領域では左右に並んで自由落下するため、球の流下ながら、あたかも横幅の長い物体が落下しているかのように見せることができる（滝のように見せることができる）。
【０３１２】
一方、列状の球が連設板部３１４，３２４から形成される領域に入ると、その形状に沿って球が前後方向に案内され、左右に並んだ球の列が崩される。これにより、球が下皿１５に到達（着地）するタイミングをずらすことができ、下皿１５に着地した後の球の流れを滑らかにすることができる。
【０３１３】
これにより、例えば、第１板部材３１０及び第２板部材３２０に形成される案内流路から排出される球が下皿１５に同じタイミングで到達（着地）し、互いに衝突して弾け飛び、下皿１５から飛び出す不具合や、第１板部材３１０及び第２板部材３２０の下端部と下皿１５との間に球が滞留し、第１板部材３１０及び第２板部材３２０に形成される案内流路に球が滞留する不具合などを解消し易くすることができる。次いで、図２２を参照して、第１板部材３１０及び第２板部材３２０に形成される案内経路を流下する球に左右方向の速度成分を与える仕組みについて説明する。
【０３１４】
図２２（ａ）から図２２（ｃ）に示すように、左右方向の各位置において、傾斜板部３１４ｂ，３２３ｂの傾斜角度は約４５度で同等であり、その長さは正面視右方へ向かうにつれて、短くなる。従って、第１板部材３１０及び第２板部材３２０に形成される案内流路を流下する球の流下経路の経路長は、正面視左端側（矢印Ｌ側端部）の第１経路Ｌ１よりも正面視左右中間位置の第２経路Ｌ２の方が短く、その第２経路Ｌ２よりも正面視右端側（矢印Ｒ側端部）の第３経路Ｌ３の方が短い。即ち、右方へ向かう程、その経路長が短くなる（Ｌ１＞Ｌ２＞Ｌ３）。
【０３１５】
そのため、左右に並ぶ複数の球が同時に開口部１７ａを通過した場合、第３経路Ｌ３に沿って流下する球の方が、第１経路Ｌ１に沿って流下する球に比較して、その案内流路から早期に排出される。
【０３１６】
この場合、左右に並んだ列ごとに球が排出される際に、第３経路Ｌ３側が第１経路Ｌ１側に比較して球の密度が小さくなるので、第１経路Ｌ１や第２経路Ｌ２を流下する球を右方（第３経路Ｌ３側の方向）へ押しやることができる。これにより、開口部１７ａの上流側に貯留される球の左右の不均等に対応することができる。
【０３１７】
即ち、開口部１７ａへ向かう球は、開口部１７ａの上流側（矢印Ｂ側および矢印Ｌ側）から開口部１７ａに到達するので、開口部１７ａを基準に左右均等に配置されることよりも、左側（後追い球貯留領域１７ｆ側）により多く配置され易い（図１９（ｂ）参照）。
【０３１８】
そのため、第１経路Ｌ１を流下する球と第３経路Ｌ３を流下する球とが同じ期間で排出される場合、傾倒部材３３０に貯留された球が左右列で揃って排出され、その排出終了間際において、後追い球貯留領域１７ｆ側から開口部１７ａに入球する球が第１経路Ｌ１に流れ込むことになる。この場合、排出終了間際においては、第１経路Ｌ１のみを球が通過する事になり、演出効果が半減するという新たな問題が生じる可能性がある。
【０３１９】
一方、本実施形態では、傾倒部材３３０に貯留された球が左右列で揃って流下する途中において、球を右方へ寄せることができるので、球を右方へ寄せることにより空いたスペースに後追い球貯留領域１７ｆから開口部１７ａに流入した球を配置することができる。これにより、後追い球貯留領域１７ｆから流入した球を、傾倒部材３３０に貯留されていた球の左右列に紛れ込ませることができ、滝状に球を流下させる演出の演出効果を向上させることができる。
【０３２０】
更に、本実施形態では、流下する球を下から受ける傾斜板部３２３ｂが、正面視右方へ向かう程下降傾斜する形状とされるので、この傾斜に沿って、流下する球を右方へ向けて流すことができる。
【０３２１】
このように、第１板部材３１０及び第２板部材３２０に形成される案内流路を流下する球は、各経路の経路長が異なることによる作用と、傾斜板部３１４ｂ，３２３ｂの正面視右方へ向けた下降傾斜とにより、第１板部材３１０及び第２板部材３２０に形成される案内流路の下端部から排出される球に対して正面視右方へ向けた速度成分を与えることができる。
【０３２２】
第１板部材３１０及び第２板部材３２０に形成される案内流路から下皿１５へ排出された球は、下皿１５の底面の傾斜に沿って底面口１５ａへ向けて流下する。本実施形態によれば、第１板部材３１０及び第２板部材３２０の下端位置が、下皿１５の側壁の上端位置よりも下側に配置されることから（図２１（ａ）参照）、下皿１５の側壁の上端位置いっぱいまで球が下皿１５に貯留される前に第１板部材３１０及び第２板部材３２０に形成される案内流路の下端側開口部が球で閉塞され、それ以上の球の排出が防止される。そのため、第１板部材３１０及び第２板部材３２０に形成される案内流路から排出される球が下皿１５から溢れることを防止することができる。
【０３２３】
第１板部材３１０及び第２板部材３２０に形成される案内流路の下端側開口部が球で閉塞された場合、その案内流路からの球の排出が不可能となるので、開口部１７ａを通って上皿１７から排出された球が案内流路に滞留する。そして、案内流路が球で満たされた場合、開口部１７ａを通して上皿１７から球を排出することができなくなるので、上皿１７の許容量を越える球は、正面枠１４の背面側に配設される分岐流路（図示せず）から、下皿１５へ球を供給する供給開口１５ｂを通って下皿１５へ供給される（払い出される）。
【０３２４】
即ち、本実施形態では、供給開口１５ｂからの下皿１５への球の供給は、第１板部材３１０及び第２板部材３２０に形成される案内流路の下端側開口部が球で閉塞された後で生じることになる。そのため、供給開口１５ｂから球が供給される時には、下皿１５の底面に球が敷き詰められている。球が跳ね返る高さは、下皿１５の底面に衝突する場合に比較して、敷き詰められた球に当たって跳ね返る場合の方が低くなる。従って、供給開口１５ｂから供給される球の跳ね返りを抑えることができる。
【０３２５】
そのため、高い位置から球を落としても、下皿１５の側壁を越えて飛び出すことが抑制される。即ち、供給開口１５ｂから供給される球が下皿１５の底面に衝突する可能性がある場合に比較して、供給開口１５ｂを、下皿１５の底面から高さ方向に大きく離して配置することができる。
【０３２６】
図２３（ａ）及び図２３（ｂ）は、図１２のＸＩＩＩ−ＸＩＩＩ線における正面枠１４の部分断面図である。なお、図２３（ａ）及び（ｂ）では、理解を容易とするために、対応する球に「１」〜「１０」の数字が付けられる。また、図２３（ａ）では、左右方向の対応する位置において、最も正面側（図２３紙面奥側）に配置される球の一例が図示され、図２３（ｂ）では、球が図２３（ａ）の状態から若干流下した状態が図示される（「１」の数字が付けられた球が手前側に流下し、正面側壁から離れることで図示が省略され、「２」以降の球が流下した状態が図示される）。
【０３２７】
図２３（ａ）に示すように、上皿１７に貯留された球が、互いに加えられる負荷がバランスよくかけられ、球の層の上に球が乗ったまま維持される（球が積層される）場合がある。この場合、球の層に乗った球は大まかに球の直径１個分高い位置にあるので、球案内天面１７ａ１よりも上方へ張り出すことになり、解除部材３４０まで到達しない。そのため、図２３（ａ）に示す状態から更に球が貯まっても、解除部材３４０に負荷が与えられないことから、傾倒部材３３０を正常に動作させることができない。
【０３２８】
ここで、傾倒部材３３０の上面が傾斜面なので、その傾斜に沿って球が流下する間に球の積層が解消される可能性もあるが、例えば、上皿１７の上面が一平面であると、球が積層された状態を維持したまま上皿１７の上面を球がスライドすることがあり、自然に球の積層が解消されない場合もある。この場合、傾倒部材３３０を正常に動作させることができない。
【０３２９】
これに対し、本実施形態では、傾倒部材３３０の上面と、その下流側（矢印Ｒ側）に配置される発射球貯留領域１７ｄとが、段差を形成する。そのため、球は、上皿１７の上面に水平な方向の移動に加え、鉛直方向（矢印Ｕ−Ｄ方向）にも移動するので、球の積層に係る球が一様に移動することを防止でき、これに伴い、球が積層されたままスライドすることを防止することができる。即ち、段から落ちる直前の球と、依然として傾倒部材の上面を流れる球とで移動量に差を持たせることで、球同士の負荷のバランスを崩すことができる。これにより、解除部材３４０に球が到達する状態に上皿１７上の球の状態を整えることができる。
【０３３０】
以上説明した本実施形態において達成される主要な効果を整理すれば、以下のようになる。即ち、本実施形態によれば、上皿１７貯留される球から解除部材３４０へ与えられる負荷により解除部材３４０が変位され、球の重みで傾倒部材３３０が傾倒することにより開口部１７ａを通した球の排出が可能となる。そのため、上皿１７からの球の排出の際に遊技者の操作が不要となるので、遊技者は遊技に集中することができる。
【０３３１】
また、上皿１７からの球の排出の一回当たりの個数および排出流量を一定範囲に収めることができる。
【０３３２】
また、上皿１７の底面に段差を設けることにより、球が流下する経路が指定される。指定された経路では、少なくとも、発射供給口１７ｋに向かう球が配置される発射球貯留領域１７ｄが球で満たされた後で解除部材３４０側へ球が案内されるので、発射する球を十分確保しながら、開口部１７ａを通した球の排出演出を行うことができる。
【０３３３】
解除部材３４０と球との当接位置は、球の排出が規制される規制状態では解除部材３４０の軸棒部３４１付近とされ、球の排出を許容する許容状態の方が軸棒部３４１から遠い位置とされる。これにより、規制状態でも、許容状態でも、球から解除部材３４０に負荷が与えられた場合に、解除部材３４０の状態をそのままで維持し易くすることができる。即ち、解除部材３４０の状態を安定化することができる。
【０３３４】
第１板部材３１０及び第２板部材３２０により形成される案内流路が、下皿１５の外枠付近に配置される。これにより、下皿１５の内側にある流下経路を省略することができ、例えば、下皿１５の内側領域を、大型スピーカーボックス等の配設領域として利用することができる。
【０３３５】
第１板部材３１０及び第２板部材３２０により形成される案内流路を球が流下する場合、上皿１７に個数Ｑ１の球が残される構成とされる。従って、案内流路を球が流下することを確認することで、上皿１７に貯留されている球の個数を把握することができる。
【０３３６】
第１板部材３１０及び第２板部材３２０により形成される案内流路は、内部を流下する球に右向きの負荷を与える形状とされる。これにより、案内流路の入口においては左側に余分な球が配置されている場合であっても、案内流路を球が流下する間に球を全体的に右側へ寄せることができるので、流下する球の上端部分を左右平らにならすことができる。これにより、複数の球を滝のように落下させる演出の演出効果を上昇させることができる。
【０３３７】
次いで、図２４から図３３を参照して、第２実施形態について説明する。第１実施形態では、傾倒部材３３０及び解除部材３４０が許容状態となった後、まとまって排出される球の個数が一通りに固定される場合を説明したが、第２実施形態における流下装置２３００は、傾倒部材３３０及び解除部材３４０が許容状態となった後、まとまって排出される球の個数を任意に変更可能な態様で構成される。なお、上述した各実施形態と同一の部分には同一の符号を付して、その説明は省略する。
【０３３８】
図２４は、第２実施形態における正面枠１４の分解正面斜視図である。図２４では、正面枠１４から前カバー２３９０、第２板部材２３２０及び複数の移動部材２３５０が分解された状態が図示されると共に、開口部１７ａ付近が拡大して図示される。
【０３３９】
流下装置２３００は、第１実施形態の流下装置３００と同様の第１板部材３１０、傾倒部材３３０及び解除部材３４０を備えることに加え、第１板部材３１０に重ねられた状態で正面枠１４に締結固定され第１板部材３１０との間に案内流路を形成する第２板部材２３２０と、その第２板部材２３２０に挿通され前後方向にスライド移動可能に支持される複数の移動部材２３５０と、その移動部材２３５０の移動を案内する部分であって正面枠１４の正面側から取り付けられる前カバー２３９０と、傾倒部材３３０及び解除部材３４０の動作順序を規定する順序規定装置４００と、を主に備える。
【０３４０】
第２板部材２３２０は、第１実施形態で説明した第２板部材３２０の構成に加え、延設部３２２ｃに穿設される複数の挿通開口２３２４を備える。
【０３４１】
挿通開口２３２４は、案内上底面３２２ａ（矢印Ｒ側半部）の下方であって延設板部３２２ｃの上端部付近に、水平に延設される長孔である調整長孔２３２４ａと、受け止め面３２２ｂ（矢印Ｌ側半部）の下方において、水平に延設される長孔である規制長孔２３２４ｂと、を主に備える。
【０３４２】
複数の移動部材２３５０は、調整長孔２３２４ａに挿通され前後方向にスライド移動可能とされる一対の遮蔽板２３５１，２３５２（第１遮蔽板２３５１及び第２遮蔽板２３５２）と、規制長孔２３２４ｂに挿通され前後方向にスライド移動可能とされると共に上下方向への移動を規制される規制板２３５３と、を主に備える。
【０３４３】
遮蔽板２３５１，２３５２及び規制板２３５３は、前カバー２３９０に移動を案内される部材であって、正面側端部に上向きに凸設される凸部をそれぞれ備える。この凸部は、組立状態において前カバー２３９０の上方へ突き出される。遊技者が凸部を操作することにより、遮蔽板２３５１，２３５２及び規制板２３５３が前後にスライド移動可能とされる。
【０３４４】
遮蔽板２３５１，２３５２及び規制板２３５３は、本実施形態では、剛性の高い樹脂材料から形成され、上下方向に球の重みがかけられても、形状を維持する態様とされる。なお、遮蔽板２３５１，２３５２及び規制板２３５３の材料としては種々の材料が例示される。例えば、金属材料でも良いし、可撓性の樹脂材料でも良いし、繊維強化プラスチックでも良い。
【０３４５】
順序規制装置４００は、解除部材３４０の軸棒部３４１の先端に固着される略扇形状の前側固着部材４１０と、傾倒部材３３０の軸棒部３３２の先端に固着される略扇形状の後側固着部材４２０と、上皿１７の外壁側面に、軸棒部３３２，３４１を結ぶ直線に沿った方向にスライド移動可能に支持されると共に固着部材４１０，４２０と当接可能とされるスライド装置４３０と、上皿１７の外壁に設けられる円筒形状の部分であってスライド装置４３０を支持する支持部４４０と、を主に備える。
【０３４６】
スライド装置４３０は、支持部４４０に収容されることで上皿１７に間接的に支持される。即ち、スライド装置４３０は、上皿１７の外壁側面に沿ってスライド移動可能とされる。次いで、図２５を参照して、順序規定装置４００の構成および作用について説明する。
【０３４７】
図２５（ａ）から図２５（ｄ）は、順序規定装置４００の側面図である。図２５（ａ）から図２５（ｄ）では、順序規定装置４００の動作が時系列で図示される。また、理解を容易とするために、支持部４４０、傾倒部材３３０の外形および解除部材３４０の外形が想像線で図示され、傾倒部材３３０及び解除部材３４０の形状が模式的に図示される。
【０３４８】
図２５（ａ）から図２５（ｄ）に示すように、順序規定装置４００には、一対の固着部材４１０，４２０の間にスライド装置４３０が配設される。スライド装置４３０は、前側固着部材４１０側に配設される金属等から形成される前側部材４３１と、後側固着部材４２０側に配設される金属等から形成される後側部材４３２と、それら前側部材４３１及び後側部材４３２の間に配設され外向きの付勢力を生じる弾性バネ４３３と、を主に備える。
【０３４９】
これにより、スライド装置４３０は、軸棒部３３２、３４１を結ぶ直線に沿った方向へのスライド移動および伸縮動作が可能となる。なお、本実施形態では、弾性バネ４３３は、前側部材４３１又は後側部材４３２の一方が固着部材４１０，４２０の移動軌跡の外側に配置され、他方が固着部材４１０，４２０の移動軌跡の内側に入り込む状態（例えば、図２５（ａ）参照）において、自然長となるように設定される。
【０３５０】
図２５（ａ）及び図２５（ｃ）に示すように、前側固着部材４１０は、解除部材３４０が傾倒部材３３０に押し付けられた状態において、扇形状の外周面が軸棒部３３２，３４１を結ぶ直線上に配置される一方で、解除部材３４０が傾倒部材３３０から離反し切った状態において、扇形状の外周面が軸棒部３３２，３４１を結ぶ直線上から退く態様で形状が規定され、上面に、前側部材４３１と側面から当接する部分としての凹部である当接凹部４１１を備える。前側固着部材４１０は、扇形状の外形の一部を構成する一対の直線が、軸棒部３４１を通る直線とされ、当接凹部４１１は、一対の直線の一方から、他方へ向けて凹設される。
【０３５１】
図２５（ａ）及び図２５（ｂ）に示すように、後側固着部材４２０は、傾倒部材３３０が傾倒する前の状態において、扇形状の外周面が軸棒部３３２，３４１を結ぶ直線上から退く一方で、傾倒部材３３０が傾倒した状態において扇形状の外周面が軸棒部３３２，３４１を結ぶ直線上に配置される態様で形状が規定される。後側固着部材４２０は、扇形状の外形の一部を構成する一対の直線が、軸棒部３３２を通る直線とされる。これらの構成から規定される順序規定装置４００の動作について説明する。
【０３５２】
まず、図２５（ａ）に示すように、傾倒部材３３０及び解除部材３４０が当接する状態では、スライド装置４３０は、前側固着部材４１０の移動軌跡外に配置される一方、後側固着部材４２０の移動軌跡内に入り込むことで、弾性バネ４３３が自然長の状態を維持する。この状態において、傾倒部材３３０には、弾性バネ３３４の付勢力、解除部材３４０からの摩擦、及び後側部材４３２からの動作抵抗が負荷される。これらの抵抗以上の力で傾倒部材３３０の上面に乗った球からの負荷が傾倒部材３３０にかけられた場合、傾倒部材３３０が傾倒開始する。なお、後側部材４３２は、傾倒部材３３０の軸棒部３３２に近い位置で後側固着部材４２０と当接することから、傾倒部材３３０の回転方向に与える動作抵抗は微弱となるので、傾倒部材３３０の動作開始時の負荷の算出においては、無視して説明を行う。
【０３５３】
ここで、本実施形態では、弾性バネ３３４の弾性的モーメントＭｋがＭｋ＝２７ｍｇ×Ｒ［Ｎｍｍ］で、弾性バネ３４６の付勢力Ｆｍ１（解除部材３４０の回転軸から腕長さＡＲの位置で傾倒部材３３０側に生じる負荷）を球１．５個分の重さ（１．５ｍｇ、第１実施形態での付勢力と同等の負荷）に相当する力に、傾倒部材３３０と解除部材３４０との当接部分における模式的（軸棒部３３２を中心とする円に沿って当接すると仮定した場合の当接部分、図１５参照）な静止摩擦係数μを０．５に、後側部材４３２（及び前側部材４３１）の重量を５［ｇ：グラム］に、それぞれ設定する（解除部材３４０の当接面の態様、及び弾性バネ３４６の弾性係数を設定する）。
【０３５４】
即ち、本実施形態では、弾性バネ３３４の弾性係数ｋ１がｋ１＝０．２ｍｇ×Ｒ［Ｎｍｍ／ｄｅｇ］で設定され、弾性バネ３３４の形状は、傾倒前の状態における弾性バネ３３４の変位量（角度）が１３５°となるように設定される。この状態において、傾倒部材３３０の傾倒前に弾性バネ３３４が生じる弾性的モーメントＭｋは２７ｍｇ×Ｒ［Ｎｍｍ］である。
【０３５５】
また、本実施形態では、弾性バネ３４６の弾性係数ｋ２がｋ２＝０．１ｍｇ×Ｒ［Ｎｍｍ／ｄｅｇ］で設定され、弾性バネ３４５の形状は、傾倒前の状態における弾性バネ３４５の変位量（角度）が６０°となるように設定される。
【０３５６】
これにより、傾倒部材３３０の回転軸周りのモーメントの関係が、Ｍｋ＋Ｍｆ＜Ｍｂとなることで傾倒部材３３０が回転開始するところ、図１５で行った検討に倣った検討によりＭｆ＝１．５ｍｇ×７Ｒ×０．５＝５．２５ｍｇ×Ｒ［Ｎｍｍ］となるので、傾倒部材３３０は、３２．２５ｍｇ×Ｒ［Ｎｍｍ］＜Ｍｂが成立するまでは、傾倒前の状態を維持する。
【０３５７】
この負荷モーメントＭｂの関係式は、例えば、傾倒部材３３０の上面に、下流側（矢印Ｒ側端部）から３個一列の球の列（矢印Ｆ−Ｂ方向に球が並ぶことでできる列）が順序良くできる場合に、４列目（の正面側端部、軸棒部３３２から最も離れた端部、矢印Ｆ側端部）に１個目の球が滞留した状態では成立せず（傾倒前の状態が維持され）、４列目に２個目の球が滞留した状態で成立する。従って、本実施形態では、傾倒部材３３０の上面に球が１０個溜まるまでは傾倒部材３３０は傾倒前の状態を維持し、球が１１個溜まった後で傾倒部材３３０が傾倒を開始する。
【０３５８】
なお、後側部材４３２の短手方向上側面であって後側固着部材４２０と当接可能とされる面は、軸棒部３３２に近接するほど軸棒部３３２，３４１を通る直線に近づく態様で傾斜する傾斜面として形成される。そのため、後側固着部材４２０の回転軌跡中に後側部材４３２が配置された場合に、後側固着部材４２０から後側部材４３２に与えられる負荷は、周方向と径方向とに分割される。この分割された負荷の内、径方向の負荷が、後側部材４３２を軸棒部３３２から遠ざかる方向へ動かす向きに作用する。
【０３５９】
図２５（ａ）に示す状態から傾倒部材３３０が傾倒すると、図２５（ｂ）に示すように、後側部材３４２は後側固着部材４２０の移動軌跡の外側へ押し出される。これにより、スライド装置４３０の弾性バネ４３３は自然長よりも縮められ、弾性力が蓄積される。
【０３６０】
図２５（ｂ）に示す状態では、解除部材３４０の姿勢は図２５（ａ）の状態のままである。ここから球が流下する過程で、球により解除部材３４０が押し退けられる。ここで、傾倒部材３３０が傾倒する前の状態に比較して、球と解除部材３４０との当接点の、解除部材３４０の軸棒部３４１からの距離が長くなる（本実施形態では、長さが約２倍となる。傾倒部材３３０と解除部材３４０との当接点とほぼ同位置となる）ので、傾倒部材３３０が傾倒する前よりも、解除部材３４０を回転させるために球から解除部材３４０に与える必要のある負荷を小さくすることができる。従って、傾倒部材３３０に予め乗っていた球の負荷で解除部材３４０を押し退けることが可能とされる。
【０３６１】
本実施形態では、解除部材３４０の弾性バネ３４６の付勢力Ｆｍ１が球１．５個分の重さに相当する力であり、傾倒部材３３０の傾倒時の傾斜角度は水平面に対して約１５°であるので、球の重量の内、解除部材３４０へ向けられる成分は、重量の約１／４（＝ＣＯＳ７５°）となる。従って、解除部材３４０に６個以上の球が負荷を与えることで、解除部材３４０は図２５（ｂ）に示す状態から押し退けられる。なお、本実施形態では、傾倒部材３３０の傾倒時に解除部材３４０に６個以上の球が負荷を与える（背面側に滞留する）状況が通常に起こりえる態様で、構成される（図１９（ｂ）参照）。
【０３６２】
図２５（ｃ）に示すように、球の負荷により解除部材３４０が押し退けられると、軸棒部３３２，３４１を結ぶ直線上に当接凹部４１１が侵入する。これにより、スライド装置４３０の前側部材４３１が前側固着部材４１０の移動軌跡の内部に侵入可能となる。予め弾性バネ４３３が縮められていたことから、その弾性バネ４３３の付勢力により前側部材４３１が当接凹部４１１に対向する形で押し込まれる。
【０３６３】
図２５（ｃ）に示すように、前側固着部材４１０は、当接凹部４１１が前側部材４３１に軸棒部３３２，３４１を結ぶ直線と直交する方向で当接する。従って、軸棒部３４１を中心とする前側固着部材４１０の回転動作により前側部材４３１に与えられる負荷の、前側部材４３１の移動方向に向かう成分は無いので、解除部材３４０の姿勢を前側部材４３１ｄで固定することができる。これにより、解除部材３４０にかけられる弾性バネ３４６の付勢力の大きさに関わらず、解除部材３４０を図２５（ｃ）の姿勢で維持することができる。即ち、傾倒部材３３０が傾倒している間に解除部材３４０の姿勢が復帰することを防止することができる。
【０３６４】
図２５（ｄ）に示すように、球が流れ落ちた後に傾倒部材３３０は傾倒前の状態に復帰する。これにより、後側部材４３２が自重で後側固着部材４２０の移動軌跡の内側へ入り込み、それに伴い弾性バネ４３３が自然長に戻され、下支えする負荷を失った前側部材４３１も自重で下降し、前側固着部材４２０の移動軌跡の外側へ退避する。なお、前側部材４３１と前側固着部材４１０の当接凹部４１１との対向する面（互いに当接し合う面）は、滑らかな表面となるように形成される（生じる摩擦が極めて小さくされる）。
【０３６５】
これにより、前側固着部材４１０の姿勢維持が解除されるので、弾性バネ３４６の付勢力で解除部材３４０が回転可能となり、解除部材３４０が傾倒部材３３０に近接する方向に回転することにより、図２５（ａ）に示す状態に復帰する。このように、本実施形態によれば、傾倒部材３３０が傾倒前の状態に復帰した後で解除部材３４０が傾倒部材３４０に近接する方向に回転開始することになるので、傾倒部材３３０の復帰中に解除部材３４０との当接部分で生じる摩擦を解消することができる。
【０３６６】
なお、前側固着部材４１０と当接凹部４１１との間の摩擦を低減する手法は様々な方法が考えられる。例えば、前側固着部材４１０の周面にグリスを塗る方法でも良いし、前側固着部材４１０の当接凹部４１１と当接する部分を球状に膨出する部分として構成し当接面積を小さくする方法でも良い。
【０３６７】
本実施形態によれば、傾倒部材３３０を付勢する弾性バネ３３４の付勢力と、解除部材３４０を付勢する弾性バネ３４６の付勢力との設計自由度を広げることができる。例えば、傾倒部材３３０を傾倒前の状態に付勢する弾性バネ３３４の付勢力により発生する弾性的モーメントＭｋの数値と、解除部材３４０の付勢力Ｆｍ１により傾倒部材３３０に生じる摩擦により発生する静止摩擦モーメントＭｆの値とが近い場合、間に埃やゴミが挟まるなどにより摩擦抵抗が変動すると、傾倒部材３３０の復帰を解除部材３４０が妨げるおそれがある（傾倒部材３３０が解除部材３４０を乗り越えられないおそれがある）。そのため、必然的に、弾性的モーメントＭｋの数値と静止摩擦モーメントＭｆとの間に大きな間隔を設ける必要が生じ、設計自由度が低くなる。
【０３６８】
これに対し、本実施形態では、傾倒部材３３０と解除部材３４０との動作順序を規定することにより、傾倒部材３３０の復帰動作時に解除部材３４０が傾倒部材３３０に摩擦を与えることが無いので、傾倒部材３３０の復帰が妨げられるおそれを解消することができ、広い範囲での付勢力の設定を採用することができる。
【０３６９】
図２６は、上皿２０１７の上面図である。図２６に示すように、上皿２０１７は、第１実施形態で説明した上皿１７の各構成に加え、上皿１７の底面の背面側端部において、球の直径幅で左右方向に延設される溝である延設溝２０１７ｈを備える。
【０３７０】
延設溝２０１７ｈは、底面の傾斜角度が、上皿１７の傾斜角度よりも小さな傾斜角度とされ、その右側端部において上皿２０１７の底面と滑らかにつなげられる（段差無くつなげられる）。従って、延設溝２０１７ｈに流入した球は、その下流側に球が無い場合には発射球貯留領域１７ｄを球発射ユニット１１２ａ（図４）が配設される側（矢印Ｒ側）へ流下する。
【０３７１】
延設溝２０１７ｈは、上流側端部における溝深さが球の半径ｒａ以上かつ直径以下とされる。これにより、延設溝２０１７ｈに上流側から入球した球が跳ねて延設溝２０１７ｈから外れることを防止できると共に、延設溝２０１７ｈが球で満たされた後で延設溝２０１７ｈに入りかけた球を延設溝２０１７ｈの外方へ排斥し易くすることができる（延設溝２０１７ｈの上方に球が積まれることを防止し易くすることができる）。
【０３７２】
また、延設溝２０１７ｈの溝幅は、球の直径よりも若干長くされる。これにより、延設溝２０１７ｈに収容される球を延設溝２０１７ｈの延設方向に一列に並べやすくなるので、延設溝２０１７ｈに収容される球の個数を安定化させることができる。
【０３７３】
また、延設溝２０１７ｈは、開口部１７ａから離間した位置に配置される。これにより、延設溝２０１７ｈに配置された球が他の球と衝突して弾かれた場合であっても、その球が開口部１７ａに流入する可能性を低くすることができる。
【０３７４】
次いで、図２７から図２９を参照して、第１遮蔽板２３５１及び第２遮蔽板２３５２の作用について説明する。図２７から図２９は、上皿２０１７の背面斜視図である。なお、図２７から図２９では、理解を容易にするために、供給開口１７ｇが形成される背面側板の図示が省略されると共に供給開口１７ｇの開口部外形が想像線で図示される。また、図２７では、第１遮蔽板２３５１及び第２遮蔽板２３５２が正面側（矢印Ｆ側）に配置された状態が、図２８では、第１遮蔽板２３５１が背面側（矢印Ｂ側）に、第２遮蔽板２３５２が正面側（矢印Ｆ側）にそれぞれ配置された状態が、図２９では、第１遮蔽板２３５１及び第２遮蔽板２３５２が背面側（矢印Ｂ側）に配置された状態が、それぞれ図示される。
【０３７５】
図２８及び図２９に示すように、第１遮蔽板２３５１及び第２遮蔽板２３５２は、左右幅が開口部１７ａの左右幅よりも短い幅長さで形成され（本実施形態では、開口部１７ａの約１／４の長さ）、球案内天面１７ａ１と傾倒部材３３０との間を前後方向に移動し、背面側（矢印Ｂ側）に配置された状態において（図２９参照）、傾倒部材３３０の上面を部分的に覆う。
【０３７６】
これにより、傾倒部材３３０及び解除部材３４０が許容状態となった場合でも、第１遮蔽板２３５１又は第２遮蔽板２３５２の上面に乗っている球は第１遮蔽板２３５１又は第２遮蔽板２３５２にせき止められ、開口部１７ａに流入しない。即ち、傾倒部材３３０の上方の領域の内、第１遮蔽板２３５１又は第２遮蔽板２３５２に覆われる領域を除く領域において傾倒部材３３０に乗る球のみが傾斜部材３３０に流下を規制されており、傾倒部材３３０が許容状態となることに伴って開口部１７ａを通って上皿２０１７から排出される。
【０３７７】
従って、第１遮蔽板２３５１及び第２遮蔽板２３５２の状態により、傾倒手段３３０に流下を規制される球の個数を変化させると共に、上皿２０１７から排出される球の流量を変化させることができる。
【０３７８】
なお、図２９に示すように、第１遮蔽板２３５１の延設先端部分である先端部２３５１ａ及び第２遮蔽板２３５２の延設先端部分である先端部２３５２ａは、延設先端へ向かう程厚みが小さくなる形状（先細りの形状）とされ、背面側へ移動し背面側移動端部に配置された場合、先端部２３５１ａ、２３５２ａが傾倒部材３３０の上底板部３３１ｂに当接する。これにより、第１遮蔽板２３５１又は第２遮蔽板２３５２が正面側に配置された状態（図２７参照）で傾倒部材３３０に球が貯留された後で、第１遮蔽板２３５１又は第２遮蔽板２３５２を背面側へ移動させた場合であっても、その上面に球を乗り上げさせることができる。これにより、傾倒部材３３０に貯留された球が第１遮蔽板２３５１又は第２遮蔽板２３５２に押し出され、傾倒部材３３０の上方の領域から排斥されることを防止することができる。
【０３７９】
また、第１遮蔽板２３５１及び第２遮蔽板２３５２の断面形状は幅方向に向けて変化する。即ち、下流側の端部（矢印Ｒ側端部）が厚肉形状とされると共にその下端部が傾倒部材３３０の上面と接し、下端部を傾倒部材３３０に当接したまま上流側端部（矢印Ｌ側端部）へ向かうにつれて先細りし、上流側端部では厚みがほぼ無い（薄い）態様とされる（長手方向断面視において、三角形形状とされる）。
【０３８０】
これにより、第１遮蔽板２３５１又は第２遮蔽板２３５２が背面側位置に配置された状態において傾倒部材３３０の上面に流入した球を、滑らかに第１遮蔽板２３５１又は第２遮蔽板２３５２に乗り上げさせることができる。
【０３８１】
第１遮蔽板２３５１は、その底面と開口部１７ａの下流側端部との上下方向の間隔が球の半径ｒａ程度に設定されると共に水平方向の間隔はほぼ無くなるように設定される。これにより、第１遮蔽板２３５１が背面側位置に配置された状態で、発射球貯留領域１７ｄに配置された球が開口部１７ａに流入すること（開口部１７ａと第１遮蔽板２３５１の間に球が流入すること）を防止することができる。
【０３８２】
第１遮蔽板２３５１及び第２遮蔽板２３５２の上面の傾斜方向は、前後方向は水平面に沿った傾斜とされ、左右方向は右方へ下降傾斜される。これにより、第１遮蔽板２３５１又は第２遮蔽板２３５２の上面に球が乗った場合、その球を右方へ速やかに流すことができる。
【０３８３】
なお、第１遮蔽板２３５１及び第２遮蔽板２３５２の上面の傾斜方向の設定は、これに限られるものでは無く、種々の態様が例示される。例えば、前後方向の傾斜が、正面側に向かう程、下降する傾斜態様でも良い。この場合、第１遮蔽板２３５１及び第２遮蔽板２３５２の上面に乗った球を、上皿２０１７の正面側へ寄せながら流すことができる。また、左右方向の傾斜が、左方へ下降傾斜されるものでも良い。この場合、第１遮蔽板２３５１又は第２遮蔽板２３５２の上面に乗った球が右方へ流下することを防ぐことができ、開口部１７ａの上方に滞留する球の個数が増加し易くすることができると共に、傾倒部材３３０が傾倒した際に、第１遮蔽板２３５１又は第２遮蔽板２３５２の上面に乗った球が開口部１７ａを通して排出されるので、傾倒部材３３０の一度の傾倒動作に伴って開口部１７ａから排出される球の個数を増加させやすくすることができる。
【０３８４】
なお、本実施形態では、傾倒部材３３０の上面を前後方向に渡って第１遮蔽板２３５１や第２遮蔽板２３５２が覆う場合を説明したが、これに限られるものでは無い、例えば、第１遮蔽板２３５１や第２遮蔽板２３５２の延設先端を球案内天面１７ａ１の背面側端部付近や、傾倒部材３３０の前後方向の途中で止める態様としても良い。
【０３８５】
この場合において、傾倒部材３３０と第１遮蔽板２３５１又は第２遮蔽板２３５２との間隔を球の直径未満とすることで、球案内天面１７ａ１の下方を球が通過することを防止する一方で、球案内天面１７ａ１の背面側に配置された球であって、第１遮蔽板２３５１又は第２遮蔽板２３５２に乗らない球の重さを傾倒部材３３０に負荷することができる。
【０３８６】
即ち、傾倒部材３３０に負荷をかけ傾倒部材３３０の回転に係る負荷は生じさせながら、傾倒部材３３０が許容状態となっても傾倒部材３３０の上面から流れ落ちない球を生じさせることができる。
【０３８７】
また、球案内天面１７ａ１の背面側に張り出す第１遮蔽板２３５１又は第２遮蔽板２３５２の上面を、左方へ向かうほど下降傾斜する傾斜面とし、張り出した延設先端を、左方へ向かうほど正面側に向かう傾斜面とすることにより、第１遮蔽板２３５１又は第２遮蔽板２３５２に上側または背面側から当接する球を解除部材３４０側へ流すことができる。従って、解除部材３４０よりも右方に貯留されていた球を解除部材３４０側へ流し、球被覆面１７ａ２の下方へ流すことができる。
【０３８８】
図３０及び図３１は、上皿２０１７の上面図である。なお、図３０では、第１遮蔽板２３５１が背面側位置（矢印Ｂ側位置）に配置されると共に第２遮蔽板２３５２が正面側位置（矢印Ｆ側位置）に配置された状態（以下、第１部分開放状態とも称す。）において傾倒部材３３０と解除部材３４０との係合が解除され球が排出された状態が、図３１では、第１遮蔽板２３５１及び第２遮蔽板２３５２が背面側位置に配置された状態（以下、第２部分開放状態とも称す。）において傾倒部材３３０と解除部材３４０との係合が解除され球が排出された状態が、それぞれ図示される。
【０３８９】
図３０に示すように、第１遮蔽板２３５１のみが背面側位置に配置される場合、解除部材３４０に到達する球よりも下流側に配置される球の内、最下端で段をなして貯留される球は第１傾斜板２３５１に乗り上げており、傾倒部材３３０に乗ってはいない。即ち、最下端で段をなして貯留される球は傾倒部材３３０が状態を変えても第１傾斜板２３５１の上に維持される。
【０３９０】
換言すれば、一対の遮蔽板２３５１，２３５２が正面側位置に配置される場合に比較して、解除部材３４０に到達する球の下流側に列（矢印Ｆ−Ｂ方向に並ぶ球の群）をなして傾倒部材３３０に乗る球の列数が少なくなる。これにより、傾倒部材３３０及び解除部材３４０が許容状態となることに伴い排出される球が減少する（約３個減る）と共に、上皿２０１７上に残留する球が増加する（約３個増える）。また、この場合の球の流量は、一対の遮蔽板２３５１，２３５２が共に正面側位置に配置される場合（図２６参照）に比較して、小さくなる（図２０及び図３２（ａ）の右下降傾斜角度参照）。
【０３９１】
また、図３１に示すように、第１遮蔽板２３５１及び第２遮蔽板２３５２が背面側に配置される場合、解除部材３４０に到達する球よりも下流側に配置される球の内、最下端（矢印Ｒ側端部）およびその上流側（矢印Ｌ側）で一対の列をなして貯留される球は第１傾斜板２３５１又は第２傾斜板２３５２に乗り上げており、傾倒部材３３０に乗ってはいない。即ち、これらの球は傾倒部材３３０が状態を変えても第１傾斜板２３５１又は第２傾斜板２３５２の上に維持される。
【０３９２】
換言すれば、第１遮蔽板２３５１のみが背面側位置に配置される場合（図３０参照）に比較して、解除部材３４０に到達する球の下流側に列をなして傾倒部材３３０に乗る球の列数が少なくなる。これにより、傾倒部材３３０及び解除部材３４０が許容状態となることに伴い排出される球が減少する（約３個減る）と共に、上皿２０１７上に残留する球が増加する（約３個増える）。また、この場合の球の流量は、第１遮蔽板２３５１のみが背面側位置に配置される場合（図３０参照）に比較して、小さくなる（図３２（ａ）及び図３２（ｂ）の右下降傾斜角度参照）。
【０３９３】
このように、第１遮蔽板２３５１及び第２遮蔽板２３５２の配置を変化させることにより、開口部１７ａを通して排出される球の流量と、上皿２０１７に残留する球の個数とを、上皿２０１７の容量を変えることなく、切り替えることができる。
【０３９４】
なお、本実施形態では、傾倒部材３３０が傾倒することにより傾倒部材３３０の上面が正面方向へ下降傾斜し、その傾斜により球が前後方向（矢印Ｆ−Ｒ方向）に沿って流下するので、第１遮蔽板２３５１や第２遮蔽板２３５２により開口部１７ａの前後方向に直交する開口面の面積を狭めた場合であっても、それに因り球詰まりが生じることを抑制することができる。
【０３９５】
ここで、例えば、開口部１７ａが上皿１７の中央部付近に配置される開口であって、球が周囲から流入可能である場合、開口に向かう球の流下方向は複数方向が考えられるので、対向する方向から流下した球は衝突する恐れがあるし、開口を狭めすぎた場合には複数の球が噛み合って球詰まりを起こす恐れがある。
【０３９６】
これに対し、本実施形態では、傾倒部材３３０に乗ったあと、開口部１７ａに向かう（通過しようとする）球の流下方向は、前後方向に沿った方向とされるので、流下方向で対向する方向で球同士がぶつかったり、球同士が噛み合ったりする恐れを低減することができる。
【０３９７】
これにより、開口部１７ａの開口広さを第１遮蔽板２３５１や第２遮蔽板２３５２で狭めた場合であっても、傾倒部材３３０の傾倒時に、傾倒部材３３０に乗った球をスムーズに流下させることができる。この場合、開口部１７ａの左右幅を最小で球の直径よりも若干長く設定するまで（前後方向に球が１個ずつ流下する態様まで）、開口部１７ａの開口広さを狭めたとしても、球の流下をスムーズに行わせることができる。
【０３９８】
第１部分開放状態と、第２部分開放状態とでは、傾倒部材３３０及び解除部材３４０が許容状態に状態変化する間（許容状態を形成した後、規制状態に復帰してから再度許容状態となる）のに必要な球の個数は約１１個で同じであるが、傾倒部材３３０に負荷をかける球の位置が異なるので、上皿２０１７に供給開口１７ｇを通って球が供給されはじめ、開口部１７ａを通した最初の球の排出が発生するまでにかかる時間は、第１部分開放状態、第２部分開放状態、全開放の状態で異なる。
【０３９９】
従って、開口部１７ａの開放の度合い（全開放の状態、第１部分開放状態、第２部分開放状態）を異ならせることで、球が上皿２０１７にＭＡＸ個まで貯まったことを遊技者が認識するまでの時間を変化させることができる。なお、以下において、本実施形態で、全開放の状態で傾倒部材３３０及び解除部材３４０が許容状態に状態変化するのに必要な球の個数がＭＡＸ個（約Ｑ１＋１１［個］）で、第１部分開放状態において傾倒部材３３０及び解除部材３４０が許容状態に状態変化するのに必要な球の個数がＡＭＡＸ個（約Ｑ１＋１４個）で、第２部分開放状態において傾倒部材３３０及び解除部材３４０が許容状態に状態変化するのに必要な球の個数がＢＭＡＸ個（約Ｑ１＋１７［個］）で、それぞれ図示される。
【０４００】
図３２（ａ）及び図３２（ｂ）は、上皿２０１７に継続的に球が供給される（払い出される）場合に上皿２０１７に残る球の個数変化の一例を示すタイミングチャートである。なお、縦軸に上皿に貯留される球の個数が示され、横軸に経過時間が示される。また、図３２（ａ）では、開口部１７ａの第１部分開放状態（図３０参照）におけるタイミングチャートが、図３２（ｂ）では、開口部１７ａの第２部分開放状態（図３１参照）におけるタイミングチャートが、それぞれ図示される。なお、図３２に示すタイミングチャートは、球の発射により生じる上皿２０１７の球の貯留個数の変化は無視したり（球の発射個数は０個であると仮定たり）、上皿２０１７への球の貯留態様の違いによる影響は無視したり（上皿２０１７に貯留される球の個数がＡＭＡＸ，ＢＭＡＸ個に到達した直後に排出が開始されると仮定したり）するなど、簡略化して図示される。
【０４０１】
図３２（ａ）及び図３２（ｂ）の縦軸において、傾倒部材３３０及び解除部材３４０が許容状態に状態変化するのに必要な球の個数がＡＭＡＸ個、ＢＭＡＸ個でそれぞれ図示される。また、横軸において、発射球貯留領域１７ｄ及び橋渡し球貯留領域１７ｅが球で満たされたタイミングが０秒で図示される。
【０４０２】
まず、図３２（ａ）を参照して、開口部１７ａの第１部分開放状態（図３０参照）において上皿２０１７に貯留される球の個数の変化について説明する。まず、最初に球がＡＭＡＸ個に至るまでの経過は、図２０に示す経過（全開放の状態における経過）と同じである。
【０４０３】
上皿２０１７に貯留される球の個数がＡＭＡＸ個以上となると、傾倒部材３３０及び解除部材３４０が許容状態となり上皿２０１７から開口部１７ａを通って球が排出される。この時、開口部１７ａの第１部分開放状態では、傾倒部材３３０の上面および後追い球貯留領域１７ｆに配置された球（発射球貯留領域１７ｄ及び橋渡し球貯留領域１７ｅを除く範囲に配置された球）が全て排出されるのでは無く、第１遮蔽板２３５１に乗る球（本実施形態では、３個の球）は第１遮蔽板２３５１の上面に維持される。
【０４０４】
従って、傾倒部材３３０が許容状態となることにより、まとまって１１個以上の球が排出される。そのため、排出後に上皿２０１７に残留する球の個数は、ＡＭＡＸ個から１１個少ない個数以上となる（Ｑ１＋３＝Ｑ２［個］以上となる）。その後は、１１個の球を供給するのに要する時間（１．１秒）以上の間隔で、球の排出が行われ、上皿２０１７に残留する球の個数の最小値は個数Ｑ１よりも３個多い個数Ｑ２に維持される（Ｑ２＞６５［個］）。
【０４０５】
ここで、全開放の状態と第１部分開放状態での排出個数は同等であって、開口部１７ａの開口広さが要因（約３／４）となり、流量が変化する。ここで、許容状態における傾倒部材３３０の傾斜角度は変わらない。開口広さ分だけ、球の流量が絞られると考えることができるので、排出される球の流量は全開放の場合（約８０［個／秒］）に３／４をかけた約６０［個／秒］となり、全開放の状態に比較して第１部分開放状態の方が小さくなる。
【０４０６】
本実施形態によれば、傾倒部材３３０及び解除部材３４０が許容状態に状態変化することに伴い上皿２０１７に残留する球の個数を個数Ｑ２以上に保つことができるので、個数Ｑ２を適切な個数（例えば、上皿２０１７に貯留される球の個数の８０％以上の個数）に設定することにより、上皿２０１７に残留する球が過度に減少することを防止することができる。更に、傾倒部材３３０及び解除部材３４０が許容状態となり球が排出された直後は、その球の排出を視認することにより上皿２０１７に個数Ｑ２以上の球が残っていることを把握できる。
【０４０７】
そのため、遊技者がパチンコ機１０の正面側に座って遊技する姿勢において、上皿２０１７の正面側壁や前カバー３９０が視線を遮り上皿２０１７の内部状態（例えば、残球個数）が確認できない場合であっても、流下装置２３００の内部を球が流下することを確認することにより、上皿２０１７に個数Ｑ２以上の球が残っていることを把握することができる。
【０４０８】
即ち、上皿２０１７の内部状態を把握するために上皿２０１７を上から覗き込んで上皿２０１７の内部を見なくとも上皿２０１７に十分な個数の球が残っていることを把握できるので、遊技者は、球切れ（上皿２０１７に残された球が無くなること）の恐怖感から解放され、楽な遊技姿勢で遊技を継続することができる。
【０４０９】
次いで、図３２（ｂ）を参照して、開口部１７ａの第２部分開放状態（図３１参照）において上皿２０１７に貯留される球の個数の変化について説明する。まず、最初に球がＢＭＡＸ個に至るまでの経過は、図２０に示す経過（全開放の状態における経過）と同じである。
【０４１０】
上皿２０１７に貯留される球の個数がＢＭＡＸ個以上となると、傾倒部材３３０及び解除部材３４０が許容状態となり上皿２０１７から開口部１７ａを通って球が排出される。この時、開口部１７ａの第２部分開放状態では、傾倒部材３３０の上面および後追い球貯留領域１７ｆに配置された球（発射球貯留領域１７ｄ及び橋渡し球貯留領域１７ｅを除く範囲に配置された球）が全て排出されるのでは無く、第１遮蔽板２３５１に乗る球および第２遮蔽板２３５２に乗る球（本実施形態では、６個の球）は第１遮蔽板２３５１の上面または第２遮蔽板２３５２の上面に維持される。
【０４１１】
従って、傾倒部材３３０が許容状態となることにより、まとまって１１個以上の球が排出される。そのため、排出後に上皿２０１７に残留する球の個数は、ＢＭＡＸ個から１１個少ない個数以上となる（Ｑ１＋６＝Ｑ３［個］以上となる）。その後は、１１個の球を供給するのに要する時間（１．１秒）以上の間隔で、球の排出が行われ、上皿２０１７に残留する球の個数の最小値は個数Ｑ１よりも６個多い個数Ｑ３に維持される（Ｑ３＞６８［個］）。
【０４１２】
ここで、全開放の状態と第２部分開放状態での排出個数は同等であって、開口部１７ａの開口広さが要因（約１／２）となり、流量が変化する。ここで、許容状態における傾倒部材３３０の傾斜角度は変わらない。開口広さ分だけ、球の流量が絞られると考えることができるので、排出される球の流量は全開放の場合（約８０［個／秒］）に１／２をかけた約４０個／秒となり、全開放の状態に比較して第２部分開放状態の方が小さくなる。
【０４１３】
本実施形態によれば、傾倒部材３３０及び解除部材３４０が許容状態に状態変化することに伴い上皿２０１７に残留する球の個数を個数Ｑ３以上に保つことができるので、個数Ｑ３を適切な個数（例えば、上皿２０１７に貯留される球の個数の８０％以上の個数）に設定することにより、上皿２０１７に残留する球が過度に減少することを防止することができる。更に、傾倒部材３３０及び解除部材３４０が許容状態となり球が排出された直後は、その球の排出を視認することにより上皿２０１７に個数Ｑ３以上の球が残っていることを把握できる。
【０４１４】
そのため、遊技者がパチンコ機１０の正面側に座って遊技する姿勢において、上皿２０１７の正面側壁や前カバー３９０が視線を遮り上皿２０１７の内部状態（例えば、残球個数）が確認できない場合であっても、流下装置２３００の内部を球が流下することを確認することにより、上皿２０１７に個数Ｑ３以上の球が残っていることを把握することができる。
【０４１５】
即ち、上皿２０１７の内部状態を把握するために上皿２０１７を上から覗き込んで上皿２０１７の内部を見なくとも上皿２０１７に十分な個数の球が残っていることを把握できるので、遊技者は、球切れ（上皿２０１７に残された球が無くなること）の恐怖感から解放され、楽な遊技姿勢で遊技を継続することができる。
【０４１６】
図３２に示すように、第２部分開放状態では、第１部分開放状態よりも、全開放の状態（図２０参照）との比較における球の排出の流量の変化の度合い（図３２（ａ）及び図３２（ｂ）の右下降傾斜の角度）が大きくなる。即ち、遮蔽板２３５１，２３５２を背面側に配置する枚数が多くなるほど（下流側から多くなるほど）、球の排出の流量をより小さくすることができる（グラフの右下降傾斜の度合いを緩くすることができる）。これにより、遊技者は自分の好みで、球の排出の流量を複数通りで調整することができる。
【０４１７】
例えば、球の排出時の流量を大きくして排出時の迫力を重視する遊技者は、開口部１７ａを全開放する状態で遊技を行うことで球の排出時の流量を最大限に大きくすることができる一方で、排出時の迫力は度外視しても上皿２０１７の球切れを抑制したい遊技者は、第２部分開放状態とすることで排出後に上皿２０１７に残留する球の個数を多く確保することができ、球切れの発生を抑制することができる。
【０４１８】
なお、遊技者は、第２板部材２３２０越しに流下する遊技球の流下態様を視認することにより、排出流量が現状どのように設定されているのかを把握することができる。そのため、排出流量の設定が、上皿２０１７からの球の抜け具合からのみ把握可能である場合（例えば、上皿２０１７を上から覗き、目視で把握する場合）に比較して、排出流量の現状の設定を遊技者が早期に把握可能とすることができ、設定変更が必要な場合には、遊技者に早期に設定変更を行わせることができる。
【０４１９】
本実施形態では、排出時の流量の変化に係る球（遮蔽板２３５１，２３５２の上面に乗った球）が、そのまま上皿２０１７に残留する球として用いられることにより、上皿２０１７に貯留可能な球の個数を変化させることなく（上皿２０１７の容量を変化させることなく）、上述した調整を行うことができる。
【０４２０】
なお、図３２（ａ）及び図３２（ｂ）では、理解を容易とするために上皿２０１７に貯留される球がＡＭＡＸ，ＢＭＡＸ個となった直後に傾倒部材３３０が傾倒し、上皿２０１７から球が排出される態様で図示したが、実際は、上皿２０１７にＡＭＡＸ，ＢＭＡＸ個の球が貯留される（入球する）タイミングと、傾倒部材３３０が傾倒するのに十分な球が傾倒部材３３０の上面に乗るタイミングとは一致しないので、上皿２０１７にＡＭＡＸ，ＢＭＡＸ個の球が入球した後も、若干の期間、傾倒部材３３０は傾倒前の姿勢を維持し、上皿２０１７にはＡＭＡＸ，ＢＭＡＸ個以上の球が貯留される。その後、傾倒部材３３０が傾倒すると、傾倒部材３３０の上面と、後追い球貯留領域１７ｆに貯留されていた球が開口部１７ａを通して排出され、その他の領域（発射球貯留領域１７ｄ及び橋渡し球貯留領域１７ｅ）に配置されていた球は上皿２０１７に維持されるので、上皿２０１７に貯留される球が個数Ｑ２，Ｑ３以上に維持されることは、図３２（ａ）及び図３２（ｂ）に示すグラフと相違ない。
【０４２１】
図３３（ａ）及び図３３（ｂ）は、図１３のＸＩＶａ−ＸＩＶａ線に対応する線における正面枠１４の断面図である。なお、図３３（ａ）では、規制板２３５３が背面側位置に配置された状態が、図３３（ｂ）では、規制板２３５３が正面側位置に配置された状態が、それぞれ図示される。
【０４２２】
図３３（ａ）及び図３３（ｂ）に示すように、規制板２３５３は、正面側位置（矢印Ｆ側位置）に配置された状態では解除部材３４０の回転を許容し（解除部材３４０の回転軌跡と干渉しない位置に退避され）、背面側位置（矢印Ｂ側位置）に配置された状態では解除部材３４０の段違い板部３４４の上面に下面が当接する。
【０４２３】
図３３（ｂ）に示す状態から解除部材３４０が回転を開始しかけると、段違い板部３４４の上面が規制板２３５３を持ち上げかける。規制板２３５３は規制長孔２３２４ｂに上下方向への移動を規制されているので、解除部材３４０の回転が防止される。即ち、規制板２３５３を背面側位置に配置することにより、解除部材３４０が規制状態から回転することを防止することができるので、傾倒部材３３０及び解除部材３４０を規制状態で維持することができる。従って、上皿２０１７から開口部１７ａを通って球が排出されることを防止することができる（球の排出を規制することができる）。
【０４２４】
以上説明した本実施形態において達成される主要な効果を整理すれば、以下のようになる。即ち、本実施形態によれば、延設溝２０１７ｈに上流側から入球した球が跳ねて延設溝２０１７ｈから外れることを防止できると共に、延設溝２０１７ｈが球で満たされた後で延設溝２０１７ｈに入りかけた球を延設溝２０１７ｈの外方へ排斥し易くすることができる。
【０４２５】
また、延設溝２０１７ｈに収容される球を延設溝２０１７ｈの延設方向に一列に並べやすいので、延設溝２０１７ｈに収容される球の個数を安定化させることができる。また、延設溝２０１７ｈに配置された球が他の球と衝突して弾かれた場合であっても、その球が開口部１７ａに流入する可能性を低くすることができる。
【０４２６】
また、第１遮蔽板２３５１及び第２遮蔽板２３５２の配置を切り替えることにより、上皿２０１７から開口部１７ａを通して排出される球の流量を変化させることができる。同時に、排出後に上皿２０１７に残る球の個数を変化させることができる。
【０４２７】
また、第１遮蔽板２３５１及び第２遮蔽板２３５２の配置を切り替えることにより、払出モータ２１６の動作速度を変化させることなく、開口部１７ａを通した球の排出の頻度を変化させることができる。
【０４２８】
第１遮蔽板２３５１及び第２遮蔽板２３５２は、球を乗せて落下を防止することができると共に、開口部１７ａとの間隔が球の直径未満とされることで球が隙間から落下することを防止できる。
【０４２９】
規制板２３５３の配置を切り替えることにより、解除部材３４０の動作を許容する状態と、規制する状態とを切り替えることができる。
【０４３０】
次いで、図３４を参照して、第３実施形態について説明する。第１実施形態では、傾倒部材３３０が傾倒することにより湾曲部３３１ｄの上端部が上昇する場合を説明したが、第３実施形態における流下装置３３００は、傾倒部材３３０が傾倒することに伴って上昇する通過防止装置５００を備える。なお、上述した各実施形態と同一の部分には同一の符号を付して、その説明は省略する。
【０４３１】
図３４（ａ）は、第３実施形態における正面枠１４の部分上面図であり、図３４（ｂ）及び図３４（ｃ）は、図３４（ａ）のＸＸＸＩＶｂ−ＸＸＸＩＶｂ線における正面枠１４の部分断面図である。なお、図３４（ｂ）では、傾倒部材３３０が傾倒する前の状態が、図３４（ｃ）では、傾倒部材３３０が傾倒した後の状態が、それぞれ図示されると共に、解除部材３４０の図示が省略される。また、本実施形態では、傾倒部材３３０の本体枠３３１ａの背面側部分が、下端部を軸径方向外側へ張り出させる態様で形成される。
【０４３２】
図３４に示すように、本実施形態では、上皿３０１７の橋渡し球貯留領域１７ｅの傾倒部材３３０に近接する側に、左右方向に球の直径未満の間隔を空けて複数個配置される上下方向（図３４（ａ）紙面奥方向）に穿設される貫通孔を有する筒状の支持筒部３０１７ｊを備える。
【０４３３】
通過防止装置５００は、各支持筒部３０１７ｊに昇降動作可能に支持される昇降部材５１０を備える。昇降部材５１０は、上下方向に延設される棒状の部分であって支持筒部３０１７ｊに挿通される本体柱部５１１と、その本体柱部５１１の上端から傾倒部材３３０側（矢印Ｆ側）へ延設される延設部５１２と、その延設部５１２の延設先端から上方へ延設される先端延設部５１３と、を主に備える。
【０４３４】
本体柱部５１１は、上皿１７の底面を基準として、下方へ傾倒部材３３０の軸棒部３３２を越える長さで延設される。
【０４３５】
通過防止装置５００の機能について説明する。図３４（ｂ）に示すように、傾倒部材３３０が傾倒前の状態では、延設部５１２の上面が上皿１７の底面とほぼ面位置とされるので、上皿１７に貯留される球と昇降部材５１０との衝突を抑制することができ、スムーズに上皿１７に球を貯留することができる。
【０４３６】
一方、図３４（ｃ）に示すように、傾倒部材３３０の傾倒後には、傾倒部材３３０の本体枠３３１ａが変位することに伴い、本体柱部５１１が上昇する。この上昇した状態において、延設部５１２は球の半径ｒａ程度（約５．５［ｍｍ］）の高さ位置に配置され、同様に、先端延設部５１３の上端部は傾倒部材３３０の湾曲部３３１ｄの上端部から球の半径ｒａ程度高い位置に配置される。なお、延設部５１２が傾倒部材３３０に近接する位置まで延設されることにより、先端延設部５１３と湾曲部３３１ｄとの双方に球が当接した場合、その球の中心（重心）は湾曲部３３１ｄの上端位置（図３４（ｃ）における上端位置）の延設部３３３側（矢印Ｆ側）に配置される。
【０４３７】
これにより、傾倒部材３３０が傾倒した状態（図３４（ｃ）参照）において、橋渡し球貯留領域１７ｅに貯留された球が昇降部材５１０の間を通過することを防止することができるので、橋渡し球貯留領域１７ｅから傾倒部材３３０の上面に球が侵入する（矢印Ｆ方向に球が流下する）ことを防止することができる。更に、傾倒部材３３０の上面に貯留された球が先端延設部５１３の間を通過することを防止することができるので、傾倒部材３３０の上面から橋渡し球貯留領域１７ｅに球が侵入する（矢印Ｂ方向に球が流下する）ことを防止することができる。
【０４３８】
従って、傾倒部材３３０の傾倒後に、橋渡し球貯留領域１７ｅから傾倒部材３３０の上面に少数の球が流入し傾倒部材３３０を流れ落ちる事態が生じることを防止できると共に、傾倒部材３３０の傾倒前に傾倒部材３３０の上面に乗っていた球を橋渡し球貯留領域１７ｅにこぼすことなく開口部１７ａ側へ流すことができる。
【０４３９】
次いで、図３５及び図３６を参照して、第４実施形態について説明する。第１実施形態では、傾倒部材３３０が傾倒することにより湾曲部３３１ｄの上端部が開口部１７ａの枠内（後追い球貯留領域１７ｆの下流側（矢印Ｒ側））において上昇する場合を説明したが、第４実施形態における流下装置４３００は、傾倒部材４３３０が傾倒することに伴って上昇する部分であって開口部１７ａの枠外に配設される枠外延設部４３３７を備える。なお、上述した各実施形態と同一の部分には同一の符号を付して、その説明は省略する。
【０４４０】
図３５及び図３６は、第４実施形態における上皿４０１７の背面斜視図である。なお、図３５及び図３６では、理解を容易とするために、供給開口１７ｇが形成される背面側板の図示が省略されると共に供給開口１７ｇの開口部外形が想像線で図示される。また、図３５では、傾倒部材４３３０及び解除部材３４０の規制状態が、図３６では、傾倒部材４３３０及び解除部材３４０の許容状態が、それぞれ図示される。
【０４４１】
なお、上皿４０１７は、第１実施形態における上皿１７との比較において、後追い球貯留領域１７ｆの背面側壁が正面側へ寄せられ、受け入れ側面４０１７ｆ３が形成されることが異なるのみで、他の構成は共通とされる。
【０４４２】
図３５及び図３６に示すように、橋渡し球貯留領域１７ｅの上面は発射球貯留領域１７ｄの上面と面位置でつながる一方、傾倒部材４３３０の上面および後追い球貯留領域１７ｆの上面は、橋渡し球貯留領域１７ｅよりも一段高い面として形成される。本実施形態では、球の半径ｒａの約１／４だけ高い面（橋渡し球貯留領域１７ｅに貯留された球が水平方向の負荷で乗り上げ可能な高さ）として形成される。
【０４４３】
これにより、供給開口１７ｇから上皿４０１７に供給された球は、まず橋渡し球貯留領域１７ｅに着地し、発射球貯留領域１７ｄ及び橋渡し球貯留領域１７ｅを満たし、その後、橋渡し球貯留領域１７ｅに満たされた球の上を伝うか、後から来た球に橋渡し球貯留領域１７ｅに貯留されていた球が押し出されることにより、後追い球貯留領域１７ｆ及び傾倒部材４３３０の上面に流入する。
【０４４４】
即ち、本実施形態では、供給開口１７ｇから上皿４０１７に供給された球の全てが傾倒部材４３３０の上面を通るのでは無く、発射球貯留領域１７ｄ及び橋渡し球貯留領域１７ｅが球で満たされる前に上皿４０１７に供給された球のほとんどは傾倒部材４３３０の上面を通過することなく流下する。
【０４４５】
このように、本実施形態では、傾倒部材４３３０の上面が橋渡し球貯留領域１７ｅよりも一段高くなる配置で傾倒部材４３３０を上皿４０１７に配設することで、球の流下経路を指定することができる。これにより、球の経路を指定する別部材を用意したり、上皿４０１７を特別な形状としたりする場合に比較して、部品コストや、加工コストを抑えることができる。
【０４４６】
また、発射球貯留領域１７ｄ及び橋渡し球貯留領域１７ｅが球で満たされる前に解除部材３４０に球が当接することを防止できる。これにより、上皿４０１７に貯留される球が少ない状態で傾倒部材４３３０及び解除部材３４０が許容状態を形成し球が上皿４０１７から排出される可能性を低減することができる。
【０４４７】
加えて、本実施形態では、傾倒部材４３３０が枠外延設部４３３７を備えることにより、上述した効果を更に奏し易くしていることについて、以下で説明する。傾倒部材４３３０は、第１実施形態の傾倒部材３３０が備える構成に加えて、湾曲部３３１ｄの側面形状を上底板部３３１ｂの左右方向の傾斜に沿って上流側（矢印Ｌ側）へ延設した形状から構成される棒状の枠外延設部４３３７を備える。
【０４４８】
この枠外延設部４３３７との整合をとるために、本実施形態における上皿４０１７は、第１実施形態で説明した上皿１７の構成に加えて、後追い球貯留領域１７ｆの背面側部分を正面側へ寄せた位置において、後追い球貯留領域１７ｆの新たな背面側部分として形成される受け入れ側面４０１７ｆ３を備える。
【０４４９】
即ち、受け入れ側面４０１７ｆ３は、開口部１７ａの背面側端部よりも正面側にずれた位置に配設され、橋渡し球貯留領域１７ｅから正面側へ延長される上面と、後追い球貯留領域１７ｆの上面との間に段差を形成する。また、受け入れ側面４０１７ｆ３を形成し、後追い球貯留領域１７ｆの背面側端部が正面側へ寄せられることにより空いたスペースにおいて、枠外延設部４３３７が移動を行う。
【０４５０】
本実施形態では、枠外延設部４３３７が、第１実施形態における後追い球貯留領域１７ｆの背面側側面と同様の機能を備える。一方で、第１実施形態の場合と異なり、後追い球貯留領域１７ｆの背面側側面と同様の機能を持つ枠外延設部４３３７は、傾倒部材４３３０の傾倒に伴い、橋渡し球貯留領域１７ｅの上面からの高さが変化する（上端位置が上昇する）。
【０４５１】
即ち、傾倒部材４３３０の規制状態（図３５参照）に比較して、傾倒部材４３３０の許容状態（図３６参照）の方が、橋渡し球貯留領域１７ｅの上面を基準とした枠外延設部４３３７の上端位置までの長さが長くなる。そのため、傾倒部材４３３０が規制状態の場合よりも、傾倒部材４３３０が許容状態の場合の方が、橋渡し球貯留領域１７ｅから後追い球貯留領域１７ｆに球が流入することを防止し易くすることができる。
【０４５２】
特に、本実施形態において、後追い球貯留領域１７ｆは供給開口１７ｇの正面側（矢印Ｆ側）に配置されるので、供給開口１７ｇから上皿４０１７へ勢いよく払い出された球が橋渡し球貯留領域１７ｅと後追い球貯留領域１７ｆとの間の段差を越えて後追い球貯留領域１７ｆに流入する可能性があるところ、傾倒部材４３３０の傾倒時（図３６参照）においてのみ橋渡し球貯留領域１７ｅと後追い球貯留領域１７ｆとの間の段差を大きくすることができるので、傾倒部材４３３０の傾倒時において後追い球貯留領域１７ｆへの球の流入を防止する効果を増大させることができる。
【０４５３】
これにより、傾倒部材４３３０が許容状態となった後で、新たに後追い球貯留領域１７ｆに球が流入することを防止し易くすることができるので、傾倒部材４３３０の傾倒前に傾倒部材４３３０の上流側（傾倒部材４３３０の上面および後追い球貯留領域１７ｆ）に貯留されていた球が、傾倒部材４３３０が傾倒することに伴い、連なって開口部１７ａを流下するのと遅れたタイミングで新たに後追い球貯留領域１７ｆに流入した少量の球が開口部１７ａから排出される事態が発生することを抑制することができる。これにより、開口部１７ａからの球の排出態様を、多量の球が連なって排出される態様に固定することができる。
【０４５４】
また、本実施形態によれば、傾倒部材４３３０が傾倒する前（図３５参照）であれば、橋渡し球貯留領域１７ｅと後追い球貯留領域１７ｆとの間の段差は第１実施形態の場合と同等なので、第１実施形態と同様の条件で、橋渡し球貯留領域１７ｅから後追い球貯留領域１７ｆへ球を流入させることができる。このように、本実施形態によれば、傾倒部材４３３０の姿勢（傾倒しているか否か、もしくは傾倒角度）により、橋渡し球貯留領域１７ｅから後追い球貯留領域１７ｆへの（隣設された領域間での）球の流入のし易さを変化させることができる。
【０４５５】
次いで、図３７から図３９を参照して、第５実施形態について説明する。第１実施形態では、傾倒部材３３０の傾倒前に比較して、傾倒部材３３０が傾倒した後の方が、湾曲部３３１ｄの上端位置が上昇する場合を説明したが、第５実施形態における流下装置５３００は、傾倒部材５３３０の傾倒前に比較して、傾倒部材５３３０が傾倒した後の方が、湾曲部３３１ｄの上端位置が下降する態様とされる。なお、上述した各実施形態と同一の部分には同一の符号を付して、その説明は省略する。
【０４５６】
図３７（ａ）及び図３７（ｂ）は、図１３のＸＩＶａ−ＸＩＶａ線に対応する線における第５実施形態における正面枠１４の部分断面図であり、図３８及び図３９は、上皿１７の背面斜視図である。なお、図３７（ａ）及び図３８では、傾倒部材５３３０及び解除部材３４０が係合された状態（規制状態の一例）が、図３７（ｂ）及び図３９では、傾倒部材５３３０及び解除部材３４０が互いに離反した状態（許容状態の一例）が、それぞれ図示される。
【０４５７】
本実施形態では、第１実施形態で説明した流下装置３００の構成に比較して、主に傾倒部材５３３０の構成が第１実施形態の傾倒部材３３０と異なり、他の構成は共通である。以下に、傾倒部材５３３０の構成を説明する。
【０４５８】
傾倒部材５３３０は、第１実施形態における傾倒部材３３０との比較において、軸棒部３３２が湾曲部３３１ｄを挟んで延設部３３３の前後方向（矢印Ｆ−Ｂ方向）逆側に配置されることが大きな違いであり、その構成を実現するために、傾倒部材３３０からの若干の形状変更が施されている。
【０４５９】
即ち、傾倒部材５３３０は、傾倒部材３３０の構成に対して、本体枠３３１ａの背面側側面が左右側面に比較して短くされ、本体枠３３１ａの背面側側面の下端部および本体枠３３１ａの左右側面の背面側端部から背面側（矢印Ｂ方向）へ延設される延設進入部５３３７を備え、その延設進入部５３３７の延設端部付近において軸棒部３３２を支持可能となるように、上皿１７の第２支持凹部１７ｃ（図７参照）に対応する支持凹部が第２支持凹部１７ｃとは異なる位置に配設される。本実施形態では、第１実施形態と同様に、開口部１７ａの背面側縁に湾曲部３３１ｄが対向配置されるので、軸棒部３３２は開口部１７ａの背面側縁よりも背面側において、上皿１７に支持される。
【０４６０】
なお、傾倒部材５３３０の傾倒角度は、第１実施形態と同様であり、傾倒前において前後方向に対して１°、傾倒後において前後方向に対して１５°の傾斜角度となるように、傾倒部材５３３０の下端部の形状が修正される。
【０４６１】
上述したように、本実施形態では、軸棒部３３２が開口部１７ａの背面側縁よりも背面側（橋渡し球貯留領域１７ｅの下方）に配置されるので、図３７（ａ）及び図３７（ｂ）に示すように、傾倒部材５３３０が傾倒する前に比較して、傾倒した後の方が湾曲部３３１ｄの上端位置が下降する。なお、本実施形態では、特に、傾倒する前において湾曲部３３１ｄの上端位置が橋渡し球貯留領域１７ｅの上面よりも上側に位置する（球の半径ｒａの半分程度上側に位置する）一方で、傾倒した後において湾曲部３３１ｄの上端位置が橋渡し球貯領域１７ｅの上面よりも下側に位置する。
【０４６２】
即ち、軸棒部３３２は、軸棒部３３２を支点として傾倒部材５３３０を傾倒前の状態から１４°傾倒動作させた場合に、湾曲部３３１ｄの上下方向の移動距離が球の半径ｒａの半分以上（約２．８ｍｍ以上）となる位置で上皿１７に軸支される。
【０４６３】
これは、例えば、本実施形態のように傾倒部材５３３０が傾倒前の状態において湾曲部３３１ｄを通り水平方向に対する角度が約４５°となる直線上に軸棒部３３２が配置され、湾曲部３３１ｄと軸棒部３３２との間の距離が長さＬ５１であるとすると、傾倒前の上下寸法（Ｌ５１×ＣＯＳ４５°）と傾倒後の上下寸法（Ｌ５１×ＣＯＳ３１°）との差が球の半径ｒａの半分以上であることを要する（Ｌ５１×（（ＣＯＳ４５°）−（ＣＯＳ３１°））＞（１／２）×ｒａ）。この不等号を満たすには、長さＬ５１は、約２．４×ｒａよりも長いことを要する。また、湾曲部３３１ｄと軸棒部３３２を結ぶ長さＬ５１の線分の水平方向成分の長さは、約１．７×ｒａよりも長くなる。従って、軸棒部３３２は、図３７（ａ）に図示されるように、傾倒部材５３３０の傾倒前の状態において、湾曲部３３１ｄから水平方向背面側に球の半径ｒａの１．７倍以上離れた位置に配置されることを要する。なお、本実施形態では、湾曲部３３１ｄから水平方向背面側に球の直径以上離れた位置に軸棒部３３１ｄが配置される。
【０４６４】
これにより、本実施形態によれば、傾倒部材５３３０の傾倒前においては、湾曲部３３１ｄの上端位置が橋渡し球貯留領域１７ｅの上面よりも上方に配置され、傾倒部材５３３０の傾倒後においては、湾曲部３３１ｄの上端位置が橋渡し球貯留領域１７ｅの上面よりも下方に配置されるので、橋渡し球貯留領域１７ｅに配置された球の前後方向における流下傾向を反転させることができる。
【０４６５】
即ち、傾倒部材５３３０の傾倒前においては、球の半径ｒａの半分程度とはいえ、湾曲部３３１ｄが橋渡し球貯留領域１７ｅの上面よりも上方に配置されることから、湾曲部３３１ｄが、橋渡し球貯留領域１７ｅに貯留される球が正面側へ流下するのに対する抵抗を生じる部分として作用する（球が正面側へ流れてくるのを防止する部分として作用する）。そのため、橋渡し球貯留領域１７ｅに貯留された球の前後方向における流下傾向は、橋渡し球貯留領域１７ｅ内に維持されやすい傾向となる。
【０４６６】
一方、傾倒部材５３３０の傾倒後においては、湾曲部３３１ｄが橋渡し球貯留領域１７ｅの上面よりも下方に配置されるので、湾曲部３３１ｄから橋渡し球貯留領域１７ｅに貯留される球が正面側へ流下するのに対する抵抗が生じず、傾倒部材５３３０の傾倒により開口部１７ａから排出される球を追いかける態様で橋渡し球貯留領域１７ｅに貯留されていた球を流下させ易くすることができる。そのため、橋渡し球貯留領域１７ｅに貯留された球の前後方向における流下傾向は、傾倒部材５３３０の傾倒前に比較して、橋渡し球貯留領域１７ｅの正面側へ排出されやすい傾向となる。
【０４６７】
従って、傾倒部材５３３０の上面に乗っていた球に加えて、その背面側の領域である橋渡し球貯留領域１７ｅに貯留されていた球も、一緒に開口部１７ａを通して流下させることができるので、傾倒部材５３３０が傾倒するたびに開口部１７ａを通して流下する球の個数を、傾倒部材５３３０に乗りきる球の数以上に増大させることができる。
【０４６８】
次いで、図４０及び図４１を参照して、第６実施形態について説明する。第１実施形態では、流下装置３００から排出された球が下皿１５に貯留される場合を説明したが、第６実施形態における流下装置６３００は、その下端部から排出した球を遊技機の下方に排出する態様とされ（下皿１５の形成が省略され）、それに伴い、正面枠６０１４の背面側（ガラスユニット１６の背面側）に配設され、上皿１７又は下皿１５に球を分岐させて流下させる分岐流路（図示せず）の形成が省略される。なお、上述した各実施形態と同一の部分には同一の符号を付して、その説明は省略する。
【０４６９】
本実施形態では、流下装置６３００の下端部の開口の開閉を球抜きレバー５２の操作により行う（操作レバー５２を押し込むたびに、球が通過可能な開状態と球の通過を規制する閉状態とで切り替えられる）態様とされ、球抜きレバー５２の操作により流下装置６３００の下端部の開口が開状態となっている時に流下装置６３００の下端部に配置された球は正面枠６０１４の下方へ自然落下して排出される。一方、球抜きレバー５２の操作により流下装置６３００の下端部の開口が閉状態となっているときは、流下装置６３００の内部流路に球を貯留可能とされる。
【０４７０】
図４０は、第６実施形態におけるパチンコ機６０１０の側面図である。なお、図４０では、理解を容易とするために、被収容部材ＩＮＢの外形の一例が想像線で図示される。
【０４７１】
被収容部材ＩＮＢは、正面枠６０１４に固定され、その外形が正面枠６０１４の背側面（内枠１２の正面側端部と当接する面）よりも背面側へ突出する形状から形成される。即ち、被収容部材ＩＮＢの背面側部分は、正面枠６０１４を閉じた状態（図４０参照）において内枠１２の内部領域に侵入する（内枠１２の内部領域と干渉する）。なお、本実施形態では、内枠１２の内側に、被収容部材ＩＮＢを正面側から収容可能な大きさで正面側端部から背面側へ向けて凹設される収容凹部ＩＮＣが形成される。従って、正面枠６０１４を閉じた状態では、被収容部材ＩＮＢの背面側部分が収容凹部ＩＮＣに収容される。
【０４７２】
このように構成することにより、内枠１２を、背面側に突出する部分（例えば、被収容部材ＩＮＢ）を備える正面枠６０１４にも、背面側に突出する部分が形成されない正面枠１４にも、兼用することができる（内枠１２の共通化を図ることができる）。即ち、本実施形態における内枠１２を正面枠１４に用いる場合には、収容凹部ＩＮＣの内部が空の状態とされるだけであって、使用に支障をきたすものでは無い。
【０４７３】
なお、被収容部材ＩＮＢについては、何ら限定されるものでは無く、種々の態様が例示される。例えば、音響装置でも良いし、遊技者が操作する操作ボタンの構造の一部でも良いし、配線でも良いし、可動役物やモータなどの駆動装置の一部でも良いし、位置決め用の突起でも良い。
【０４７４】
被収容部材ＩＮＢがスピーカーなどの音響装置である場合、音を遊技者へ向けて発する部分であるスピーカーユニットが遊技者側に露出するため、不正行為の進入経路となりやすい。これに対し、本実施形態では、音響装置の背面側部分は収容凹部ＩＮＣに収容され、その収容凹部ＩＮＣの凹設底面は基板ボックス１００〜１０４よりも正面側に配置されることから、被収容部材ＩＮＢの内部を通ってピアノ線がパチンコ機１０の内部に進入した場合であっても、そのピアノ線が基板ボックス１００〜１０４に到達する前に、ピアノ線の進行を収容凹部ＩＮＣで止めることができる。
【０４７５】
この目的において、収容凹部ＩＮＣの内壁は、金属性の部材で覆われる（カバーされる）ことが望ましい。これにより、ピアノ線の先端を高温に熱して進入させる不正に対しても対応することができる（収容凹部ＩＮＣの内壁が樹脂で形成される場合に比較して、不正を防止し易くすることができる）。
【０４７６】
本実施形態では、被収容部材ＩＮＢは、正面側端部が第１板部材３１０の延設板部３１２ｂ又は連設板部３１４の背面側面付近（本実施形態では若干離間した位置）に配置される。従って、被収容部材ＩＮＢは、延設板部３１２ｂ又は連設板部３１４の背面側側面から収容凹部ＩＮＣの凹設底面（背面側に配置される側面）までに収まる前後寸法長さで形成される。このように、被収容部材ＩＮＢの配設スペースを正面枠６０１４の背面側に配置される内枠１２の内部にまで広げることにより、同じ寸法の被収容部材ＩＮＢであっても、内枠１２の正面側に被収容部材ＩＮＢが配置される場合に比較して正面枠６０１４の正面側に被収容部材ＩＮＢが張り出す長さを抑えることができる。これにより、遊技者に圧迫感を与えることなく、大型の被収容部材ＩＮＢを配置することができる。
【０４７７】
ここで、収容凹部ＩＮＣの前後方向寸法は、遊技機ごとにそれほど寸法設定の自由が無い内枠１２の幅寸法（例えば、約４０ｍｍ〜６０ｍｍ）以下に制限されるので、被収容部材ＩＮＢの前後方向寸法を長くしたい場合（例えば、内枠１２の幅寸法よりも長くしたい場合）、第１板部材３１０の延設板部３１２ｂ又は連設板部３１４の配置を正面側に寄せることで対応することになる。この点において、本実施形態の構成は好適に作用する。
【０４７８】
例えば、第１板部材３１０の延設板部３１２ｂ又は連設板部３１４の配置を正面側に寄せることにより、流下装置６３００に形成される内部流路を正面側（遊技者に近接する側）に配置することができる。これにより、遊技者に、より近い位置に配置された流路内で球を流下させることができるので、流下する球を遊技者に視認させることによる演出効果を高めることができる。
【０４７９】
また、例えば、第１板部材３１０の延設板部３１２ｂ又は連設板部３１４の配置を正面側に寄せることにより、流下装置６３００の内部流路への入口（上部開口）を、上皿１７の正面側縁に近接配置させることができる。即ち、上皿１７へ球を供給する供給開口１７ｇの反対側（上皿１７を挟んで前後反対側）に流下装置６３００の内部流路への入口が配置されるので、供給開口１７ｇから上皿１７へ供給された球がそのまま（直通で）流下装置６３００の内部流路に流入することを、防止し易くすることができる。この場合、上皿１７の前後幅を十分に利用して多くの球を上皿１７に貯留することができる。
【０４８０】
また、例えば、第１板部材３１０の延設板部３１２ｂ又は連設板部３１４の配置を正面側に寄せることにより、本実施形態のように流下装置６３００の下端から排出された球がパチンコ機１０の下方に排出される箱（例えば、上述した千両箱）から球が溢れにくくすることができたり、パチンコ機１０の下方に排出された球を遊技者が手で直接受ける場合に球をこぼさずに受け取り易くしたりすることができる。加えて、この受け取り易い位置に上下方向の最短経路（水平方向の流路長さが短い経路）で球を流下させることができるので、流下装置６３００の内部流路に球が流入してからパチンコ機１０の下方に排出されるまでの期間を短くすることができる。
【０４８１】
従って、本実施形態によれば、流下装置６３００を正面側に寄せることにより、上述した効果を奏しながら、被収容部材ＩＮＢを収容する領域（例えば、第１板部材３１０の延設板部３１２ｂ又は連設板部３１４の背面側であって、収容凹部ＩＮＣの正面側の領域）を十分に確保することができる。
【０４８２】
この場合において、被収容部材ＩＮＢがスピーカーなどの音響装置であれば、流下装置６３００を正面側に寄せるほど被収容部材ＩＮＢの配置を正面側に寄せることができ、遊技者に音声を届けやすくすることができるので、音響装置の演出効果を向上させることができる。
【０４８３】
収容凹部ＩＮＣは、図４０に示すように、供給開口１７ｇよりも下側に配置される。即ち、収容凹部ＩＮＣは、供給開口１７ｇを挟んで遊技盤１３の上下方向反対側（本実施形態では下側）に配置される。また、収容凹部ＩＮＣは、制御基板ユニット９１の正面側に配置される。次いで、収容凹部ＩＮＣ及び被収容部材ＩＮＢの配置により生じる効果について説明する。
【０４８４】
図４１（ａ）及び図４１（ｂ）は、パチンコ機６０１０の上面図である。なお、図４１（ａ）では、正面枠６０１４が外枠１１に対して閉鎖された状態が図示され、図４１（ｂ）では、正面枠６０１４が外枠１１に対して、内枠１２（例えば、内枠１２に固定された遊技盤１３）を対象とした作業を作業者が行うことが可能な程度に開放された状態が図示される。
【０４８５】
図４１（ａ）及び図４１（ｂ）に示すように、被収容部材ＩＮＢは、左右方向において、ヒンジ１９が取り付けられる開閉軸に近接する側（左端位置付近）に配置される。そのため、正面枠６０１４を開放した場合であっても（図４１（ｂ）参照）、被収容部材ＩＮＢの移動量が最小に抑えられると共に、作業者が内枠１２を対象とした作業（例えば、発射装置の球詰まりを解消する作業や、エラーなどで大当たり中に誤って払い出されなかった賞球の補填として入賞口に手で球を入れる作業など）をするために進入する側（開閉軸の反対側）の空間を十分に空けることができる。従って、被収容部材ＩＮＢが作業者の作業の邪魔となることを防止することができ、作業時間を短縮することができる。営業時間内で作業者が作業を行う場合、その作業時間外において遊技者が遊技を行うことになるので、作業者の作業時間を短縮することにより、結果的に、遊技者の遊技時間を確保することができる。
【０４８６】
同時に、作業者が進入する側の反対側に被収容部材ＩＮＢを配置することにより、作業者が内枠１２を対象とした作業中に誤って被収容部材ＩＮＢに触れてしまい、それが原因で被収容部材ＩＮＢが故障することを防止することができる。
【０４８７】
加えて、例えば、被収容部材ＩＮＢが音響装置である場合、制御基板ユニット９０と被収容部材ＩＮＢ（外枠１１の背面側部分と正面枠６０１４の背面側部分）とを配線等により電気的に接続する必要があるところ、配線は、作業者が誤った処理を行うことで生じる断線のおそれを低くできることや、正面枠６０１４の開閉時の変形量を小さくすることで耐久性を向上できるという観点から、開閉軸側を経由させて這わせるのが望ましい。本実施形態では、被収容部材ＩＮＢが開閉軸付近に配置されるので、開閉軸から遠く離れた位置に配置される場合に比較して、開閉軸まで延ばす配線の長さを短くすることができる。これにより、必要となる配線長さを短くすることができ、銅線などを使用する配線にかかる材料コストを低減することができる。
【０４８８】
また、同じ大きさの被収容部材ＩＮＢを配設するのであれば、開閉軸付近において被収容部材ＩＮＢを配置する方が、開閉軸から遠い位置に配置する場合に比較して、被収容部材ＩＮＢの変位量を小さくすることができるので、収容凹部ＩＮＣの形成範囲を狭めることができる。従って、パチンコ機１０のように、外形の大きさが規格化され、内部空間が限られている機械において、収容凹部ＩＮＣの形成範囲を狭めつつ、被収容部材ＩＮＢの大型化を最大限図ることができる。
【０４８９】
図４１に示すように、被収容部材ＩＮＢは開閉軸付近に配置されると共に、被収容部材ＩＮＢが遊技盤１３や払出装置１３３よりも下方において内枠１２と正面枠６０１４とを連通する領域に配置されることから（図４０参照）、開閉軸付近において無理やり隙間を作り、その隙間にピアノ線等を通して、そのピアノ線等を遊技領域や払い出し装置１３３に到達させて、不正な利益を得ようとする不正行為を予防することができる。以下、これについて説明する。
【０４９０】
このような不正行為を行う不正行為者は、例えば、下側のヒンジ１９付近において正面枠６０１４と外枠１１との間の隙間を広げる方向（矢印Ｆ−Ｂ方向）の負荷を加え、無理やり隙間を作り、その隙間にピアノ線を通し、パチンコ機６０１０の内部にピアノ線を進入させる（例えば、図４０の矢印ＦＩＮ参照）。
【０４９１】
そして、例えば、ピアノ線の先端を遊技領域に案内し、ピアノ線を介して、第２入球口６４０に付随する電動役物６４０ａを開放する側に力をかけ、不正に第２入球口６４０に球が入り易い状態を維持させたり、第１特定入賞口６５ａを開閉する開閉板を開閉する側に力をかけ、不正に第１特定入賞口６５ａに球が入り易い状態を維持させたりして、不正の賞球を獲得しようとする。
【０４９２】
また、例えば、ピアノ線の先端を払出装置１３３の内部に案内し、払出装置１３３の内部機構を不正に操作して、不正の出玉を獲得しようとする。
【０４９３】
これに対し、本実施形態によれば、被収容部材ＩＮＢが、下側のヒンジ１９付近において、正面枠６０１４の背面側から内枠１２の内部へ張り出して配設される。そのため、不正行為者が、正面枠６０１４と内枠１２との間においてピアノ線を進入させる経路を被収容部材ＩＮＢにより埋めることができるので、ビアノ線の侵入を防止することができる。
【０４９４】
加えて、被収容部材ＩＮＢは開閉軸付近に配置されることから、正面枠６０１４の回転に伴う被収容部材ＩＮＢの移動量が低減される。そのため、無理に負荷をかけられることにより、内枠１２と正面枠６０１４との間に隙間が生じた場合であっても、被収容部材ＩＮＢが、依然として内枠１２と正面枠６０１４とを連通する領域を埋める位置に配置されており（図４１（ｂ）参照）、内枠１２と正面枠６０１４との間に下側のヒンジ１９付近において生じる隙間からのピアノ線の進入を防止することができる。
【０４９５】
なお、図４０の矢印ＦＩＮは、ピアノ線の進入経路の一例を示すものであり、その進入経路は種々の態様が例示される。例えば、正面枠６０１４の背面側伝いにピアノ線の先端を上昇させ遊技盤１３の正面側を目指す進入経路が考えられる。この場合、正面枠６０１４の背面側において正面枠６０１４に近接する範囲がピアノ線の経路となるので、正面枠６０１４の背面側において正面枠６０１４に近接する範囲の空間を埋めることが望ましい。これに対し、本実施形態によれば、被収容部材ＩＮＢが正面枠６０１４の内部から、背面側へ突出する態様で配置されるので、正面枠６０１４の開閉の度合いに因らず、正面枠６０１４の背面側において正面枠６０１４に近接する範囲を被収容部材ＩＮＢにより埋めることができる。従って、被収容部材ＩＮＢにより、ピアノ線の進入を防止することができる。
【０４９６】
また、開閉軸の径方向外側における収容凹部ＩＮＣの右側側壁ＩＮＣＲの形状（矢印Ｒ側の側面の形状）は、被収容部材ＩＮＢの移動軌跡を通る円弧であって、ヒンジ１９に形成される開閉軸を中心軸とした円弧の内で最大径の円弧よりも、若干大きな円弧に沿った形状とされる。そのため、正面枠６０１４が開閉する際、被収容部材ＩＮＢは右側側壁ＩＮＣＲと若干の寸法を空けた（例えば、１ｍｍ程度空けた）状態を維持しながら、右側側壁ＩＮＣＲと対向配置される。
【０４９７】
従って、正面枠６０１４が閉鎖された状態（図４１（ａ））において、右側側壁ＩＮＣＲと被収容部材ＩＮＢとの間に形成される隙間に不正基板を隠された場合であっても、ホール店員などが正面枠６０１４を開閉動作した際に、被収容部材ＩＮＢが不正基板に当接する（衝突する）ことになるので、困難無く不正基板の存在に気付くことができる。そのため、不正を見つけやすくすることができる。
【０４９８】
なお、被収容部材ＩＮＢと右側側壁ＩＮＣＲとの間の寸法を微少な長さ（例えば、０．１ｍｍ）とすることで、正面枠６０１４の開閉動作時に、被収容部材ＩＮＢと右側側壁ＩＮＣＲとの位置関係を利用して、正面枠６０１４と内枠１２との位置合わせを行うことができる。
【０４９９】
なお、被収容部材ＩＮＢの水平方向側面の上端部から壁が延設されることにより、上方に開口した容器上（例えば、カップ形状）に被収容部材ＩＮＢの上面側が形成されても良い。この場合、正面枠６０１４を開放した状態（図４１（ｂ）参照）において（本実施形態では、この状態において、被収容部材ＩＮＢの背面側先端部が収容凹部ＩＮＣの内部に配置される。即ち、被収容部材ＩＮＢにより、正面枠６０１４と、外枠１１とが上面視で連結される。そのような状態において）、被収容部材ＩＮＢの上面に球が落下した場合であっても、その球を被収容部材ＩＮＢの上面に留めることができるので、開閉軸付近においてこぼれた球がパチンコ機６０１０の下方に落ちることを防止することができる。これにより、球こぼれにより作業者の作業が長期化することを防止することができる。
【０５００】
また、被収容部材ＩＮＢの上面は、柔軟な部材から形成されても良い。この場合、被収容部材ＩＮＢの上面に落下した球の跳ね返り高さを低くすることができるので、球を被収容部材ＩＮＢの上面に留め易くすることができる。
【０５０１】
なお、本実施形態では、被収容部材ＩＮＢが開閉軸付近、即ち、球発射ユニット１１２ａよりも開閉軸側に配置されることから、球発射ユニット１１２ａから発射された球の内、発射強度が不十分で遊技領域に入らなかった球（所謂、「ファール球」）を被収容部材ＩＮＢで受けとめることができる。
【０５０２】
一方で、被収容部材ＩＮＢが球発射ユニット１１２ａを基準として開閉軸から離れた側（右側）に配置されても良い。この場合、「ファール球」が被収容部材ＩＮＢと衝突することを防止することができる。
【０５０３】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０５０４】
上記各実施形態において、一の実施形態における構成の一部または全部を、他の実施形態における構成の一部または全部の構成と組み合わせて或いは置き換えて、別の実施形態としても良い。
【０５０５】
上記各実施形態では、球被覆面１７ａ２が上皿１７の内面の外方に配設される場合について説明したが、必ずしもこれに限られるものではない。例えば、球被覆面１７ａ２が上皿１７の内面の内方へ張り出し可能な可動板から形成され、その張り出した部分の上面が正面視で右側へ向かうにつれて下降傾斜する形状から形成されても良い。この場合、上皿１７の上方から供給された球の内、張り出した球被覆面１７ａ２に着地した球は、球被覆面１７ａ２の上面の傾斜に沿って正面視右方へ流される。これにより、球被覆面１７ａ２の上方から落下した球が解除部材３４０の背面側に着地することを抑制することができ、その球の上皿１７の底面への着地位置を、解除部材３４０の配置位置よりも下流側にすることができる。従って、例えば、遊技者が手づかみで上皿１７に球を供給した場合、その供給された球が解除部材３４０の背面側に着地し、解除部材に負荷を与える可能性を低減することができる。なお、可動板で形成する場合に限られるものでは無く、球被覆面１７ａ２が上皿１７の内面の内方へ張り出した固定板により形成されても良い。
【０５０６】
この場合において、例えば、内方へ張り出される球被覆面１７ａ２の下面と、上皿１７の上面との間隔が、球の直径よりも若干長い寸法で設定されても良い。この場合、球被覆面１７ａ２の下側に球が侵入する際に、球の積層を解除することができる。そのため、球被覆面１７ａ２の下側に球が縦に積まれた（積層された）状態で侵入することを防止することができる。これにより、解除部材３４０に向かう球が縦に積層していることにより解除部材３４０に到達できないという不具合を防止することができる。
【０５０７】
上記各実施形態では、下皿１５に球を供給する供給開口１５ｂが配設され、その供給開口１５ｂを通って分岐流路から球が下皿１５に供給される場合について説明したが、必ずしもこれに限られるものではない。例えば、下皿１５への球の供給を流下装置３００からの供給で行い、供給開口１５ｂ、分岐流路の形成を省略しても良い。この場合、分岐流路および供給開口１５ｂが配設されていたスペースを他の用途に利用することができる。例えば、大型のスピーカーボックス等を配設するスペースとして利用することができる。
【０５０８】
上記各実施形態では、解除部材３４０の状態変化が、球からの負荷により自動で生じる場合を説明したが、必ずしもこれに限られるものではない。例えば、遊技者が操作部を操作することに伴い、解除部材３４０の状態が変化するようにしても良い。
【０５０９】
例えば、手動操作部がバネ弾性力により初期位置へ向けて付勢され遊技者の操作がその付勢の方向と逆方向に行われる場合において、手動操作部を操作していない時には球が解除部材３４０に到達することが規制される一方で、手動操作部を操作した時には、手動操作部の上流側に球が配置されていれば、その球が解除部材３４０に到達（流入）するようにしても良い。この場合、手動操作部を遊技者が操作したとしても、手動操作部の上流側に球が配置されていなければ、球は解除部材３４０に到達（流入）しないので、操作解除により元の状態に戻すことができる。
【０５１０】
加えて、手動操作部の操作を解除することにより、初期位置に復帰した手動操作部が球を押し出し、その押し出し負荷が解除部材３４０に与えられ、解除部材３４０が変位する位置関係で、手動操作部が配設されても良い。この場合、上皿１７に貯留される球の状態（個数）によって、手動操作部の操作により上皿１７から球が排出される場合と、排出が規制される場合とを形成することができる。
【０５１１】
上記各実施形態では、供給開口１７ｇは、前後方向に開口され、上面視において解除部材３４０よりも左方（上流側の一部）に配設されると共に、供給開口１７ｇが排出方向Ｎ１に沿って排出される場合を説明したが、必ずしもこれに限られるものでは無い。例えば、供給開口１７ｇが上面視において解除部材３４０の右方（下流側）に配設されても良いし、供給開口１７ｇが正面視で解除部材３４０と左右方向で一致する位置に配設され、供給開口１７ｇから排出される球が上皿１７の下流側（球発射ユニット１１２ａ側）に斜めに排出されても良い。この場合、供給開口１７ｇから排出された球は解除部材３４０に近接することなく上皿１７を流下するので、供給開口１７ｇから排出された球が勢い良く解除部材３４０に衝突することを防止することができる。なお、供給開口１７ｇの位置と、球の排出方向の向きとは、このほかにも様々な組み合わせが許容される。
【０５１２】
上記各実施形態では、傾倒部材３３０の本体枠３３１ａの下端部と第１板部材３１０の天板部３１２ａの抵抗凹設部３１２ａ１との当接による摩擦抵抗が、傾倒部材３３０の動作方向に因らず生じる場合を説明したが、必ずしもこれに限られるものでは無い。例えば、天板部３１２ａの上面から一部が張り出す態様で動作方向により動作抵抗が変化する装置（例えば、ラチェットやワンウェイギアを利用した装置）を配設しても良い。その装置を、傾倒部材３３０の傾倒時には傾倒部材３３０に与える抵抗が小さく、傾倒部材３３０の復帰動作時には傾倒部材３３０に与える抵抗が大きくなる態様（向き）で、傾倒部材３３０と当接可能に配設することで、傾倒時は傾倒部材３３０の動作をスムーズにしながら、復帰動作時には傾倒部材３３０の動作を緩慢にすることができる。
【０５１３】
また、傾倒部材３３０を付勢するダンパを配設しても良い。このとき、傾倒時（高速動作時）に生じる抵抗は小さく、復帰動作時（低速動作時）に生じる抵抗は大きくなる構造のダンパを傾倒部材３３０及び第１板部材３１０と連結し、ダンパから生じる抵抗を傾倒部材３３０の動作抵抗としてかけることにより、傾倒時は傾倒部材３３０の動作をスムーズにしながら、復帰動作時には傾倒部材３３０の動作を緩慢にすることができる。
【０５１４】
また、抵抗凹設部３１２ａ１に当接する傾倒部材３３０の本体枠３３１ａの下端部分が、出没動作可能な可動部として傾倒部材３３０に配設されても良い。即ち、突出状態では、抵抗凹設部３１２ａ１と当接する一方、没入状態では、抵抗凹設部３１２ａ１から間隔を空ける可動部として傾倒部材３３０に配設されても良い。この場合、その可動部が、規定個数以上の球が傾倒部材３３０に乗っている時に突出し、それ以外の場合に没入する構成とすることで、傾倒部材３３０の傾倒時には抵抗凹設部３１２ａ１との間で摩擦を生じさせ、復帰時（傾倒部材３３０の上面から球が流下した後）には、抵抗凹設部３１２ａ１との間で摩擦を生じないものとすることができる。
【０５１５】
この場合において、球が軸棒部３３２の軸方向のどの位置に配置されるかにより、可動部の出没の態様が変化するように構成しても良い。これにより、例えば、傾倒部材３３０の傾倒開始時に傾倒部材３３０の上面に乗っている球の配置により、抵抗凹設部３１２ａ１と傾倒部材３３０との間で生じる摩擦力の大きさを変化させることができる。
【０５１６】
また、抵抗凹設部３１２ａ１と当接可能とされる可動部の出没は、傾倒部材３３０に乗る球により行われる場合に限られない。例えば、傾倒部材３３０の周囲で可動とされる可動部（例えば、第２実施形態における移動部材２３５０）の状態の違いにより、抵抗凹設部３１２ａ１と当接可能とされる可動部の出没動作がおこなわれるものとしても良い。
【０５１７】
上記各実施形態では、上皿１７の底板の上端位置付近（左端付近）に配置された球が開口部１７ａを通して上皿１７の外部に排出される場合について説明したが、必ずしもこれに限られるものでは無い。例えば、上皿１７の左端付近（供給開口１７ｇよりも左方）に縦長の凹み（中皿）を設けて、その凹みの下端に傾倒部材３３０と同様の機構が配設されることで、凹みに所定個数以上の球が貯留される度に球が排出される構造としても良い。この場合、凹みに、上皿１７の上面視の広さに限定されることなく球を貯留させることができ（球を縦に積むことができ）、傾倒部材３３０の動作により多くの球を排出することができる。
【０５１８】
上記各実施形態では、傾倒部材３３０の背面側端部において湾曲部３３１ｄが傾倒部材３３０の軸方向に亘って形成され、傾倒部材３３０が回転することにより上端位置が上昇する場合について説明したが、必ずしもこれに限られるものでは無い。例えば、湾曲部３３１ｄが傾倒部材３３０の軸方向に沿った一部の領域（例えば、一方の軸側の領域）にのみ配置され、その他の領域は軸側に若干窪む構成とされ、傾倒部材３３０の傾倒により、一部の領域は上昇する一方で、その他の領域の上端位置は維持される（上昇しない）ようにしても良い。この場合、傾倒部材３３０の傾倒時に、一部の領域から傾倒部材３３０の上面に球が流入することを防止できると共に、その他の領域からは傾倒部材３３０の上面に球が流入することを許容することができる。
【０５１９】
これにより、傾倒部材３３０の背面側からの球の流入の度合い（傾倒部材３３０の傾倒時に球を流入させるか否か）を設定することができる。例えば、一部の領域を極めて狭くし、傾倒部材３３０の背面側の部分のほとんどを、その他の領域（上端位置が上昇しない領域）として形成する場合、傾倒部材３３０の傾倒時において橋渡し球貯留領域１７ｅに貯留されていた球もまとめて傾倒部材３３０の上面に流入させることができる。従って、傾倒部材３３０が一回傾倒する際に流下させる球の個数を、橋渡し球貯留領域１７ｅに貯留される球の個数分増加させることができる。
【０５２０】
上記各実施形態では、傾倒部材３３０の傾倒前の状態において、傾倒部材３３０の上面に乗った球の一部が解除部材３４０と当接可能な場合について説明したが、必ずしもこれに限られるものでは無い。例えば、球被覆面１７ａ２の下方かつ傾倒前の傾倒部材３３０の上方の位置に配設される仕切板により、隙間が球の直径未満とされても良い。この場合、傾倒部材３３０の傾倒前の状態において球被覆面１７ａ２の下方を球が通過することを仕切板により防止することができるので、傾倒部材３３０の傾倒前の状態において球が解除部材３４０と当接することを防止することができる。従って、解除部材３４０が球の衝突で回転することを防止できるので、純粋に、傾倒部材３３０に乗る球の重さにより傾倒部材３３０が傾倒するか、否かを規定することができる。
【０５２１】
上記各実施形態では、傾倒部材３３０が傾倒する前の状態において、解除部材３４０に負荷を与える球が７５個貯留されていないと、解除部材３４０が回転開始しない角度（水平面に対して１度程度）で傾倒部材３３０の上面が形成される場合について説明したが、必ずしもこれに限られるものではない。例えば、水平面に対する、傾倒部材３３０の上面の傾倒前の前後方向に向いた角度が１５度程度に設定されても良い。この場合、解除部材３４０に負荷を与える球を６個程度貯留させることにより、解除部材３４０を回転開始させることができる。
【０５２２】
上記各実施形態では、傾倒部材３３０が許容状態と規制状態とで状態が変化する際に、傾倒部材３３０の上面の傾斜角度が変化する場合（規制状態では１°で、許容状態では１５°である場合）について説明したが、必ずしもこれに限られるものでは無い。例えば、傾倒部材３３０の状態変化時に、傾倒部材３３０が、傾倒動作と共に、上下方向にスライド動作を行う態様とされ（例えば、軸棒部３３２を上下に移動可能な態様で支持するように、第２支持凹部１７ｃが変位可能な部分として構成され）、そのスライド方向の移動量により、傾倒部材３３０と解除部材３４０との間に球の直径より大きな間隔を形成するものとしても良い。この場合、規制状態において、許容状態よりも、水平面に対する傾斜角度が小さくされても良いし、規制状態と許容状態とで水平面に対する傾斜角度が同じとされても良い。
【０５２３】
上記各実施形態では、球の払い出しが行われる際に、払出モータ２１６が一定速度で動作する場合について説明したが、必ずしもこれに限られるものでは無い。例えば、払い出しの速度を、現状のラウンド数（第１特定入賞口６５ａの開閉動作が何回行われたか）に因り変化させても良い。
【０５２４】
例えば、奇数ラウンドでは、払出モータ２１６が毎秒１個の払出速度で動作し、偶数ラウンドでは、払出モータ２１６が毎秒１０個の払出速度で動作する態様としても良い。この場合、奇数ラウンドの払い出し時に比較して、偶数ラウンドの払い出し時の方が、傾倒部材３３０に球が貯まる速度が速くされると共に、傾倒部材３３０の傾倒動作の頻度が高くなる。即ち、どのラウンドの払い出しなのかによって、傾倒部材３３０が傾倒動作する頻度を変化させることができ、流下装置３００の内部流路を球が流下する頻度を変化させることができる。
【０５２５】
上記第２実施形態では、解除部材３４０の回転を規制板２３５３で規制することにより球の排出を防止可能な場合について説明したが、必ずしもこれに限られるものではない。例えば、解除部材３４０の回転は許容しながら、規制板が傾倒部材３３０を下支えする態様で挿入されることで傾倒部材３３０の回転を規制するようにしても良い。
【０５２６】
また、上皿２０１７の正面側内面に沿ってスライド可能な仕切板が配設され、その仕切板を球案内天面１７ａ１の背面側から球被覆面１７ａ２の背面側へスライド移動させることにより、球と解除部材３４０との間を仕切板で遮蔽するようにしても良い。この場合、球が解除部材３４０に当接することを防止できるので、解除部材３４０に負荷がかけられることを回避することができる。
【０５２７】
上記第２実施形態では、開口部１７ａの球が通過可能な領域の大きさを変化させることで、開口部１７ａから排出される球の個数を変化させる場合について説明したが、必ずしもこれに限られるものではない。例えば、解除部材３４０に負荷を与える球の位置を、傾倒部材３３０の幅方向で変化可能としても良い。即ち、解除部材３４０の当接板部３４２が傾倒部材３３０の幅方向全領域に配置され、解除部材３４０に球を案内可能な球被覆面１７ａ２に対応する部分（球案内開口）が傾倒部材３３０の幅方向に移動可能に構成しても良い。この場合、第２実施形態のように傾倒部材３３０の上流側端部に配置される球が解除部材３４０に当接する場合に比較して、傾倒部材３３０の下流側端部に配置される球が解除部材３４０に当接して解除部材を回転させる場合（このとき、後追い球貯留領域１７ｆに球が満たされる前に解除部材３４０を回転させるのに十分な負荷が解除部材３４０に生じる）の方が、傾倒部材３３０が回転することに伴いまとまって排出される球の個数を少なくすることができる。これにより、遊技者は、遊技状態に応じて球の排出個数を調整することができる。
【０５２８】
一方で、傾倒部材３３０が回転し球が排出された時、上皿２０１７に残留される球は、発射球貯留領域１７ｄ及び橋渡し球貯留領域１７ｅに配置される球であり、解除部材３４０に当接する球の位置によらず同じとされる。従って、傾倒部材３３０の回転によりまとまって排出される球の個数を変化させながら、排出後に上皿２０１７に残留する球の個数が変化することを防止することができる。これにより、流下装置３００を利用した球の排出演出の演出効果を遊技者に選択させながら、その選択によらず、上皿２０１７に残る球が過度に減少することを防止することができる。
【０５２９】
上記第２実施形態では、第１遮蔽板２３５１及び第２遮蔽板２３５２を背面側位置に配置することにより、第１遮蔽板２３５１及び第２遮蔽板２３５２で傾倒部材３３０の上面を部分的に覆う場合について説明したが、必ずしもこれに限られるものではない。例えば、傾倒部材３３０の全範囲を遮蔽板２３５１，２３５２で覆うように構成しても良い。この場合、傾倒部材３３０及び解除部材３４０が許容状態となっても遮蔽板２３５１，２３５２の上に球を留めておくことができるので、開口部１７ａからの球の排出を防止することができる。
【０５３０】
上記第２実施形態では、傾倒部材３３０の上方に貯留される球を排出する際、開口部１７ａの一部の範囲から球が排出されることを防止することにより球の排出態様を変化させる場合について説明したが、必ずしもこれに限られるものではない。例えば、発射球貯留領域１７ｄの上面の内、開口部１７ａの下流側（正面視右側）に隣り合う部分に、前後方向に延びる軸を中心として開口部１７ａ側に傾倒する態様で状態変化可能な可動床を配設しても良い。この場合、可動床の傾倒角度により、可動床に乗る球が開口部１７ａを通して排出されるか否かを切り替えることができる。即ち、第２実施形態と同様に可動床が開口部１７ａから遠ざかるほど下降傾斜する状態では、傾倒部材３３０が回転し球が排出され始めたとしても可動床の上面に配置される球が開口部１７ａに流入することは無いが、一方で、可動床が開口部１７ａへ向けて下降傾斜する状態では、傾倒部材３３０が回転し球が排出され始めることに伴い可動床の上面に配置される球が開口部１７ａに流入するので、可動床付近において開口部１７ａを通過する球の個数（密度）が増加する。従って、傾倒部材３３０の下流側（正面視右側）に配置される可動床の状態により、傾倒部材３３０が回転することに伴い排出される球の流下態様を変化させることができる。
【０５３１】
なお、可動床は、傾倒部材３３０の下流側に配設するものに限られない。例えば、傾倒部材３３０の上流側である後追い球貯留領域１７ｆに可動床が配設されても良い。この場合、可動床の傾斜角度により、後追い球貯留領域１７ｆに貯留された球から傾倒部材３３０の上面に配置された球へ与える負荷の大きさを変化させることができるので、傾倒部材３３０及び解除部材３４０が許容状態となる時に後追い球貯留領域１７ｆに貯留される球の個数を変化させることができる。
【０５３２】
上記第２実施形態では、上皿２０１７に貯留される球の個数が所定個数（例えば、ＭＡＸ個）となることにより、傾倒部材３３０及び解除部材３４０が許容状態に状態変化し上皿２０１７から球が排出される場合について説明したが、必ずしもこれに限られるものではない。例えば、球の排出の開始は、球抜きレバー５２を操作して下皿１５から球を排出するのと同じように、上皿２０１７に配設される球抜きレバーを遊技者が操作することにより開口部１７ａを通して球が上皿２０１７から排出されるようにしても良い。この場合、遮蔽板２３５１，２３５２の配置により開口部１７ａの開口広さを変化させることができるので、球抜きレバーの動作量を調整しなくとも（二値的な開閉動作をするだけで）、球の排出流量を変化させることができる。
【０５３３】
上記第２実施形態では、順序規定装置４００を配設し、傾倒部材３００と解除部材３４０との動作順序を規定することで、傾倒部材３３０の復帰動作時に解除部材３４０との間で生じる摩擦が解消される場合について説明したが、必ずしもこれに限られるものではない。例えば、傾倒部材３３０又は解除部材３４０の少なくとも一方の形状を変化させることにより、当接時の摩擦を低減するようにしても良い。
【０５３４】
この場合において、例えば、解除部材３４０の係合凸部３４５と同じ役割の部材であって、前後および上下方向に沿った方向にスライド移動可能な態様で段違い板部３４４に支持されるスライド係合部材を備え、そのスライド係合部材は、傾倒部材３３０が上から当たる（スライド係合部材にのしかかる態様で当接する）場合には段違い板部３４４に対して固定される一方、傾倒部材３３０が下から当たる（スライド係合部材を押し上げる態様で当接する）場合には段違い板部３４４に対して滑らかに移動可能な態様で、案内支持されても良い（例えば、軸棒部３４１の軸方向視で軸棒部３４１に近づくほど当接板部３４２から離間する方向に傾斜する案内溝にスライド係合部材が支持され、軸棒部３４１から径方向に最も離れた位置にスライド係合部材が配置された状態で規制状態を形成する（解除部材３４０に固定される）態様）。これによれば、傾倒部材３３０がスライド係合部材に当接する方向が下向きである場合に比較して、上向きである場合の方が、スライド係合部材の段違い板部３４４に対する動作抵抗（摩擦抵抗）を小さくすることができるので、解除部材３４０から傾倒部材３３０に与えられる負荷により生じる摩擦抵抗により傾倒部材３３０が復帰途中で止まるという不具合を解消することができる。
【０５３５】
また、例えば、解除部材３４０が軸棒部３４１の軸方向に若干移動可能とされ、バネで軸方向の一端側に支持される場合において、解除部材３４０の傾倒部材３３０と当接する解除部材側当接部の一個あたりが軸方向の移動距離よりも短い幅で形成され、解除部材側当接部の下端面は軸方向に沿って一端側から他端側へ向かうにつれて下降傾斜する一方で、上端面は軸径方向に凹設される形状とされ、傾倒部材３３０の一部であって解除部材３４０と当接する傾倒部材側当接部は、軸方向で解除部材側当接部と対応する位置に配設されると共に、解除部材側当接部と同程度の幅で形成されるようにしても良い。この場合、傾倒部材３３０が解除部材３４０に下側から当接する場合（傾倒部材３３０の復帰時）には、解除部材側当接部の下端面の傾斜により解除部材３４０が軸方向他端側に移動し押しのけられることで、解除部材３４０を回転させることなく傾倒部材３３０を復帰させることができ、傾倒部材３３０の復帰後は、バネにより解除部材３４０を軸方向一端側へ戻すことで傾倒部材３３０及び解除部材３４０の当接部同士の軸方向位置を戻すことができる。一方で、傾倒部材３３０が解除部材３４０に上側から当接する場合（傾倒部材３３０の傾倒時）には、解除部材側当接部の上端面の凹設部分に傾倒部材側当接部が入ることにより解除部材３４０を回転させながら（解除部材３４０から回転方向の負荷を受けながら）傾倒部材３３０を回転させる態様とすることができる。従って、解除部材３４０の回転方向の負荷により傾倒部材３３０の傾倒開始に必要な球の個数を多くしながら、傾倒部材３３０の復帰時に解除部材３４０から傾倒部材３３０に与えられる負荷により生じる摩擦抵抗により傾倒部材３３０が復帰途中で止まるという不具合を解消することができる。
【０５３６】
また、例えば、傾倒部材３３０の係合部３３３ｂと同様の角度で傾倒部材３３０の先端部から出没する出没板が傾倒部材に配設され、その出没板は、傾倒部材３３０の下流側（１列目）に球が配置されることで突出状態（解除部材３４０の係合凸部３４５と当接する状態）とされ、傾倒部材３３０の傾倒時に１列目の球が無くなることにより没入状態（解除部材３４０の係合凸部３４５と当接しない状態）とされるように構成しても良い（例えば、傾倒部材３３０の復帰前の状態において鉛直方向を向く軸棒で軸支される板部材が傾倒部材３３０に軸支され、傾倒部材３３０の傾倒時には軸方向が水平方向成分を含むことから、重心の位置が軸に対して出没板を没入させる位置に配置される構成としても良い）。この場合、傾倒部材３３０が傾倒した後で球が流れ落ちることに伴い、傾倒部材３３０が復帰する前に出没板が没入状態となるので、解除部材３４０から傾倒部材３３０が負荷を受ける事態を回避することができる。一方で、傾倒部材３３０が起き上がり球が貯まっていくと（下流側一列目に球が貯まると）出没板は解除部材３４０と当接する位置まで張り出すので、傾倒部材３３０を傾倒開始させるために必要な球の個数を解除部材３４０の負荷により増大させることができる。従って、解除部材３４０の回転方向の負荷により傾倒部材３３０の傾倒開始に必要な球の個数を多くしながら、傾倒部材３３０の復帰時に解除部材３４０から傾倒部材３３０に与えられる負荷により生じる摩擦抵抗により傾倒部材３３０が復帰途中で止まるという不具合を解消することができる。
【０５３７】
上記第２実施形態では、順序規定装置４００により、傾倒部材３３０の復帰が完了してから解除部材３４０が傾倒部材３３０に近接する側に回転を開始するように動作順序が規定される場合について説明したが、必ずしもこれに限られるものではない。例えば、解除部材３４０の復帰が完了してから傾倒部材３３０の復帰が開始するように、順序規定装置４００が構成されても良い（各固着部材４１０，４２０の配設角度の変更により構成することができる）。この場合、解除部材３４０が復帰を完了する前（例えば、流下する球に衝突し、復帰しきらない状態）では、傾倒部材３３０が傾倒した姿勢を維持するので、開口部１７ａからの球の排出期間を確保することができる。
【０５３８】
上記第２実施形態では、移動部材２３５０の規制板２３５３により解除部材３４０の回転を規制し、球の排出を規制する場合について説明したが、必ずしもこれに限られるものではない。例えば、移動部材２３５０の配置を背面側寄りに変えることにより、傾倒部材３３０の傾倒時の傾斜角度を変更可能に構成しても良い。この場合、移動部材２３５０の配置を変えることにより、傾倒部材３３０の上面を流下する球の流下速度を変化させることができ、それに伴い、開口部１７ａを通過する球の流量を変化させることができる。
【０５３９】
例えば、各遮蔽板２３５１，２３５２が正面側位置に配置された場合よりも、背面側位置に配置された場合に、規制板２３５３を適した配置にすることで、傾倒部材３３０の傾倒時の傾斜角度を大きくする態様で構成することにより、各遮蔽板２３５１，２３５２が背面側に配置された状態における傾倒部材３３０の上面を流下して開口部１７ａから排出される球の排出流量が過度に小さくなることを防止することができる。
【０５４０】
上記第２実施形態では、各遮蔽板２３５１，２３５２が正面側から背面側へ向けてスライド動作する場合を説明したが、必ずしもこれに限られるものではない。例えば、部材のスライドする方向は、自由に設定することが可能であって、その移動態様も自由に設定することが可能である。例えば、直線的にスライド移動するものでも良いし、鉛直方向を向く回転軸を中心に回転動作するものでも良い。
【０５４１】
上記第２実施形態では、各遮蔽板２３５１，２３５２が正面側に配置される場合に比較して、各遮蔽板２３５１，２３５２が背面側に配置される場合の方が、開口部１７ａを通して排出される球の配置が上皿２０１７の上流側（左側）に寄る場合について説明したが、必ずしもこれに限られるものではない。例えば、開口部１７ａの下流側に外れた位置（右側、発射球貯留領域１７ｄの左端付近）に、各遮蔽板２３５１，２３５２が配設され、その上面が左方へ向けて下降傾斜する態様とされても良い。この場合、各遮蔽板２３５１，２３５２が正面側に配置される場合に開口部１７ａの下流側に外れた位置に貯留された球は、傾倒部材３３０の状態によらず発射球貯留領域１７ｄの上面の傾斜に沿って発射供給口１７ｋへ向けて流下する一方で、各遮蔽板２３５１，２３５２が背面側に配置される場合に開口部１７ａの下流側に外れた位置に貯留された球は、傾倒部材３３０が傾倒することに伴い、各遮蔽板２３５１，２３５２の上面の傾斜に沿って開口部１７ａへ向けて流下する。即ち、各遮蔽板２３５１，２３５２が正面側に配置される場合に比較して、各遮蔽板２３５１，２３５２が背面側に配置される場合の方が、開口部１７ａを通して排出される球の配置を上皿２０１７の下流側（右側）に寄せることができる。これにより、開口部１７ａの下流側に外れた位置からも開口部１７ａを通る球を開口部１７ａに案内できるので、傾倒部材３３０が傾倒することに伴い、開口部１７ａを通して流下する球の個数を増加させることができる（傾倒部材３３０の上面と、開口部１７ａの上流側に配置される後追い球貯留領域１７ｆと、に貯留される球の上限個数以上の球を流下させることができる）。
【０５４２】
上記第２実施形態では、球の直径（２×ｒａ）よりも若干長い幅で延設される延設溝２０１７ｈが傾倒部材３３０の下流側に配設される場合について説明したが、必ずしもこれに限られるものではない。例えば、傾倒部材３３０の背面側（橋渡し球貯留領域１７ｅの一部）に配設されても良い。この場合、傾倒部材３３０の上面で球の正面側への流下を規制せずとも、延設溝２０１７ｈにより、橋渡し球貯留領域１７ｅに貯留された球が正面側へ流下することを規制することができる。また、延設溝２０１７ｈに貯留される球の個数が一定個数を越えた後で延設溝２０１７ｈに球が到達した場合は、既に延設溝２０１７ｈに貯留されている球の上伝いに球を正面側へ流すことができる。
【０５４３】
上記第３実施形態では、傾倒部材３３０が傾倒することにより棒状の昇降部材５１０が上昇することにより、球の流下経路を規定する場合を説明したが、必ずしもこれに限られるものではない。例えば、傾倒部材３３０又は解除部材３４０の動作に伴い、リンクなどの伝達機構で連動して上皿１７の内部に出没する出没部材により球の流下経路を規定しても良い。
【０５４４】
例えば、傾倒部材３３０が傾倒することに伴い後追い球貯留領域１７ｆと傾倒部材３３０との境界面に沿って板状の出没部材が突出する態様とすると、傾倒部材３３０上に配置されていた球が排出される時には後追い球貯留領域１７ｆに配置された球が傾倒部材３３０に流入することが出没部材により規制され、傾倒部材３３０が再度起き上がり出没部材が没入した後で、後追い球貯留領域１７ｆに配置されていた球が傾倒部材３３０上に流入するようにすることができる。従って、傾倒部材３３０上に配置される球の排出タイミングと、後追い球貯留領域１７ｆに配置される球の排出タイミングとを分けることができるので、上皿１７の形状を変えることなく、一度の傾倒部材３３０の傾倒で排出される球の個数を少なくすることができる。
【０５４５】
また、出没部材は、橋渡し球貯留領域１７ｅと傾倒部材３３０との境界面に沿って突出する態様で配置されても良い。この場合、傾倒部材３３０の傾倒時に橋渡し球貯留領域１７ｅから傾倒部材３３０の上面へ球が流入することを防止することができる。
【０５４６】
例えば、橋渡し球貯留領域１７ｅを構成する床部分であって、傾倒部材３３０に近接する部分である近接床部分が、上下に昇降可能な構成とされ、近接床部分は傾倒部材３３０とリンクなどの伝達装置で連結され、傾倒部材３３０の傾倒動作に伴って近接床部分が昇降動作する態様としても良い。このとき、傾倒部材３３０が傾倒動作することにより近接床部分が傾倒部材３３０の上面から球の半径ｒａ以上の長さ下降する態様とすることで、傾倒部材３３０の傾倒前においては、近接床部分と傾倒部材３３０の上面との高低差を抑え、ある程度のバウンドや、貯留球同士の押し合いによる、橋渡し球貯留領域１７ｅから傾倒部材３３０の上面への球の流入を可能としながら、傾倒部材３３０の傾倒後においては、橋渡し球貯留領域１７ｅから傾倒部材３３０への球の流入を防止し易くすることができる。なお、近接床部分の動作方向は、昇降動作に限るものでは無い。例えば、水平方向にスライド移動する態様でも良い。
【０５４７】
例えば、傾倒部材３３０が傾倒する前は傾倒部材３３０の上面を延設方向で半分に区切る態様で傾倒部材３３０の上面から上方へ板状の出没部材が張り出され、その出没部材は傾倒部材３３０が傾倒することに伴い傾倒部材３３０の上面から下方へ退避する態様とすると、傾倒部材３３０に球が貯留されていく途中は出没部材により球の流下経路を規定できる一方、傾倒部材３３０が傾倒され球が排出される時には、出没部材は退避し、球と当たらないので、出没部材により球の流下抵抗が増加することを防止できる。
【０５４８】
上記第４実施形態では、枠外延設部４３３７が湾曲部３３１ｄに沿って延設される場合を説明したが、必ずしもこれに限られるものではない。例えば、枠外延設部４３３７が軸棒部３３２の軸方向に沿って延設される態様でも良い。この場合、橋渡し球貯留領域１７ｅの左右方向に対する傾斜との関係により、湾曲部３３１ｄの最上端部と橋渡し球貯留領域１７ｅの上面との間の高さ方向距離の方が、枠外延設部４３３７の最上端部と橋渡し球貯留領域１７ｅの上面との間の高さ方向距離よりも長くなる。これにより、傾倒部材４３３０の傾倒時において、湾曲部３３１ｄを越えて正面側に球が流入する場合に比較して、枠外延設部４３３７を越えて正面側に球が流入する場合の方が、小さな負荷で球が流入する態様とすることができる。
【０５４９】
上記第６実施形態では、正面枠６０１４を閉鎖した状態から、正面枠６０１４を開放するにつれて、開閉軸に近接する側において回転方向で互いに対向配置される被収容部材ＩＮＢ及び収容凹部ＩＮＣの側面の離間幅が大きくなる場合を説明したが、必ずしもこれに限られるものではない。例えば、被収容部材ＩＮＢ及び収容凹部ＩＮＣの側面に両端が貼り付けられ、両部材の間に形成される隙間を埋める態様で回転方向に変形自在に配設される被覆部材を備えても良い。この場合、正面枠６０１４を開放した状態においても、被覆部材により被収容部材ＩＮＢ及び収容凹部ＩＮＣの間の隙間を埋めることができるので、被覆部材によりピアノ線などの進入を防止することができる。なお、被覆部材の材料は、何ら限定されるものでは無い。例えば、布などの繊維部材でも良いし、低弾性の樹脂部材でも良い。
【０５５０】
上記第６実施形態では、正面枠に被収容部材ＩＮＢが固定される場合を説明したが、必ずしもこれに限られるものではない。例えば、内枠１２に被収容部材ＩＮＢが固定され、正面枠６０１４側に突出し、正面枠６０１４に被収容部材ＩＮＢを受け入れる開口部が配置されても良い。この場合、正面枠６０１４の開閉時に、被収容部材ＩＮＢが変位することを防止することができる。
【０５５１】
上記第６実施形態では、第１板部材３１０の案内板部３１２が孔の無い板形状で構成される場合を説明したが、必ずしもこれに限られるものではない。例えば、案内板部３１２がパンチングメタルのように複数の貫通孔を有する態様で構成されても良い。ここで、被収容部材ＩＮＢがスピーカー等の音響装置から構成される場合に、音響装置から発生する振動波を貫通孔伝いに第１板部材３１０及び第２板部材３２０の内部流路へ入れることができる。これにより、内部流路を流下する球の流下態様を、音響装置から発生する振動波の態様により変化させることができる。例えば、スピーカーの右半分（例えば、右半分のスピーカーユニット）から音を出す場合と、左半分から音を出す場合とで、遊技者が聞き取れる音の違いを抑制しながら、内部流路を流下する球への影響は左右で明確に変えることができる。従って、例えば、大当たり期待度が小さな演出（例えば、大当たりになる確率が１０％以下の演出）の際には、スピーカーの右半分から音を出し、大当たり期待度が大きな演出（例えば、大当たりになる確率が６０％以上の演出）の際には、スピーカーの左半分から音を出し、それ以外の演出では、スピーカーの左右両方から音を出すようにすることで、遊技者が聞き取れる音の違いを抑制しながら、大当たり期待度の違いと、第１板部材３１０及び第２板部材３２０の内部流路を流下する球の流下態様とを対応付けることができる。これにより、第１板部材３１０及び第２板部材３２０の内部流路を流下する球の流下態様に注目させることができる。
【０５５２】
上記第６実施形態では、流下装置６３００の内部流路が上下方向に延設され、その背面側に被収容部材ＩＮＢが配置される場合について説明したが、必ずしもこれに限られるものではない。例えば、流下装置６３００の内部流路がパチンコ機１０の左右方向中心位置へ向けて水平方向に沿って延設され、その延設端においてパチンコ機１０の左右方向中心位置付近で上下方向に延設される一方で、被収容部材ＩＮＢは、正面枠６０１４の開閉軸付近に配設されるものとしても良い。この場合、被収容部材ＩＮＢの正面側端部の配置が流下装置６３００に規制されることなく、内部流路の左側を越えて正面側へ張り出して配置することができる。従って、被収容部材ＩＮＢの背面側部分は収容凹部ＩＮＣに収容させながら、被収容部材ＩＮＢの正面側部分を遊技者に近い位置に配置することができる。これにより、被収容部材ＩＮＢの前後長さが長くても、最大限対応することができると共に、内部流路を流下する球を目出たせることができる。
【０５５３】
上記第６実施形態では、被収容部材ＩＮＢが一箇所に配置される場合を説明したが、必ずしもこれに限られるものではない。例えば、被収容部材ＩＮＢが正面枠６０１４の複数箇所から内枠１２側へ突出する態様で構成されても良い。この場合、被収容部材ＩＮＢと収容凹部ＩＮＣとによる位置決めを複数箇所で行うことができるので、正面枠６０１４と内枠１２との位置決め精度を高めることができると共に、位置決めのみを目的として正面枠６０１４から内枠１２側へ突出する嵌合突起の形成を省略することができる。
【０５５４】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５５５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５５６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５５７】
以下に、本発明の遊技機に加えて上述した実施形態に含まれる各種発明の概念を示す。
【０５５８】
＜所定個数の球の負荷で傾倒部材３３０を開放可能とするポイント。＞
球を貯留可能な貯留部と、その貯留部に球を供給する供給手段と、球が通過可能な開口として前記貯留部に形成される球排出開口と、を備える遊技機において、前記球排出開口を球が通過することを規制する規制状態と、前記球排出開口を球が通過することを許容する許容状態とで状態変化可能に構成されると共に、前記規制状態から前記許容状態に状態変化した後、所定期間内に前記球排出開口から排出される球の個数を規定範囲個数ずつに制限する規定球抜き手段、を備えることを特徴とする遊技機Ａ１。
【０５５９】
パチンコ機等の遊技機において、払い出し装置から払い出された球であって、発射前の球を上皿に貯留し、その貯留した球を球排出開口から下方へ流下可能な遊技機がある（例えば特開２００９−０００３０９号公報を参照）。しかし、上述した従来の遊技機では、上皿からの球の排出タイミング（球の貯まり具合）により、排出される球の個数が一定では無いため、球抜きのタイミングに神経を使う必要があり、遊技者が遊技に集中することの妨げとなるという問題点があった。
【０５６０】
これに対し、遊技機Ａ１によれば、規定球抜き手段により、遊技者が神経を使わずとも、供給手段から払い出された球を球排出開口から規定範囲個数ずつ排出可能とされるので、遊技者が遊技に集中し易くすることができる。
【０５６１】
ここで、規定範囲個数とは、範囲を持った個数を意味する。例えば、規定範囲個数を１０個以上と指定する場合、９個未満は、規定範囲個数から除かれる。例えば、規定範囲個数を１０個以上１５個未満または２０個以上と指定する場合、９個未満および１５個以上１９個未満は、規定範囲個数から除かれる。
【０５６２】
なお、規定範囲個数ずつ球を排出可能な態様は、何ら限定されるものでは無い。例えば、球排出開口の上流側に規定範囲個数の球が貯留されるまで球排出開口の球の通過を規定球抜き手段が規制し、球排出開口の上流側に規定範囲個数の球が貯留されることに伴いその規制が自動で解除される態様でも良いし、遊技者が規定球抜き手段を操作した際に規定範囲個数の球が球排出開口の上流側に配置されているか否かにより規定球抜き手段の挙動が変化する態様でも良い。
【０５６３】
なお、貯留部の態様は何ら限定されるものでは無い。例えば、払出装置から球が供給される上皿でも良いし、千両箱の真上に配置される下皿でも良いし、上皿と下皿との間に配置される第３の皿でも良い。
【０５６４】
遊技機Ａ１において、前記規定球抜き手段は、前記球排出開口の上流側に配置され前記規定球抜き手段により流下を規制される球である被規制球の個数が規定範囲個数となった後で、許容状態に状態変化可能とされることを特徴とする遊技機Ａ２。
【０５６５】
遊技機Ａ２によれば、遊技機Ａ１の奏する効果に加え、球排出開口を球が通過可能か、通過不可能かを切り替える規定球抜き手段が、規制状態から許容状態へ切り替えられる際には、規定球抜き手段により規定範囲個数の被規制球が球排出開口の上流側に滞留していることとなるので、規定球抜き手段が許容状態へ切り替えられることに伴い、球排出開口の上流側に滞留していた被規制球を一度に排出することができる。これにより、規定球抜き手段が許容状態とされた場合に、不十分な量（規定範囲個数未満の量）の球が球排出手段から排出されるという不具合を防止することができる。
【０５６６】
遊技機Ａ２において、前記貯留部に供給された球を発射装置に案内する発射供給口を備え、前記規定球抜き手段は、前記発射供給口よりも上流側に配置され、前記被規制球から与えられる負荷であって、前記発射供給口の逆側に貯留される球から生じる負荷により、前記許容状態へ切り替えられることを特徴とする遊技機Ａ３。
【０５６７】
遊技機Ａ３によれば、遊技機Ａ２の奏する効果に加え、貯留部に供給される球からの負荷で規定球抜き手段の状態が切り替えられることから遊技者の操作を不要とできる（自動開放にできる）ので、手動で球を排出する煩わしさから遊技者を開放できると共に、その負荷が発射供給口の逆側に貯留される球から生じる負荷により規定球抜き手段の状態が切り替えられることから、規定範囲個数の球が溜まる前に発射供給口へ向けて流下する球からの負荷で規定球抜き手段の状態が切り替えられる不具合を防止することができる。
【０５６８】
遊技機Ａ２又はＡ３において、前記規定球抜き手段は、前記貯留部に貯留される球から与えられる負荷により変位すると共に、変位前の状態において前記規定球抜き手段を前記規制状態へ維持する方向の負荷を生じる解除手段を備え、その解除手段の変位は、前記球排出開口から球が排出されている間維持されることを特徴とする遊技機Ａ４。
【０５６９】
遊技機Ａ４によれば、遊技機Ａ２又はＡ３の奏する効果に加え、球排出開口から球が排出されている間、解除手段の所定量の変位が維持されるので、規定球抜き手段上流から球排出開口へ球が流入する速度を整えることをしなくとも、途中で解除手段の変位が解消されることを防止することができる。
【０５７０】
遊技機Ａ４において、前記解除手段は、所定の軸を中心とした回転により変位され、前記規定球抜き手段の前記規制状態において球が前記解除手段に当接する場合に比較して、前記規定球抜き手段の前記許容状態において球が前記解除手段に当接する場合の方が、球と前記解除手段との当接位置が前記所定の軸から遠くに設定されることを特徴とする遊技機Ａ５。
【０５７１】
遊技機Ａ５によれば、遊技機Ａ４の奏する効果に加え、球の負荷による解除手段の変位し易さを、規定球抜き手段の状態により変化さえることができる。即ち、規定球抜き手段の規制状態では球は回転軸に近い位置で解除手段と当接することから、球から負荷を受けた場合に解除手段が姿勢を維持し易くされる一方、規定球抜き手段の許容状態では、規制状態の時に比較して回転軸から遠い位置で球と解除手段とが当接することから、同じ負荷を球から受けたとしても、解除手段を変位させやすくすることができる。
【０５７２】
これにより、球の流下により解除手段に継続的に負荷がかけられる場合に、解除手段の変位前は、解除手段は、そのままの姿勢を維持し易くなり、解除手段の変位後は、解除手段は、変位後の姿勢を維持し易くなる。即ち、変位前後の状態を安定化させることができる。
【０５７３】
遊技機Ａ４又はＡ５において、前記規定球抜き手段は前記貯留部の底面に形成され、前記解除手段は、前記規定球抜き手段の上流側端部であって、前記規定球抜き手段を基準として前記供給手段の反対側に配設されることを特徴とする遊技機Ａ６。
【０５７４】
遊技機Ａ６によれば、遊技機Ａ４又はＡ５の奏する効果に加え、供給手段から供給された球が規定球抜き手段の上を通過した後で解除手段に到達する条件のもとで、解除手段が規定球抜き手段の上流側端部に配置されることから、解除手段に球が負荷をかける前に規定球抜き手段の上面を球で埋め尽くし易くすることができる。従って、規定球抜き手段を、球の流下を規制するか許容するかを切り替える切り替え手段と、球に埋め尽くされる貯留領域を確保する手段とで兼用することができる。
【０５７５】
遊技機Ａ４からＡ６のいずれかにおいて、前記貯留部に供給された球に干渉すると共に前記解除手段に球が至る経路を制限する干渉手段を備えることを特徴とする遊技機Ａ７。
【０５７６】
遊技機Ａ７によれば、遊技機Ａ４からＡ６のいずれかの奏する効果に加え、球が解除手段へ至る経路を制限することができる。
【０５７７】
干渉手段の態様は何ら限定されるものでは無い。例えば、貯留部の底面の高さの違いにより形成される段差でも良いし、貯留部の内部を仕切る仕切板でも良い。
【０５７８】
なお、球が解除手段に流入する経路は、規定球抜き手段に球が乗る経路でも良いし、規定球抜き手段に球が乗らない経路でも良い。
【０５７９】
遊技機Ａ７において、前記干渉手段は、前記規定球抜き手段に配設されることを特徴とする遊技機Ａ８。
【０５８０】
遊技機Ａ８によれば、遊技機Ａ７の奏する効果に加え、用途の兼用により部材個数を削減することができる。なお、干渉手段は、規定球抜き手段のどの部分に配設されても良い。
【０５８１】
遊技機Ａ８において、前記干渉手段は、前記規定球抜き手段の、前記供給手段側の端部に配設され、前記解除手段は、前記規定球抜き手段を基準として前記供給手段の反対側に配設されることを特徴とする遊技機Ａ９。
【０５８２】
遊技機Ａ９によれば、遊技機Ａ８の奏する効果に加え、供給手段から供給された球が規定球抜き手段に乗り上げる前に球の経路を規制することができるので、予期せず球が規定球抜き手段に乗り上げることを防止することができると共に、規定球抜き手段を通過した球が解除手段に到達するという条件の下で規定球抜き手段に球が乗り上げることを防止することができるので、供給手段から供給された球が解除手段に到達する可能性を低減することができる。
【０５８３】
遊技機Ａ４からＡ９のいずれかにおいて、前記解除手段は、前記貯留部の内壁の外方に配設され、前記干渉手段は、前記貯留部の内壁から前記解除手段へ向けて延設される延設部を備えることを特徴とする遊技機Ａ１０。
【０５８４】
遊技機Ａ１０によれば、遊技機Ａ４からＡ９のいずれかの奏する効果に加え、貯留部の内壁に沿って転動する球が、貯留部の内壁に沿ったままの勢いで解除手段に当接し、負荷をかけることを防止することができる。
【０５８５】
なお、延設部としては、例えば、解除手段の横に配設される部分や、解除手段の上に配設される部分が例示される。解除手段の上に配設される場合、遊技者が貯留部に供給した球が解除手段へ向かうことを抑制することができる。
【０５８６】
遊技機Ａ１０において、前記解除手段の面であって球と当接する当接面と、前記貯留部の内壁との間隔が、球の半径以上とされることを特徴とする遊技機Ａ１１。
【０５８７】
遊技機Ａ１１によれば、遊技機Ａ１０の奏する効果に加え、当接面に当接する球と、内壁に沿って転動する球とが衝突した際に、当接面と当接する球へ与えられる負荷が解除手段へ向かう方向となるので、衝突により当接面と当接している球が解除手段から遠ざかる方向に押しのけられることを防止することができる。
【０５８８】
遊技機Ａ４からＡ１１において、前記解除手段に隣設されると共に前記解除手段を囲う囲い壁部を備え、その囲い壁部は、前記貯留部内側の端部が、前記解除手段へ近づくほど上昇傾斜する形状から形成されることを特徴とする遊技機Ａ１２。
【０５８９】
遊技機Ａ１２によれば、遊技機Ａ４からＡ１１のいずれかの奏する効果に加え、囲い壁部の形状により、貯留部から解除手段へ向けて流下し解除手段へ近づく球の速度方向を、上方へ向く方向に切り替えることができる。これにより、その球が解除手段に到達する前に、球の速度の水平方向成分を低減させることができる。
【０５９０】
遊技機Ａ１からＡ１２のいずれかにおいて、前記貯留部は、前記供給手段から払い出された球の着地点と前記発射供給口との間に延設される溝である受け入れ溝を備え、前記供給手段から払い出された球は、前記受け入れ溝が満たされるまでは前記受け入れ溝に流入することを特徴とする遊技機Ａ１３。
【０５９１】
遊技機Ａ１３によれば、遊技機Ａ１からＡ１２のいずれかの奏する効果に加え、供給手段から払い出された球は、受け入れ溝が満たされるまでは受け入れ溝に流入するので、受け入れ溝が十分な数量の球で満たされる態様とすることにより、供給手段から払い出された球が受け入れ溝に流入するか否かにより貯留部に貯留された球が十分な数量を越えているのか否かを目視で容易に把握することができる。これにより、貯留部に球を供給するタイミングを容易に予想することができるので、貯留部の球数に気を使うことなく、遊技に集中することができる。
【０５９２】
遊技機Ａ１３において、前記受け入れ溝は、深さが球の半径以上であって、幅が球の直径と同程度に設定されることを特徴とする遊技機Ａ１４。
【０５９３】
遊技機Ａ１４によれば、遊技機Ａ１３の奏する効果に加え、受け入れ溝の深さが球の半径以上であることから、一度受け入れ溝に流入した球を受け入れ溝に維持し易くでき、受け入れ溝の幅が球の直径と同程度に設定されることから、受け入れ溝に流入した球を一列に並べることができる。従って、受け入れ溝の球の保持力向上と、受け入れ溝に保持される球の数ズレの防止とを図ることができる。
【０５９４】
遊技機Ａ１４において、前記受け入れ溝は、溝深さが、球の直径以下とされることを特徴とする遊技機Ａ１５。
【０５９５】
遊技機Ａ１５によれば、遊技機Ａ１４の奏する効果に加え、受け入れ溝が球で満たされた状態で、受け入れ溝に球が着地した場合であっても、受け入れ溝の溝深さが球の直径以下とされるので、後から着地した球を受け入れ溝の外方へ流すことができる。
【０５９６】
＜最大排出流量を変化させる＞
球を貯留可能な貯留部と、その貯留部に球を供給する供給手段と、球が通過可能な開口として前記貯留部に形成される球排出開口と、を備える遊技機において、所定期間に球排出開口を通過する球の最大個数としての最大排出流量を変化可能な流量変化手段を備えることを特徴とする遊技機Ｂ１。
【０５９７】
パチンコ機等の遊技機において、払い出し装置から払い出された球であって、発射前の球を上皿に貯留し、その貯留した球を球排出開口から遊技機外へ流下可能な遊技機がある（例えば特開２００９−０００３０９号公報を参照）。しかし、上述した従来の遊技機では、遊技の途中で球排出開口から球を排出する操作を行うので、遊技に集中する余り、閉じるタイミングが遅れ、球を排出しすぎることがあるという問題点があった。この場合、上皿から排出した球を再度上皿に戻すという、無意味な行為を行うことにつながり、遊技者の不満の原因となっていた。
【０５９８】
これに対し、遊技機Ｂ１によれば、流量変化手段により最大排出流量を変化させることができるので、予め最大排出流量を抑制しておくことにより、球排出開口を閉じるタイミングが遅れたとしても球排出開口から球が排出されすぎることを防止できる。従って、遊技者が、排出された球を無意味に上皿に戻す行為をすることを不要とでき、遊技者が遊技に集中し易くすることができる。
【０５９９】
なお、最大排出流量とは、重力の作用で球が流下する前提の元で球が流下する時に生じ得る最大流量のことを意味する。最大排出流量を変化させる方法としては、例えば、球が通過する領域の広さを変える方法や、球が転動する転動面の傾斜角度を変化させることにより球の流下速度を変化させる方法等が例示される。
【０６００】
遊技機Ｂ１において、前記流量変化手段は、前記球排出開口を球が通過することを規制する規制状態と、前記球排出開口を球が通過することを許容する許容状態とで状態変化可能とされる規制手段と、その規制手段を前記規制状態に復帰させるための負荷を生じる維持手段と、を備えることを特徴とする遊技機Ｂ２。
【０６０１】
遊技機Ｂ２によれば、遊技機Ｂ１の奏する効果に加え、維持手段により規制手段が規制状態に戻り易くなるので、球排出開口からの球の過排出を防止し易くすることができる。
【０６０２】
なお、維持手段は力を発生する手段として構成されても良い。維持手段から発生する力としては、規制手段の変位量に比例する弾性的な負荷や、規制手段が許容状態へ変化する際に上昇する態様とされる場合における重力などが例示される。
【０６０３】
また、維持手段から発生する力が弾性的な負荷である場合には、規制手段の規制状態からの状態変化の程度が大きい程、維持手段から発生する力が大きくなるので、規制手段を規制状態に復帰させ易くすることができる。
【０６０４】
遊技機Ｂ２において、前記流量変化手段は、前記規制手段よりも上流側に配置され、前記規制手段に到達する球の経路を変化可能な経路変化手段を備えることを特徴とする遊技機Ｂ３。
【０６０５】
遊技機Ｂ３によれば、遊技機Ｂ２の奏する効果に加え、経路変化手段により、規制手段が状態変化する際に規制手段に到達する球の経路が変化され、規制手段を越えて球排出開口に到達する球の流下経路が変化することにより、球数が変化するので、規制手段の許容状態へのなり始めに球排出開口を通って排出される球の個数を変化させることができる。これにより、手動で球排出開口を開く場合のように、開き具合を遊技者が球排出開口の開放時に調整することを不要とできる。
【０６０６】
遊技機Ｂ３において、前記経路変化手段は、前記経路変化手段により規制手段に到達する球の経路が変化されることに伴って前記規制手段に流下を規制される球の配置を上流側に変化させることを特徴とする遊技機Ｂ４。
【０６０７】
遊技機Ｂ４によれば、遊技機Ｂ３の奏する効果に加え、規制手段に到達する球の経路が変化されるほど規制手段の状態変化により排出される球の配置を上流側に変化させることができるので、規制手段に到達する球を絞ることで、上皿に貯留される球の個数（球排出開口の下流側の個数）を増加させることができる。
【０６０８】
遊技機Ｂ１からＢ４のいずれかにおいて、前記流量変化手段は、前記球排出開口の上端位置よりも下流側に配設されることを特徴とする遊技機Ｂ５。
【０６０９】
遊技機Ｂ５によれば、遊技機Ｂ１からＢ４のいずれかの奏する効果に加え、流量変化手段が球排出開口の上端位置よりも下流側に配設されることにより、球排出開口の下流側に滞留する球が、どの程度の量、どの程度の流速で排出されるかを変化させることができる。そのため、球排出開口の広さは固定した状態で、球排出開口から排出される球の流下態様を変化させることができる。
【０６１０】
遊技機Ｂ２からＢ５のいずれかにおいて、前記規制手段は、前記球排出開口を通過しようとする球が所定の基準よりも少なくなることに伴い、規制状態に状態変化することを特徴とする遊技機Ｂ６。
【０６１１】
遊技機Ｂ６によれば、遊技機Ｂ２からＢ５のいずれかの奏する効果に加え、球排出開口を通過しようとする球が所定の基準から外れることに伴い規制手段が規制状態に状態変化するので、規制手段を許容状態としたまま放置した場合であっても、そのまま規制手段が許容状態を維持することを防止することができるので、貯留部から必要以上の球が排出されることを防止することができる。
【０６１２】
また、規制手段が自動で規制状態に状態変化するので、規制手段の状態を手動で切り替える場合のように、球を球排出開口から排出するタイミングを見計らう必要が無いので、遊技者が遊技に集中できる。
【０６１３】
加えて、排出流量を基準として規制手段が規制状態に状態変化するので、所定間隔で規制手段が状態変化したり、所定個数の排出で規制手段が状態変化したりする場合に比較して、特に所定流量の払い出しが継続して行われる場合において、規制手段の状態を切り替える回数を少なくすることができる。従って、遊技者が規制手段の状態に気を使う必要が無いので、遊技者が遊技に集中できる。
【０６１４】
遊技機Ｂ２からＢ６のいずれかにおいて、前記規制手段が前記許容状態の場合に比較して、前記規制状態の場合に、前記規制手段に与える摩擦力が大きくなる復帰減速手段を備えることを特徴とする遊技機Ｂ７。
【０６１５】
遊技機Ｂ７によれば、遊技機Ｂ２からＢ６のいずれかの奏する効果に加え、規制手段が規制状態から状態変化する際に大きな摩擦力を生じることができるので、規制手段の規制状態からの状態変化開始時の動作速度を遅くすることができる。これにより、規制手段が早期に規制状態へ復帰することにより、球の排出途中で規制手段が規制状態となることを防止することができる。
【０６１６】
遊技機Ｂ１からＢ７のいずれかにおいて、前記貯留部は、前記供給手段から払い出された球の着地点と、その供給手段から貯留部に供給された球を発射装置に案内する発射供給口との間に延設される溝である受け入れ溝を備え、前記供給手段から払い出された球は、前記受け入れ溝が満たされるまでは前記受け入れ溝に流入することを特徴とする遊技機Ｂ８。
【０６１７】
遊技機Ｂ８によれば、遊技機Ｂ１からＢ７のいずれかの奏する効果に加え、供給手段から払い出された球は、受け入れ溝が満たされるまでは受け入れ溝に流入するので、受け入れ溝が十分な数量の球で満たされる態様とすることにより、供給手段から払い出された球が受け入れ溝に流入するか否かにより貯留部に貯留された球が十分な数量を越えているのか否かを目視で容易に把握することができる。これにより、貯留部に球を供給するタイミングを容易に予想することができるので、貯留部の球数に気を使うことなく、遊技に集中することができる。
【０６１８】
遊技機Ｂ８において、前記受け入れ溝は、深さが球の半径以上であって、幅が球の直径と同程度に設定されることを特徴とする遊技機Ｂ９。
【０６１９】
遊技機Ｂ９によれば、遊技機Ｂ８の奏する効果に加え、受け入れ溝の深さが球の半径以上であることから、一度受け入れ溝に流入した球を受け入れ溝に維持し易くでき、受け入れ溝の幅が球の直径と同程度に設定されることから、受け入れ溝に流入した球を一列に並べることができる。従って、受け入れ溝の球の保持力向上と、受け入れ溝に保持される球の数ズレの防止とを図ることができる。
【０６２０】
遊技機Ｂ９において、前記受け入れ溝は、溝深さが、球の直径以下とされることを特徴とする遊技機Ｂ１０。
【０６２１】
遊技機Ｂ１０によれば、遊技機Ｂ９の奏する効果に加え、受け入れ溝が球で満たされた状態で、受け入れ溝に球が着地した場合であっても、受け入れ溝の溝深さが球の直径以下とされるので、後から着地した球を受け入れ溝の外方へ流すことができる。
【０６２２】
遊技機Ｂ３からＢ１０のいずれかにおいて、前記流量変化手段は、前記球排出開口を球が通過することを規制する規制状態と、前記球排出開口を球が通過することを許容する許容状態とで状態変化可能とされる規制手段と、その規制手段を前記規制状態に復帰させるための負荷を生じる維持手段と、前記規制手段よりも上流側に配置され、前記規制手段に到達する球の経路を変化可能な経路変化手段と、を備え、前記規制手段は、前記許容状態において球を一の方向に沿って流下させるものであることを特徴とする遊技機Ｂ１１。
【０６２３】
遊技機Ｂ１１によれば、遊技機Ｂ３からＢ１０のいずれかの奏する効果に加え、球排出開口を通過する球が複数の方向から流下する場合（例えば、円形孔の中心から延びる放射線に沿って球が球排出開口に向かう場合）に比較して、球が一の方向に沿って流下するので、球排出開口の開口広さが狭められた場合であっても、球同士がぶつかる等により球詰まりが生じることを防止することができる。
【０６２４】
＜正面枠と内枠とを連通する収容部に被収容部材を配置するポイント。＞
球を貯留可能な貯留部と、その貯留部に球を供給する供給手段と、球が通過可能な開口として前記貯留部に形成される球排出開口と、を備える遊技機において、前記球排出開口を通過した球が流下可能な球流路を備え、その球流路の前記供給手段側に、所定の構造物を収容可能な収容部が形成されることを特徴とする遊技機Ｃ１。
【０６２５】
パチンコ機等の遊技機において、払い出し装置から払い出された球であって、発射前の球を上皿に貯留し、上皿が満タンになった後は払い出された球を下皿への誘導路へ落下させる上皿オーバーフロー装置を備える遊技機がある（例えば特開２００１−０８７５１８号公報を参照）。しかし、上述した従来の遊技機では、下皿への誘導路が遊技盤の下方において、遊技盤の厚み範囲内に形成されており、下皿への誘導路が遊技盤の下方における内部空間を分断するので、その前後の空間を別々の空間として利用することに留まり、遊技盤の下方における内部空間を連続的な空間として利用することができないという問題点があった。
【０６２６】
これに対し、遊技機Ｃ１によれば、貯留部に形成される球排出開口を通過した球が流下可能な球流路を備え、その球排出流路の供給手段側に所定の構造物を収容可能な収容部が形成されることから、遊技盤の厚み範囲よりも正面側に、球を排出する流路を配置することができると共に、その流路の供給手段側（遊技盤側、背面側）の領域を収容部として有効利用することができる。
【０６２７】
なお、所定の構造物の態様は、何ら限定されるものでは無く、種々の態様が例示される。例えば、音響装置でも良いし、遊技者が操作する操作ボタンの構造の一部でも良いし、配線でも良いし、可動役物やモータなどの駆動装置の一部でも良いし、制御基板を収容する基板ボックスでも良い。
【０６２８】
なお、所定の構造物を収容する収容部が、従来機において下皿が配置される領域を埋めることになる場合は、下皿の形成を省略し、球流路から排出された球がそのまま千両箱に供給される態様とすることが好ましい。
【０６２９】
なお、貯留部に球を供給する手段としては、種々の態様が例示される。例えば、払出装置の動作により球を供給する開口としての供給開口や、正面枠の正面側で、鉛直方向に球を落下させて貯留部に球を供給する経路を持つ手段（所謂「パーソナルシステム」）でも良い。
【０６３０】
遊技機Ｃ１において、前記貯留部が配設される第１部材と、その第１部材と対向配置される第２部材と、を備え、前記収容部は、前記第１部材および第２部材の内部を連通して形成されることを特徴とする遊技機Ｃ２。
【０６３１】
遊技機Ｃ２によれば、遊技機Ｃ１の奏する効果に加え、所定の構造物を収容可能な収容部は、第１部材の内部だけでなく、第１部材および第２部材の内部を連通して形成されるので、第１部材の寸法（例えば、前後幅）以上の寸法で収容部を形成することができる。これにより、所定の構造物を収容する収容部を大きく確保することができる。
【０６３２】
なお、第２部材の内部における所定の構造物を収容する収容部の形成態様は何ら限定されるものでは無い。例えば、第２部材に凹設される凹部と第１部材とで囲まれる空間として形成されても良いし、第２部材に第１部材および第２部材を結ぶ方向に貫通する貫通孔が形成され、その貫通孔に囲まれる空間（第１部材と対向する側の反対側が開放された空間）として形成されても良い。
【０６３３】
遊技機Ｃ２において、前記第１部材および第２部材を開閉可能に軸支する軸支手段を備え、前記収容部は、前記第１部材および第２部材の軸径方向長さの中間位置よりも前記軸支手段に近接する側に配置されることを特徴とする遊技機Ｃ３。
【０６３４】
遊技機Ｃ３によれば、遊技機Ｃ２の奏する効果に加え、所定の構造物を収容可能な収容部が軸支手段に近接する側に配置されるので、第１部材および第２部材を開放して作業者が作業を行う際に、所定の構造物が作業者の遊技機への進入経路に入り、作業者の作業の邪魔となることを防ぐことができる。
【０６３５】
また、軸支手段から所定の構造物までの距離を短縮できることに伴い、所定の構造物に通す配線の配線長さを短縮することができる。これにより、配線の材料コストを削減することができる。
【０６３６】
また、第１部材または第２部材の一方に所定の構造物が固定され、他方に受け入れ空間が形成される場合において、所定の構造物が軸径方外側に配置される場合よりも、第１部材および第２部材の開閉動作時における所定の構造物の変位量を小さくすることができるので、受け入れ空間の大きさに対して許容される所定の構造物の大きさを、最大限確保することができる。換言すれば、同じ大きさの所定の構造物を収容するために必要となる受け入れ空間の大きさを、受け入れ空間が軸径方向外側に配置される場合に比較して、小さくすることができる。これにより、遊技機の内部の限定された大きさの空間を最大限大きな収容部として利用することができる。
【０６３７】
遊技機Ｃ３において、前記所定の構造物は、前記第１部材または第２部材の一方に固定され、前記第１部材または第２部材の他方は、前記所定の構造物を収容可能に凹設される収容凹設部を備え、その収容凹設部は、前記第１部材および第２部材の開閉動作時の前記所定の構造物の移動軌跡に沿った内形で形成されることを特徴とする遊技機Ｃ４。
【０６３８】
遊技機Ｃ４によれば、遊技機Ｃ３の奏する効果に加え、所定の構造物の移動軌跡に沿った内形で収容凹設部が形成されることに伴い、第１部材および第２部材の開閉動作時に収容凹設部の内側面に沿って所定の構造物が移動するので、第１部材および第２部材の閉鎖時において第１部材と第２部材との間に形成される隙間があったとしても、開閉時にその隙間を埋める態様で第１部材および第２部材を動作させることができる。
【０６３９】
従って、第１部材と第２部材との間に形成される隙間に不正な基板が隠されることを防止することができる。また、第１部材と第２部材との間に形成される隙間に不正な基板が隠されたとしても、第１部材および第２部材の開閉時にその隙間を埋める態様で第１部材または第２部材が動作するため、動作時に不正な基板と衝突させることができ、不正な基板が隠されていることに気付くことができる。
【０６４０】
遊技機Ｃ３又はＣ４において、前記収容部は、遊技領域を構成する遊技盤の下方に配置されることを特徴とする遊技機Ｃ５。
【０６４１】
遊技機Ｃ５によれば、遊技機Ｃ３又はＣ４の奏する効果に加え、所定の構造物が収容される収容部が遊技盤の下方に配置されるので、収容部に所定の構造物を配置することにより、遊技機の開閉軸側下端部からの進入経路を塞ぐことができる。これにより、ピアノ線等の細線を遊技機の開閉軸側下端部から進入させ、不正の利益を得ようとする不正行為を抑制することができる。
【０６４２】
また、収容部が開閉軸付近に配置される場合、第１部材の変位に対する所定の構造物の変位量が抑えられることから、第１部材の変位後においても進入経路を塞ぐことができる。
【０６４３】
遊技機Ａ１からＡ１５，Ｂ１からＢ１１，Ｃ１からＣ５のいずれかにおいて、前記遊技機はスロットマシンであることを特徴とする遊技機Ｚ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６４４】
遊技機Ａ１からＡ１５，Ｂ１からＢ１１，Ｃ１からＣ５のいずれかにおいて、前記遊技機はパチンコ遊技機であることを特徴とする遊技機Ｚ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６４５】
遊技機Ａ１からＡ１５，Ｂ１からＢ１１，Ｃ１からＣ５のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０６４６】
１０                      パチンコ機（遊技機）
１２                      内枠（第２部材）
１３                      遊技盤
１７，２０１７            上皿（貯留部）
１７ａ                    開口部（球排出開口）
１７ａ１                  球案内天面（延設部の一部）
１７ａ２                  球被覆面（延設部の一部）
１７ｄ                    発射球貯留領域（受け入れ溝の一部）
１７ｅ                    橋渡し球貯留領域（受け入れ溝の一部）
１７ｆ                    後追い球貯留領域（干渉手段の一部）
１７ｆ１                  湾曲部（囲い壁部の一部）
１７ｇ                    供給開口（供給手段の一部）
１７ｋ                    発射供給口
１９                      ヒンジ（軸支手段の一部）
９３                      払出ユニット（払い出し装置）
１１２ａ                  球発射ユニット（発射装置）
３１０                    第１板部材（球流路の一部）
３２０                    第２板部材（球流路の一部）
３３０                    傾倒部材（規定球抜き手段の一部、流量変化手段の一部、規制手段）
３３１ｂ                  上底板部（干渉手段の一部）
３３１ｄ                  湾曲部（干渉手段の一部）
３３４                    弾性バネ（流量変化手段の一部、維持手段）
３４０                    解除部材（規定球抜き手段の一部、解除手段、流量変化手段の一部）
３４１                    軸棒部（所定の軸）
２０１７ｈ                延設溝（受け入れ溝の一部）
２３５０                  移動部材（流量変化手段の一部）
２３５１                  第１遮蔽板（流量変化手段の一部、経路変化手段の一部、変位閉鎖手段の一部）
２３５２                  第２遮蔽板（流量変化手段の一部、経路変化手段の一部、変位閉鎖手段の一部）
２３５３                  規制板（流量変化手段の一部）
５１０                    昇降部材（干渉手段の一部）
４３３０，５３３０        傾倒部材（規定球抜き手段の一部、流量変化手段の一部、規制手段）
６０１４                  正面枠（第１部材）
ＩＮＢ                    被収容部材（所定の構造物の一部）
ＩＮＣ                    収容凹部（収容部の一部、収容凹設部の一部）
Ｐ１                      球（被規制球の一部）
【図１】
2020006241.tif 000003
【図２】
2020006241.tif 000004
【図３】
2020006241.tif 000005
【図４】
2020006241.tif 000006
【図５】
2020006241.tif 000007
【図６】
2020006241.tif 000008
【図７】
2020006241.tif 000009
【図８】
2020006241.tif 000010
【図９】
2020006241.tif 000011
【図１０】
2020006241.tif 000012
【図１１】
2020006241.tif 000013
【図１２】
2020006241.tif 000014
【図１３】
2020006241.tif 000015
【図１４】
2020006241.tif 000016
【図１５】
2020006241.tif 000017
【図１６】
2020006241.tif 000018
【図１７】
2020006241.tif 000019
【図１８】
2020006241.tif 000020
【図１９】
2020006241.tif 000021
【図２０】
2020006241.tif 000022
【図２１】
2020006241.tif 000023
【図２２】
2020006241.tif 000024
【図２３】
2020006241.tif 000025
【図２４】
2020006241.tif 000026
【図２５】
2020006241.tif 000027
【図２６】
2020006241.tif 000028
【図２７】
2020006241.tif 000029
【図２８】
2020006241.tif 000030
【図２９】
2020006241.tif 000031
【図３０】
2020006241.tif 000032
【図３１】
2020006241.tif 000033
【図３２】
2020006241.tif 000034
【図３３】
2020006241.tif 000035
【図３４】
2020006241.tif 000036
【図３５】
2020006241.tif 000037
【図３６】
2020006241.tif 000038
【図３７】
2020006241.tif 000039
【図３８】
2020006241.tif 000040
【図３９】
2020006241.tif 000041
【図４０】
2020006241.tif 000042
【図４１】
2020006241.tif 000043
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
球を貯留可能な貯留部と、その貯留部に球を供給する供給手段と、球が通過可能な開口として前記貯留部に形成される球排出開口と、を備える遊技機において、
前記球排出開口を通過した球が流下可能な球流路を備え、その球流路の前記供給手段側に、所定の構造物を収容可能な収容部が形成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
ここで、パチンコ機等の遊技機において、発射前の球を上皿に貯留し、上皿が満タンになった後は払い出された球を下皿への誘導路へ落下させる上皿オーバーフロー装置を備える遊技機がある（特許文献１）。
【先行技術文献】
【特許文献】
【０００３】
【特許文献１】特開２００１−０８７５１８号公報
【発明の概要】
【発明が解決しようとする課題】
【０００４】
しかしながら、上述した従来の遊技機では、内部空間の利用方法に改良の余地があるという問題点があった。
【０００５】
本発明は、上記例示した問題点を解決するためになされたものであり、内部空間の利用方法の良好な遊技機を提供することを目的とする。
【課題を解決するための手段】
【０００６】
この目的を達成するために請求項１記載の遊技機は、球を貯留可能な貯留部と、その貯留部に球を供給する供給手段と、球が通過可能な開口として前記貯留部に形成される球排出開口と、を備える遊技機において、前記球排出開口を通過した球が流下可能な球流路を備え、その球流路の前記供給手段側に、所定の構造物を収容可能な収容部が形成される。
【０００７】
【０００８】
【発明の効果】
【０００９】
請求項１記載の遊技機によれば、収容部を球流路の供給手段側に形成することにより、内部空間を良好に利用することができる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】正面枠の部分正面斜視図である。
【図６】流下装置の正面分解斜視図である。
【図７】流下装置の正面分解斜視図である。
【図８】（ａ）は、第１板部材の正面図であり、（ｂ）は、図８（ａ）のＶＩＩＩｂ−ＶＩＩＩｂ線における第１板部材の断面図であり、（ｃ）は、第１板部材の背面図であり、（ｄ）は、図８（ａ）のＶＩＩＩｄ−ＶＩＩＩｄ線における第１板部材の断面図である。
【図９】（ａ）は、第２板部材の正面図であり、（ｂ）は、図９（ａ）のＩＸｂ−ＩＸｂ線における第２板部材の断面図であり、（ｃ）は、第２板部材の背面図であり、（ｄ）は、図９（ａ）のＩＸｄ−ＩＸｄ線における第２板部材の断面図である。
【図１０】（ａ）は、傾倒部材の正面図であり、（ｂ）は、図１０（ａ）のＸｂ−Ｘｂ線における傾倒部材の断面図であり、（ｃ）は、図１０（ａ）の矢印Ｘｃ方向視における傾倒部材の上面図であり、（ｄ）は、図１０（ａ）の矢印Ｘｄ方向視における傾倒部材の底面図である。
【図１１】（ａ）は、解除部材の正面図であり、（ｂ）は、図１１（ａ）のＸＩｂ−ＸＩｂ線における解除部材の断面図であり、（ｃ）は、図１１（ｂ）の矢印ＸＩｃ方向視における解除部材の上面図である。
【図１２】上皿の上面図である。
【図１３】図１２のＸＩＩＩ−ＸＩＩＩ線における正面枠の部分断面図である。
【図１４】（ａ）及び（ｂ）は、図１３のＸＩＶａ−ＸＩＶａ線における正面枠の部分断面図である。
【図１５】（ａ）及び（ｂ）は、傾倒部材及び解除部材に与えられる負荷を示す模式図である。
【図１６】上皿の背面斜視図である。
【図１７】上皿の背面斜視図である。
【図１８】（ａ）から（ｃ）は、上皿の上面図である。
【図１９】（ａ）から（ｃ）は、上皿の上面図である。
【図２０】上皿に継続的に球が供給される（払い出される）場合に上皿に残る球の個数変化の一例を示すタイミングチャートである。
【図２１】（ａ）は、正面枠の部分正面図であり、（ｂ）は、図２１（ａ）のＸＸＩｂ−ＸＸＩｂ線における正面枠の断面図である。
【図２２】（ａ）は、図２１（ａ）のＸＸＩＩａ−ＸＸＩＩａ線における第１板部材及び第２板部材の断面図であり、（ｂ）は、図２１（ａ）のＸＸＩＩｂ−ＸＸＩＩｂ線における第１板部材及び第２板部材の断面図であり、（ｃ）は、図２１（ａ）のＸＸＩＩｃ−ＸＸＩＩｃ線における第１板部材及び第２板部材の断面図である。
【図２３】（ａ）及び（ｂ）は、図１２のＸＩＩＩ−ＸＩＩＩ線における正面枠の部分断面図である。
【図２４】第２実施形態における正面枠の分解正面斜視図である。
【図２５】（ａ）から（ｄ）は、順序規定装置の側面図である。
【図２６】上皿の上面図である。
【図２７】上皿の背面斜視図である。
【図２８】上皿の背面斜視図である。
【図２９】上皿の背面斜視図である。
【図３０】上皿の上面図である。
【図３１】上皿の上面図である。
【図３２】（ａ）及び（ｂ）は、上皿に継続的に球が供給される（払い出される）場合に上皿に残る球の個数変化の一例を示すタイミングチャートである。
【図３３】（ａ）及び（ｂ）は、図１３のＸＩＶａ−ＸＩＶａ線に対応する線における正面枠の断面図である。
【図３４】（ａ）は、第３実施形態における正面枠の部分上面図であり、（ｂ）及び（ｃ）は、図３４（ａ）のＸＸＸＩＶｂ−ＸＸＸＩＶｂ線における正面枠の部分断面図である。
【図３５】第４実施形態における上皿の背面斜視図である。
【図３６】上皿の背面斜視図である。
【図３７】（ａ）及び（ｂ）は、図１３のＸＩＶａ−ＸＩＶａ線に対応する線における第５実施形態における正面枠の部分断面図である。
【図３８】上皿の背面斜視図である。
【図３９】上皿の背面斜視図である。
【図４０】第６実施形態におけるパチンコ機の側面図である。
【図４１】（ａ）及び（ｂ）は、パチンコ機の上面図である。
【発明を実施するための形態】
【００１３】
以下、本発明の実施形態について、添付図面を参照して説明する。まず、図１から図２６を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、スロットマシン１０の上下方向，左右方向，前後方向をそれぞれ示している。
【００１５】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側（矢印Ｌ側）の上下２カ所に金属製のヒンジ１８が取り付けられ、そのヒンジ１８が設けられた側を開閉の軸として内枠１２が正面手前側（矢印Ｆ側）へ開閉可能に支持されている。
【００１６】
内枠１２には、多数の釘や入賞口６３，６４等を有する遊技盤１３（図２参照）が裏面側から着脱可能に装着される。この遊技盤１３の正面を球（以下、遊技球やパチンコ球とも称す）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１７】
内枠１２の正面側には、その正面を覆う正面枠１４が設けられている。正面枠１４を支持するために正面視（図１参照）左側（矢印Ｌ側）の上下２カ所に金属製のヒンジ１９が取り付けられ、そのヒンジ１９が設けられた側を開閉の軸として正面枠１４が正面手前側（矢印Ｆ側）へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１８】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側から視認可能となっている。
【００１９】
正面枠１４には、球を貯留する上皿１７が正面側へ張り出して上面を開放した略箱状に形成されており、この上皿１７に賞球や貸出球などが排出される。更に、上皿１７の下方に下皿１５が正面側へ張り出して形成される。上皿１７の底面は右側（矢印Ｒ側）に下降傾斜して形成され、上皿１７に投入された球がその傾斜により発射供給口１７ｋ（図１２参照）を通過して球発射ユニット１１２ａ（図４参照）へと案内される。また、上皿１７の上面（矢印Ｕ側面）には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２０】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部（矢印Ｌ，Ｕ側部分）には、ＬＥＤ等の発光手段が内蔵され賞球の払い出し中とエラー発生時とを表示可能な表示ランプ３４が設けられている。
【００２１】
また、右側（矢印Ｒ側）の電飾部３２下側（矢印Ｄ側）には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２２】
窓部１４ｃの下方（矢印Ｄ方向）には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２３】
上皿１７の下側（矢印Ｄ側）に位置する下皿１５は、上皿１７に貯留しきれなかった球を貯留するための球受け部分であって、上面を開放した略箱状に形成されている。下皿１５の右側（矢印Ｒ側）には、球を遊技盤１３の正面へ打ち込むために遊技者によって操作される操作ハンドル５１が配設される。
【００２４】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２５】
下皿１５の正面下方部には、下皿１５に貯留された球を下方へ排出する際に操作するための球抜きレバー５２が設けられている。この球抜きレバー５２を押し込むたびに、下皿１５の底面に形成された底面口１５ａが、開状態と閉状態とで切り替えられる。底面口１５ａが開状態となると、底面口１５ａから球が自然落下して排出される。この球抜きレバー５２の操作は、通常、下皿１５の下方に下皿１５から排出された球を受け取る箱（一般に「千両箱」と称される。以下、同じ）を置いた状態で行われる。下皿１５の右方には、上述したように操作ハンドル５１が配設され、下皿１５の左方には灰皿（図示せず）が取り付けられている。
【００２６】
図２に示すように、遊技盤１３は、正面視略正方形状に切削加工したベース板６０に、球案内用の多数の釘や風車の他、レール６１，６２、一般入賞口６３、第１入球口６４、第２入球口６４０、普通入球口（スルーゲート）６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入球口６４、第２入球口６４０、可変表示装置ユニット８０は、ルータ加工によってベース板６０に形成された貫通穴に配設され、遊技盤１３の正面側からタッピングネジ等により固定されている。
【００２７】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２８】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の円弧部材７０とにより区画して形成される領域（入賞口等が配設され、発射された球が流下する領域）である。
【００２９】
２本のレール６１，６２は、球発射ユニット１１２ａ（図４参照）から発射された球を遊技盤１３上部（矢印Ｕ側部分）へ案内するために設けられたものである。内レール６１の先端部分（図２の左上部、矢印Ｌ側上部）には戻り球防止部材６８が取り付けられ、一旦、遊技盤１３の上部へ案内された球が再度球案内通路内に戻ってしまうといった事態が防止される。外レール６２の先端部（図２の右上部、矢印Ｒ側上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側（矢印Ｒ側下方）の先端部と外レール６２の右上側（矢印Ｒ側上方）の先端部との間には、レール間を繋ぐ円弧を内面側に設けて形成された樹脂製の円弧部材７０がベース板６０に打ち込んで固定されている。
【００３０】
本パチンコ機１０では、第１入球口６４、および第２入球口６４０へ入賞があったことを契機として特別図柄（第１図柄）の抽選が行われ、球が普通入球口６７を通過した場合に普通図柄（第２図柄）の抽選が行われる。第１入球口６４、および第２入球口６４０への入球に対して行われる特別図柄の抽選では、特別図柄の大当たりか否かの当否判定が行われると共に、特別図柄の大当たりと判定された場合にはその大当たり種別の判定も行われる。なお、本パチンコ機１０では、特別図柄の低確率状態では、例えば、３２０分の１の確率で特別図柄の大当たりと判定され、特別図柄の高確率状態（特別図柄の確変状態とも称する）では、例えば、６０分の１の確率で特別図柄の大当たりと判定される。なお、説明の便宜上、第１入球口６４への入球に対して行われる特別図柄の抽選を「特別図柄１の抽選」と称し、第２入球口６４０への入球に対して行われる特別図柄の抽選を「特別図柄２の抽選」と称する。
【００３１】
特別図柄の大当たりになると、パチンコ機１０が特別遊技状態へ移行すると共に、通常時には閉鎖されている第１特定入賞口６５ａが所定時間（例えば、３０秒経過するまで、或いは、球が１０個入賞するまで）開放される動作が最大１５回（１５ラウンド）繰り返される。その結果、その第１特定入賞口６５ａに多量の球が入賞するので、通常時より多量の賞球の払い出しが行われる。
【００３２】
なお、特別図柄の大当たり種別としては、「大当たりＡ」、「大当たりＢ」、「大当たりＣ」、「大当たりａ」、「大当たりｂ」、「大当たりｃ」の６種類が設けられている。大当たり種別によって、第１特定入賞口６５ａの開放パターンが異なって構成されており、第１可変入賞装置６５への球の入球個数を変化させるように構成される。
【００３３】
特別図柄（第１図柄）の抽選が行われると、第１図柄表示装置３７において特別図柄の変動表示が開始されて、所定時間（例えば、１１秒〜６０秒など）が経過した後に、抽選結果を示す特別図柄が停止表示される。第１図柄表示装置３７において変動表示が行われている間に球が第１入球口６４、または第２入球口６４０へと入球すると、その入球回数は入球口の種別毎にそれぞれ最大４回まで保留され、その保留球数が第１図柄表示装置３７により示されると共に、第３図柄表示装置８１においても示される。第１図柄表示装置３７において変動表示が終了した場合に、第１入球口６４についての保留球数（特別図柄１の保留球数）、または第２入球口６４０についての保留球数（特別図柄２の保留球数）が残っていれば、次の特別図柄の抽選が行われると共に、その抽選に応じた変動表示が開始される。なお、特別図柄１の保留球数と特別図柄２の保留球数が共に残っている場合は、特別図柄２の保留球に基づく抽選が優先的に実行される。
【００３４】
普通図柄（第２図柄）の抽選では、普通図柄の当たりか否かの当否判定が行われる。普通図柄の当たりになると、所定時間（例えば、０．２秒または１秒）だけ第２入球口６４０に付随する電動役物６４０ａが開放され、第２入球口６４０へ球が入球し易い状態になる。つまり、普通図柄の当たりになると、球が第２入球口６４０へ入球し易くなり、その結果、特別図柄の抽選が行われ易くなる。
【００３５】
また、普通図柄（第２図柄）の抽選が行われると、第２図柄表示装置８３において普通図柄の変動表示が開始されて、所定時間（例えば、３秒や３０秒など）が経過した後に、抽選結果を示す普通図柄が停止表示される。第２図柄表示装置８３において変動表示が行われている間に球が普通入球口６７を通過すると、その通過回数は最大４回まで保留され、その保留球数が第１図柄表示装置３７により表示されると共に、第２図柄保留ランプ８４においても示される。第２図柄表示装置８３において変動表示が終了した場合に、普通入球口６７についての保留球数が残っていれば、次の普通図柄の抽選が行われると共に、その抽選に応じた変動表示が開始される。
【００３６】
本実施形態では、大当たり終了後の付加価値として、特別遊技状態が終了してから特別図柄の抽選が１００回終了するまで特別図柄の確変状態（高確率状態）が付与され、特別図柄の抽選が１００回終了して以降は通常状態に設定されるように構成される。
【００３７】
なお、本実施形態では、特別遊技状態の終了後に特別図柄の確変状態が付与される場合に、その特別図柄の確変状態が特別図柄の抽選の回数に応じて終了するように構成したが、これに限られるものではなく、例えば、所定の大当たり種別（例えば、大当たりＡ、大当たりＢ、大当たりａ）の大当たり遊技の後に、その大当たり終了後から次に大当たりとなるまでの間、パチンコ機１０が特別図柄の高確率状態（特別図柄の確変中）へ移行するようにしても良い。この場合、他の大当たり種別（例えば、大当たりＣ、大当たりｂ、大当たりｃ）の大当たり遊技の後に、特別図柄の抽選が１００回終了するまで普通図柄の時短状態となるように構成される。
【００３８】
なお、上述した特別図柄の確変状態（高確率状態）が付与される特別図柄の抽選回数は、１００回に限られるものではない。例えば、５０回でも良いし、２００回でも良い。
【００３９】
また、上述した普通図柄の時短状態となる特別図柄の抽選回数は、１００回に限られる物ではない。例えば、５０回でも良いし、５回でも良い。
【００４０】
ここで、「特別図柄の高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における特別図柄の高確率状態（特別図柄の確変中）は、普通図柄（第２図柄）の当たり確率がアップして第２入球口６４０へ球が入賞し易い遊技の状態を含む。一方、「特別図柄の低確率状態」とは、特別図柄の確変中でない時をいい、大当たり確率が通常の状態、即ち、特別図柄の確変中よりも大当たり確率が低い状態をいう。
【００４１】
また、「普通図柄の時短状態」（時短中）とは、普通図柄の当たり確率がアップして第２入球口６４０へ球が入賞し易い遊技の状態のことをいう。また、「通常状態」とは、特別図柄の確変中でも普通図柄の時短中でもない遊技の状態（大当たり確率も普通図柄（第２図柄）の当たり確率もアップしていない状態）のことをいう。
【００４２】
特別図柄の確変中や、普通図柄の時短中では、普通図柄の当たり確率がアップするだけではなく、第２入球口６４０に付随する電動役物６４０ａが開放される時間も変更され、通常状態に比較して長い時間が設定される。電動役物６４０ａが開放された状態（開放状態）にある場合は、その電動役物６４０ａが閉鎖された状態（閉鎖状態）にある場合と比較して、第２入球口６４０へ球が入賞しやすい状態となる。よって、特別図柄の確変中や普通図柄の時短中は、第２入球口６４０へ球が入球し易い状態となる。即ち、特別図柄の抽選が行われやすくなる。
【００４３】
なお、特別図柄の確変中や普通図柄の時短中において、第２入球口６４０に付随する電動役物６４０ａの開放時間を変更するのではなく、又は、その開放時間を変更することに加えて、普通図柄の当たりとなった場合における電動役物６４０ａの開放回数を、通常状態よりも増やすように構成してもよい。また、特別図柄の確変中や普通図柄の時短中において、普通図柄（第２図柄）の当たり確率は変更せず、第２入球口６４０に付随する電動役物６４０ａが開放される時間、および電動役物６４０ａの開放回数のうち少なくとも一方を変更するものとしてもよい。また、特別図柄の確変中や普通図柄の時短中において、第２入球口６４０に付随する電動役物６４０ａが開放される時間や、電動役物６４０ａの開放回数は変更せず、普通図柄（第２図柄）の当たり確率だけを、通常状態に比較してアップするように構成してもよい。
【００４４】
遊技領域の正面視右側上部（図２の矢印Ｒ，Ｕ側部分）には、発光手段である複数の発光ダイオード（以下、「ＬＥＤ」と略す）３７ａと７セグメント表示器３７ｂとが設けられた第１図柄表示装置３７が配設されている。第１図柄表示装置３７は、後述する主制御装置１１０で行われる各制御に応じた表示がなされるものであり、主にパチンコ機１０の遊技状態の表示が行われる。複数のＬＥＤ３７ａは、第１入球口６４、または第２入球口６４０への入球（始動入賞）に伴って行われる特別図柄の抽選が実行中であるか否かを点灯状態により示すことによって変動表示を行ったり、変動終了後の停止図柄として、その特別図柄の抽選結果に応じた特別図柄（第１図柄）を点灯状態により示したり、第１入球口６４に入球された球のうち変動が未実行である球（保留球）の数である保留球数を点灯状態により示すものである。
【００４５】
この第１図柄表示装置３７において特別図柄（第１図柄）の変動表示が行われている間に球が第１入球口６４、または第２入球口６４０へと入球した場合、その入球回数は入球口の種別毎にそれぞれ最大４回まで保留され、その保留球数は第１図柄表示装置３７により示されると共に、第３図柄表示装置８１においても示される。なお、本実施形態においては、第１入球口６４、および第２入球口６４０への入球は、それぞれ最大４回まで保留されるように構成したが、最大保留回数は４回に限定されるものでなく、３回以下、又は、５回以上の回数（例えば、８回）に設定しても良い。
【００４６】
７セグメント表示器３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態（特別図柄の高確率状態や、普通図柄の時短中など）を表示することができる。また、ＬＥＤ３７ａには、変動終了後の停止図柄として特別図柄の抽選結果が大当たりであるか否かが示されるだけでなく、大当たりである場合はその大当たり種別（大当たりＡ、大当たりＢ、大当たりＣ、大当たりａ、大当たりｂ、大当たりｃ）に応じた特別図柄（第１図柄）が示される。
【００４７】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入賞（始動入賞）をトリガとして、第１図柄表示装置３７における変動表示と同期させながら、第３図柄の変動表示を行う液晶ディスプレイ（以下単に「表示装置」と略す）で構成された第３図柄表示装置８１と、普通入球口（スルーゲート）６７の球の通過をトリガとして第２図柄を変動表示するＬＥＤで構成される第２図柄表示装置８３とが設けられている。この可変表示装置ユニット８０には、第３図柄表示装置８１の外周を囲むようにして、センターフレーム８６が配設されている。
【００４８】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４９】
本実施形態では、第３図柄は、「０」から「９」の数字を付した１０種類の主図柄により構成されている。本実施形態のパチンコ機１０においては、後述する主制御装置１１０（図４参照）により行われる特別図柄の抽選結果が大当たりであった場合に、同一の主図柄が揃う変動表示が行われ、その変動表示が終わった後に大当たりが発生するよう構成されている。一方、特別図柄の抽選結果が外れであった場合は、同一の主図柄が揃わない変動表示が行われる。
【００５０】
例えば、特別図柄の抽選結果が「大当たりＢ」、「大当たりＣ」、「大当たりｂ」、「大当たりｃ」であれば、偶数番号である「０，２，４，６，８」が付加された主図柄が揃う変動表示が行われる。一方、「大当たりＡ」、「大当たりａ」であれば、奇数番号も加えたすべての番号「０，１，２，３，４，５，６，７，８，９」のうちいずれかの番号が付加された主図柄が揃う変動表示が行われる。一方、特別図柄の抽選結果が外れであれば、同一番号の主図柄が揃わない変動表示が行われる。
【００５１】
次に、第３図柄表示装置８１に表示される、遊技盤１３の右側の経路（流路）を狙って球を打ち出すように促す表示（右打ちナビ）について説明する。
【００５２】
上述した通り、本実施形態のパチンコ機１０では、特別図柄の確変状態や、普通図柄の時短状態となった場合に、電動役物６４０ａが開放しやすくなるので、遊技盤１３の右側へと球を打ち出す（右打ちする）ことにより、第２入球口６４０へと球を入球させやすくなる。また、詳細については後述するが、第２入球口６４０へと球が入球したことに基づいて行われる特別図柄の抽選（特別図柄２の抽選）により大当たりとなると、第１入球口６４へと球が入球したことに基づいて行われる特別図柄の抽選（特別図柄１の抽選）により大当たりとなる場合に比較して、最大の利益を獲得できる大当たり（大当たりａ）となりやすい。よって、大当たりの終了後に付与される特別図柄の確変状態や、普通図柄の時短状態では、右打ちを実行することにより、遊技者にとって有利となる。換言すれば、特別図柄の確変状態や、普通図柄の時短状態に設定されたとしても、遊技者が右打ちしなければ第２入球口６４０へと球を入球させることができないため、特別図柄の確変状態や、普通図柄の時短状態の恩恵を遊技者が十分に受けることができなくなってしまう。
【００５３】
そこで、本実施形態では、特別図柄の確変状態や、普通図柄の時短状態においては、特定の画像（右打ちナビ）を表示させることにより、遊技者が特別図柄の確変状態や普通図柄の時短状態となることによる恩恵を十分に受けられない事態が発生することを防止している。
【００５４】
右打ちナビでは、第３図柄表示装置８１に「右を狙え！！」との文字が表示されると共に、その文字の上下（矢印Ｕ側および矢印Ｄ側）に右向きの（矢印Ｒ方向を向いた）矢印が３つずつ表示される。これらの文字、および矢印が表示されることにより、遊技者に対して球を遊技盤１３の右側に設けられた経路（流路）へと打ち出すべきであると感じさせることができる。よって、遊技者に、特別図柄の確変状態、および普通図柄の時短状態となることによる恩恵を受けさせることができる。
【００５５】
次に、本実施形態のパチンコ機１０において第３図柄表示装置８１に対して表示される警告画像の一例について説明する。この警告画像は、遊技者が遊技盤１３の右側に設けられた経路（流路）へと球を打ち出す（右打ちする）べき期間でないにもかかわらず、右打ちを実行していると判別された場合に第３図柄表示装置８１に対して表示される画像（右打ち警告画像）である。より具体的には、通常状態（特別図柄の確変状態でも、普通図柄の時短状態でもない状態）において、遊技者が右打ちを行っていると判別した場合に表示される。
【００５６】
本実施形態のパチンコ機１０では、通常状態において電動役物６４０ａが開放されにくくなるように制御される（右打ちを行ったとしても第２入球口６４０へと球を入球させにくい）。このため、通常状態において右打ちを行うと、左打ちにより第１入球口６４を狙って球を打ち出す場合に比較して、特別図柄の抽選を受ける機会が少なくなってしまう。即ち、通常状態において右打ちを行うと、大当たりとなりにくくなるので、遊技者にとって損となってしまう。よって、右打ち警告画像を表示させて左打ちを促すことにより、遊技者が損をしてしまうことを防止（抑制）できるように構成している。
【００５７】
通常状態において遊技者が右打ちを行っていると判別した場合には、第３図柄表示装置８１に対して、「警告」との文字と、「左打ちで遊技してね！！」との文字とが表示される。これらの文字が表示されることにより、遊技者に対して右打ちをすべきではない（左打ちを行うべきである）と気付かせることができる。また、ホールの店員も右打ち警告画面の有無を確認することにより、通常状態において右打ちを行う変則的な遊技方法を実行している遊技者がいるか否かを容易に判別することができる。
【００５８】
なお、右打ちを行っているか否かの判断方法としては、例えば、右打ちを行った場合に球が流入し得る普通入球口（スルーゲート）６７（図２参照）に対して球が入球したか否かによって判断する。
【００５９】
本実施形態では、通常状態において普通入球口（スルーゲート）６７（図２参照）に球が入球したことを検出した場合に、右打ち警告画像を表示させるように構成していたが、これに限られるものではない。例えば、特別遊技状態（大当たり状態）以外の状態において、第１特定入賞口６５ａへと球が入賞（入球）したことを検出した場合に、不正遊技が行われていると判別して、右打ち警告画像を表示させるように構成してもよい。これにより、ホールの店員は右打ち警告画像の有無を確認するだけで容易に不正の有無を判別することができる。また、特別遊技状態（大当たり状態）以外の状態において、第１特定入賞口６５ａへと球が入球したことを検出した場合に、ホールコンピュータに対して不正が行われていることを示す信号を出力するように構成してもよい。これにより、ホールコンピュータの操作者は容易に不正が行われている可能性の有無、および不正行為が行われているパチンコ機１０の台番号（位置）を判断することができる。
【００６０】
次に、第１可変入賞装置６５において異常が発生していることを検知した場合に表示される警告画像について説明する。ここで、第１可変入賞装置６５の異常が発生した場合とは、例えば、特別遊技状態（大当たり状態）でないにもかかわらず第１特定入賞口６５ａへの入球を検出した場合などが例示される。
【００６１】
第１可変入賞装置６５において異常が発生していると判別した場合は、第３図柄表示装置８１の中央部分に「警告」との文字が大きく表示される。また、その下部には、「ゲートエラー係員を呼んで下さい」との文字が表示される。これらの文字により、遊技者は、パチンコ機１０においてエラーが発生していると判別することができるので、ホールの店員等に対して迅速に修理等を依頼することができる。
【００６２】
第２図柄表示装置８３は、球が普通入球口（スルーゲート）６７を通過する毎に表示図柄（第２図柄（図示せず））としての「○」の図柄と「×」の図柄とを所定時間交互に点灯させる変動表示を行うものである。パチンコ機１０では、球が普通入球口（スルーゲート）６７を通過したことが検出されると、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第２図柄の変動表示後に「×」の図柄が停止表示される。
【００６３】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００６４】
第２図柄の変動表示にかかる時間（変動時間）は、遊技状態が通常状態中よりも、特別図柄の確変中、または普通図柄の時短中の方が短くなるように設定される。これにより、特別図柄の確変中、および普通図柄の時短中は、第２図柄の変動表示が短い時間で行われるので、普通図柄（第２図柄）の抽選を通常状態中よりも多く行うことができる。よって、普通図柄の当たりとなる機会が増えるので、第２入球口６４０の電動役物６４０ａが開放状態となる機会を遊技者に多く与えることができる。従って、特別図柄の確変中、および普通図柄の時短中は、第２入球口６４０へ球が入賞しやすい状態とすることができる。
【００６５】
なお、特別図柄の確変中、または普通図柄の時短中において、当たり確率をアップさせたり、電動役物６４０ａの開放時間や開放回数を増やしたりするなど、その他の方法によって第２入球口６４０へ球が入賞しやすい状態としている場合は、第２図柄の変動表示にかかる時間を遊技状態にかかわらず一定としてもよい。一方、第２図柄の変動表示にかかる時間を、特別図柄の確変中、または普通図柄の時短中において、通常状態中よりも短く設定する場合は、普通図柄の当たり確率を遊技状態にかかわらず一定にしてもよいし、１回の普通図柄の当たりに対する電動役物６４０ａの開放時間や開放回数を遊技状態にかかわらず一定にしてもよい。
【００６６】
普通入球口（スルーゲート）６７は、可変表示装置ユニット８０の下側の領域における右方において遊技盤に組み付けられ、遊技盤に発射された球のうち、遊技盤の右方（矢印Ｒ側）を流下する球の一部が通過可能に構成されている。普通入球口（スルーゲート）６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００６７】
球の普通入球口（スルーゲート）６７の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００６８】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、普通入球口（スルーゲート）６７の球の通過に対する最大保留球数は４回に限定されるものでなく、３回以下、又は、５回以上の回数（例えば、８回）に設定しても良い。また、普通入球口（スルーゲート）６７の組み付け数は１つに限定されるものではなく、複数（例えば、２つ）であっても良い。また、普通入球口（スルーゲート）６７の組み付け位置は可変表示装置ユニット８０の右方（矢印Ｒ方向）に限定されるものではなく、例えば、可変表示装置ユニット８０の左方（矢印Ｌ方向）でも良い。また、第１図柄表示装置３７により保留球数が示されるので、第２図柄保留ランプ８４により点灯表示を行わないものとしてもよい。
【００６９】
可変表示装置ユニット８０の下方（矢印Ｄ方向）には、球が入賞し得る第１入球口６４が配設されている。この第１入球口６４へ球が入賞すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７で示される。
【００７０】
一方、第１入球口６４の正面視右方（矢印Ｒ方向）には、球が入賞し得る第２入球口６４０が配設されている。この第２入球口６４０へ球が入賞すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７で示される。
【００７１】
また、第１入球口６４および第２入球口６４０は、それぞれ、球が入賞すると５個の球が賞球として払い出される入賞口の１つにもなっている。なお、本実施形態においては、第１入球口６４へ球が入賞した場合に払い出される賞球数と第２入球口６４０へ球が入賞した場合に払い出される賞球数とを同じに構成したが、第１入球口６４へ球が入賞した場合に払い出される賞球数と第２入球口６４０へ球が入賞した場合に払い出される賞球数とを異なる数、例えば、第１入球口６４へ球が入賞した場合に払い出される賞球数を３個とし、第２入球口６４０へ球が入賞した場合に払い出される賞球数を５個として構成してもよい。
【００７２】
第２入球口６４０には電動役物６４０ａが付随されている。この電動役物６４０ａは開閉可能に構成されており、通常は電動役物６４０ａが閉鎖状態（縮小状態、矢印Ｌ側に起立する状態、図２参照）となって、球が第２入球口６４０へ入賞しにくい状態となっている。一方、普通入球口（スルーゲート）６７への球の通過を契機として行われる第２図柄の変動表示の結果、「○」の図柄が第２図柄表示装置８３に表示された場合、電動役物６４０ａが開放状態（拡大状態、矢印Ｒ側に傾倒（下端付近を起点に傾倒）する状態）となり、球が第２入球口６４０へ入賞しやすい状態となる。
【００７３】
上述した通り、特別図柄の確変中および普通図柄の時短中は、通常状態中に比較して普通図柄の当たり確率が高く、また、普通図柄の変動表示にかかる時間も短いので、普通図柄の変動表示において「○」の図柄が表示され易くなる。よって、電動役物６４０ａが開放状態（拡大状態）となる回数が増える。更に、特別図柄の確変中および普通図柄の時短中は、電動役物６４０ａが開放される時間も、通常状態中より長くなる。よって、特別図柄の確変中および普通図柄の時短中は、通常状態に比較して、第２入球口６４０へ球が入賞しやすい状態を作ることができる。一方、第１入球口６４は、第２入球口６４０に設けられているような電動役物は有しておらず、球が常時入賞可能な状態となっている。
【００７４】
ここで、第１入球口６４に球が入賞した場合と第２入球口６４０へ球が入賞した場合とで、大当たりとなる確率は、低確率状態であっても高確率状態でも同一である。しかしながら、大当たりとなった場合に選定される大当たりの種別として最大の利益（出球）が得られる大当たり（大当たりＡ、大当たりａ）となる確率は、第２入球口６４０へ球が入賞した場合のほうが第１入球口６４へ球が入賞した場合よりも高く設定されている。
【００７５】
通常中においては、第２入球口６４０に付随する電動役物が閉鎖状態にある場合が多く、第２入球口６４０に入賞しづらいので、電動役物のない第１入球口６４へ向けて、可変表示装置ユニット８０の左方を球が通過するように球を発射し（所謂「左打ち」）、第１入球口６４への入賞によって大当たり抽選の機会を多く得て、大当たりとなることを狙った方が、遊技者にとって有利となる。
【００７６】
一方、特別図柄の確変中や普通図柄の時短中は、普通入球口（スルーゲート）６７に球を通過させることで、第２入球口６４０に付随する電動役物６４０ａが開放状態となりやすく、第２入球口６４０に入賞しやすい状態であるので、第２入球口６４０へ向けて、可変表示装置８０の右方を球が通過するように球を発射し（所謂「右打ち」）、普通入球口（スルーゲート）６７を通過させて電動役物６４０ａを開放状態にすると共に、第２入球口６４０への入賞によって大当たりとなることを狙った方が、遊技者にとって有利となる。
【００７７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技者を楽しませることができる。
【００７８】
第１入球口６４の下方右側（第２入球口６４０の下側、矢印Ｄ側）には、第１可変入賞装置６５が配設されており、その略中央部分に左右方向に長い開口として配設される第１特定入賞口（大開放口）６５ａが設けられている。パチンコ機１０においては、第１入球口６４、または第２入球口６４０への入賞に起因して行われた特別図柄の抽選で大当たりになると、所定時間（変動時間）が経過した後に、大当たりの停止図柄となるよう第１図柄表示装置３７を点灯させる。加えて、大当たりに対応した停止図柄を第３図柄表示装置８１に表示させて、大当たりの発生が報知される。その後、球が入賞し易い特別遊技状態（大当たり）に遊技状態が遷移する。この特別遊技状態として、通常時には閉鎖されている第１特定入賞口６５ａが、所定時間（例えば、３０秒経過するまで、或いは、球が１０個入賞するまで）開放される。
【００７９】
この第１特定入賞口６５ａは、所定時間が経過すると閉鎖され、その閉鎖後、再度、その第１特定入賞口６５ａが所定時間開放される。この第１特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量（本実施形態では、１個の球の入賞に基づき１５個）の賞球の払い出しが行われる。
【００８０】
第１可変入賞装置６５は、具体的には、遊技盤１３の内側へ退避することにより球を第１特定入賞口６５ａへ案内する開状態を形成する開閉板と、その開閉板を動作させるソレノイドとを備えている。開閉板は、通常時は、第１特定入賞口６５ａに球が入賞できないか又は入賞し難い閉状態になっている。大当たりの際にはソレノイドの駆動により開閉板を退避させ球が第１特定入賞口６５ａに入賞しやすい開状態を一時的に形成し、その開状態と通常時の閉状態とを交互に繰り返すようにソレノイドが作動する。
【００８１】
遊技盤１３の下側（矢印Ｄ側）における右隅部（矢印Ｒ側隅部）には、証紙や識別ラベル等を貼着するための貼着スペースＫ１が設けられ、貼着スペースＫ１に貼られた証紙等は、正面枠１４の小窓３５（図１参照）を通じて視認することができる。
【００８２】
遊技盤１３には、第１入球口６４の下方（矢印Ｄ側方向）に第１アウト口６６が設けられている。遊技領域を流下する球であって、いずれの入球口６３，６４，６５ａ，６４０にも入賞しなかった球は、第１アウト口６６を通って図示しない球排出路へと案内される。遊技盤１３には、球の落下方向を適宜分散、調整等するために多数の釘が植設されているとともに、風車等の各種部材（役物）とが配設されている。
【００８３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００８４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００８５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００８６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００８７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００８８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００８９】
次に、図４を参照して、本パチンコ機１０の電気的構成について説明する。図４は、パチンコ機１０の電気的構成を示すブロック図である。
【００９０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７及び第３図柄表示装置８１における表示の設定、第２図柄表示装置における表示結果の抽選といったパチンコ機１０の主要な処理を実行する。
【００９１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００９２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００９３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００９４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置、第２図柄保留ランプ、第１特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００９５】
また、入出力ポート２０５には、図示しないスイッチ群およびスライド位置検出センサＳや回転位置検出センサＲを含むセンサ群などからなる各種スイッチ２０８（検出センサ１２４０、第２検出センサ２２５５等を含む）、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００９６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００９７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【０１００】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【０１０１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【０１０２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【０１０３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【０１０４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【０１０５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１０６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【０１０７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１０８】
次いで図５から図２２を参照して、流下装置３００について説明する。図５は、正面枠１４の部分正面斜視図である。図５に示すように、流下装置３００は、正面枠１４の正面側に配設される上皿１７と下皿１５との間に配設され、上皿１７から排出された球を下方へ案内する案内流路を構成する装置である。次いで、図６及び図７を参照して、流下装置３００の詳細について説明する。
【０１０９】
図６及び図７は、流下装置３００の正面分解斜視図である。なお、図６では、正面枠１４から、前カバー３９０及び第２板部材３２０が分解された状態が、図７では、更に、正面枠１４から、第１板部材３１０、傾倒部材３３０及び解除部材３４０が分解された状態が、それぞれ図示される。また、図６及び図７では、上皿１７の開口部１７ａが拡大して図示される。
【０１１０】
流下装置３００は、光透過性の樹脂材料から形成されると共に正面枠１４に締結固定される第１板部材３１０と、光透過性の樹脂材料から形成され、第１板部材３１０に重ねられた状態で正面枠１４に締結固定されると共に第１板部材３１０との間に案内流路を形成する第２板部材３２０と、回転動作により球を貯留する状態と排出可能な状態とで切り替えられる傾倒部材３３０と、その傾倒部材３３０と係合可能に配設される解除部材３４０と、正面枠１４の正面側から取り付けられる前カバー３９０と、を主に備える。
【０１１１】
上皿１７は、その底面および正面側側面（矢印Ｆ側の側面）に連続的に穿設される開口部１７ａと、その開口部１７ａの正面側において解除部材３４０を回転可能に支持する部分として背面側（矢印Ｂ側）へ向けて凹む一対の第１支持凹部１７ｂと、開口部１７ａの下方において傾倒部材３３０を回転可能に支持する部分として背面側へ向けて凹む一対の第２支持凹部１７ｃと、を主に備える。
【０１１２】
第１支持凹部１７ｂ及び第２支持凹部１７ｃは、上皿１７上を流下する球の経路における上流側である正面視左側（矢印Ｌ側）に配置されると共に、球発射ユニット１１２ａが配設される背面側（矢印Ｂ側）の反対側である上皿１７の正面側（矢印Ｆ側）に配置される。これにより、傾倒部材３３０上を球発射ユニット１１２ａへ向けて通り過ぎようとする球が解除部材３４０に負荷を与えることを防止することができる。
【０１１３】
本実施形態では、傾倒部材３３０及び解除部材３４０が近接し、開口部１７ａの球の通過を規制する規制状態（図６参照）と、その規制状態から傾倒部材３３０又は解除部材３４０が互いに離反する方向へ回転し、開口部１７ａの球の通過が許容される許容状態（図１４（ｂ）参照）とで、流下装置３００の状態を変化可能とされる。
【０１１４】
ここで、規制状態の態様は、何ら限定されるものでは無い。例えば、規制状態を、傾倒部材３３０に解除部材３４０が押し付けられることにより、傾倒部材３３０と解除部材３４０との間に摩擦力が生じる状態として構成しても良いし、傾倒部材３３０と解除部材３４０とが一定の間隔を保ち球の通過を規制する状態として構成しても良いし（図１４（ｂ）参照、傾倒部材３３０は想像線で図示）、傾倒部材３３０と解除部材３４０とが滑らかな面で当接し摩擦力の発生を極力抑える状態として構成しても良い。
【０１１５】
なお、本実施形態では、規制状態において、傾倒部材３３０に解除部材３４０が押し付けられることにより、傾倒部材３３０と解除部材３４０との間に摩擦力が生じる。
【０１１６】
また、許容状態の態様は、何ら限定されるものでは無い。例えば、傾倒部材３３０又は解除部材３４０が移動可能範囲の端部まで移動しきった状態（図１４（ｂ）参照）として構成しても良いし、傾倒部材３３０と解除部材３４０とが移動可能範囲の途中で止まった場合において、間の間隔が球の直径以上に保たれることで球の通過を許容する状態として構成しても良い。
【０１１７】
なお、本実施形態では、許容状態において、傾倒部材３３０が規制状態（図１４（ａ）参照）の姿勢から傾倒し、傾倒部材３３０と解除部材３４０との間が球の直径以上の間隔（球が通過可能な間隔）で開放される。
【０１１８】
次いで、図８及び図９を参照して、開口部１７ａを通過した球を案内する案内流路を形成する第１板部材３１０、第２板部材３２０について説明する。
【０１１９】
図８（ａ）は、第１板部材３１０の正面図であり、図８（ｂ）は、図８（ａ）のＶＩＩＩｂ−ＶＩＩＩｂ線における第１板部材３１０の断面図であり、図８（ｃ）は、第１板部材３１０の背面図であり、図８（ｄ）は、図８（ａ）のＶＩＩＩｄ−ＶＩＩＩｄ線における第１板部材３１０の断面図である。
【０１２０】
第１板部材３１０は、正面枠１４に締結固定される部材であって、平行に配置される一対の板から形成される側壁部３１１と、その側壁部３１１の間に配設され略Ｌ字状に屈曲すると共に球の案内面を形成する案内板部３１２と、その案内板部３１２の天面に凸設されるバネ受け部３１３と、案内板部３１２の下端に連設されると共に案内面を背面側へ移動させる連設板部３１４と、を主に備える。
【０１２１】
側壁部３１１は、第１板部材３１０が正面枠１４に締結された状態（図６参照）において、第２支持凹部１７ｃを正面側から塞ぐ位置に配置される端部である閉塞端部３１１ａを備える。即ち、第１板部材３１０を正面枠１４に締結することにより、第２支持凹部１７ｃに支持される傾倒部材３３０が第２支持凹部１７ｃから脱落することを防止できる。
【０１２２】
案内板部３１２は、上面（矢印Ｕ側の面）を形成する天板部３１２ａと、その天板部３１２ａの正面側端部（矢印Ｆ側端部）から下方へ延設される延設板部３１２ｂと、を主に備える。
【０１２３】
天板部３１２ａは、開口部１７ａの下方に配置され、開口部１７ａを通過した球は天板部３１２ａの延設方向に沿って正面側（矢印Ｆ側）へ流下し、延設板部３１２ｂの正面側を案内される。なお、本実施形態では、開口部１７ａと天板部３１２ａとの間に。天板部３１２ａを覆う態様で傾倒部材３３０が配設されるため、球は天板部３１２ａ上を転動することはなく、傾倒部材３３０上を転動する。
【０１２４】
延設板部３１２ｂの下端部は、正面視右方（矢印Ｒ方向）へ向かう程、下降傾斜される。即ち、延設板部３１２ｂは、正面視で、左辺（矢印Ｌ側の辺）を上底、右辺（矢印Ｒ側の辺）を下底とする台形形状から形成される。
【０１２５】
連設板部３１４は、延設板部３１２ｂの背面側に配設されると共に、幅方向右側（矢印Ｌ−Ｒ方向、矢印Ｒ側）へ向かうほど正面側（矢印Ｆ側）へ湾曲し、上端部が左右方向（矢印Ｌ−Ｒ方向）でほぼ平坦な湾曲板部３１４ａと、延設板部３１２ｂの下端部から湾曲板部３１４ａの上端部まで背面側（矢印Ｂ側）へ下降傾斜して延設される傾斜板部３１４ｂと、を主に備える。
【０１２６】
傾斜板部３１４ｂは、前後端部間（矢印Ｆ−Ｂ側端部間）の距離が右方（矢印Ｒ側方向）へ向かうほど短くなる。また、傾斜板部３１２ｂの傾斜角度は、幅方向どの位置でも同等で、本実施形態では水平面に対して約４５度の傾斜とされる（図２２参照）。
【０１２７】
図９（ａ）は、第２板部材３２０の正面図であり、図９（ｂ）は、図９（ａ）のＩＸｂ−ＩＸｂ線における第２板部材３２０の断面図であり、図９（ｃ）は、第２板部材３２０の背面図であり、図９（ｄ）は、図９（ａ）のＩＸｄ−ＩＸｄ線における第２板部材３２０の断面図である。
【０１２８】
第２板部材３２０は、第１板部材３１０の正面側に重ねられた状態で正面枠１４に締結固定される部材であって、平行に配置される一対の板から形成される側壁部３２１と、その側壁部３２１の間に配設され略Ｌ字状に屈曲すると共に球の案内面を形成する案内板部３２２と、案内板部３２２の下端に連設されると共に案内面を背面側へ移動させる連設板部３２３と、を主に備える。
【０１２９】
側壁部３２１は、第２板部材３２０が正面枠１４に締結された状態（図５参照）において、第１支持凹部１７ｂを正面側から塞ぐ位置に配置される端部である閉塞端部３２１ａを備える。即ち、第２板部材３２０を正面枠１４に締結することにより、第１支持凹部１７ｂに支持される解除部材３４０が第１支持凹部１７ｂから脱落することを防止できる。
【０１３０】
案内板部３２２は、球を案内する流路の上底面を形成する傾斜面である案内上底面３２２ａと、その案内上底面３２２ａの背面視右側（矢印Ｌ側）において案内上底面３２２ａよりも上方に形成される傾斜面である受け止め面３２２ｂと、案内上底面３２２ａ及び受け止め面３２２ｂの下端部から下方へ板状に延設される延設板部３２２ｃと、を主に備える。
【０１３１】
受け止め面３２２ｂは、延設板部３２２ｃに対する傾斜角度が案内上底面３２２ａの傾斜角度と同じに形成される。受け止め面３２２ｂは、後述する解除部材３４０が回転した際に当接する面として形成され、解除部材３４０が受け止め面３２２ｂと当接する状態において、解除部材３４０の面であって球と当接する当接面と、案内上底面３２２ａとが面位置となる寸法とされる。即ち、案内上底面３２２ａと受け止め面３２２ｂとの間隔Ｔ１が、解除部材３４０の厚みと同程度の長さとされる。
【０１３２】
延設板部３２２ｃの下端部は、正面視右方（矢印Ｒ方向）へ向かう程、下降傾斜される。即ち、延設板部３２２ｃは、正面視で、左辺（矢印Ｌ側の辺）を上底、右辺（矢印Ｒ側の辺）を下底とする台形形状から形成される。
【０１３３】
連設板部３２３は、延設板部３２２ｃの背面側に配設されると共に、幅方向右側（矢印Ｌ−Ｒ方向、矢印Ｒ側）へ向かうほど正面側（矢印Ｆ側）へ湾曲し、上端部が左右方向（矢印Ｌ−Ｒ方向）でほぼ平坦な湾曲板部３２３ａと、延設板部３２２ｃの下端部から湾曲板部３２３ａの上端部まで背面側（矢印Ｂ側）へ下降傾斜して延設される傾斜板部３２３ｂと、を主に備える。
【０１３４】
傾斜板部３２３ｂは、前後端部間（矢印Ｆ−Ｂ側端部間）の距離が右方（矢印Ｒ側方向）へ向かうほど短くなる。また、傾斜板部３１２ｂの傾斜角度は、幅方向どの位置でも同等で、本実施形態では水平面に対して約４５度の傾斜とされる（図２２参照）。
【０１３５】
図１０（ａ）は、傾倒部材３３０の正面図であり、図１０（ｂ）は、図１０（ａ）のＸｂ−Ｘｂ線における傾倒部材３３０の断面図であり、図１０（ｃ）は、図１０（ａ）のＸｃ−Ｘｃ線における傾倒部材３３０の断面図であり、図１０（ｄ）は、図１０（ａ）の矢印Ｘｄ方向視における傾倒部材３３０の上面図であり、図１０（ｅ）は、図１０（ａ）の矢印Ｘｅ方向視における傾倒部材３３０の底面図である。
【０１３６】
なお、図１０（ｂ）では、本体部材３３１を軸方向長さで８等分する平面の内、本体部材３３１の左端部（矢印Ｌ側端部）に最も近い平面（本体部材３３１の左端部から本体部材３３１の軸方向長さの１／８の長さだけ内に入った位置に配置される平面）で断面視された状態が、図１０（ｃ）では、本体部材３３１を軸方向に８等分する平面の内、本体部材３３１の右端部（矢印Ｒ側端部）に最も近い平面（本体部材３３１の右端部から本体部材３３１の軸方向長さの１／８の長さだけ内に入った位置に配置される平面）で断面視された状態が、それぞれ図示される。
【０１３７】
傾倒部材３３０は、剛性の高い樹脂材料から形成され、上下方向に球の重みがかけられても、形状を維持する態様とされる。なお、傾倒部材３３０の材料としては種々の材料が例示される。例えば、金属材料でも良いし、可撓性の樹脂材料でも良いし、繊維強化プラスチックでも良い。
【０１３８】
図１０に示すように、傾倒部材３３０は、底面側（矢印Ｄ側）が開口した断面矩形の逆カップ形状から形成される本体部材３３１と、その本体部材３３１に挿通された後で本体部材３３１から取り出し不能とされる棒状の軸棒部３３２と、その軸棒部３３２を回転軸として回転する場合の本体部材３３１の先端部から軸棒部３３２の軸と平行な平面に沿って延設される延設部３３３と、軸棒部３３２に巻き付けられる弾性バネ３３４と、本体部材３３１の上底面から下方へ延設される延設板部３３５と、その延設板部３３５に凹設され弾性バネ３３４の端部が挟み込まれる凹設部３３６と、を主に備える。
【０１３９】
本体部材３３１は、断面矩形の枠状に形成される本体枠３３１ａと、その本体枠３３１ａを連結する板部である上底板部３３１ｂと、本体枠３３１ａの対向する一対の面の背面側（矢印Ｂ側）の端部に一直線上に穿設される一対の貫通孔３３１ｃと、本体枠３３１ａの上端部と上底板部３３１ｂの背面側面との連結部分に湾曲面として形成される湾曲部３３１ｄと、を主に備える。
【０１４０】
本体枠３３１ａは、貫通孔３３１ｃが形成される板部の上底板部３３１ｂが配設される側の反対側（矢印Ｄ側）の端部が、正面側（矢印Ｆ側）へ向かうほど上底板部３３１ｂとの距離が短くなる態様の傾斜面として形成される。この傾斜面が、傾倒部材３３０が回転する際に、第１板部材３１０と面当たりすることで、傾倒部材３３０と第１板部材３１０との間で生じる衝撃を弱めることができる。
【０１４１】
上底板部３３１ｂは、上面が、軸棒部３３２の軸方向（水平方向）に対して、正面視右方（矢印Ｒ方向）へ向かうほど下降傾斜する傾斜面として形成される。なお、本実施形態では、上底板部３３１ｂの軸棒部３３２に対する傾斜角度が約３°で設計される。
【０１４２】
軸棒部３３２は、本体部材３３１の中心位置を基準として延設部３３３の反対側において本体枠３３１ａに挿通された後、本体部材３３１の内部における本体部材３３１の内壁付近の位置に市販のＥリングが嵌め込まれることにより、本体部材３３１に対する相対移動が抑制される。これにより、軸棒部３３２は、両端部が本体部材３３１の左右端部（矢印Ｌ−Ｒ側端部）から突出した状態で固定される。
【０１４３】
本実施形態によれば、傾倒部材３３０は、上底板部３３１ｂに乗った球の重みで軸棒部３３２を軸として回転動作するところ、上底板部３３１ｂの上面が軸棒部３３２の軸方向に対して傾斜しているので、球の重みを、軸棒部３３２の径方向と軸方向とに分けることができる。そのため、傾倒部材３３０にかけられる球の重量の、傾倒部材３３０の回転方向成分の大きさを低減することができ、例えば、上皿１７に遊技者が手づかみで供給した球の重さが傾倒部材３３０にかけられた場合に、その重みで傾倒部材３３０が回転する可能性を低くすることができる。
【０１４４】
ここで、図１０（ｂ）及び図１０（ｃ）を参照して、傾倒部材３３０の軸方向位置における形状の違いに因る作用および効果について説明する。図１０（ｂ）及び図１０（ｃ）に示すように、軸棒部３３２は、軸心が本体部材３３１の背面側（矢印Ｂ側）外面から共通長さＡｃだけ離間した位置に配置されると共に、軸方向断面視において上底板部３３１ｂの上面から長さＡｌ，Ａｓだけ離間した位置に配置される。なお、便宜上、図１０（ｂ）における軸棒部３３２と上底板部３３１ｂの上面との間隔を上流側長さＡｌと、図１０（ｃ）における軸棒部３３２と上底板部３３１ｂの上面との間隔を下流側長さＡｓと、それぞれ称する。
【０１４５】
上述したように、上底板部３３１ｂは上面が、軸棒部３３２の軸方向（水平方向）に対して、右方（矢印Ｒ方向）へ向かうほど下降傾斜する傾斜面として形成される。即ち、正面視右方（矢印Ｒ方向）へ向かうほど（組立状態（図１参照）において下流側（矢印Ｒ側）へ向かうほど）、軸棒部３３２と上底板部３３１ｂとの間隔が短くなる（上流側長さＡｌ＞下流側長さＡｓ）。
【０１４６】
図１０（ｂ）及び図１０（ｃ）では、傾倒部材３３０が同じ角度だけ傾倒した状態における傾倒部材３３０の外形が部分的に想像線で図示される。傾倒部材３３０の傾倒により、本体部材３３１の背面側部分（矢印Ｂ側部分）であって、軸棒部３３２の真横に配置された部分Ｗ１が上昇することに伴って、上底板部３３１の背面側部分の上面位置が上昇する。
【０１４７】
その上昇距離を余剰長さｅｘＡｌ，ｅｘＡｓとして図示する場合、共通長さＡｃは図１０（ｂ）及び図１０（ｃ）で共通なので、余剰長さｅｘＡｌ，ｅｘＡｓの長さは、それぞれ上流側長さＡｌ及び下流側長さＡｓの長さに対応して変化する。即ち、上流側長さＡｌ及び下流側長さＡｓの長さの関係（Ａｌ＞Ａｓ）から、余剰長さの関係（ｅｘＡｌ＞ｅｘＡｓ）が決定される。
【０１４８】
即ち、本実施形態では、組立状態において球の流下経路の上流側（図１０（ａ）矢印Ｌ側）ほど、傾倒部材３３０の傾倒に伴う上底板部３３１ｂの上面位置の上昇度合いが大きくなる。従って、球の流下経路の上流側の方が、下流側に比較して、傾倒部材３３０の傾倒時に傾倒部材３３０の上面へ球が侵入することを防止し易くすることができる。
【０１４９】
これにより、本実施形態では、組立状態において上流側に配置される傾倒部材３３０の部分（図１０（ａ）矢印Ｌ側部分）における背面側（図１０（ｂ）矢印Ｂ側）からの球の侵入を防止し易くでき、傾倒部材３３０の傾倒時に傾倒部材３３０の背面側（上流側、図１４（ａ）矢印Ｂ側）で球を貯留し易くすることができる一方、組立状態において下流側に配置される傾倒部材３３０の部分（図１０（ａ）矢印Ｒ側部分）における背面側（図１０（ｂ）矢印Ｂ側）からは球の侵入を許容し、傾倒部材３３０の上面に球が貯留するまでにかかる間隔の短縮化を図ることができる。
【０１５０】
なお、余剰長さの設定態様は、これに限定されるものでは無い、例えば、傾倒部材３３０の傾倒時であっても、傾倒部材３３０の軸方向全範囲において、背面側からの球の侵入を防止できる余剰長さを設定しても良い。この場合、傾倒部材３３０の背面側に貯留された球が傾倒部材３３０の上面に進入するタイミングを傾倒部材３３０が起き上がった後にできるので傾倒部材３３０の動作間隔を長くすることができる。
【０１５１】
また、例えば、傾倒部材３３０の軸方向全範囲において、背面側からの球の侵入を許容する余剰長さを設定しても良い。この場合、傾倒部材３３０の背面側に貯留された球をまとめて排出することができるので、傾倒部材３３０が１回傾倒することで排出される球の個数を多くすることができる。
【０１５２】
延設部３３３は、上面が上底板部３３１ｂと面位置とされる傾斜部３３３ａと、上面が軸棒部３３２の軸方向と平行とされる係合部３３３ｂと、を主に備える。係合部３３３ｂは、上底板部３３１ｂの上端側に配設される。
【０１５３】
弾性バネ３３４は、傾倒部材３３０を起き上がり方向（矢印Ｕ方向）に回転させる付勢力を発生する。弾性バネ３３４の弾性係数は任意に設定することができる。本実施形態における弾性バネ３３４の弾性係数ｋ１については、後述する。
【０１５４】
延設板部３３５は、本体枠３３１ａに固着される。これにより、本体部材３３１の剛性を高めることができると共に、耐久性を向上させることができる。
【０１５５】
図１１（ａ）は、解除部材３４０の正面図であり、図１１（ｂ）は、図１１（ａ）のＸＩｂ−ＸＩｂ線における解除部材３４０の断面図であり、図１１（ｃ）は、図１１（ｂ）の矢印ＸＩｃ方向視における解除部材３４０の上面図である。
【０１５６】
解除部材３４０は、剛性の高い樹脂材料から形成され、球による負荷がかけられても、形状を維持する態様とされる。なお、解除部材３４０の材料としては種々の材料が例示される。例えば、金属材料でも良いし、可撓性の樹脂材料でも良いし、繊維強化プラスチックでも良い。
【０１５７】
図１１に示すように、解除部材３４０は、組立状態（図５参照）において第１支持凹部１７ｂに支持される棒状の軸棒部３４１と、その軸棒部３４１の軸方向と平行な平面板として軸径方向に延設される当接板部３４２と、その当接板部３４２の厚さ方向の一面から複数列の板状に延設される補強板部３４３と、その補強板部３４３の軸棒部３４１と反対側の端部から当接板部３４２の延設方向と平行な方向に板状に延設される段違い板部３４４と、その段違い板部３４４の下端部から当接板部３４２側へ凸設される係合凸部３４５と、軸棒部３４１に巻き付けられ一方の端部が当接板部３４２に係止される弾性バネ３４６と、を主に備える。
【０１５８】
補強板部３４３の延設先端面は、当接板部３４２の当接面と平行とされる。係合凸部３４５の上面は、当接板部３４２側（矢印Ｂ側）へ向かうほど下降傾斜する傾斜面として形成される。これにより、傾倒部材３３０との衝突が起きても、傾倒部材３３０の動作抵抗が過大となることを防止することができる。
【０１５９】
図１２は、上皿１７の上面図である。なお、図１２では、解除部材３４０付近が部分的に断面視される。上皿１７は、開口部１７ａが傾倒部材３３０及び解除部材３４０に閉鎖される状態において上方に開口すると共に底面が右方（矢印Ｒ方向）へ向かうにつれて下降傾斜する態様とされる容器形状から形成され、上皿１７の底面における開口部１７ａの右方（矢印Ｒ側）の領域であって球発射ユニット１１２ａ（図４参照）へ球が供給される発射球貯留領域１７ｄと、上皿１７の底面における開口部１７ａの背面側（矢印Ｂ側）の領域である橋渡し球貯留領域１７ｅと、上皿１７の底面における開口部１７ａの左方（矢印Ｌ側）の領域であると共に橋渡し球貯留領域１７ｅの正面側（矢印Ｆ側）の領域である後追い球貯留領域１７ｆと、払出ユニット９３（図３参照）から上皿１７へ連通されると共に球が通過可能な開口である供給開口１７ｇと、発射供給領域１７ｄに配置された球を球発射ユニット１１２ａに案内する開口である発射供給口１７ｋと、を主に備える。
【０１６０】
発射球貯留領域１７ｄは、右方へ向かうほど先細りする上面視略三角形形状の領域であり、正面側の内側面が、上面視でその内側面よりも正面側に中心を持つ円弧に沿った湾曲形状に形成されると共に、その円弧の径方向外方へ向けて下方傾斜する。そのため、正面側の内側面に沿って流下する球は、球発射ユニット１１２ａ側に球が溜まっていれば、内側面の傾斜に沿って、それら溜まっている球の上流側に流下し、球発射ユニット１１２ａ側に球が無ければ、球発射ユニット１１２ａ側に流下する。
【０１６１】
また、発射球貯留領域１７ｄは、傾倒部材３３０の右方において、傾倒部材３３０の上面よりも球の半径ｒａの１／２程度、上面位置が低い。そのため、傾倒部材３３０から右方へ流下し発射球貯留領域１７ｄに着地する球は、球の半径ｒａの１／２程度の段差を落下し上皿１７と衝突することになるので、上皿１７との間で摩擦が生じ、上皿１７の上面の傾斜にそって滑らかに流下する場合に比較して減速される。この減速の度合いは、摩擦力の大小に起因し、その摩擦力の大小は球から上皿１７に上下方向で与える負荷の大小に起因する。ここで、傾倒部材３３０の傾倒前の状態における傾倒部材３３０の上面と、発射球貯留領域１７ｄの傾倒部材３３０と隣設する部分の上面との段差の高さ寸法は、正面側へ向かうほど小さくなる（図１６参照）。
【０１６２】
これにより、上皿１７の正面側の内側面に沿って傾倒部材３３０の上面から発射球貯留領域１７ｄに流入する球の減速度合いを低減することができ、球をスムーズに発射球貯留領域１７ｄへ流すことができる。
【０１６３】
橋渡し球貯留領域１７ｅは、供給開口１７ｇの下方から、上面が後追い球貯留領域１７ｆ及び傾倒部材３３０の上面よりも球の半径ｒａの１／２程度低い位置（図１４（ａ）及び図１６参照）を右方へ延びる領域であって、前後方向に最大で３個の球が並ぶことが可能な幅寸法で形成される（図１９（ａ）参照）。
【０１６４】
後追い球貯留領域１７ｆは、供給開口１７ｇの開口が向く方向（本実施形態では、矢印Ｆ方向）に配設される。これにより、後述するように、供給開口１７ｇから供給された球が橋渡し球貯留領域１７ｅに満たされる球の上を通過する際に速度が落ちた場合であっても、後追いで供給開口１７ｇから供給される球から与えられる圧により、先行する球を後追い球貯留領域１７ｆまで送ることができる。
【０１６５】
後追い球貯留領域１７ｆは、傾倒部材３３０側の端部と上皿１７の正面側内面とを連結する湾曲面として形成される湾曲部１７ｆ１と、供給開口１７ｇと対向配置される内側面であって、右方（矢印Ｒ方向）へ向かうほど正面側（矢印Ｆ側）へ張り出す湾曲面として形成される湾曲側面１７ｆ２と、を主に備える。
【０１６６】
湾曲側面１７ｆ２は、上皿１７の底面を転動する球の内側面との当接位置における（底面から球の半径ｒａ分高い位置における）曲率半径である半径Ｒ１が、球の半径ｒａ以上の長さとされる。そのため、供給開口１７ｇから排出方向Ｎ１に沿って排出された球の速度を湾曲側面１７ｆ２に沿って左右方向（矢印Ｌ−Ｒ方向）の速度に変化させることができる。
【０１６７】
これにより、後追い球貯留領域１７ｆに入球した球を速やかに傾倒部材３３０側へ送ることができるので、傾倒部材３３０の上面に球が満たされていない状態で、後追い球貯留領域１７ｆに球が停留することを抑制することができ、傾倒部材３３０の上面に球を貯留し易くすることができる（後追い球貯留領域１７ｆからスムーズに傾倒部材３３０の上面へ球を送ることができる）。
【０１６８】
尚かつ、傾倒部材３３０側へ送球された球の速度成分の内、解除部材３４０へ向く速度成分の大きさを低減することができるので、球と解除部材３４０との衝突が生じたとしても、送球された球の勢いによる解除部材３４０の回転の発生を抑制することができる。
【０１６９】
供給開口１７ｇは、前後方向（矢印Ｆ−Ｂ方向）に開口され、解除部材３４０よりも左方（上流側、矢印Ｌ側）に配設される。尚かつ、供給開口１７ｇの上流側の流路は、払出ユニット９３から送球される球が案内される流路であって、高さ方向（矢印Ｕ−Ｄ方向）に直線的に延設される。そのため、供給開口１７ｇの上流側の流路から上皿１７に排出される球は、左右方向の速度が抑制され、排出時の速度が前後方向に向く。これにより、供給開口１７ｇから上皿１７に供給される球が供給開始時の速度方向で解除部材３４０に衝突することを防止することができる。
【０１７０】
換言すれば、本実施形態では、供給開口１７ｇから排出される球の方向である排出方向Ｎ１には、後追い球貯留領域１７ｆの湾曲側面１７ｆ２が配置されており、解除部材３４０は配置されないことから、供給開口１７ｇから排出された球が、その排出方向Ｎ１に沿って解除部材３４０に衝突することを防止することができる。
【０１７１】
供給開口１７ｇは、正面視において上皿１７の底面よりも球の直径以上上方に下底面が形成される。これにより、上皿１７の底面が球で満たされた後に供給開口１７ｂから供給された球を、その底面に敷き詰められた球の上に積むことができる。
【０１７２】
本実施形態によれば、橋渡し球貯留領域１７ｅの上流側端部が供給開口１７ｇの正面に配置される。そのため、球を発射することにより上皿１７に残る球が減り生じる空間（橋渡し球貯留領域１７ｅの上流側の空間）に直接的に球を供給できるので、供給開口１７ｇからの球の供給を円滑に行うことができる。
【０１７３】
供給開口１７ｇから供給された球の内、後追い球貯留領域１７ｆまで到達した球は、上皿１７の傾斜に沿って傾倒部材３３０の上面に流入する。球が傾倒部材３３０の上面を転動する際には、傾倒部材３３０の上面の形状であって正面側（矢印Ｆ側）へ向かうにつれて下降傾斜する傾斜方向ＦＩ及び発射球貯留領域１７ｄの底面の形状であって背面側（矢印Ｂ側）へ向かうにつれて下降傾斜する傾斜方向ＢＩの影響を受ける。即ち、傾倒部材３３０の上面に流入した球は、右方（矢印Ｒ方向）への流下の過程で傾斜方向ＦＩに沿って正面側へ寄せられ、傾倒部材３３０を通過した後は、傾斜方向ＢＩに沿って背面側（矢印Ｂ側、発射供給口１７ｋの配置される側）へ寄せられる。
【０１７４】
これにより、傾倒部材３３０上に球を滞留させず、素早く球を下流へ流す状態と、傾倒部材３３０に球を滞留させる状態との、両方の状態に好適に対応することができる。
【０１７５】
即ち、例えば、発射球貯留領域１７ｄに貯留されていた球が遊技領域へ発射され、発射球貯留領域１７ｄに配置される球が不足した状態では、傾倒部材３３０の上面に流入した球を早期に発射球貯留領域１７ｄの球が不足している部分へ送球することが望ましい。
【０１７６】
ここで、遊技領域への球の発射に伴い、発射球貯留領域１７ｄの球は上皿１７の傾斜（右方へ向かって下降傾斜する傾斜、及び傾斜方向ＢＩの傾斜）に沿って流下することから、傾倒部材３３０の右方正面側端部から、発射球貯留領域１７ｄの球が不足し始める（球を受け入れ可能な空間ができ始める）。
【０１７７】
傾倒部材３３０の上面に流入した球は傾倒部材３３０の上面の傾斜方向Ｃに沿って、正面側（矢印Ｆ側）に寄せられながら傾倒部材３３０の上面を右方へ通過するので、傾倒部材３３０の上面から降りる球は、傾斜方向ＢＩの根本側（矢印Ｆ側）から発射球貯留領域１７ｄに流入する。
【０１７８】
従って、傾倒部材３３０の右方正面側端部（矢印Ｒ及び矢印Ｆ側端部）に、換言すれば、発射球貯留領域１７ｄにおいて球が不足し始める（球を受け入れ可能となる）空間に、直接的に球を流入させることができるので、傾倒部材３３０に球を滞留させることなく、速やかに球を発射球貯留領域１７ｆに流入させることができる。
【０１７９】
一方、例えば、発射球貯留領域１７ｄが球で満たされている状態では、傾倒部材３３０の上面に球を貯留し易くされることが望ましい。ここで、発射球貯留領域１７ｄが球で満たされている状態では、球が傾倒部材３３０から発射球貯留領域１７ｄへ流入することが既に発射球貯留領域１７ｄに貯留されている球により規制されると共に、傾斜方向ＦＩにより、球が橋渡し貯留領域１７ｅに流入することが抑制されるので、球を傾倒部材３３０の上面に貯留し易くすることができる。
【０１８０】
このように、本実施形態では、傾倒部材３３０の上面および上皿１７の底面の形状により、傾倒部材３３０の上面に乗っているか、傾倒部材３３０を通過して傾倒部材３３０から降りているかで、前後方向（矢印Ｆ−Ｂ方向）の球の向きを切り替えることができる。
【０１８１】
図１３は、図１２のＸＩＩＩ−ＸＩＩＩ線における正面枠１４の部分断面図である。図１３に示すように、上皿１７の正面側面において、開口部１７ａは第２板部材３２０の外形に合致する形状から形成される。開口部１７ａの左右幅は傾倒部材３３０の軸方向幅よりも若干長くされ、開口部１７ａは、案内上底面３２２ａの上端位置へ向けて上皿１７の内面から上皿１７の底面と平行な面として延設される球案内天面１７ａ１と、その球案内天面１７ａ１の背面視右方（矢印Ｌ側）に配置され受け止め面３２２ｂの上端位置へ向けて上皿１７の内面から水平面（軸棒部３４１と平行な面）として延設される球被覆面１７ａ２と、を主に備える。
【０１８２】
本実施形態では、球案内天面１７ａ１は、規制状態（図１３参照）において傾倒部材３３０の上面との間隔が球の直径未満となる位置に配設され、球被覆面１７ａ２は、規制状態において傾倒部材３３０の上面との間隔が球の直径以上となり、かつ、傾倒部材３３０の上面との間隔が球の直径の２倍よりも短くなる位置に配設される。
【０１８３】
この位置関係により、規制状態において傾倒部材３３０の上面に乗る球の内、球案内天面１７ａ１の背面側に配置された球は上皿１７の側壁にせき止められ上皿１７の外方へ飛び出すことが規制される一方、球被覆面１７ａ２の背面側に配置された球は、正面方向（矢印Ｆ方向）への速度が加えられれば、球被覆面１７ａ２と傾倒部材３３０との間を通り解除部材３４０に当接可能とされる。
【０１８４】
即ち、開口部１７ａの形状により、傾倒部材３３０の上面に乗った球を、解除部材３４０に当接可能な球（球被覆面１７ａ２の背面側に配置される球）と、解除部材３４０に当接不能な球（球案内天面１７ａ１の背面に配置される球）とで分けることができる。
【０１８５】
本実施形態では、傾倒部材３３０が起き上がっている状態（図１３参照）では背面視において、橋渡し球貯留領域１７ｅを形成する底面と、傾倒部材３３０の上面とが平行とされる。
【０１８６】
なお、後述するように、供給開口１７ｇから供給され傾倒部材３３０に乗る球は主に、橋渡し球貯留領域１７ｅを正面側へ向けて通過し、後追い球貯留領域１７ｆを経由して傾倒部材３３０の上面に乗る。即ち、図１３において、傾倒部材３３０の上面を左向き（矢印Ｒ方向）に球は流下する。従って、傾倒部材３３０に供給される球は、解除部材３４０に当接する可能性を保持した状態で傾倒部材３３０の上面に流入し、流下の過程で球被覆面１７ａ２の背面側の領域を通過することで解除部材３４０に当接する可能性を失う。
【０１８７】
本実施形態では、解除部材３４０に当接する球も、解除部材３４０に当接しない球も、傾倒部材３３０への流入位置が同じとされるので（上流の流下経路が分割されることなく用意されるので）、傾倒部材３３０の上面に貯留される球の貯留態様により解除部材３４０と当接するか否かが決まる。そのため、解除部材３４０に当接する球を特別に指定した流路に流入した球に限定する場合に比較して、例えば、上皿１７にあと一球供給されることで解除部材３４０が回転可能な状態となった後、傾倒部材３３０と解除部材３４０との係合が解除されるまでにかかる時間を短縮することができる。
【０１８８】
図１４（ａ）及び図１４（ｂ）は、図１３のＸＩＶａ−ＸＩＶａ線における正面枠１４の部分断面図である。なお、図１４（ａ）では、傾倒部材３３０及び解除部材３４０の規制状態において、傾倒部材３３０の傾倒前の状態が図示され、図１４（ｂ）では、傾倒部材３３０及び解除部材３４０の許容状態において、傾倒部材３３０及び解除部材３４０が互いに離反する方向に回転しきった状態が図示される。
【０１８９】
なお、図１４（ａ）に示すように、傾倒部材３３０の傾倒前の状態では、上底板部３３１ｂの上面の、水平面に対する前後方向（矢印Ｆ−Ｂ方向）に沿った傾斜角度は約１°で設定され、図１４（ｂ）に示すように、傾倒部材３３０の傾倒後の状態では、上底板部３３１ｂの上面の、水平面に対する前後方向に沿った傾斜角度は約１５°で設定される。
【０１９０】
従って、本実施形態では、傾倒部材３３０の傾倒前は、前後方向に沿った傾斜角度（約１°）に比較して、左右方向（矢印Ｌ−Ｒ方向）に沿った傾斜角度（約３°、図１０（ａ）参照）の方が大きくされ、傾倒部材３３０の傾倒後は、前後方向に沿った傾斜角度（約１５°）に比較して、左右方向に沿った傾斜角度（約３°、図１０（ａ）参照）の方が小さくされる（角度の大小が逆転する）。そのため、傾倒部材３３０の姿勢変化に伴い、球の流下経路（球が流下し易い方向）を変化させることができる。また、図１４（ａ）及び図１４（ｂ）では、供給開口１７ｇの高さ位置が想像線で図示される。
【０１９１】
なお、上述したように、前後方向に沿った傾斜角度と、左右方向に沿った傾斜角度とが、傾倒部材３３０の傾倒により逆転するので、例えば、傾倒部材３３０に上方から着地する球が跳ね返る方向を、傾倒部材３３０の姿勢により切り替えることができる。即ち、傾倒部材３３０の傾倒前の状態（図１４（ａ）参照）では、左右方向の傾斜の方が前後方向の傾斜に比較して大きいので、傾倒部材３３０に着地した球は左右方向における下流方向（発射球貯留領域１７ｄに向く方向、矢印Ｒ方向）に跳ね返り易くされ、一方で、傾倒部材３３０の傾倒後の状態（図１４（ｂ）参照）では、前後方向の傾斜の方が左右方向の傾斜に比較して大きいので、傾倒部材３３０に着地した球を正面側（開口部１７ａから下方へ球を排出する方向、矢印Ｆ側）へ流すことができる。
【０１９２】
従って、傾倒部材３３０の傾倒前は、傾倒部材３３０の上面に着地した球を発射球貯留領域１７ｄへ流し易くできると共に、傾倒部材３３０の傾倒後は、傾倒部材３３０の上面に着地した球が開口部１７ａを通して排出されやすくすることができる。これにより、上皿１７に球が不足しているときは、発射球貯留領域１７ｄに球をより速く供給できる一方で、上皿１７に球が満杯となり、傾倒部材３３０が傾倒する際には開口部１７ａを通して球をより速く上皿１７から排出することができる。
【０１９３】
図１４（ａ）及び図１４（ｂ）に示すように、供給開口１７ｇから供給された球が着地する橋渡し球貯留領域１７ｅは、傾倒部材３３０の上面よりも低くされる。そのため、供給開口１７ｇから排出された球であって橋渡し球貯留領域１７ｅに着地した球の勢いを、傾倒部材３３０の湾曲部３３１ｄに球を当てることで減少させることができる。
【０１９４】
また、図１０で上述したように、傾倒部材３３０の上底板部３３１ｂの背面側部分（湾曲部３３１ｄ側の部分）は傾倒部材３３０が傾倒するにつれて上昇するので、傾倒部材３３０が起き上がった規制状態に比較して、傾倒部材３３０が傾倒した許容状態の方が、橋渡し球貯留領域１７ｅの上面から湾曲部３３１ｄまでの上下方向（矢印Ｕ−Ｄ方向）の間隔が大きくされる。
【０１９５】
これにより、規制状態に比較して、許容状態の方が、傾倒部材３３０上面への球の入球を防止し易くすることができる。傾倒部材３３０が傾倒し、許容状態となった後で開口部１７ａから排出される球を、傾倒部材３３０の上面に配置されていた球および傾倒部材３３０の背面側（矢印Ｂ側）を除く上流側位置（矢印Ｌ側位置）に配置されていた球に限定することができ、背面側に配置された球が傾倒部材３３０の上面に入球するタイミングを、傾倒部材３３０が再び起き上がり規制状態となった後にすることができる。そのため、許容状態の間に傾倒部材３３０に球がまばらに入球し、それらが開口部１７ａから排出される事態の発生を防止することができる。
【０１９６】
図１４（ａ）及び図１４（ｂ）に示すように、規制状態と許容状態とでは、球と傾倒部材３３０との当接位置が変化する。即ち、規制状態で傾倒部材３３０が起き上がった状態（図１４（ａ）参照）では、湾曲部３３１ｄが球に対向配置されることから、球は湾曲部３３１ｄと当接する。ここで、本実施形態では、図１４（ａ）に示すように、湾曲部３３１ｄが球の中心位置よりも下側（球の半径ｒａの１／２程度下側）に配置されるので、球は横方向の負荷のみで湾曲部３３１ｄに乗り上げ、傾倒部材３３０の上面に入球することが可能とされる。即ち、球が湾曲部３３１ｄから受ける反作用の力の内、上方へ向く成分が大きく維持されることから、球が前後方向の速度で湾曲部３３１ｄに衝突した場合であっても、湾曲部３３１ｄに乗り上げて正面側へ移動することが可能とされる（傾倒部材３３０の上面に流入可能とされる）。
【０１９７】
一方、許容状態で傾倒部材３３０が傾倒した状態（図１４（ｂ）参照）では、図１４（ａ）に示す状態に比較して湾曲部３３１ｄが上昇配置されると共に、橋渡し球貯留領域１７ｅに配置される球から離反する態様で退く。本実施形態では、これに伴い、湾曲部３３１ｄの上端位置が球の中心位置の高さ付近まで上昇すると共に、球は本体枠３３１ａの平面部分（湾曲部３３１ｄの下方に延設される部分であって傾倒部材３３０の矢印Ｂ側に配置される板部分）と当接開始することから、水平方向の負荷のみでは、球が湾曲部３３１ｄに乗り上げることを困難とすることができる。即ち、球が湾曲部３３１ｄから受ける反作用の力の内、上方へ向く成分の割合が小さくなることから、球が前後方向の速度で湾曲部３３１ｄに衝突した場合には、湾曲部３３１ｄに乗り上げるほどの反発力が生み出されにくく、球を傾倒部材３３０の背面側に維持し易くすることができる（傾倒部材３３０の上面に流入困難とすることができる）。
【０１９８】
従って、傾倒部材３３０の傾倒時に湾曲部３３１ｄに乗り上げて球が傾倒部材３３０の上面に入球することを防止し易くすることができる。また、湾曲部３３１ｄが形成されることにより、角部として形成する場合に比較して、応力集中を緩和することができ、傾倒部材３３０に割れや欠けが生じることを防止することができる。
【０１９９】
また、供給開口１７ｇは、解除部材３４０と球Ｐ１との当接位置を基準として、上下に位置ずれした位置に配置される（球の半径ｒａ以上位置ずれする）。これにより、供給開口１７ｇの上流側の経路に滞留した球から上皿１７の内部の球に与えられる圧力（排出方向Ｎに沿った圧力）が、解除部材３４０に与えられることを防止することができる。これにより、解除部材３４０の変位のタイミングを、供給開口１７ｇからの球の供給の勢いではなく、上皿１７に貯留された球の個数（球の貯留態様）によって規定し易くすることができる。
【０２００】
図１４（ａ）に示すように、解除部材３４０の係合凸部３４５が傾倒部材３３０の延設部３３３の動作軌跡と干渉する態様で凸設される。これにより、規制状態において、解除部材３４０の係合凸部３４５が延設部３３３を下から支えるので、解除部材３４０が図１４（ａ）に示す位置で維持される限り、傾倒部材３３０が回転することを防止することができる。
【０２０１】
一方、図１４（ｂ）に示すように、解除部材３４０が回転し、係合凸部３４５が延設部３３３から離れると、延設部３３３を下から支えるものは無くなるので、傾倒部材３３０に乗る球の重みが弾性バネ３３４の弾性力以上となれば傾倒部材３３０は回転する。本実施形態では、弾性バネ３３４の弾性力が、傾倒部材３３０に順序良く乗る球が９個以下であれば、傾倒部材３３０が起きた状態を維持する大きさを生じる態様で、弾性バネ３３４の弾性係数ｋ１が設定される。
【０２０２】
ここで、本実施形態では、解除部材３４０を延設部３３３から離す負荷と、傾倒部材３３０を回転させる負荷の方向が、ほぼ直交する態様で異なる。即ち、解除部材３４０を延設部３３３から離す負荷の向きは正面向き（矢印Ｆの向き）であり、傾倒部材３３０を回転させる負荷の向きは下向き（矢印Ｄの向き）である。
【０２０３】
解除部材３４０の回転と傾倒部材３３０の回転とは、必ずしも同時には開始されない。例えば、係合部材３３０の上面に十分な球が乗っている場合には、解除部材３４０が規制状態から許容状態へ向けて回転を開始した直後に傾倒部材３３０が回転し得るが、係合部材３３０の上面に球が余り無い場合に誤って解除部材３４０が規制状態から許容状態へ向けて回転を開始した場合であっても、傾倒部材３３０が規制状態の姿勢で維持される（図１４（ｂ）に想像線で図示、中間状態）。
【０２０４】
この場合、図１４（ｂ）に示すように、傾倒部材３３０と解除部材３４０との間隔が球の直径未満とされる。これにより、傾倒部材３３０の上面に球が余り無い場合に解除部材３４０が回転したとしても、開口部１７ａを通過して球が上皿１７から排出されることを防止することができる。
【０２０５】
なお、本実施形態では、係合凸部３４５の上面が傾倒部材３３０に対して傾斜していることから、解除部材３４０が規制状態から許容状態へ向けて回転開始した直後に傾倒部材３３０が回転し傾倒部材３３０の延設部３３３が係合凸部３４５に当接し（引っ掛かり）かけたとしても、傾倒部材３３０から解除部材３４０へ与えられる負荷が係合凸部３４５の傾斜の影響を受け、係合凸部３４５を許容状態へ向けて押し返す方向に変えられる。これにより、傾倒部材３３０から解除部材３４０へ与えられる負荷が解除部材３４０の径方向に集中する場合に比較して傾倒部材３３０と解除部材３４０との間で発生する動作抵抗を抑えることができ、傾倒部材３３０及び解除部材３４０の動作を滑らかにすることができる。
【０２０６】
規制状態および許容状態において、解除部材３４０と球Ｐ１とが当接する位置について説明する。図１４（ａ）及び図１４（ｂ）には、解除部材３４０と当接する球Ｐ１が図示される。
【０２０７】
図１４（ａ）及び図１４（ｂ）に示すように、規制状態では、球Ｐ１は、解除部材３４０の軸棒部３４１に近い側（回転軸に近い側、矢印Ｕ側）で当接する一方、許容状態では、球Ｐ１は、解除部材３４０の係合凸部３４５に近い側（回転軸から遠い側、矢印Ｄ側）で当接する。そのため、解除部材３４０は、規制状態に比較して許容状態の方が、球Ｐ１の負荷により回転し易くなる。
【０２０８】
従って、解除部材３４０に当接する球Ｐ１が繰り返し到達する場合に、規制状態ではその状態を維持し易く、尚かつ、許容状態でもその状態を維持し易く（流下する球Ｐ１により許容状態に戻され易く）することができる。そのため、傾倒部材３３０及び解除部材３４０の状態を安定化することができる。
【０２０９】
例えば、傾倒部材３３０が許容状態（図１４（ｂ）参照）とされ、球が開口部１７ａを通過する際、解除部材３４０と当接する位置（球被覆面１７ａ２の下側位置）を通過する球は、解除部材３４０を許容状態へ向けて押しのけながら流下する（球の流下軌跡が規制状態における解除部材３４０と干渉する）。そのため、開口部１７ａを通過する球の作用で傾倒部材３３０及び解除部材３４０を許容状態に維持し易くすることができる。
【０２１０】
本実施形態では、規制状態（図１４（ａ）において、傾倒部材３３０の上面は、水平面を基準として正面側（矢印Ｆ側）へ向けて若干（約１°）下方傾斜する。そのため、傾倒部材３３０の上面に流入した球を正面側へ流すことができる。
【０２１１】
また、本実施形態では、許容状態（図１４（ｂ）参照）において、傾倒部材３３０の上面の前後方向に沿った傾斜角度は、水平面を基準として約１５度に設定される。傾倒部材３３０が許容状態となった後、前後方向の傾斜に沿って各球が球１個分位置ずれする（球の直径である１１ｍｍずつ位置ずれする）ごとに、傾倒部材３３０の延設部３３３から球が排出される。延設部３３３から軸棒部３３２へ向けて順に球が列（軸棒部３３２の軸方向に整列した列）となって貯留されると仮定した場合、傾倒部材３３０の上面に貯留された球は、０．１秒に２列流下する程度の流量（最大で横４列で流下するとの過程のもとで、約８０［個／秒］）で上皿１７から排出される。
【０２１２】
このように、傾倒部材３３０が許容状態となると、球が傾倒部材３３０の先端側へ列をなして流下する。そのため、球の流下途中においても、傾倒部材３３０の先端側に複数個（３個以上）の球が列をなして配置される状態を維持することができるので、球の排出の途中で弾性バネ３３４の反力により傾倒部材３３０が起き上がることを防止できる。
【０２１３】
傾倒部材３３０の上面を伝って第１板部材３１０及び第２板部材３２０の間の流路を流下する球は、第１板部材３１０及び第２板部材３２０の下端部から下皿１５に排出される。図１４（ａ）及び図１４（ｂ）に示すように、第１板部材３１０及び第２板部材３２０の間の流路は上皿１７及び下皿１５の外形端部（正面側端部）付近において鉛直方向に延設される。
【０２１４】
即ち、本実施形態によれば、上皿１７から下皿１５へ球を移動させる経路を正面枠１４の正面側の正面寄り（上皿１７及び下皿１５の外形端部付近）に配置することができる。これにより、従来のように正面枠１４の背面側に分岐流路を設けて球を上皿１７と下皿１５とに分ける場合に比較して、上皿１７の下方にまとまった空きスペースを確保することができる。
【０２１５】
例えば、従来と同じように、正面枠１４と内枠１２との間の位置に分岐流路が配置される場合には、その分岐流路により正面枠１４側のスペースと内枠１２側のスペースとが分断されることから、分岐流路の正面側（矢印Ｆ側）および背面側（矢印Ｂ側）に小さなスペースを設けられるに留まり、そのスペースの利用価値が少なかったが、本実施形態によれば、分岐流路と同様の機能を果たす流路が正面枠１４の正面側の正面寄りに配置されるので、その流路を形成する第１板部材３１０の背面側に、正面枠１４及び内枠１２に連通される（矢印Ｆ−Ｂ方向に連通される）、まとまった空きスペースを確保することができる。
【０２１６】
例えば、正面枠１４及び内枠１２に連通されるスペースにスピーカーボックス等（例えば、スピーカーボックスや可動物等）を配置することができるので、大型装置の配置自由度を向上させることができる。
【０２１７】
この場合、内枠１２のスピーカーボックス等を受け入れる位置に、内枠１２の正面側側面から背面側へ向けて凹設される凹設空間がスピーカーボックス等の受け入れが可能な大きさで配設されることにより、正面枠１４の背側面から背面側へ張り出す態様で大型のスピーカーボックス等を正面枠１４に配設することができる。
【０２１８】
なお、凹設空間が配設された内枠１２と、大型のスピーカーボックス等が配設されない正面枠１４とを組み合わせてパチンコ機１０を構成するようにしても良い（内枠１２の兼用を図っても良い）。即ち、内枠１２を共用の枠として使用できることにより、例えば、交換時において、内枠１２はそのままで、正面枠１４のみの交換で済ますことができる。この場合、大型のスピーカーボックス等が配設される正面枠１４と、大型のスピーカーボックス等が配設されない正面枠１４とを、それぞれ別の専用の内枠１２と組み合わせてパチンコ機１０を構成する場合に比較して、交換時の工数を削減することができる。
【０２１９】
なお、正面枠１４から内枠１２へ向けて張り出すものは、スピーカーボックス等に限定されない。例えば、押しボタンの構造の一部でも良いし、正面枠１４と内枠１２との位置決めをする突起でも良いし、配線を部分的に覆う被覆部材でも良い。
【０２２０】
図１５（ａ）及び図１５（ｂ）を参照して、傾倒部材３３０及び解除部材３４０に与えられる負荷の関係について説明する。図１５（ａ）及び図１５（ｂ）は、傾倒部材３３０及び解除部材３４０に与えられる負荷を示す模式図である。なお、理解を容易にするために、傾倒部材３３０及び解除部材３４０の当接位置における形状が軸棒部３３２を中心とする円に沿った形状に模式的に修正して図示される。
【０２２１】
図１５（ａ）では、傾倒部材３３０が傾倒する前の状態であって、傾倒部材３３０と解除部材３４０とが当接した状態（規制状態の一部）が、図１５（ｂ）では、傾倒部材３３０と解除部材３４０とが互いに離反し、傾倒部材３３０が傾倒した状態（許容状態の一部）が、それぞれ図示される。
【０２２２】
傾倒部材３３０及び解除部材３４０に与えられる負荷がつくるモーメントの関係について説明する。まず、傾倒部材３３０の軸周りには、球が乗っていない状態において、弾性バネ３３４の弾性的な付勢力による弾性的モーメントＭｋと、解除部材３４０との当接位置において生じる静止摩擦力による静止摩擦モーメントＭｆと、第１板部材３１０の天板部３１２ａから与えられる規制力による方向限定の規制モーメントＭｒとが生じる。これらが釣り合うことで、傾倒前の状態で傾倒部材３３０の姿勢が維持される（図１５（ａ）参照）。なお、傾倒部材３３０及び解除部材３４０は軽量な部材として構成されることから、図１５の説明においては、傾倒部材３３０及び解除部材３４０の重量により生じるモーメントを無視して説明する。
【０２２３】
弾性的モーメントＭｋは、弾性バネ３３４の材質や大きさ、巻き状態などで数値が変化する。ここで、本実施形態では、傾倒前の状態（図１５（ａ）参照）において、傾倒部材３３０の上面に球が順序よく９個乗るまでは傾倒前の状態を維持できる一方で、球が１０個以上乗ると傾倒開始する大きさで設定される（弾性バネ３３４の弾性係数ｋ１が設定される）。なお、以下において「球が順序よく貯留される」とは、傾倒部材３３０の右端側から前後方向に並ぶ列として一列ずつ順番に、尚かつ、各列において正面側（軸棒部３３２から離れた側）から球が順番に貯留されることを意味する。
【０２２４】
詳述すると、解除部材３４０側から前後方向（矢印Ｆ−Ｂ方向）に球が３個並ぶ球の列が正面視左右方向（矢印Ｌ−Ｒ方向）に３列生じるまでは、解除部材３４０とは無関係に、傾倒部材３３０は傾斜前の状態を維持する。
【０２２５】
図１５（ａ）では、解除部材３４０側から３個並ぶ球の列の例が想像線で図示される。図１５（ａ）に示すように、列を形成する球の中心位置は、おおよそ等間隔で配置される。即ち、解除部材３４０から最も離れた球（矢印Ｂ側に配置された球）の中心位置は軸棒部３３２から腕長さＡＲ［ｍｍ］だけ離れた位置に、その球と隣接する球の中心位置は軸棒部３３２から腕長さＡＲの約３培だけ離れた位置に、解除部材３４０に最も近接する球（矢印Ｆ側に配置された球）の中心位置は軸棒部３３２から腕長さＡＲの約５倍だけ離れた位置に、それぞれ配置される。なお、理解を容易にするために、以下において、傾倒部材３３０の上面に配置される球は、上述した３通りの位置のいずれか（軸棒部３３２から腕長さＡＲの整数倍だけ離れた位置）に配置されるものと仮定して説明を行う。
【０２２６】
軸棒部３３２に対する上底板部３３１ｂの傾斜は、位置によらず一様なので、球から軸棒部３３２の軸周りに与えられる負荷は位置によらず等しい。ここで、球が軸棒部３３２の軸周りに与える負荷を負荷ｍｇ［Ｎ］（傾倒部材３３０の前後方向の傾斜は１°なので、傾斜の影響は無視すると仮定）とし、３列の球が傾倒部材３３０の上面に乗った状態で球から傾倒部材３３０に与えられるモーメントを球の負荷により傾倒部材３３０の軸周りに生じる負荷モーメントＭｂとして表すと（３個で一列の球により生じるモーメントが、（Ｒ＋３Ｒ＋５Ｒ）×ｍｇであり、それが３列あるとして）、Ｍｂ＝２７ｍｇ×Ｒ［Ｎｍｍ］となることから、弾性的モーメントＭｋもＭｋ≒２７ｍｇ×Ｒ［Ｎｍｍ］で設定される。なお、ｍｇは球の重量ｍ［ｋｇ］に起因して生じる負荷、ｇは重力加速度［ｍ／（ｓ＾２）］として説明する。また、本実施形態では、傾倒時（図１５（ｂ）参照）における弾性的モーメントの、傾倒前の弾性的モーメントＭｋとの違いが僅かとなるように弾性バネ３３４が構成される。
【０２２７】
例えば、本実施形態では、弾性バネ３３４の弾性係数ｋ１がｋ１＝０．２ｍｇ×Ｒ［Ｎｍｍ／ｄｅｇ］で設定され、弾性バネ３３４の形状は、傾倒前の状態における弾性バネ３３４の変位量（角度）が１３５°となるように設定される。この状態において、傾倒部材３３０の傾倒前に弾性バネ３３４が生じる弾性的モーメントＭｋは２７ｍｇ×Ｒ［Ｎｍｍ］であり、傾倒後（傾倒前の状態から１４°角度変化した状態）に弾性バネ３３４が生じる弾性的モーメントＭｋは２９．８ｍｇ×Ｒ［Ｎｍｍ］（１０個目の球が傾倒部材３３０に順序良く乗った時に傾倒部材３３０にかけられる負荷モーメントＭｂの総和よりも小さい）となる。そのため、生じる弾性的モーメントの変化が小さいことから、図１５（ｂ）においても、傾倒時の弾性的モーメントを弾性的モーメントＭｋと同じ符号で説明する。
【０２２８】
静止摩擦モーメントＭｆは、解除部材３４０が傾倒部材３３０に与える負荷と、当接面の状態と、により数値が変化する。ここで、本模式図では、図１５（ａ）に示すように、傾倒部材３３０と解除部材３４０との当接部分を通る解除部材３４０の軸棒部３４１を中心とした円の接線が傾倒部材３３０の回転軸（軸棒部３３２）を通ることから、解除部材３４０の軸周りに生じる弾性バネ３４６により生じる付勢力Ｆｍ１が、分割されることなく傾倒部材３３０に摩擦をかける負荷として生じる。
【０２２９】
従って、静止摩擦モーメントＭｆは、付勢力Ｆｍ１に傾倒部材３３０と解除部材３４０との当接状態における静止摩擦係数μを乗じたものに、傾倒部材３３０の回転軸を中心とした腕長さをかけたものになる。なお、本実施形態では、静止摩擦係数μを０．５に、付勢力Ｆｍ１（解除部材３４０の回転軸から腕長さＡＲの４倍の位置で傾倒部材３３０側に生じる負荷）を球１．５個分の重さ（１．５ｍｇ［Ｎ］）に相当する力に、それぞれ設定する（解除部材３４０の当接面の態様、及び弾性バネ３４６の弾性係数を設定する）。これにより、図１５（ａ）の状態においては、球が傾倒部材３３０の上面に１０個乗ったとしても、傾倒部材３３０を傾倒前の状態で維持することができる。
【０２３０】
詳述すると、静止摩擦モーメントＭｆは、軸棒部３３２からの距離が、腕長さＡＲの７倍の位置において、付勢力Ｆｍ１が傾倒部材３３０に働くことにより生じる摩擦力によるモーメントとして表せるので、Ｍｆ＝７Ｒ×１．５×ｍｇ×０．５＝５．２５ｍｇ×Ｒ［Ｎｍｍ］となる。これにより、傾倒部材３３０だけでは傾倒を開始する個数の球が乗ったとしても、更に静止摩擦モーメントＭｆが加えられることにより、少なくともあと１個の球が追加で乗るまでは、傾倒部材３３０の姿勢を維持させることができる。
【０２３１】
この条件を成立させる一例として、本実施形態では、弾性バネ３４６の弾性係数ｋ２がｋ２＝０．１ｍｇ×Ｒ［Ｎｍｍ／ｄｅｇ］で設定され、弾性バネ３４５の形状は、傾倒前の状態における弾性バネ３４５の変位量（角度）が６０°となるように設定される。なお、解除部材３４０は、上皿１７に形成される回り止め（図示せず）により、図１５（ａ）の姿勢よりも若干の角度だけ傾倒部材３３０側に回転した姿勢が解除部材３４０の移動範囲の限界位置として制限される。
【０２３２】
なお、上述したように、傾倒部材３３０が傾倒後、傾倒前の状態に復帰する（起き上がる）過程において傾倒部材３３０の軸周りに生じるモーメント（＞Ｍｋ）は、静止摩擦モーメントＭｆよりも大きいことから、傾倒部材３３０又は解除部材３４０のどちらが先に図１５（ａ）に示す状態に復帰するかに関わらず、傾倒部材３３０を傾倒前の状態に復帰させることができる（傾倒部材３３０が復帰の途中で静止することを防止することができる）。
【０２３３】
詳述すると、傾倒部材３３０が起き上がりきる直前において発生する負荷（初期トルクとほぼ同じ）が、解除部材３４０から受ける摩擦に打ち勝つことが要件となるところ、当接位置までの回転軸からの長さは、傾倒部材３３０：解除部材３４０＝７Ｒ：４Ｒである。そのため、当接位置で生じる負荷に、以下の式が成り立つ必要がある。
【０２３４】
即ち、ｐ×ｋ１（傾倒前の状態における弾性的モーメントＭｋ）＞７Ｒ／４Ｒ×ｑ×ｋ２（傾倒部材３３０に当接している状態における静止摩擦モーメントＭｆ×７／４）が成り立つ必要がある。ここで、ｐは、弾性バネ３３４の初期変形角度、ｑは、弾性バネ３４６の初期変形角度を意味する。なお、係合凸部３４５の影響を考慮して、ｐ×ｋ１を大きめに設定することが望ましい。本実施形態では、上述した設定において本式を満たすので、傾倒部材３３０が復帰の途中で静止することを防止することができる。
【０２３５】
ここで、傾倒部材３３０の傾倒が開始される条件としては、上述したように、解除部材３４０との間で生じる静止摩擦に球が与える負荷が打ち勝って（モーメントが勝って）動作開始する場合（Ｍｋ＋Ｍｆ＜ΣＭｂ、ΣＭｂは傾倒部材３３０の上面に乗る各球の負荷モーメントＭｂの総和を意味する）と、解除部材３４０が傾倒部材３３０から離反することで静止摩擦が解消され動作開始する場合と、が考えられる。以下、後者である、解除部材３４０が傾倒部材３３０から離反する場合について説明する。
【０２３６】
例えば、球が勢いよく解除部材３４０に衝突する場合について説明する。本模式図では、当接部分の形状関係（解除部材３４０の回転軸を中心として解除部材３４０と傾倒部材３３０との当接部分を通る円の接線が傾倒部材３３０の回転軸を通る形状関係）により、解除部材３４０が傾倒部材３３０から離反する過程で摩擦が生じない。従って、解除部材３４０に与えられる負荷が、純粋に付勢力Ｆｍ１を上回れば、解除部材３４０の姿勢が変化し、傾倒部材３３０に与えられる静止摩擦が解消する。
【０２３７】
ここで、球と解除部材３４０との当接位置における付勢力Ｆｍ１が球３個分の重さに対応すると仮定すると、例えば、解除部材３４０に衝突した球が解除部材３４０を０．１［ｍｍ］だけ変位させるのに必要な運動エネルギーを有した球を考えると、力学的な方程式であるＦｓ＝１／２ｍｖ＾２に、Ｆ＝Ｆｍ１＝３ｍｇ［Ｎ］、ｓ＝１×１０＾（−４）［ｍ］を代入することで、ｖ≒８×１０＾（−２）［ｍ／ｓ］が求められるので、球の速度は、約８［ｃｍ／ｓ］となる。
【０２３８】
即ち、例えば、傾倒部材３３０に球が９個乗った状態で球が速度８［ｃｍ／ｓ］で解除部材３４０に衝突した場合、解除部材３４０が傾倒部材３３０から離反し、静止摩擦力が消失するので、球の重みで傾倒部材３３０が傾倒する。従って、解除部材３４０に球が衝突しない場合（上述したように、１０個球が乗っても傾倒部材３３０が維持される）に比較して、傾倒部材３３０の傾倒に要する球の個数が少なくなり、傾倒部材３３０が傾倒する際に傾倒部材３３０に乗っている球の数に、若干のばらつきを生じさせることができる。これにより、開口部１７ａからの球の排出を、ランダム性のある演出として遊技者に見せることができる。
【０２３９】
また、例えば、解除部材３４０の背面側に貯留された球の重みが解除部材３４０に負荷を与える場合について説明する。傾倒部材３３０は前後方向に水平面から約１°下降傾斜していることから、解除部材３４０に１個の球が与える負荷は、ｍｇ×ＣＯＳ８９°≒０．０２ｍｇ［Ｎ］である。そのため、解除部材３４０の背面側に貯留され解除部材３４０に負荷を与える球が７５個を超えると、解除部材３４０は球に押しのけられ、回転を開始することになるが、本実施形態では、解除部材３４０に負荷を与える球の数は、最大でも２０個程度であり、７５個は超えないので、解除部材３４０はそのままの姿勢を維持する。
【０２４０】
なお、傾倒部材３３０の傾倒後は、解除部材３４０と球との当接位置が解除部材３４０の回転軸から離れるので（腕長さＡＲの２〜３倍となるので）、解除部材３４０を押しのけるのに球に必要とされる負荷が減少する。
【０２４１】
そのため、解除部材３４０を押しのけるのに必要となる解除部材３４０に負荷を与える球の数は、傾倒部材３３０の傾倒前に比較して減少する。傾倒部材３３０の傾倒後は、傾倒部材３３０の前後方向に沿った水平面からの傾斜角度が１５°に設定されるので、１個の球が解除部材３４０に与える負荷はｍｇ×ＣＯＳ７５°≒０．２５ｍｇ［Ｎ］（傾倒部材３３０の傾斜方向の負荷は水平面に対して１５°なので、傾斜方向の負荷が、そのまま解除部材３４０の回転方向にかけられると近似した場合）である。
【０２４２】
そのため、解除部材３４０を押しのけるために必要な負荷が傾倒部材３３０の傾倒前の半分であると仮定する（当接位置の解除部材３４０の回転軸からの距離が腕長さＡＲの４倍と仮定する）と、解除部材３４０に負荷を与える球の数が６個以上であれば、解除部材３４０を押しのけて流下し始めることができる。
【０２４３】
尚且つ、解除部材３４０が回転するほど、解除部材３４０から球へ与えられる負荷の球の流下方向に対する角度が大きくなると共に、球が解除部材３４０と当接する点の解除部材３４０の回転軸からの長さが長くなるので、解除部材３４０を回転させるのに必要となる負荷が減少する。
【０２４４】
例えば、図１５（ｂ）に示す状態（弾性バネ３４６の変位が最大となる状態）では、球の負荷を前後方向（矢印Ｆ−Ｂ方向）に沿って生じるものと近似した場合、その球を前後方向に押し返す方向に解除部材３４０が発生させる負荷は、付勢力Ｆｍ１の解除部材３４０の回転角度に伴う成分の力となる。図１５（ｂ）に示すように、解除部材３４０は移動しきった状態において当接板部３４２、係合凸部３４５の球と当接する側の面が鉛直方向に対して４５°傾斜するため、付勢力Ｆｍ１の球を押し返すモーメントを発生させる成分は、０．７Ｆｍ１（≒Ｆｍ１×ＣＯＳ４５°）となる。
【０２４５】
これにより、弾性バネ３４６の変位量により増大する付勢力の増加分（約１．５倍）が、球を押し返す付勢力Ｆｍ１の成分（約０．７Ｆｍ１）との関係で、相殺される。更に、解除部材３４０と球との当接位置は、解除部材３４０が回転するほど（矢印Ｆ側に移動するほど）回転軸から遠くなるので、より小さな力で解除部材３４０を押し返すことができる。
【０２４６】
従って、解除部材３４０を回転させ始めさえすれば、解除部材３４０を短時間でスムーズに、移動範囲の端部（図１５（ｂ）参照）まで回転させることができる。なお、球と傾倒部材３３０及び解除部材３４０との間で生じる動摩擦については無視している。
【０２４７】
図１５（ｂ）に示す状態に傾倒部材３３０が到達した直後は、傾倒部材３３０の上面に多数の球が乗っているため、その重みで傾倒部材３３０の姿勢は維持されるが、傾倒部材３３０の上面から球が流れ落ちるにつれて傾倒部材３３０にかけられる重みが小さくなり、弾性バネ３３４による付勢力が球の重みに打ち勝ち始める。ここで、例えば、傾倒部材３３０の上面に傷ができており、それにより球が減速され球の流下が遅れてしまうと、球が流れ落ちる前に傾倒部材３３０が復帰する（起き上がる）という不具合が生じるおそれがある。
【０２４８】
本遊技機のように、上皿１７に開口部１７ａが配設され、開口部１７ａを開閉する部材が自動で動作する場合、傾倒部材３３０に解除部材３４０から与えられる動作抵抗に打ち勝つだけの負荷を継続的に与えながら、傾倒部材３３０が傾倒する際には、即座に姿勢変化することが求められる（例えば、傾倒開始から球の排出開始までの間隔を短くすることができる）一方、傾倒後、復帰する（起き上がる）際には、球が流れ落ちるまで粘ってから（待ってから）姿勢変化することが求められる（例えば、傾倒部材３３０の上面に乗る球を残さず流れ落とすことができる）という、相反する要求が生じ、これに応える簡易な構造が求められることが予想される。
【０２４９】
これに対し、本実施形態では、傾倒部材３３０の下方に配置される第１板部材３１０の天板部３１２ａは、図１５（ａ）に示す状態では傾倒部材３３０と当接せず、そこから傾倒部材３３０が傾倒し、傾倒後の状態になる直前から傾倒部材３３０の本体枠３３１ａと当接する態様で凹設形成される抵抗凹設部３１２ａ１を備える。これにより、傾倒部材３３０が傾倒した状態から起き上がり始める際には、天板部３１２ａの抵抗凹設部３１２ａ１との間で生じる摩擦力に打ち勝つ必要があるので、動作開始までの時間を引き延ばすことができる。
【０２５０】
なお、天板部３１２ａとの当接は、傾倒部材３３０の傾倒動作時にも生じるが、この時は、傾倒部材３３０の上面に十分な個数の球がまだ配置されていることに加え、生じる摩擦は動摩擦なので、摩擦力による傾倒部材３３０の起き上がり動作開始までの時間延長の効果を維持しながら、傾倒部材３３０の傾倒動作時の減速度合いを最小限に抑えることができる。
【０２５１】
例えば、抵抗凹設部３１２ａ１と傾倒部材３３０との間で生じる静止摩擦力により生じる傾倒部材３３０の軸回りのモーメントが、傾倒時の傾倒部材３３０に生じる弾性的モーメントＭｋよりも小さく、傾倒時の傾倒部材３３０に球が１つ乗った場合における弾性的モーメントＭｋと負荷モーメントＭｂとの総和よりも大きくなるように、抵抗凹設部３１２ａ１の表面が設定されても良い。この場合、傾倒時の傾倒部材３３０の上面から球が全て流れ落ちるまで傾倒部材３３０は傾倒した状態を維持し、球が全て流れ落ちた後、静止摩擦力に抗して復帰動作を開始する。従って、傾倒部材３３０の上面に球が残っているときに傾倒部材３３０が復帰動作を開始することを防止することができる。
【０２５２】
一方で、抵抗凹設部３１２ａとの静止摩擦力に抗して傾倒部材３３０が復帰動作を開始した後は、傾倒部材３３０にかけられる摩擦は動摩擦であり小さいので、その後で球が傾倒部材３３０に少数乗ったとしても傾倒部材３３０に復帰動作を継続させることができる。従って、傾倒部材３３０の復帰動作中に傾倒部材３３０の上面に流入した球を、その後で傾倒部材３３０が復帰しきった後に傾倒部材３３０の上面に到達した球と一緒にまとめて排出することができる。
【０２５３】
なお、実際（模式的に修正する前）は、本実施形態では、解除部材３４０の係合凸部３４５が傾倒部材３３０の動作軌跡内に入り込むので、解除部材３４０を球の衝撃で傾倒部材３３０から離反させ傾倒部材３３０を傾倒させる場合には、上述したよりも（０．１［ｍｍ］）よりも、長い距離（例えば、１［ｍｍ］）だけ解除部材３４０を変位（回転）させ動作軌跡外に出す必要があるので、図１５で説明した模式図に比較して、球の衝撃で解除部材３４０が変位し傾倒部材３３０が傾倒する事態を生じ難くすることができる。
【０２５４】
なお、係合凸部３４５が解除部材３４０の軸棒部３４１から最も遠い位置に配設されることにより、係合凸部３４５が軸膨部３４１に近い位置に配設される場合に比較して、係合凸部３４５の凸設長さを確保しながら、傾倒部材３３０が傾倒した状態から復帰する際に解除部材３４０を乗り越えるために必要となる解除部材３４０の回転角度を小さくすることができる。
【０２５５】
また、係合部３３３ｂの上面が当接板部３４２の下端部に当接することで、復帰動作中の傾倒部材３３０が係止される（図１４（ａ）参照）。これにより、傾倒部材３３０の復帰時の姿勢を規定することができる。
【０２５６】
加えて、本実施形態では、解除部材３４０と傾倒部材３３０との当接位置は傾倒部材３３０の上面に沿った位置であり、図１５（ａ）で当接位置として図示した位置よりも上側とされる。従って、解除部材３４０から傾倒部材３３０に与えられる負荷の方向を示す直線は、軸棒部３３２よりも上側を通る。そのため、傾倒部材３３０は、解除部材３４０から、上向きの摩擦力に加え、軸棒部３３２よりも上側を通る上記直線に沿った付勢力Ｆｍ１の方向成分による力を受ける。これにより、傾倒部材３３０と解除部材３４０との間に生じる摩擦の大小に関わらず、付勢力Ｆｍ１により傾倒部材３３０に生じるモーメントにより、傾倒部材３３０を傾倒前の状態（図１４（ａ）参照）に維持し易くすることができる。
【０２５７】
図１６及び図１７は、上皿１７の背面斜視図である。なお、図１６及び図１７では、理解を容易とするために、供給開口１７ｇが形成される背面側板の図示が省略されると共に供給開口１７ｇの開口部外形が想像線で図示される。また、図１６では、傾倒部材３３０及び解除部材３４０の規制状態が、図１７では、傾倒部材３３０及び解除部材３４０の許容状態が、それぞれ図示される。
【０２５８】
図１７に示す状態では、球案内天面１７ａ１と傾倒部材３３０との間隔が球の直径以上とされる。従って、図１７に示す状態において、傾倒部材３３０の幅方向（矢印Ｌ−Ｒ方向）のどの位置からでも球を開口部１７ａ伝いに上皿１７の外方へ排出することができる。
【０２５９】
図１６及び図１７に示すように、供給開口１７ｇを通って上皿１７に供給された球は、まず橋渡し球貯留領域１７ｅに着地する。橋渡し球貯留領域１７ｅの上面は発射球貯留領域１７ｄの上面と面位置でつながる一方、傾倒部材３３０の上面および後追い球貯留領域１７ｆの上面は、橋渡し球貯留領域１７ｅよりも一段高い面として形成される。本実施形態では、球の半径ｒａの約１／４だけ高い面（橋渡し球貯留領域１７ｅに貯留された球が水平方向の負荷で乗り上げ可能な高さ）として形成される。
【０２６０】
これにより、供給開口１７ｇから上皿１７に供給された球は、まず発射球貯留領域１７ｄ及び橋渡し球貯留領域１７ｅを満たし、その後、橋渡し球貯留領域１７ｅに満たされた球の上を伝うか、後から来た球に橋渡し球貯留領域１７ｅに貯留されていた球が押し出されることにより、後追い球貯留領域１７ｆ及び傾倒部材３３０の上面に流入する。
【０２６１】
即ち、本実施形態では、供給開口１７ｇから上皿１７に供給された球の全てが傾倒部材３３０の上面を通るのでは無く、発射球貯留領域１７ｄ及び橋渡し球貯留領域１７ｅが球で満たされる前に上皿１７に供給された球のほとんどは傾倒部材３３０の上面を通過することなく流下する。
【０２６２】
そのため、発射球貯留領域１７ｄ及び橋渡し球貯留領域１７ｅが球で満たされる前に解除部材３４０に球が当接することを防止できる。これにより、上皿１７に貯留される球が少ない状態で傾倒部材３３０及び解除部材３４０が許容状態を形成し球が上皿１７から排出される可能性を低減することができる。
【０２６３】
このように、本実施形態では、傾倒部材３３０の上面が橋渡し球貯留領域１７ｅよりも一段高くなる配置で傾倒部材３３０を上皿１７に配設することで、球の流下経路を指定することができる。これにより、球の経路を指定する別部材を用意したり、上皿１７を特別な形状としたりする場合に比較して、部品コストや、加工コストを抑えることができる。
【０２６４】
本実施形態では、橋渡し球貯留領域１７ｅに球が供給される場合、橋渡し球貯留領域１７ｅに配置される球が予め許容される数量（段積み含む）を越えている場合には対応する数量の球が後追い球貯留領域１７ｆに押し出される一方、橋渡し球貯留領域１７ｅに配置される球が許容される数量に到達していない場合には球が供給されても後追い球貯留領域１７ｆに押し出されることはなく、橋渡し球貯留領域１７ｅに留まる。即ち、橋渡し球貯留領域１７ｅは、上面に貯留される球の個数に応じて、供給される球の案内先を変える領域として機能する。これにより、供給開口１７ｇから供給される球により橋渡し球貯留領域１７ｅを優先的に球で満たすことができる。
【０２６５】
後追い球貯留領域１７ｆの傾倒部材３３０側の端部と上皿１７の正面側内面との交差部に当たる湾曲部１７ｆ１は、球の半径ｒａよりも小さな曲率半径の湾曲形状から形成される。従って、湾曲部１７ｆ１に向かって来た球の速度を上方へ向けることができ、その勢いを急激に落とすことができる。
【０２６６】
また、供給開口１７ｇから供給された球の速度が湾曲部１７ｆ１に到達することで急激に落ち、その後で傾倒部材３３０へ流入する態様で球を流下させることができる。これにより、供給開口１７ｇから上皿１７に供給された球が傾倒部材３３０に流入する経路を狭めることができ、球が解除部材３４０に到達する経路を制限することができる。
【０２６７】
解除部材３４０は、規制状態において、当接板部３４２と湾曲部１７ｆ１との間隔Ｔ２が、球の半径ｒａ以上とされる位置に配設される。即ち、解除部材３４０が上皿１７の内面から外方へ奥まった位置に配設されるので、上皿１７の内面に沿った速度方向で流下する球が、そのままの勢いで解除部材３４０側へ流入することを回避することができる。本実施形態では、後述するように、流下する球は解除部材３４０の背面側（矢印Ｂ側）を素通りし、解除部材３４０の下流側（矢印Ｒ側）に球が満たされた後に下流側への流下が阻害された球（行き場を失った球）が解除部材３４０に到達する（球被覆面１７ａ２の下方に配置される）。
【０２６８】
また、間隔Ｔ２が球の半径ｒａ以上とされることで、球被覆面１７ａ２の下方に球Ｐ１が配置された状態において後追い球貯留領域１７ｆに配置される球から負荷が与えられ球Ｐ１が移動開始する方向を解除部材３４０側に向いた方向とすることができる。これにより、球Ｐ１が後追い球貯留領域１７ｆ１から流下する球の作用により球被覆面１７ａ２の下方の領域から上皿１７の内側へ弾き出されることを防止することができる。
【０２６９】
図１６に示すように、解除部材３４０は上皿１７の正面側面（矢印Ｆ側の側面）の更に正面側に奥まった位置に配設され、解除部材３４０の上方が球被覆面１７ａ２により覆われる。
【０２７０】
即ち、球が上皿１７の上方から供給された場合に、球が解除部材３４０へ向けて斜めに落下したとしても、球の流下経路が球被覆面１７ａ２と干渉する場合には、上皿１７の内面に球が当接し球の流下方向が上皿１７の内面形状に沿った方向に切り替えられる。これにより、球は解除部材３４０から離れた位置（球被覆面１７ａ２の背面側、矢印Ｂ側）に着地することになるので、上皿１７の上方から供給された球が、落下時の勢いで解除部材３４０に負荷を与えることを防止することができる。
【０２７１】
例えば、上皿１７に残った球が少ないと感じた遊技者が下皿１５や千両箱などから上皿１７に球を供給した場合に、その球が解除部材３４０に当接する場合があると、球を上皿１７に供給することに伴い上皿１７から球が排出されることになり、遊技者に不満を与える原因となる。これに対し、本実施形態によれば、遊技者により上皿１７に供給された球が解除部材３４０と当接することを防止することができるので、遊技者の不満を解消することができる。
【０２７２】
球被覆面１７ａ２は、上述したように、規制状態において、傾倒部材３３０の上面との間隔が球の直径の２倍よりも短くなる位置に配置される。これにより、解除部材３４０に当接する球Ｐ１の上に球が積み上がることを防止することができ、傾倒部材３３０が許容状態となり球が排出される際に、縦に２段に積み上がった状態で開口部１７ａに球が流入することに伴い球詰まりが生じるおそれを低減することができる。
【０２７３】
球被覆面１７ａ２は、傾倒時（図１７参照）において、傾倒部材３３０の上面との間隔が球の直径の２倍程度とされる（図１４（ｂ）参照）ので、傾倒部材３３０の上面において球被覆面１７ａ２の背面側で球が積層されていた場合であっても、上下方向において球の直径の２倍程度の開口幅で球を受け入れることができるので、開口部１７ａを通した球の排出をスムーズに行うことができる。
【０２７４】
本実施形態では、特に、球が積層を生じ易い供給開口１７ｇに近い側において、開口部１７ａと傾倒部材３３０との間の上下方向の開口幅が長くされるので、開口部１７ａを通した球の排出をスムーズに行うことができる。
【０２７５】
加えて、本実施形態では、開口部１７ａを通して排出される球が流下する経路（第１板部材３１０及び第２板部材３２０により形成される内部流路）が鉛直下方へ延びている（図１４（ｂ）参照）。そのため、上下方向に複数球の球が積まれた状態で開口部１７ａを通過した場合であっても、球が積まれる方向と、球が流下する経路の延びる方向とのなす角度が抑えられているので、開口部１７ａの下流における球の流下抵抗を低減することができる（例えば、開口部１７ａを通過した複数の球が噛み合い、内部流路内で挟まれることで滞留したり、噛み合わないまでもお互いに衝突し合うことで減速させたりすることを防止できる）。従って、開口部１７ａを通した球の排出をスムーズに行うことができる。
【０２７６】
図１８（ａ）から図１８（ｃ）及び図１９（ａ）から図１９（ｃ）は、上皿１７の上面図である。なお、図１８及び図１９では、上皿１７への球の貯留態様が時系列で図示される。
【０２７７】
即ち、図１８（ａ）では、発射球貯留領域１７ｄの一部に球が貯留された状態が、図１８（ｂ）では、発射球貯留領域１７ｄが球で満たされた後で橋渡し球貯留領域１７ｅの一部に球が貯留された状態が、図１８（ｃ）では、図１８（ｂ）に示す状態から更に、橋渡し球貯留領域１７ｅが球で満たされた状態が、図１９（ａ）では、図１８（ｃ）に示す状態から更に、球が傾倒部材３３０の上面に流入した状態が、図１９（ｂ）では、図１９（ａ）に示す状態から更に、後追い球貯留領域１７ｆが球で満たされた状態が、図１９（ｃ）では、図１９（ｂ）に示す状態から更に、傾倒部材３３０及び解除部材３４０が許容状態とされ傾倒部材３３０の上面に貯留されていた球および後追い球貯留領域１７ｆに貯留されていた球が上皿１７から排出された状態が、それぞれ図示される。なお、図１８（ａ）から図１８（ｃ）及び図１９（ａ）から図１９（ｃ）では、貯留される球の態様が簡略化（底面に接する一層目のみが図示され、重なる球は省略）して図示される。
【０２７８】
図１８及び図１９に示すように、供給開口１７ｇから上皿１７に供給された（払い出された）球は、まず発射球貯留領域１７ｄ及び橋渡し球貯留領域１７ｅに流入し、それらの領域が球で満たされた後、余剰分の球が傾倒部材３３０の上面へ流入する。尚かつ、発射球貯留領域１７ｄ及び橋渡し球貯留領域１７ｅに貯留された球は傾倒部材３３０が許容状態になったとしても上皿１７の開口部１７ａから排出されることは無い。
【０２７９】
従って、本実施形態によれば、上皿１７に貯留された球が発射球貯留領域１７ｄ及び橋渡し球貯留領域１７ｅを満たす球数よりも少ない場合に、球が開口部１７ａから排出されるという不具合を、簡易な構成（領域毎の底面高さに差を設けること）により解消することができる。
【０２８０】
更に、傾倒部材３３０の状態に関わらず、発射球貯留領域１７ｄに貯留された球を球発射ユニット１１２ａ（図４参照）に供給することができると共に、発射球貯留領域１７ｄ及び橋渡し球貯留領域１７ｅが球で満たされていない場合は、供給開口１７ｇから供給された球を優先的に発射球貯留領域１７ｄ及び橋渡し球貯留領域１７ｅに流入させることができる。
【０２８１】
なお、本実施形態では、発射球貯留領域１７ｄが球で満たされるまでに少なくとも（上皿１７の底面に接する球の数として）約４０個の球が発射球貯留領域１７ｄに貯留され、橋渡し球貯留領域１７ｅが球で満たされるまでに少なくとも約２０個の球が橋渡し球貯留領域１７ｅに貯留される（図１９（ｂ）参照）。
【０２８２】
図１９を参照して、傾倒部材３３０の上面に球が貯留され始めてから、その球が開口部１７ａを通って上皿１７の外方へ排出されるまでの経過について説明する。
【０２８３】
図１９（ａ）に示すように、橋渡し球貯留領域１７ｅに貯留された球の上を渡って後追い球貯留領域１７ｆ又は傾倒部材３３０の上面に流入した球は、後追い球貯留領域１７ｆ及び傾倒部材３３０が形成する傾斜に沿って流下する。ここで、規制状態において（図１４（ａ）参照）、傾倒部材３３０の上面は正面側（矢印Ｆ側）へ向かう程下降傾斜していると共に、右側（矢印Ｒ側）へ向かう程下降傾斜しているので、後追い球貯留領域１７ｆから傾倒部材３３０の上面に流入した球は右方正面側へ向けて傾斜する傾斜方向Ｃに沿って流下する。そのため、傾倒部材３３０の上面に流入した球は、傾倒部材３３０の右側正面端部（矢印Ｒ及び矢印Ｆ側端部）から順に溜まる。
【０２８４】
本実施形態では、解除部材３４０が傾倒部材３３０の左側正面端部（矢印Ｌ及び矢印Ｆ側端部）に配置されるので、傾倒部材３３０の上面に貯留される球が少ない状態（例えば、球が無い状態）において傾倒部材３３０の上面に流入する球が解除部材３４０に到達する可能性を低くすることができる。
【０２８５】
図１９（ｂ）に示すように、傾倒部材３３０の上面が球で満たされ、更に後追い球貯留領域１７ｆも球で満たされた状態では、解除部材３４０の当接板部３４２に球が当接し、更にその球の上流側（矢印Ｌ側および矢印Ｂ側）に球が貯留される。
【０２８６】
図１９（ｂ）に示す状態から、上皿１７に供給される球よりも遊技領域に発射される球の方が多くなる場合、傾倒部材３３０の上面および後追い球貯留領域１７ｆに貯留された球も徐々に上皿１７の底面の傾斜に沿って球発射ユニット１１２ａ（図４参照）の方（図１９（ｂ）右方）へ案内される。このとき、解除部材３４０に当接していた球も同様に案内される。
【０２８７】
案内される過程においては、傾倒部材３３０の上面の形状であって正面側へ向かうにつれて下降傾斜する傾斜方向ＦＩ（図１２参照）及び発射球貯留領域１７ｄの底面の形状であって背面側へ向かうにつれて下降傾斜する傾斜方向ＢＩ（図１２参照）に沿って、球は案内される。
【０２８８】
本実施形態では、貸球操作部４０の１回の操作により球が上皿１７に供給（貸出）される場合に、球が開口部１７ａから排出されることが防止される。即ち、一般的なパチンコ機１０では、貸球操作部４０の１回の操作により上皿１７に１２５個の球が供給される。この場合には、上皿１７の状態が図１９（ｂ）に示す状態で収まるように、発射供給口１７ｋから球発射ユニット１１２ａまでの経路が形成される（余剰の球が経路内に滞留する）。
【０２８９】
一方で、大当たり遊技状態などにおいて、多量の払い出しが行われる場合、図１９（ｂ）に示す状態から、更に球が上皿１７に供給されると、傾倒部材３３０の上面または後追い球貯留領域１７ｆに配置される球の上に乗った球が、球の間に沈む際に、既に上皿１７に貯留された球同士の間隔を押し広げる。この際に、上皿１７の底面と平行な方向で球が移動し、この移動する球により解除部材３４０が球発射ユニット１１２ａの配置される側の反対側である正面側（図１９（ｂ）下側）へ押し退けられる。解除部材３４０が変位することにより、傾倒部材３３０及び解除部材３４０の係合が解除され、球の重みで傾倒部材３３０が回転する。
【０２９０】
これにより、傾倒部材３３０及び回転部材３４０が許容状態となり、傾倒部材３３０の上面および後追い球貯留領域１７ｆに貯留されていた球が開口部１７ａを通って上皿１７から排出される。
【０２９１】
上述した動作をおこなわせるために、解除部材３４０を傾倒部材３３０に近接する方向へ付勢する弾性バネ３４６の弾性力は、上述のように、図１９（ｂ）の状態において解除部材３４０に球から与えられる静的な負荷（例えば、３個以上の球により生じる負荷）よりも大きく設定される。
【０２９２】
上述したように、傾倒部材３３０の上面に配置される球が１１個を越えると、傾倒部材３３０は傾倒を開始する。この状態において、上皿１７には、球を受け入れる若干の余裕がある。即ち、傾倒部材３３０が傾倒することによる開口部１７ａからの球の排出は、供給開口１７ｇから球を供給可能な状態で開始される。従って、供給開口１７ｇの上流側の流路に球が貯留される前に開口部１７ａを通して球の排出を行うことになるので、上皿１７ａから球を抜くように報知する球抜き報知が発生する前に開口部１７ａを通して球を排出することができる。
【０２９３】
図１９（ｃ）に示すように、開口部１７ａを通って傾倒部材３３０の上面および後追い球貯留領域１７ｆに貯留された球が排出される際には、解除部材３４０が球により押し退けられる。
【０２９４】
本実施形態では、毎秒１０個の球を供給する速度で払出モータ２１６が駆動される。そのため、球の「流量」として所定期間に何個の球が開口部１７ａを通過するかを定量化する量として定義する場合に、１．１秒以上の間隔で、上述したように約８０［個／秒］の流量で上皿１７から球が排出される。
【０２９５】
この排出の間、解除部材３４０が球により押し退けられることで、傾倒部材３３０及び解除部材３４０が規制状態を形成することを防止することができる。従って、排出の途中で傾倒部材３３０及び解除部材３４０が規制状態を形成してしまい、排出が中断することを防止することができる。
【０２９６】
このように、本実施形態によれば、上皿１７の球の貯留具合により、傾倒部材３３０及び解除部材３４０が自動で状態変化し、開口部１７ａを通って上皿１７から球が排出される。これにより、球の排出にかかる遊技者の操作を不要とすることができるので、その分、遊技者の集中力を第３図柄表示装置８１で表示される演出や、遊技領域に発射される球の発射速度の調整に向けさせることができる。
【０２９７】
なお、本実施形態では、傾倒部材３３０の上面から球が排除されてから（開口部１７ａを通って排出される球の流量が少なくなったり（例えば、排出流量が１［個／秒］以下となると））、傾倒部材３３０の上面に配置される球が少なくなったりすると（例えば、１個も無くなると）、傾倒部材３３０が復帰動作を行うが、その復帰にかかる期間（傾倒前の状態（図１４（ａ）参照）にもどるまでにかかる期間）を約０．２秒と仮定して、以下に説明を行う。
【０２９８】
この場合、図１９（ａ）に示す状態において傾倒部材３３０の上面および後追い球貯留領域１７ｆに貯留される球が排出されきってから、供給開口１７ｇから上皿１７に供給される球が傾倒部材３３０の上面に流入するまでの間に、傾倒部材３３０及び解除部材３４０を規制状態とすることができる。
【０２９９】
傾倒部材３３０が許容状態から起き上がる途中（規制状態を形成する前）に、球が傾倒部材３３０の上面に流入したとしても、球は、傾倒部材３３０と開口部１７ａとの間隔が狭い傾倒部材３３０の右正面側（矢印Ｒ及び矢印Ｆ側）へ向けて流下するので、その球が開口部１７ａを通って排出されることを抑制することができる。尚かつ、その球により解除部材３４０が押し退けられる可能性を低くすることで傾倒部材３３０を継続して規制状態へ向けて状態変化させることができる（起き上がり方向の回転動作を継続させることができる）。
【０３００】
図２０は、上皿１７に継続的に球が供給される（払い出される）場合に上皿１７に残る球の個数変化の一例を示すタイミングチャートである。なお、縦軸に上皿１７に貯留される球の個数が示され、横軸に経過時間が示される。また、図２０では、開口部１７ａの左右幅の全領域を球が通過可能に全開放された状態（図１８及び図１９参照）におけるタイミングチャートが図示される。なお、図２０に示すタイミングチャートは、球の発射により生じる上皿１７の球の貯留個数の変化は無視したり（球の発射個数は０個であると仮定たり）、上皿１７への球の貯留態様の違いによる影響は無視したり（上皿１７に貯留される球の個数がＭＡＸ個に到達した直後に排出が開始されると仮定したり）するなど、簡略化して図示される。
【０３０１】
図２０の縦軸において、傾倒部材３３０及び解除部材３４０が許容状態に状態変化するのに必要な球の個数（上皿１７の底面に当接する球が順序良く整列した場合の個数）がＭＡＸ個で図示される。また、横軸において、発射球貯留領域１７ｄ及び橋渡し球貯留領域１７ｅが球で満たされたタイミング（図１８（ｃ）参照、個数Ｑ１の球が上皿１７に貯留されたタイミング）が０秒で図示される。
【０３０２】
上皿１７に貯留される球の個数の変化について説明する。上述したように、払出モータ２１６による球の払出速度は毎秒１０個（１０個／秒）に設定されているので、図２０の左端部に示すように上皿１７にＭＡＸ個よりも１１個少ない球が残っていた場合、その１．１秒後に上皿１７に貯留される球の個数はＭＡＸ個となる。なお、払出モータ２１６の動作速度が一定とされるので、図２０のタイミングチャートにおける右上がりの傾斜角度は常に一定となる。なお、以下では、球の払い出しが行われる際に、払出モータ２１６は一定速度で動作を継続するという仮定のもとで説明を行う。
【０３０３】
上皿１７に貯留される球の個数がＭＡＸ個以上となると、傾倒部材３３０及び解除部材３４０が許容状態となり上皿１７から開口部１７ａを通って球が排出される。この時、開口部１７ａが全開放された状態では、傾倒部材３３０の上面および後追い球貯留領域１７ｆに配置された球（発射球貯留領域１７ｄ及び橋渡し球貯留領域１７ｅを除く範囲に配置された球）が、上述したように流量約８０［個／秒］（図２０における右下がりの傾斜部分参照）で、全て排出される（まとまって１１個以上の球が排出される）ので、排出後に上皿１７に残留する球の個数は、ＭＡＸ個から１１個以上少ない状態に戻る。その後も、同様に、約１．１秒（以上の）間隔で球の排出が行われ、上皿１７に残留する球の個数の最小値はＭＡＸ個から１１個少ない個数Ｑ１に維持される。なお、個数Ｑ１は、発射球貯留領域１７ｄ、橋渡し球貯留領域１７ｅ及び発射供給口１７ｋの下流側に貯留されている球の総数と同義である。即ち、本実施形態では、図１９（ａ）に示すように、６２個以上（即ち、上皿１７の底面に接する６２個と、その上方に積層される球の個数と、発射供給口１７ｋの下流側に貯留される球の個数と、の総数）とされる（Ｑ１＞６２［個］）。
【０３０４】
即ち、本実施形態によれば、傾倒部材３３０及び解除部材３４０が許容状態に状態変化することに伴い上皿１７に残留する球の個数を個数Ｑ１以上に保つことができるので、個数Ｑ１を適切な個数（例えば、上皿１７に貯留される球の個数の８０％以上の個数）に設定することにより、上皿１７に残留する球が過度に減少することを防止することができる。更に、傾倒部材３３０及び解除部材３４０が許容状態となり球が排出された直後は、その球の排出を視認することにより上皿１７に個数Ｑ１以上の球が残っていることを把握できる。
【０３０５】
そのため、遊技者がパチンコ機１０の正面側に座って遊技する姿勢において、上皿１７の正面側壁や前カバー３９０が視線を遮り上皿１７の内部状態（例えば、残球個数）が確認できない場合であっても、流下装置３００の内部を球が流下することを確認することにより、上皿１７に個数Ｑ１以上の球が残っていることを把握することができる。
【０３０６】
即ち、上皿１７の内部状態を把握するために上皿１７を上から覗き込んで上皿１７の内部を見なくとも上皿１７に十分な個数の球が残っていることを把握できるので、遊技者は、球切れ（上皿１７に残された球が無くなること）の恐怖感から解放され、楽な遊技姿勢で遊技を継続することができる。
【０３０７】
なお、図２０では、理解を容易とするために上皿１７に貯留される球がＭＡＸ個となった直後に傾倒部材３３０が傾倒し、上皿１７から球が排出される態様で図示したが、実際は、上皿１７にＭＡＸ個の球が貯留される（入球する）タイミングと、傾倒部材３３０が傾倒するのに十分な球が傾倒部材３３０の上面に乗るタイミングとは一致しないので、上皿１７にＭＡＸ個の球が入球した後も、若干の期間、傾倒部材３３０は傾倒前の姿勢を維持し、上皿１７にはＭＡＸ個以上の球が貯留される。その後、傾倒部材３３０が傾倒すると、傾倒部材３３０の上面と、後追い球貯留領域１７ｆに貯留されていた球が開口部１７ａを通して排出され、その他の領域（発射球貯留領域１７ｄ及び橋渡し球貯留領域１７ｅ）に配置されていた球は上皿１７に維持されるので、上皿１７に貯留される球が個数Ｑ１以上に維持されることは、図２０に示すグラフと相違ない。
【０３０８】
次いで、図２１及び図２２を参照して、上皿１７から下皿１５へ排出される球の流れについて説明する。図２１（ａ）は、正面枠１４の部分正面図であり、図２１（ｂ）は、図２１（ａ）のＸＸＩｂ−ＸＸＩｂ線における正面枠１４の断面図であり、図２２（ａ）は、図２１（ａ）のＸＸＩＩａ−ＸＸＩＩａ線における第１板部材３１０及び第２板部材３２０の断面図であり、図２２（ｂ）は、図２１（ａ）のＸＸＩＩｂ−ＸＸＩＩｂ線における第１板部材３１０及び第２板部材３２０の断面図であり、図２２（ｃ）は、図２１（ａ）のＸＸＩＩｃ−ＸＸＩＩｃ線における第１板部材３１０及び第２板部材３２０の断面図である。
【０３０９】
図２１（ａ）に示すように、球を案内する案内流路を形成する第１板部材３１０及び第２板部材３２０は、上皿１７と下皿１５との間の位置に正面側から視認可能に配設される。上述したように、第１板部材３１０及び第２板部材３２０は光透過性の樹脂材料から形成される。これにより、遊技者に第１板部材３１０及び第２板部材３２０を流下する球を視認させることができる。
【０３１０】
傾倒部材３３０及び解除部材３４０が許容状態となり、上皿１７から排出される球は、左右に並んだ列ごとに第１板部材３１０及び第２板部材３２０に形成される案内流路を流下する（図１９（ｃ）参照）。
【０３１１】
この列状の球は、延設板部３１２ｂ，３２２ｃから形成される領域では左右に並んで自由落下するため、球の流下ながら、あたかも横幅の長い物体が落下しているかのように見せることができる（滝のように見せることができる）。
【０３１２】
一方、列状の球が連設板部３１４，３２４から形成される領域に入ると、その形状に沿って球が前後方向に案内され、左右に並んだ球の列が崩される。これにより、球が下皿１５に到達（着地）するタイミングをずらすことができ、下皿１５に着地した後の球の流れを滑らかにすることができる。
【０３１３】
これにより、例えば、第１板部材３１０及び第２板部材３２０に形成される案内流路から排出される球が下皿１５に同じタイミングで到達（着地）し、互いに衝突して弾け飛び、下皿１５から飛び出す不具合や、第１板部材３１０及び第２板部材３２０の下端部と下皿１５との間に球が滞留し、第１板部材３１０及び第２板部材３２０に形成される案内流路に球が滞留する不具合などを解消し易くすることができる。次いで、図２２を参照して、第１板部材３１０及び第２板部材３２０に形成される案内経路を流下する球に左右方向の速度成分を与える仕組みについて説明する。
【０３１４】
図２２（ａ）から図２２（ｃ）に示すように、左右方向の各位置において、傾斜板部３１４ｂ，３２３ｂの傾斜角度は約４５度で同等であり、その長さは正面視右方へ向かうにつれて、短くなる。従って、第１板部材３１０及び第２板部材３２０に形成される案内流路を流下する球の流下経路の経路長は、正面視左端側（矢印Ｌ側端部）の第１経路Ｌ１よりも正面視左右中間位置の第２経路Ｌ２の方が短く、その第２経路Ｌ２よりも正面視右端側（矢印Ｒ側端部）の第３経路Ｌ３の方が短い。即ち、右方へ向かう程、その経路長が短くなる（Ｌ１＞Ｌ２＞Ｌ３）。
【０３１５】
そのため、左右に並ぶ複数の球が同時に開口部１７ａを通過した場合、第３経路Ｌ３に沿って流下する球の方が、第１経路Ｌ１に沿って流下する球に比較して、その案内流路から早期に排出される。
【０３１６】
この場合、左右に並んだ列ごとに球が排出される際に、第３経路Ｌ３側が第１経路Ｌ１側に比較して球の密度が小さくなるので、第１経路Ｌ１や第２経路Ｌ２を流下する球を右方（第３経路Ｌ３側の方向）へ押しやることができる。これにより、開口部１７ａの上流側に貯留される球の左右の不均等に対応することができる。
【０３１７】
即ち、開口部１７ａへ向かう球は、開口部１７ａの上流側（矢印Ｂ側および矢印Ｌ側）から開口部１７ａに到達するので、開口部１７ａを基準に左右均等に配置されることよりも、左側（後追い球貯留領域１７ｆ側）により多く配置され易い（図１９（ｂ）参照）。
【０３１８】
そのため、第１経路Ｌ１を流下する球と第３経路Ｌ３を流下する球とが同じ期間で排出される場合、傾倒部材３３０に貯留された球が左右列で揃って排出され、その排出終了間際において、後追い球貯留領域１７ｆ側から開口部１７ａに入球する球が第１経路Ｌ１に流れ込むことになる。この場合、排出終了間際においては、第１経路Ｌ１のみを球が通過する事になり、演出効果が半減するという新たな問題が生じる可能性がある。
【０３１９】
一方、本実施形態では、傾倒部材３３０に貯留された球が左右列で揃って流下する途中において、球を右方へ寄せることができるので、球を右方へ寄せることにより空いたスペースに後追い球貯留領域１７ｆから開口部１７ａに流入した球を配置することができる。これにより、後追い球貯留領域１７ｆから流入した球を、傾倒部材３３０に貯留されていた球の左右列に紛れ込ませることができ、滝状に球を流下させる演出の演出効果を向上させることができる。
【０３２０】
更に、本実施形態では、流下する球を下から受ける傾斜板部３２３ｂが、正面視右方へ向かう程下降傾斜する形状とされるので、この傾斜に沿って、流下する球を右方へ向けて流すことができる。
【０３２１】
このように、第１板部材３１０及び第２板部材３２０に形成される案内流路を流下する球は、各経路の経路長が異なることによる作用と、傾斜板部３１４ｂ，３２３ｂの正面視右方へ向けた下降傾斜とにより、第１板部材３１０及び第２板部材３２０に形成される案内流路の下端部から排出される球に対して正面視右方へ向けた速度成分を与えることができる。
【０３２２】
第１板部材３１０及び第２板部材３２０に形成される案内流路から下皿１５へ排出された球は、下皿１５の底面の傾斜に沿って底面口１５ａへ向けて流下する。本実施形態によれば、第１板部材３１０及び第２板部材３２０の下端位置が、下皿１５の側壁の上端位置よりも下側に配置されることから（図２１（ａ）参照）、下皿１５の側壁の上端位置いっぱいまで球が下皿１５に貯留される前に第１板部材３１０及び第２板部材３２０に形成される案内流路の下端側開口部が球で閉塞され、それ以上の球の排出が防止される。そのため、第１板部材３１０及び第２板部材３２０に形成される案内流路から排出される球が下皿１５から溢れることを防止することができる。
【０３２３】
第１板部材３１０及び第２板部材３２０に形成される案内流路の下端側開口部が球で閉塞された場合、その案内流路からの球の排出が不可能となるので、開口部１７ａを通って上皿１７から排出された球が案内流路に滞留する。そして、案内流路が球で満たされた場合、開口部１７ａを通して上皿１７から球を排出することができなくなるので、上皿１７の許容量を越える球は、正面枠１４の背面側に配設される分岐流路（図示せず）から、下皿１５へ球を供給する供給開口１５ｂを通って下皿１５へ供給される（払い出される）。
【０３２４】
即ち、本実施形態では、供給開口１５ｂからの下皿１５への球の供給は、第１板部材３１０及び第２板部材３２０に形成される案内流路の下端側開口部が球で閉塞された後で生じることになる。そのため、供給開口１５ｂから球が供給される時には、下皿１５の底面に球が敷き詰められている。球が跳ね返る高さは、下皿１５の底面に衝突する場合に比較して、敷き詰められた球に当たって跳ね返る場合の方が低くなる。従って、供給開口１５ｂから供給される球の跳ね返りを抑えることができる。
【０３２５】
そのため、高い位置から球を落としても、下皿１５の側壁を越えて飛び出すことが抑制される。即ち、供給開口１５ｂから供給される球が下皿１５の底面に衝突する可能性がある場合に比較して、供給開口１５ｂを、下皿１５の底面から高さ方向に大きく離して配置することができる。
【０３２６】
図２３（ａ）及び図２３（ｂ）は、図１２のＸＩＩＩ−ＸＩＩＩ線における正面枠１４の部分断面図である。なお、図２３（ａ）及び（ｂ）では、理解を容易とするために、対応する球に「１」〜「１０」の数字が付けられる。また、図２３（ａ）では、左右方向の対応する位置において、最も正面側（図２３紙面奥側）に配置される球の一例が図示され、図２３（ｂ）では、球が図２３（ａ）の状態から若干流下した状態が図示される（「１」の数字が付けられた球が手前側に流下し、正面側壁から離れることで図示が省略され、「２」以降の球が流下した状態が図示される）。
【０３２７】
図２３（ａ）に示すように、上皿１７に貯留された球が、互いに加えられる負荷がバランスよくかけられ、球の層の上に球が乗ったまま維持される（球が積層される）場合がある。この場合、球の層に乗った球は大まかに球の直径１個分高い位置にあるので、球案内天面１７ａ１よりも上方へ張り出すことになり、解除部材３４０まで到達しない。そのため、図２３（ａ）に示す状態から更に球が貯まっても、解除部材３４０に負荷が与えられないことから、傾倒部材３３０を正常に動作させることができない。
【０３２８】
ここで、傾倒部材３３０の上面が傾斜面なので、その傾斜に沿って球が流下する間に球の積層が解消される可能性もあるが、例えば、上皿１７の上面が一平面であると、球が積層された状態を維持したまま上皿１７の上面を球がスライドすることがあり、自然に球の積層が解消されない場合もある。この場合、傾倒部材３３０を正常に動作させることができない。
【０３２９】
これに対し、本実施形態では、傾倒部材３３０の上面と、その下流側（矢印Ｒ側）に配置される発射球貯留領域１７ｄとが、段差を形成する。そのため、球は、上皿１７の上面に水平な方向の移動に加え、鉛直方向（矢印Ｕ−Ｄ方向）にも移動するので、球の積層に係る球が一様に移動することを防止でき、これに伴い、球が積層されたままスライドすることを防止することができる。即ち、段から落ちる直前の球と、依然として傾倒部材の上面を流れる球とで移動量に差を持たせることで、球同士の負荷のバランスを崩すことができる。これにより、解除部材３４０に球が到達する状態に上皿１７上の球の状態を整えることができる。
【０３３０】
以上説明した本実施形態において達成される主要な効果を整理すれば、以下のようになる。即ち、本実施形態によれば、上皿１７貯留される球から解除部材３４０へ与えられる負荷により解除部材３４０が変位され、球の重みで傾倒部材３３０が傾倒することにより開口部１７ａを通した球の排出が可能となる。そのため、上皿１７からの球の排出の際に遊技者の操作が不要となるので、遊技者は遊技に集中することができる。
【０３３１】
また、上皿１７からの球の排出の一回当たりの個数および排出流量を一定範囲に収めることができる。
【０３３２】
また、上皿１７の底面に段差を設けることにより、球が流下する経路が指定される。指定された経路では、少なくとも、発射供給口１７ｋに向かう球が配置される発射球貯留領域１７ｄが球で満たされた後で解除部材３４０側へ球が案内されるので、発射する球を十分確保しながら、開口部１７ａを通した球の排出演出を行うことができる。
【０３３３】
解除部材３４０と球との当接位置は、球の排出が規制される規制状態では解除部材３４０の軸棒部３４１付近とされ、球の排出を許容する許容状態の方が軸棒部３４１から遠い位置とされる。これにより、規制状態でも、許容状態でも、球から解除部材３４０に負荷が与えられた場合に、解除部材３４０の状態をそのままで維持し易くすることができる。即ち、解除部材３４０の状態を安定化することができる。
【０３３４】
第１板部材３１０及び第２板部材３２０により形成される案内流路が、下皿１５の外枠付近に配置される。これにより、下皿１５の内側にある流下経路を省略することができ、例えば、下皿１５の内側領域を、大型スピーカーボックス等の配設領域として利用することができる。
【０３３５】
第１板部材３１０及び第２板部材３２０により形成される案内流路を球が流下する場合、上皿１７に個数Ｑ１の球が残される構成とされる。従って、案内流路を球が流下することを確認することで、上皿１７に貯留されている球の個数を把握することができる。
【０３３６】
第１板部材３１０及び第２板部材３２０により形成される案内流路は、内部を流下する球に右向きの負荷を与える形状とされる。これにより、案内流路の入口においては左側に余分な球が配置されている場合であっても、案内流路を球が流下する間に球を全体的に右側へ寄せることができるので、流下する球の上端部分を左右平らにならすことができる。これにより、複数の球を滝のように落下させる演出の演出効果を上昇させることができる。
【０３３７】
次いで、図２４から図３３を参照して、第２実施形態について説明する。第１実施形態では、傾倒部材３３０及び解除部材３４０が許容状態となった後、まとまって排出される球の個数が一通りに固定される場合を説明したが、第２実施形態における流下装置２３００は、傾倒部材３３０及び解除部材３４０が許容状態となった後、まとまって排出される球の個数を任意に変更可能な態様で構成される。なお、上述した各実施形態と同一の部分には同一の符号を付して、その説明は省略する。
【０３３８】
図２４は、第２実施形態における正面枠１４の分解正面斜視図である。図２４では、正面枠１４から前カバー２３９０、第２板部材２３２０及び複数の移動部材２３５０が分解された状態が図示されると共に、開口部１７ａ付近が拡大して図示される。
【０３３９】
流下装置２３００は、第１実施形態の流下装置３００と同様の第１板部材３１０、傾倒部材３３０及び解除部材３４０を備えることに加え、第１板部材３１０に重ねられた状態で正面枠１４に締結固定され第１板部材３１０との間に案内流路を形成する第２板部材２３２０と、その第２板部材２３２０に挿通され前後方向にスライド移動可能に支持される複数の移動部材２３５０と、その移動部材２３５０の移動を案内する部分であって正面枠１４の正面側から取り付けられる前カバー２３９０と、傾倒部材３３０及び解除部材３４０の動作順序を規定する順序規定装置４００と、を主に備える。
【０３４０】
第２板部材２３２０は、第１実施形態で説明した第２板部材３２０の構成に加え、延設部３２２ｃに穿設される複数の挿通開口２３２４を備える。
【０３４１】
挿通開口２３２４は、案内上底面３２２ａ（矢印Ｒ側半部）の下方であって延設板部３２２ｃの上端部付近に、水平に延設される長孔である調整長孔２３２４ａと、受け止め面３２２ｂ（矢印Ｌ側半部）の下方において、水平に延設される長孔である規制長孔２３２４ｂと、を主に備える。
【０３４２】
複数の移動部材２３５０は、調整長孔２３２４ａに挿通され前後方向にスライド移動可能とされる一対の遮蔽板２３５１，２３５２（第１遮蔽板２３５１及び第２遮蔽板２３５２）と、規制長孔２３２４ｂに挿通され前後方向にスライド移動可能とされると共に上下方向への移動を規制される規制板２３５３と、を主に備える。
【０３４３】
遮蔽板２３５１，２３５２及び規制板２３５３は、前カバー２３９０に移動を案内される部材であって、正面側端部に上向きに凸設される凸部をそれぞれ備える。この凸部は、組立状態において前カバー２３９０の上方へ突き出される。遊技者が凸部を操作することにより、遮蔽板２３５１，２３５２及び規制板２３５３が前後にスライド移動可能とされる。
【０３４４】
遮蔽板２３５１，２３５２及び規制板２３５３は、本実施形態では、剛性の高い樹脂材料から形成され、上下方向に球の重みがかけられても、形状を維持する態様とされる。なお、遮蔽板２３５１，２３５２及び規制板２３５３の材料としては種々の材料が例示される。例えば、金属材料でも良いし、可撓性の樹脂材料でも良いし、繊維強化プラスチックでも良い。
【０３４５】
順序規制装置４００は、解除部材３４０の軸棒部３４１の先端に固着される略扇形状の前側固着部材４１０と、傾倒部材３３０の軸棒部３３２の先端に固着される略扇形状の後側固着部材４２０と、上皿１７の外壁側面に、軸棒部３３２，３４１を結ぶ直線に沿った方向にスライド移動可能に支持されると共に固着部材４１０，４２０と当接可能とされるスライド装置４３０と、上皿１７の外壁に設けられる円筒形状の部分であってスライド装置４３０を支持する支持部４４０と、を主に備える。
【０３４６】
スライド装置４３０は、支持部４４０に収容されることで上皿１７に間接的に支持される。即ち、スライド装置４３０は、上皿１７の外壁側面に沿ってスライド移動可能とされる。次いで、図２５を参照して、順序規定装置４００の構成および作用について説明する。
【０３４７】
図２５（ａ）から図２５（ｄ）は、順序規定装置４００の側面図である。図２５（ａ）から図２５（ｄ）では、順序規定装置４００の動作が時系列で図示される。また、理解を容易とするために、支持部４４０、傾倒部材３３０の外形および解除部材３４０の外形が想像線で図示され、傾倒部材３３０及び解除部材３４０の形状が模式的に図示される。
【０３４８】
図２５（ａ）から図２５（ｄ）に示すように、順序規定装置４００には、一対の固着部材４１０，４２０の間にスライド装置４３０が配設される。スライド装置４３０は、前側固着部材４１０側に配設される金属等から形成される前側部材４３１と、後側固着部材４２０側に配設される金属等から形成される後側部材４３２と、それら前側部材４３１及び後側部材４３２の間に配設され外向きの付勢力を生じる弾性バネ４３３と、を主に備える。
【０３４９】
これにより、スライド装置４３０は、軸棒部３３２、３４１を結ぶ直線に沿った方向へのスライド移動および伸縮動作が可能となる。なお、本実施形態では、弾性バネ４３３は、前側部材４３１又は後側部材４３２の一方が固着部材４１０，４２０の移動軌跡の外側に配置され、他方が固着部材４１０，４２０の移動軌跡の内側に入り込む状態（例えば、図２５（ａ）参照）において、自然長となるように設定される。
【０３５０】
図２５（ａ）及び図２５（ｃ）に示すように、前側固着部材４１０は、解除部材３４０が傾倒部材３３０に押し付けられた状態において、扇形状の外周面が軸棒部３３２，３４１を結ぶ直線上に配置される一方で、解除部材３４０が傾倒部材３３０から離反し切った状態において、扇形状の外周面が軸棒部３３２，３４１を結ぶ直線上から退く態様で形状が規定され、上面に、前側部材４３１と側面から当接する部分としての凹部である当接凹部４１１を備える。前側固着部材４１０は、扇形状の外形の一部を構成する一対の直線が、軸棒部３４１を通る直線とされ、当接凹部４１１は、一対の直線の一方から、他方へ向けて凹設される。
【０３５１】
図２５（ａ）及び図２５（ｂ）に示すように、後側固着部材４２０は、傾倒部材３３０が傾倒する前の状態において、扇形状の外周面が軸棒部３３２，３４１を結ぶ直線上から退く一方で、傾倒部材３３０が傾倒した状態において扇形状の外周面が軸棒部３３２，３４１を結ぶ直線上に配置される態様で形状が規定される。後側固着部材４２０は、扇形状の外形の一部を構成する一対の直線が、軸棒部３３２を通る直線とされる。これらの構成から規定される順序規定装置４００の動作について説明する。
【０３５２】
まず、図２５（ａ）に示すように、傾倒部材３３０及び解除部材３４０が当接する状態では、スライド装置４３０は、前側固着部材４１０の移動軌跡外に配置される一方、後側固着部材４２０の移動軌跡内に入り込むことで、弾性バネ４３３が自然長の状態を維持する。この状態において、傾倒部材３３０には、弾性バネ３３４の付勢力、解除部材３４０からの摩擦、及び後側部材４３２からの動作抵抗が負荷される。これらの抵抗以上の力で傾倒部材３３０の上面に乗った球からの負荷が傾倒部材３３０にかけられた場合、傾倒部材３３０が傾倒開始する。なお、後側部材４３２は、傾倒部材３３０の軸棒部３３２に近い位置で後側固着部材４２０と当接することから、傾倒部材３３０の回転方向に与える動作抵抗は微弱となるので、傾倒部材３３０の動作開始時の負荷の算出においては、無視して説明を行う。
【０３５３】
ここで、本実施形態では、弾性バネ３３４の弾性的モーメントＭｋがＭｋ＝２７ｍｇ×Ｒ［Ｎｍｍ］で、弾性バネ３４６の付勢力Ｆｍ１（解除部材３４０の回転軸から腕長さＡＲの位置で傾倒部材３３０側に生じる負荷）を球１．５個分の重さ（１．５ｍｇ、第１実施形態での付勢力と同等の負荷）に相当する力に、傾倒部材３３０と解除部材３４０との当接部分における模式的（軸棒部３３２を中心とする円に沿って当接すると仮定した場合の当接部分、図１５参照）な静止摩擦係数μを０．５に、後側部材４３２（及び前側部材４３１）の重量を５［ｇ：グラム］に、それぞれ設定する（解除部材３４０の当接面の態様、及び弾性バネ３４６の弾性係数を設定する）。
【０３５４】
即ち、本実施形態では、弾性バネ３３４の弾性係数ｋ１がｋ１＝０．２ｍｇ×Ｒ［Ｎｍｍ／ｄｅｇ］で設定され、弾性バネ３３４の形状は、傾倒前の状態における弾性バネ３３４の変位量（角度）が１３５°となるように設定される。この状態において、傾倒部材３３０の傾倒前に弾性バネ３３４が生じる弾性的モーメントＭｋは２７ｍｇ×Ｒ［Ｎｍｍ］である。
【０３５５】
また、本実施形態では、弾性バネ３４６の弾性係数ｋ２がｋ２＝０．１ｍｇ×Ｒ［Ｎｍｍ／ｄｅｇ］で設定され、弾性バネ３４５の形状は、傾倒前の状態における弾性バネ３４５の変位量（角度）が６０°となるように設定される。
【０３５６】
これにより、傾倒部材３３０の回転軸周りのモーメントの関係が、Ｍｋ＋Ｍｆ＜Ｍｂとなることで傾倒部材３３０が回転開始するところ、図１５で行った検討に倣った検討によりＭｆ＝１．５ｍｇ×７Ｒ×０．５＝５．２５ｍｇ×Ｒ［Ｎｍｍ］となるので、傾倒部材３３０は、３２．２５ｍｇ×Ｒ［Ｎｍｍ］＜Ｍｂが成立するまでは、傾倒前の状態を維持する。
【０３５７】
この負荷モーメントＭｂの関係式は、例えば、傾倒部材３３０の上面に、下流側（矢印Ｒ側端部）から３個一列の球の列（矢印Ｆ−Ｂ方向に球が並ぶことでできる列）が順序良くできる場合に、４列目（の正面側端部、軸棒部３３２から最も離れた端部、矢印Ｆ側端部）に１個目の球が滞留した状態では成立せず（傾倒前の状態が維持され）、４列目に２個目の球が滞留した状態で成立する。従って、本実施形態では、傾倒部材３３０の上面に球が１０個溜まるまでは傾倒部材３３０は傾倒前の状態を維持し、球が１１個溜まった後で傾倒部材３３０が傾倒を開始する。
【０３５８】
なお、後側部材４３２の短手方向上側面であって後側固着部材４２０と当接可能とされる面は、軸棒部３３２に近接するほど軸棒部３３２，３４１を通る直線に近づく態様で傾斜する傾斜面として形成される。そのため、後側固着部材４２０の回転軌跡中に後側部材４３２が配置された場合に、後側固着部材４２０から後側部材４３２に与えられる負荷は、周方向と径方向とに分割される。この分割された負荷の内、径方向の負荷が、後側部材４３２を軸棒部３３２から遠ざかる方向へ動かす向きに作用する。
【０３５９】
図２５（ａ）に示す状態から傾倒部材３３０が傾倒すると、図２５（ｂ）に示すように、後側部材３４２は後側固着部材４２０の移動軌跡の外側へ押し出される。これにより、スライド装置４３０の弾性バネ４３３は自然長よりも縮められ、弾性力が蓄積される。
【０３６０】
図２５（ｂ）に示す状態では、解除部材３４０の姿勢は図２５（ａ）の状態のままである。ここから球が流下する過程で、球により解除部材３４０が押し退けられる。ここで、傾倒部材３３０が傾倒する前の状態に比較して、球と解除部材３４０との当接点の、解除部材３４０の軸棒部３４１からの距離が長くなる（本実施形態では、長さが約２倍となる。傾倒部材３３０と解除部材３４０との当接点とほぼ同位置となる）ので、傾倒部材３３０が傾倒する前よりも、解除部材３４０を回転させるために球から解除部材３４０に与える必要のある負荷を小さくすることができる。従って、傾倒部材３３０に予め乗っていた球の負荷で解除部材３４０を押し退けることが可能とされる。
【０３６１】
本実施形態では、解除部材３４０の弾性バネ３４６の付勢力Ｆｍ１が球１．５個分の重さに相当する力であり、傾倒部材３３０の傾倒時の傾斜角度は水平面に対して約１５°であるので、球の重量の内、解除部材３４０へ向けられる成分は、重量の約１／４（＝ＣＯＳ７５°）となる。従って、解除部材３４０に６個以上の球が負荷を与えることで、解除部材３４０は図２５（ｂ）に示す状態から押し退けられる。なお、本実施形態では、傾倒部材３３０の傾倒時に解除部材３４０に６個以上の球が負荷を与える（背面側に滞留する）状況が通常に起こりえる態様で、構成される（図１９（ｂ）参照）。
【０３６２】
図２５（ｃ）に示すように、球の負荷により解除部材３４０が押し退けられると、軸棒部３３２，３４１を結ぶ直線上に当接凹部４１１が侵入する。これにより、スライド装置４３０の前側部材４３１が前側固着部材４１０の移動軌跡の内部に侵入可能となる。予め弾性バネ４３３が縮められていたことから、その弾性バネ４３３の付勢力により前側部材４３１が当接凹部４１１に対向する形で押し込まれる。
【０３６３】
図２５（ｃ）に示すように、前側固着部材４１０は、当接凹部４１１が前側部材４３１に軸棒部３３２，３４１を結ぶ直線と直交する方向で当接する。従って、軸棒部３４１を中心とする前側固着部材４１０の回転動作により前側部材４３１に与えられる負荷の、前側部材４３１の移動方向に向かう成分は無いので、解除部材３４０の姿勢を前側部材４３１ｄで固定することができる。これにより、解除部材３４０にかけられる弾性バネ３４６の付勢力の大きさに関わらず、解除部材３４０を図２５（ｃ）の姿勢で維持することができる。即ち、傾倒部材３３０が傾倒している間に解除部材３４０の姿勢が復帰することを防止することができる。
【０３６４】
図２５（ｄ）に示すように、球が流れ落ちた後に傾倒部材３３０は傾倒前の状態に復帰する。これにより、後側部材４３２が自重で後側固着部材４２０の移動軌跡の内側へ入り込み、それに伴い弾性バネ４３３が自然長に戻され、下支えする負荷を失った前側部材４３１も自重で下降し、前側固着部材４２０の移動軌跡の外側へ退避する。なお、前側部材４３１と前側固着部材４１０の当接凹部４１１との対向する面（互いに当接し合う面）は、滑らかな表面となるように形成される（生じる摩擦が極めて小さくされる）。
【０３６５】
これにより、前側固着部材４１０の姿勢維持が解除されるので、弾性バネ３４６の付勢力で解除部材３４０が回転可能となり、解除部材３４０が傾倒部材３３０に近接する方向に回転することにより、図２５（ａ）に示す状態に復帰する。このように、本実施形態によれば、傾倒部材３３０が傾倒前の状態に復帰した後で解除部材３４０が傾倒部材３４０に近接する方向に回転開始することになるので、傾倒部材３３０の復帰中に解除部材３４０との当接部分で生じる摩擦を解消することができる。
【０３６６】
なお、前側固着部材４１０と当接凹部４１１との間の摩擦を低減する手法は様々な方法が考えられる。例えば、前側固着部材４１０の周面にグリスを塗る方法でも良いし、前側固着部材４１０の当接凹部４１１と当接する部分を球状に膨出する部分として構成し当接面積を小さくする方法でも良い。
【０３６７】
本実施形態によれば、傾倒部材３３０を付勢する弾性バネ３３４の付勢力と、解除部材３４０を付勢する弾性バネ３４６の付勢力との設計自由度を広げることができる。例えば、傾倒部材３３０を傾倒前の状態に付勢する弾性バネ３３４の付勢力により発生する弾性的モーメントＭｋの数値と、解除部材３４０の付勢力Ｆｍ１により傾倒部材３３０に生じる摩擦により発生する静止摩擦モーメントＭｆの値とが近い場合、間に埃やゴミが挟まるなどにより摩擦抵抗が変動すると、傾倒部材３３０の復帰を解除部材３４０が妨げるおそれがある（傾倒部材３３０が解除部材３４０を乗り越えられないおそれがある）。そのため、必然的に、弾性的モーメントＭｋの数値と静止摩擦モーメントＭｆとの間に大きな間隔を設ける必要が生じ、設計自由度が低くなる。
【０３６８】
これに対し、本実施形態では、傾倒部材３３０と解除部材３４０との動作順序を規定することにより、傾倒部材３３０の復帰動作時に解除部材３４０が傾倒部材３３０に摩擦を与えることが無いので、傾倒部材３３０の復帰が妨げられるおそれを解消することができ、広い範囲での付勢力の設定を採用することができる。
【０３６９】
図２６は、上皿２０１７の上面図である。図２６に示すように、上皿２０１７は、第１実施形態で説明した上皿１７の各構成に加え、上皿１７の底面の背面側端部において、球の直径幅で左右方向に延設される溝である延設溝２０１７ｈを備える。
【０３７０】
延設溝２０１７ｈは、底面の傾斜角度が、上皿１７の傾斜角度よりも小さな傾斜角度とされ、その右側端部において上皿２０１７の底面と滑らかにつなげられる（段差無くつなげられる）。従って、延設溝２０１７ｈに流入した球は、その下流側に球が無い場合には発射球貯留領域１７ｄを球発射ユニット１１２ａ（図４）が配設される側（矢印Ｒ側）へ流下する。
【０３７１】
延設溝２０１７ｈは、上流側端部における溝深さが球の半径ｒａ以上かつ直径以下とされる。これにより、延設溝２０１７ｈに上流側から入球した球が跳ねて延設溝２０１７ｈから外れることを防止できると共に、延設溝２０１７ｈが球で満たされた後で延設溝２０１７ｈに入りかけた球を延設溝２０１７ｈの外方へ排斥し易くすることができる（延設溝２０１７ｈの上方に球が積まれることを防止し易くすることができる）。
【０３７２】
また、延設溝２０１７ｈの溝幅は、球の直径よりも若干長くされる。これにより、延設溝２０１７ｈに収容される球を延設溝２０１７ｈの延設方向に一列に並べやすくなるので、延設溝２０１７ｈに収容される球の個数を安定化させることができる。
【０３７３】
また、延設溝２０１７ｈは、開口部１７ａから離間した位置に配置される。これにより、延設溝２０１７ｈに配置された球が他の球と衝突して弾かれた場合であっても、その球が開口部１７ａに流入する可能性を低くすることができる。
【０３７４】
次いで、図２７から図２９を参照して、第１遮蔽板２３５１及び第２遮蔽板２３５２の作用について説明する。図２７から図２９は、上皿２０１７の背面斜視図である。なお、図２７から図２９では、理解を容易にするために、供給開口１７ｇが形成される背面側板の図示が省略されると共に供給開口１７ｇの開口部外形が想像線で図示される。また、図２７では、第１遮蔽板２３５１及び第２遮蔽板２３５２が正面側（矢印Ｆ側）に配置された状態が、図２８では、第１遮蔽板２３５１が背面側（矢印Ｂ側）に、第２遮蔽板２３５２が正面側（矢印Ｆ側）にそれぞれ配置された状態が、図２９では、第１遮蔽板２３５１及び第２遮蔽板２３５２が背面側（矢印Ｂ側）に配置された状態が、それぞれ図示される。
【０３７５】
図２８及び図２９に示すように、第１遮蔽板２３５１及び第２遮蔽板２３５２は、左右幅が開口部１７ａの左右幅よりも短い幅長さで形成され（本実施形態では、開口部１７ａの約１／４の長さ）、球案内天面１７ａ１と傾倒部材３３０との間を前後方向に移動し、背面側（矢印Ｂ側）に配置された状態において（図２９参照）、傾倒部材３３０の上面を部分的に覆う。
【０３７６】
これにより、傾倒部材３３０及び解除部材３４０が許容状態となった場合でも、第１遮蔽板２３５１又は第２遮蔽板２３５２の上面に乗っている球は第１遮蔽板２３５１又は第２遮蔽板２３５２にせき止められ、開口部１７ａに流入しない。即ち、傾倒部材３３０の上方の領域の内、第１遮蔽板２３５１又は第２遮蔽板２３５２に覆われる領域を除く領域において傾倒部材３３０に乗る球のみが傾斜部材３３０に流下を規制されており、傾倒部材３３０が許容状態となることに伴って開口部１７ａを通って上皿２０１７から排出される。
【０３７７】
従って、第１遮蔽板２３５１及び第２遮蔽板２３５２の状態により、傾倒手段３３０に流下を規制される球の個数を変化させると共に、上皿２０１７から排出される球の流量を変化させることができる。
【０３７８】
なお、図２９に示すように、第１遮蔽板２３５１の延設先端部分である先端部２３５１ａ及び第２遮蔽板２３５２の延設先端部分である先端部２３５２ａは、延設先端へ向かう程厚みが小さくなる形状（先細りの形状）とされ、背面側へ移動し背面側移動端部に配置された場合、先端部２３５１ａ、２３５２ａが傾倒部材３３０の上底板部３３１ｂに当接する。これにより、第１遮蔽板２３５１又は第２遮蔽板２３５２が正面側に配置された状態（図２７参照）で傾倒部材３３０に球が貯留された後で、第１遮蔽板２３５１又は第２遮蔽板２３５２を背面側へ移動させた場合であっても、その上面に球を乗り上げさせることができる。これにより、傾倒部材３３０に貯留された球が第１遮蔽板２３５１又は第２遮蔽板２３５２に押し出され、傾倒部材３３０の上方の領域から排斥されることを防止することができる。
【０３７９】
また、第１遮蔽板２３５１及び第２遮蔽板２３５２の断面形状は幅方向に向けて変化する。即ち、下流側の端部（矢印Ｒ側端部）が厚肉形状とされると共にその下端部が傾倒部材３３０の上面と接し、下端部を傾倒部材３３０に当接したまま上流側端部（矢印Ｌ側端部）へ向かうにつれて先細りし、上流側端部では厚みがほぼ無い（薄い）態様とされる（長手方向断面視において、三角形形状とされる）。
【０３８０】
これにより、第１遮蔽板２３５１又は第２遮蔽板２３５２が背面側位置に配置された状態において傾倒部材３３０の上面に流入した球を、滑らかに第１遮蔽板２３５１又は第２遮蔽板２３５２に乗り上げさせることができる。
【０３８１】
第１遮蔽板２３５１は、その底面と開口部１７ａの下流側端部との上下方向の間隔が球の半径ｒａ程度に設定されると共に水平方向の間隔はほぼ無くなるように設定される。これにより、第１遮蔽板２３５１が背面側位置に配置された状態で、発射球貯留領域１７ｄに配置された球が開口部１７ａに流入すること（開口部１７ａと第１遮蔽板２３５１の間に球が流入すること）を防止することができる。
【０３８２】
第１遮蔽板２３５１及び第２遮蔽板２３５２の上面の傾斜方向は、前後方向は水平面に沿った傾斜とされ、左右方向は右方へ下降傾斜される。これにより、第１遮蔽板２３５１又は第２遮蔽板２３５２の上面に球が乗った場合、その球を右方へ速やかに流すことができる。
【０３８３】
なお、第１遮蔽板２３５１及び第２遮蔽板２３５２の上面の傾斜方向の設定は、これに限られるものでは無く、種々の態様が例示される。例えば、前後方向の傾斜が、正面側に向かう程、下降する傾斜態様でも良い。この場合、第１遮蔽板２３５１及び第２遮蔽板２３５２の上面に乗った球を、上皿２０１７の正面側へ寄せながら流すことができる。また、左右方向の傾斜が、左方へ下降傾斜されるものでも良い。この場合、第１遮蔽板２３５１又は第２遮蔽板２３５２の上面に乗った球が右方へ流下することを防ぐことができ、開口部１７ａの上方に滞留する球の個数が増加し易くすることができると共に、傾倒部材３３０が傾倒した際に、第１遮蔽板２３５１又は第２遮蔽板２３５２の上面に乗った球が開口部１７ａを通して排出されるので、傾倒部材３３０の一度の傾倒動作に伴って開口部１７ａから排出される球の個数を増加させやすくすることができる。
【０３８４】
なお、本実施形態では、傾倒部材３３０の上面を前後方向に渡って第１遮蔽板２３５１や第２遮蔽板２３５２が覆う場合を説明したが、これに限られるものでは無い、例えば、第１遮蔽板２３５１や第２遮蔽板２３５２の延設先端を球案内天面１７ａ１の背面側端部付近や、傾倒部材３３０の前後方向の途中で止める態様としても良い。
【０３８５】
この場合において、傾倒部材３３０と第１遮蔽板２３５１又は第２遮蔽板２３５２との間隔を球の直径未満とすることで、球案内天面１７ａ１の下方を球が通過することを防止する一方で、球案内天面１７ａ１の背面側に配置された球であって、第１遮蔽板２３５１又は第２遮蔽板２３５２に乗らない球の重さを傾倒部材３３０に負荷することができる。
【０３８６】
即ち、傾倒部材３３０に負荷をかけ傾倒部材３３０の回転に係る負荷は生じさせながら、傾倒部材３３０が許容状態となっても傾倒部材３３０の上面から流れ落ちない球を生じさせることができる。
【０３８７】
また、球案内天面１７ａ１の背面側に張り出す第１遮蔽板２３５１又は第２遮蔽板２３５２の上面を、左方へ向かうほど下降傾斜する傾斜面とし、張り出した延設先端を、左方へ向かうほど正面側に向かう傾斜面とすることにより、第１遮蔽板２３５１又は第２遮蔽板２３５２に上側または背面側から当接する球を解除部材３４０側へ流すことができる。従って、解除部材３４０よりも右方に貯留されていた球を解除部材３４０側へ流し、球被覆面１７ａ２の下方へ流すことができる。
【０３８８】
図３０及び図３１は、上皿２０１７の上面図である。なお、図３０では、第１遮蔽板２３５１が背面側位置（矢印Ｂ側位置）に配置されると共に第２遮蔽板２３５２が正面側位置（矢印Ｆ側位置）に配置された状態（以下、第１部分開放状態とも称す。）において傾倒部材３３０と解除部材３４０との係合が解除され球が排出された状態が、図３１では、第１遮蔽板２３５１及び第２遮蔽板２３５２が背面側位置に配置された状態（以下、第２部分開放状態とも称す。）において傾倒部材３３０と解除部材３４０との係合が解除され球が排出された状態が、それぞれ図示される。
【０３８９】
図３０に示すように、第１遮蔽板２３５１のみが背面側位置に配置される場合、解除部材３４０に到達する球よりも下流側に配置される球の内、最下端で段をなして貯留される球は第１傾斜板２３５１に乗り上げており、傾倒部材３３０に乗ってはいない。即ち、最下端で段をなして貯留される球は傾倒部材３３０が状態を変えても第１傾斜板２３５１の上に維持される。
【０３９０】
換言すれば、一対の遮蔽板２３５１，２３５２が正面側位置に配置される場合に比較して、解除部材３４０に到達する球の下流側に列（矢印Ｆ−Ｂ方向に並ぶ球の群）をなして傾倒部材３３０に乗る球の列数が少なくなる。これにより、傾倒部材３３０及び解除部材３４０が許容状態となることに伴い排出される球が減少する（約３個減る）と共に、上皿２０１７上に残留する球が増加する（約３個増える）。また、この場合の球の流量は、一対の遮蔽板２３５１，２３５２が共に正面側位置に配置される場合（図２６参照）に比較して、小さくなる（図２０及び図３２（ａ）の右下降傾斜角度参照）。
【０３９１】
また、図３１に示すように、第１遮蔽板２３５１及び第２遮蔽板２３５２が背面側に配置される場合、解除部材３４０に到達する球よりも下流側に配置される球の内、最下端（矢印Ｒ側端部）およびその上流側（矢印Ｌ側）で一対の列をなして貯留される球は第１傾斜板２３５１又は第２傾斜板２３５２に乗り上げており、傾倒部材３３０に乗ってはいない。即ち、これらの球は傾倒部材３３０が状態を変えても第１傾斜板２３５１又は第２傾斜板２３５２の上に維持される。
【０３９２】
換言すれば、第１遮蔽板２３５１のみが背面側位置に配置される場合（図３０参照）に比較して、解除部材３４０に到達する球の下流側に列をなして傾倒部材３３０に乗る球の列数が少なくなる。これにより、傾倒部材３３０及び解除部材３４０が許容状態となることに伴い排出される球が減少する（約３個減る）と共に、上皿２０１７上に残留する球が増加する（約３個増える）。また、この場合の球の流量は、第１遮蔽板２３５１のみが背面側位置に配置される場合（図３０参照）に比較して、小さくなる（図３２（ａ）及び図３２（ｂ）の右下降傾斜角度参照）。
【０３９３】
このように、第１遮蔽板２３５１及び第２遮蔽板２３５２の配置を変化させることにより、開口部１７ａを通して排出される球の流量と、上皿２０１７に残留する球の個数とを、上皿２０１７の容量を変えることなく、切り替えることができる。
【０３９４】
なお、本実施形態では、傾倒部材３３０が傾倒することにより傾倒部材３３０の上面が正面方向へ下降傾斜し、その傾斜により球が前後方向（矢印Ｆ−Ｒ方向）に沿って流下するので、第１遮蔽板２３５１や第２遮蔽板２３５２により開口部１７ａの前後方向に直交する開口面の面積を狭めた場合であっても、それに因り球詰まりが生じることを抑制することができる。
【０３９５】
ここで、例えば、開口部１７ａが上皿１７の中央部付近に配置される開口であって、球が周囲から流入可能である場合、開口に向かう球の流下方向は複数方向が考えられるので、対向する方向から流下した球は衝突する恐れがあるし、開口を狭めすぎた場合には複数の球が噛み合って球詰まりを起こす恐れがある。
【０３９６】
これに対し、本実施形態では、傾倒部材３３０に乗ったあと、開口部１７ａに向かう（通過しようとする）球の流下方向は、前後方向に沿った方向とされるので、流下方向で対向する方向で球同士がぶつかったり、球同士が噛み合ったりする恐れを低減することができる。
【０３９７】
これにより、開口部１７ａの開口広さを第１遮蔽板２３５１や第２遮蔽板２３５２で狭めた場合であっても、傾倒部材３３０の傾倒時に、傾倒部材３３０に乗った球をスムーズに流下させることができる。この場合、開口部１７ａの左右幅を最小で球の直径よりも若干長く設定するまで（前後方向に球が１個ずつ流下する態様まで）、開口部１７ａの開口広さを狭めたとしても、球の流下をスムーズに行わせることができる。
【０３９８】
第１部分開放状態と、第２部分開放状態とでは、傾倒部材３３０及び解除部材３４０が許容状態に状態変化する間（許容状態を形成した後、規制状態に復帰してから再度許容状態となる）のに必要な球の個数は約１１個で同じであるが、傾倒部材３３０に負荷をかける球の位置が異なるので、上皿２０１７に供給開口１７ｇを通って球が供給されはじめ、開口部１７ａを通した最初の球の排出が発生するまでにかかる時間は、第１部分開放状態、第２部分開放状態、全開放の状態で異なる。
【０３９９】
従って、開口部１７ａの開放の度合い（全開放の状態、第１部分開放状態、第２部分開放状態）を異ならせることで、球が上皿２０１７にＭＡＸ個まで貯まったことを遊技者が認識するまでの時間を変化させることができる。なお、以下において、本実施形態で、全開放の状態で傾倒部材３３０及び解除部材３４０が許容状態に状態変化するのに必要な球の個数がＭＡＸ個（約Ｑ１＋１１［個］）で、第１部分開放状態において傾倒部材３３０及び解除部材３４０が許容状態に状態変化するのに必要な球の個数がＡＭＡＸ個（約Ｑ１＋１４個）で、第２部分開放状態において傾倒部材３３０及び解除部材３４０が許容状態に状態変化するのに必要な球の個数がＢＭＡＸ個（約Ｑ１＋１７［個］）で、それぞれ図示される。
【０４００】
図３２（ａ）及び図３２（ｂ）は、上皿２０１７に継続的に球が供給される（払い出される）場合に上皿２０１７に残る球の個数変化の一例を示すタイミングチャートである。なお、縦軸に上皿に貯留される球の個数が示され、横軸に経過時間が示される。また、図３２（ａ）では、開口部１７ａの第１部分開放状態（図３０参照）におけるタイミングチャートが、図３２（ｂ）では、開口部１７ａの第２部分開放状態（図３１参照）におけるタイミングチャートが、それぞれ図示される。なお、図３２に示すタイミングチャートは、球の発射により生じる上皿２０１７の球の貯留個数の変化は無視したり（球の発射個数は０個であると仮定たり）、上皿２０１７への球の貯留態様の違いによる影響は無視したり（上皿２０１７に貯留される球の個数がＡＭＡＸ，ＢＭＡＸ個に到達した直後に排出が開始されると仮定したり）するなど、簡略化して図示される。
【０４０１】
図３２（ａ）及び図３２（ｂ）の縦軸において、傾倒部材３３０及び解除部材３４０が許容状態に状態変化するのに必要な球の個数がＡＭＡＸ個、ＢＭＡＸ個でそれぞれ図示される。また、横軸において、発射球貯留領域１７ｄ及び橋渡し球貯留領域１７ｅが球で満たされたタイミングが０秒で図示される。
【０４０２】
まず、図３２（ａ）を参照して、開口部１７ａの第１部分開放状態（図３０参照）において上皿２０１７に貯留される球の個数の変化について説明する。まず、最初に球がＡＭＡＸ個に至るまでの経過は、図２０に示す経過（全開放の状態における経過）と同じである。
【０４０３】
上皿２０１７に貯留される球の個数がＡＭＡＸ個以上となると、傾倒部材３３０及び解除部材３４０が許容状態となり上皿２０１７から開口部１７ａを通って球が排出される。この時、開口部１７ａの第１部分開放状態では、傾倒部材３３０の上面および後追い球貯留領域１７ｆに配置された球（発射球貯留領域１７ｄ及び橋渡し球貯留領域１７ｅを除く範囲に配置された球）が全て排出されるのでは無く、第１遮蔽板２３５１に乗る球（本実施形態では、３個の球）は第１遮蔽板２３５１の上面に維持される。
【０４０４】
従って、傾倒部材３３０が許容状態となることにより、まとまって１１個以上の球が排出される。そのため、排出後に上皿２０１７に残留する球の個数は、ＡＭＡＸ個から１１個少ない個数以上となる（Ｑ１＋３＝Ｑ２［個］以上となる）。その後は、１１個の球を供給するのに要する時間（１．１秒）以上の間隔で、球の排出が行われ、上皿２０１７に残留する球の個数の最小値は個数Ｑ１よりも３個多い個数Ｑ２に維持される（Ｑ２＞６５［個］）。
【０４０５】
ここで、全開放の状態と第１部分開放状態での排出個数は同等であって、開口部１７ａの開口広さが要因（約３／４）となり、流量が変化する。ここで、許容状態における傾倒部材３３０の傾斜角度は変わらない。開口広さ分だけ、球の流量が絞られると考えることができるので、排出される球の流量は全開放の場合（約８０［個／秒］）に３／４をかけた約６０［個／秒］となり、全開放の状態に比較して第１部分開放状態の方が小さくなる。
【０４０６】
本実施形態によれば、傾倒部材３３０及び解除部材３４０が許容状態に状態変化することに伴い上皿２０１７に残留する球の個数を個数Ｑ２以上に保つことができるので、個数Ｑ２を適切な個数（例えば、上皿２０１７に貯留される球の個数の８０％以上の個数）に設定することにより、上皿２０１７に残留する球が過度に減少することを防止することができる。更に、傾倒部材３３０及び解除部材３４０が許容状態となり球が排出された直後は、その球の排出を視認することにより上皿２０１７に個数Ｑ２以上の球が残っていることを把握できる。
【０４０７】
そのため、遊技者がパチンコ機１０の正面側に座って遊技する姿勢において、上皿２０１７の正面側壁や前カバー３９０が視線を遮り上皿２０１７の内部状態（例えば、残球個数）が確認できない場合であっても、流下装置２３００の内部を球が流下することを確認することにより、上皿２０１７に個数Ｑ２以上の球が残っていることを把握することができる。
【０４０８】
即ち、上皿２０１７の内部状態を把握するために上皿２０１７を上から覗き込んで上皿２０１７の内部を見なくとも上皿２０１７に十分な個数の球が残っていることを把握できるので、遊技者は、球切れ（上皿２０１７に残された球が無くなること）の恐怖感から解放され、楽な遊技姿勢で遊技を継続することができる。
【０４０９】
次いで、図３２（ｂ）を参照して、開口部１７ａの第２部分開放状態（図３１参照）において上皿２０１７に貯留される球の個数の変化について説明する。まず、最初に球がＢＭＡＸ個に至るまでの経過は、図２０に示す経過（全開放の状態における経過）と同じである。
【０４１０】
上皿２０１７に貯留される球の個数がＢＭＡＸ個以上となると、傾倒部材３３０及び解除部材３４０が許容状態となり上皿２０１７から開口部１７ａを通って球が排出される。この時、開口部１７ａの第２部分開放状態では、傾倒部材３３０の上面および後追い球貯留領域１７ｆに配置された球（発射球貯留領域１７ｄ及び橋渡し球貯留領域１７ｅを除く範囲に配置された球）が全て排出されるのでは無く、第１遮蔽板２３５１に乗る球および第２遮蔽板２３５２に乗る球（本実施形態では、６個の球）は第１遮蔽板２３５１の上面または第２遮蔽板２３５２の上面に維持される。
【０４１１】
従って、傾倒部材３３０が許容状態となることにより、まとまって１１個以上の球が排出される。そのため、排出後に上皿２０１７に残留する球の個数は、ＢＭＡＸ個から１１個少ない個数以上となる（Ｑ１＋６＝Ｑ３［個］以上となる）。その後は、１１個の球を供給するのに要する時間（１．１秒）以上の間隔で、球の排出が行われ、上皿２０１７に残留する球の個数の最小値は個数Ｑ１よりも６個多い個数Ｑ３に維持される（Ｑ３＞６８［個］）。
【０４１２】
ここで、全開放の状態と第２部分開放状態での排出個数は同等であって、開口部１７ａの開口広さが要因（約１／２）となり、流量が変化する。ここで、許容状態における傾倒部材３３０の傾斜角度は変わらない。開口広さ分だけ、球の流量が絞られると考えることができるので、排出される球の流量は全開放の場合（約８０［個／秒］）に１／２をかけた約４０個／秒となり、全開放の状態に比較して第２部分開放状態の方が小さくなる。
【０４１３】
本実施形態によれば、傾倒部材３３０及び解除部材３４０が許容状態に状態変化することに伴い上皿２０１７に残留する球の個数を個数Ｑ３以上に保つことができるので、個数Ｑ３を適切な個数（例えば、上皿２０１７に貯留される球の個数の８０％以上の個数）に設定することにより、上皿２０１７に残留する球が過度に減少することを防止することができる。更に、傾倒部材３３０及び解除部材３４０が許容状態となり球が排出された直後は、その球の排出を視認することにより上皿２０１７に個数Ｑ３以上の球が残っていることを把握できる。
【０４１４】
そのため、遊技者がパチンコ機１０の正面側に座って遊技する姿勢において、上皿２０１７の正面側壁や前カバー３９０が視線を遮り上皿２０１７の内部状態（例えば、残球個数）が確認できない場合であっても、流下装置２３００の内部を球が流下することを確認することにより、上皿２０１７に個数Ｑ３以上の球が残っていることを把握することができる。
【０４１５】
即ち、上皿２０１７の内部状態を把握するために上皿２０１７を上から覗き込んで上皿２０１７の内部を見なくとも上皿２０１７に十分な個数の球が残っていることを把握できるので、遊技者は、球切れ（上皿２０１７に残された球が無くなること）の恐怖感から解放され、楽な遊技姿勢で遊技を継続することができる。
【０４１６】
図３２に示すように、第２部分開放状態では、第１部分開放状態よりも、全開放の状態（図２０参照）との比較における球の排出の流量の変化の度合い（図３２（ａ）及び図３２（ｂ）の右下降傾斜の角度）が大きくなる。即ち、遮蔽板２３５１，２３５２を背面側に配置する枚数が多くなるほど（下流側から多くなるほど）、球の排出の流量をより小さくすることができる（グラフの右下降傾斜の度合いを緩くすることができる）。これにより、遊技者は自分の好みで、球の排出の流量を複数通りで調整することができる。
【０４１７】
例えば、球の排出時の流量を大きくして排出時の迫力を重視する遊技者は、開口部１７ａを全開放する状態で遊技を行うことで球の排出時の流量を最大限に大きくすることができる一方で、排出時の迫力は度外視しても上皿２０１７の球切れを抑制したい遊技者は、第２部分開放状態とすることで排出後に上皿２０１７に残留する球の個数を多く確保することができ、球切れの発生を抑制することができる。
【０４１８】
なお、遊技者は、第２板部材２３２０越しに流下する遊技球の流下態様を視認することにより、排出流量が現状どのように設定されているのかを把握することができる。そのため、排出流量の設定が、上皿２０１７からの球の抜け具合からのみ把握可能である場合（例えば、上皿２０１７を上から覗き、目視で把握する場合）に比較して、排出流量の現状の設定を遊技者が早期に把握可能とすることができ、設定変更が必要な場合には、遊技者に早期に設定変更を行わせることができる。
【０４１９】
本実施形態では、排出時の流量の変化に係る球（遮蔽板２３５１，２３５２の上面に乗った球）が、そのまま上皿２０１７に残留する球として用いられることにより、上皿２０１７に貯留可能な球の個数を変化させることなく（上皿２０１７の容量を変化させることなく）、上述した調整を行うことができる。
【０４２０】
なお、図３２（ａ）及び図３２（ｂ）では、理解を容易とするために上皿２０１７に貯留される球がＡＭＡＸ，ＢＭＡＸ個となった直後に傾倒部材３３０が傾倒し、上皿２０１７から球が排出される態様で図示したが、実際は、上皿２０１７にＡＭＡＸ，ＢＭＡＸ個の球が貯留される（入球する）タイミングと、傾倒部材３３０が傾倒するのに十分な球が傾倒部材３３０の上面に乗るタイミングとは一致しないので、上皿２０１７にＡＭＡＸ，ＢＭＡＸ個の球が入球した後も、若干の期間、傾倒部材３３０は傾倒前の姿勢を維持し、上皿２０１７にはＡＭＡＸ，ＢＭＡＸ個以上の球が貯留される。その後、傾倒部材３３０が傾倒すると、傾倒部材３３０の上面と、後追い球貯留領域１７ｆに貯留されていた球が開口部１７ａを通して排出され、その他の領域（発射球貯留領域１７ｄ及び橋渡し球貯留領域１７ｅ）に配置されていた球は上皿２０１７に維持されるので、上皿２０１７に貯留される球が個数Ｑ２，Ｑ３以上に維持されることは、図３２（ａ）及び図３２（ｂ）に示すグラフと相違ない。
【０４２１】
図３３（ａ）及び図３３（ｂ）は、図１３のＸＩＶａ−ＸＩＶａ線に対応する線における正面枠１４の断面図である。なお、図３３（ａ）では、規制板２３５３が背面側位置に配置された状態が、図３３（ｂ）では、規制板２３５３が正面側位置に配置された状態が、それぞれ図示される。
【０４２２】
図３３（ａ）及び図３３（ｂ）に示すように、規制板２３５３は、正面側位置（矢印Ｆ側位置）に配置された状態では解除部材３４０の回転を許容し（解除部材３４０の回転軌跡と干渉しない位置に退避され）、背面側位置（矢印Ｂ側位置）に配置された状態では解除部材３４０の段違い板部３４４の上面に下面が当接する。
【０４２３】
図３３（ｂ）に示す状態から解除部材３４０が回転を開始しかけると、段違い板部３４４の上面が規制板２３５３を持ち上げかける。規制板２３５３は規制長孔２３２４ｂに上下方向への移動を規制されているので、解除部材３４０の回転が防止される。即ち、規制板２３５３を背面側位置に配置することにより、解除部材３４０が規制状態から回転することを防止することができるので、傾倒部材３３０及び解除部材３４０を規制状態で維持することができる。従って、上皿２０１７から開口部１７ａを通って球が排出されることを防止することができる（球の排出を規制することができる）。
【０４２４】
以上説明した本実施形態において達成される主要な効果を整理すれば、以下のようになる。即ち、本実施形態によれば、延設溝２０１７ｈに上流側から入球した球が跳ねて延設溝２０１７ｈから外れることを防止できると共に、延設溝２０１７ｈが球で満たされた後で延設溝２０１７ｈに入りかけた球を延設溝２０１７ｈの外方へ排斥し易くすることができる。
【０４２５】
また、延設溝２０１７ｈに収容される球を延設溝２０１７ｈの延設方向に一列に並べやすいので、延設溝２０１７ｈに収容される球の個数を安定化させることができる。また、延設溝２０１７ｈに配置された球が他の球と衝突して弾かれた場合であっても、その球が開口部１７ａに流入する可能性を低くすることができる。
【０４２６】
また、第１遮蔽板２３５１及び第２遮蔽板２３５２の配置を切り替えることにより、上皿２０１７から開口部１７ａを通して排出される球の流量を変化させることができる。同時に、排出後に上皿２０１７に残る球の個数を変化させることができる。
【０４２７】
また、第１遮蔽板２３５１及び第２遮蔽板２３５２の配置を切り替えることにより、払出モータ２１６の動作速度を変化させることなく、開口部１７ａを通した球の排出の頻度を変化させることができる。
【０４２８】
第１遮蔽板２３５１及び第２遮蔽板２３５２は、球を乗せて落下を防止することができると共に、開口部１７ａとの間隔が球の直径未満とされることで球が隙間から落下することを防止できる。
【０４２９】
規制板２３５３の配置を切り替えることにより、解除部材３４０の動作を許容する状態と、規制する状態とを切り替えることができる。
【０４３０】
次いで、図３４を参照して、第３実施形態について説明する。第１実施形態では、傾倒部材３３０が傾倒することにより湾曲部３３１ｄの上端部が上昇する場合を説明したが、第３実施形態における流下装置３３００は、傾倒部材３３０が傾倒することに伴って上昇する通過防止装置５００を備える。なお、上述した各実施形態と同一の部分には同一の符号を付して、その説明は省略する。
【０４３１】
図３４（ａ）は、第３実施形態における正面枠１４の部分上面図であり、図３４（ｂ）及び図３４（ｃ）は、図３４（ａ）のＸＸＸＩＶｂ−ＸＸＸＩＶｂ線における正面枠１４の部分断面図である。なお、図３４（ｂ）では、傾倒部材３３０が傾倒する前の状態が、図３４（ｃ）では、傾倒部材３３０が傾倒した後の状態が、それぞれ図示されると共に、解除部材３４０の図示が省略される。また、本実施形態では、傾倒部材３３０の本体枠３３１ａの背面側部分が、下端部を軸径方向外側へ張り出させる態様で形成される。
【０４３２】
図３４に示すように、本実施形態では、上皿３０１７の橋渡し球貯留領域１７ｅの傾倒部材３３０に近接する側に、左右方向に球の直径未満の間隔を空けて複数個配置される上下方向（図３４（ａ）紙面奥方向）に穿設される貫通孔を有する筒状の支持筒部３０１７ｊを備える。
【０４３３】
通過防止装置５００は、各支持筒部３０１７ｊに昇降動作可能に支持される昇降部材５１０を備える。昇降部材５１０は、上下方向に延設される棒状の部分であって支持筒部３０１７ｊに挿通される本体柱部５１１と、その本体柱部５１１の上端から傾倒部材３３０側（矢印Ｆ側）へ延設される延設部５１２と、その延設部５１２の延設先端から上方へ延設される先端延設部５１３と、を主に備える。
【０４３４】
本体柱部５１１は、上皿１７の底面を基準として、下方へ傾倒部材３３０の軸棒部３３２を越える長さで延設される。
【０４３５】
通過防止装置５００の機能について説明する。図３４（ｂ）に示すように、傾倒部材３３０が傾倒前の状態では、延設部５１２の上面が上皿１７の底面とほぼ面位置とされるので、上皿１７に貯留される球と昇降部材５１０との衝突を抑制することができ、スムーズに上皿１７に球を貯留することができる。
【０４３６】
一方、図３４（ｃ）に示すように、傾倒部材３３０の傾倒後には、傾倒部材３３０の本体枠３３１ａが変位することに伴い、本体柱部５１１が上昇する。この上昇した状態において、延設部５１２は球の半径ｒａ程度（約５．５［ｍｍ］）の高さ位置に配置され、同様に、先端延設部５１３の上端部は傾倒部材３３０の湾曲部３３１ｄの上端部から球の半径ｒａ程度高い位置に配置される。なお、延設部５１２が傾倒部材３３０に近接する位置まで延設されることにより、先端延設部５１３と湾曲部３３１ｄとの双方に球が当接した場合、その球の中心（重心）は湾曲部３３１ｄの上端位置（図３４（ｃ）における上端位置）の延設部３３３側（矢印Ｆ側）に配置される。
【０４３７】
これにより、傾倒部材３３０が傾倒した状態（図３４（ｃ）参照）において、橋渡し球貯留領域１７ｅに貯留された球が昇降部材５１０の間を通過することを防止することができるので、橋渡し球貯留領域１７ｅから傾倒部材３３０の上面に球が侵入する（矢印Ｆ方向に球が流下する）ことを防止することができる。更に、傾倒部材３３０の上面に貯留された球が先端延設部５１３の間を通過することを防止することができるので、傾倒部材３３０の上面から橋渡し球貯留領域１７ｅに球が侵入する（矢印Ｂ方向に球が流下する）ことを防止することができる。
【０４３８】
従って、傾倒部材３３０の傾倒後に、橋渡し球貯留領域１７ｅから傾倒部材３３０の上面に少数の球が流入し傾倒部材３３０を流れ落ちる事態が生じることを防止できると共に、傾倒部材３３０の傾倒前に傾倒部材３３０の上面に乗っていた球を橋渡し球貯留領域１７ｅにこぼすことなく開口部１７ａ側へ流すことができる。
【０４３９】
次いで、図３５及び図３６を参照して、第４実施形態について説明する。第１実施形態では、傾倒部材３３０が傾倒することにより湾曲部３３１ｄの上端部が開口部１７ａの枠内（後追い球貯留領域１７ｆの下流側（矢印Ｒ側））において上昇する場合を説明したが、第４実施形態における流下装置４３００は、傾倒部材４３３０が傾倒することに伴って上昇する部分であって開口部１７ａの枠外に配設される枠外延設部４３３７を備える。なお、上述した各実施形態と同一の部分には同一の符号を付して、その説明は省略する。
【０４４０】
図３５及び図３６は、第４実施形態における上皿４０１７の背面斜視図である。なお、図３５及び図３６では、理解を容易とするために、供給開口１７ｇが形成される背面側板の図示が省略されると共に供給開口１７ｇの開口部外形が想像線で図示される。また、図３５では、傾倒部材４３３０及び解除部材３４０の規制状態が、図３６では、傾倒部材４３３０及び解除部材３４０の許容状態が、それぞれ図示される。
【０４４１】
なお、上皿４０１７は、第１実施形態における上皿１７との比較において、後追い球貯留領域１７ｆの背面側壁が正面側へ寄せられ、受け入れ側面４０１７ｆ３が形成されることが異なるのみで、他の構成は共通とされる。
【０４４２】
図３５及び図３６に示すように、橋渡し球貯留領域１７ｅの上面は発射球貯留領域１７ｄの上面と面位置でつながる一方、傾倒部材４３３０の上面および後追い球貯留領域１７ｆの上面は、橋渡し球貯留領域１７ｅよりも一段高い面として形成される。本実施形態では、球の半径ｒａの約１／４だけ高い面（橋渡し球貯留領域１７ｅに貯留された球が水平方向の負荷で乗り上げ可能な高さ）として形成される。
【０４４３】
これにより、供給開口１７ｇから上皿４０１７に供給された球は、まず橋渡し球貯留領域１７ｅに着地し、発射球貯留領域１７ｄ及び橋渡し球貯留領域１７ｅを満たし、その後、橋渡し球貯留領域１７ｅに満たされた球の上を伝うか、後から来た球に橋渡し球貯留領域１７ｅに貯留されていた球が押し出されることにより、後追い球貯留領域１７ｆ及び傾倒部材４３３０の上面に流入する。
【０４４４】
即ち、本実施形態では、供給開口１７ｇから上皿４０１７に供給された球の全てが傾倒部材４３３０の上面を通るのでは無く、発射球貯留領域１７ｄ及び橋渡し球貯留領域１７ｅが球で満たされる前に上皿４０１７に供給された球のほとんどは傾倒部材４３３０の上面を通過することなく流下する。
【０４４５】
このように、本実施形態では、傾倒部材４３３０の上面が橋渡し球貯留領域１７ｅよりも一段高くなる配置で傾倒部材４３３０を上皿４０１７に配設することで、球の流下経路を指定することができる。これにより、球の経路を指定する別部材を用意したり、上皿４０１７を特別な形状としたりする場合に比較して、部品コストや、加工コストを抑えることができる。
【０４４６】
また、発射球貯留領域１７ｄ及び橋渡し球貯留領域１７ｅが球で満たされる前に解除部材３４０に球が当接することを防止できる。これにより、上皿４０１７に貯留される球が少ない状態で傾倒部材４３３０及び解除部材３４０が許容状態を形成し球が上皿４０１７から排出される可能性を低減することができる。
【０４４７】
加えて、本実施形態では、傾倒部材４３３０が枠外延設部４３３７を備えることにより、上述した効果を更に奏し易くしていることについて、以下で説明する。傾倒部材４３３０は、第１実施形態の傾倒部材３３０が備える構成に加えて、湾曲部３３１ｄの側面形状を上底板部３３１ｂの左右方向の傾斜に沿って上流側（矢印Ｌ側）へ延設した形状から構成される棒状の枠外延設部４３３７を備える。
【０４４８】
この枠外延設部４３３７との整合をとるために、本実施形態における上皿４０１７は、第１実施形態で説明した上皿１７の構成に加えて、後追い球貯留領域１７ｆの背面側部分を正面側へ寄せた位置において、後追い球貯留領域１７ｆの新たな背面側部分として形成される受け入れ側面４０１７ｆ３を備える。
【０４４９】
即ち、受け入れ側面４０１７ｆ３は、開口部１７ａの背面側端部よりも正面側にずれた位置に配設され、橋渡し球貯留領域１７ｅから正面側へ延長される上面と、後追い球貯留領域１７ｆの上面との間に段差を形成する。また、受け入れ側面４０１７ｆ３を形成し、後追い球貯留領域１７ｆの背面側端部が正面側へ寄せられることにより空いたスペースにおいて、枠外延設部４３３７が移動を行う。
【０４５０】
本実施形態では、枠外延設部４３３７が、第１実施形態における後追い球貯留領域１７ｆの背面側側面と同様の機能を備える。一方で、第１実施形態の場合と異なり、後追い球貯留領域１７ｆの背面側側面と同様の機能を持つ枠外延設部４３３７は、傾倒部材４３３０の傾倒に伴い、橋渡し球貯留領域１７ｅの上面からの高さが変化する（上端位置が上昇する）。
【０４５１】
即ち、傾倒部材４３３０の規制状態（図３５参照）に比較して、傾倒部材４３３０の許容状態（図３６参照）の方が、橋渡し球貯留領域１７ｅの上面を基準とした枠外延設部４３３７の上端位置までの長さが長くなる。そのため、傾倒部材４３３０が規制状態の場合よりも、傾倒部材４３３０が許容状態の場合の方が、橋渡し球貯留領域１７ｅから後追い球貯留領域１７ｆに球が流入することを防止し易くすることができる。
【０４５２】
特に、本実施形態において、後追い球貯留領域１７ｆは供給開口１７ｇの正面側（矢印Ｆ側）に配置されるので、供給開口１７ｇから上皿４０１７へ勢いよく払い出された球が橋渡し球貯留領域１７ｅと後追い球貯留領域１７ｆとの間の段差を越えて後追い球貯留領域１７ｆに流入する可能性があるところ、傾倒部材４３３０の傾倒時（図３６参照）においてのみ橋渡し球貯留領域１７ｅと後追い球貯留領域１７ｆとの間の段差を大きくすることができるので、傾倒部材４３３０の傾倒時において後追い球貯留領域１７ｆへの球の流入を防止する効果を増大させることができる。
【０４５３】
これにより、傾倒部材４３３０が許容状態となった後で、新たに後追い球貯留領域１７ｆに球が流入することを防止し易くすることができるので、傾倒部材４３３０の傾倒前に傾倒部材４３３０の上流側（傾倒部材４３３０の上面および後追い球貯留領域１７ｆ）に貯留されていた球が、傾倒部材４３３０が傾倒することに伴い、連なって開口部１７ａを流下するのと遅れたタイミングで新たに後追い球貯留領域１７ｆに流入した少量の球が開口部１７ａから排出される事態が発生することを抑制することができる。これにより、開口部１７ａからの球の排出態様を、多量の球が連なって排出される態様に固定することができる。
【０４５４】
また、本実施形態によれば、傾倒部材４３３０が傾倒する前（図３５参照）であれば、橋渡し球貯留領域１７ｅと後追い球貯留領域１７ｆとの間の段差は第１実施形態の場合と同等なので、第１実施形態と同様の条件で、橋渡し球貯留領域１７ｅから後追い球貯留領域１７ｆへ球を流入させることができる。このように、本実施形態によれば、傾倒部材４３３０の姿勢（傾倒しているか否か、もしくは傾倒角度）により、橋渡し球貯留領域１７ｅから後追い球貯留領域１７ｆへの（隣設された領域間での）球の流入のし易さを変化させることができる。
【０４５５】
次いで、図３７から図３９を参照して、第５実施形態について説明する。第１実施形態では、傾倒部材３３０の傾倒前に比較して、傾倒部材３３０が傾倒した後の方が、湾曲部３３１ｄの上端位置が上昇する場合を説明したが、第５実施形態における流下装置５３００は、傾倒部材５３３０の傾倒前に比較して、傾倒部材５３３０が傾倒した後の方が、湾曲部３３１ｄの上端位置が下降する態様とされる。なお、上述した各実施形態と同一の部分には同一の符号を付して、その説明は省略する。
【０４５６】
図３７（ａ）及び図３７（ｂ）は、図１３のＸＩＶａ−ＸＩＶａ線に対応する線における第５実施形態における正面枠１４の部分断面図であり、図３８及び図３９は、上皿１７の背面斜視図である。なお、図３７（ａ）及び図３８では、傾倒部材５３３０及び解除部材３４０が係合された状態（規制状態の一例）が、図３７（ｂ）及び図３９では、傾倒部材５３３０及び解除部材３４０が互いに離反した状態（許容状態の一例）が、それぞれ図示される。
【０４５７】
本実施形態では、第１実施形態で説明した流下装置３００の構成に比較して、主に傾倒部材５３３０の構成が第１実施形態の傾倒部材３３０と異なり、他の構成は共通である。以下に、傾倒部材５３３０の構成を説明する。
【０４５８】
傾倒部材５３３０は、第１実施形態における傾倒部材３３０との比較において、軸棒部３３２が湾曲部３３１ｄを挟んで延設部３３３の前後方向（矢印Ｆ−Ｂ方向）逆側に配置されることが大きな違いであり、その構成を実現するために、傾倒部材３３０からの若干の形状変更が施されている。
【０４５９】
即ち、傾倒部材５３３０は、傾倒部材３３０の構成に対して、本体枠３３１ａの背面側側面が左右側面に比較して短くされ、本体枠３３１ａの背面側側面の下端部および本体枠３３１ａの左右側面の背面側端部から背面側（矢印Ｂ方向）へ延設される延設進入部５３３７を備え、その延設進入部５３３７の延設端部付近において軸棒部３３２を支持可能となるように、上皿１７の第２支持凹部１７ｃ（図７参照）に対応する支持凹部が第２支持凹部１７ｃとは異なる位置に配設される。本実施形態では、第１実施形態と同様に、開口部１７ａの背面側縁に湾曲部３３１ｄが対向配置されるので、軸棒部３３２は開口部１７ａの背面側縁よりも背面側において、上皿１７に支持される。
【０４６０】
なお、傾倒部材５３３０の傾倒角度は、第１実施形態と同様であり、傾倒前において前後方向に対して１°、傾倒後において前後方向に対して１５°の傾斜角度となるように、傾倒部材５３３０の下端部の形状が修正される。
【０４６１】
上述したように、本実施形態では、軸棒部３３２が開口部１７ａの背面側縁よりも背面側（橋渡し球貯留領域１７ｅの下方）に配置されるので、図３７（ａ）及び図３７（ｂ）に示すように、傾倒部材５３３０が傾倒する前に比較して、傾倒した後の方が湾曲部３３１ｄの上端位置が下降する。なお、本実施形態では、特に、傾倒する前において湾曲部３３１ｄの上端位置が橋渡し球貯留領域１７ｅの上面よりも上側に位置する（球の半径ｒａの半分程度上側に位置する）一方で、傾倒した後において湾曲部３３１ｄの上端位置が橋渡し球貯領域１７ｅの上面よりも下側に位置する。
【０４６２】
即ち、軸棒部３３２は、軸棒部３３２を支点として傾倒部材５３３０を傾倒前の状態から１４°傾倒動作させた場合に、湾曲部３３１ｄの上下方向の移動距離が球の半径ｒａの半分以上（約２．８ｍｍ以上）となる位置で上皿１７に軸支される。
【０４６３】
これは、例えば、本実施形態のように傾倒部材５３３０が傾倒前の状態において湾曲部３３１ｄを通り水平方向に対する角度が約４５°となる直線上に軸棒部３３２が配置され、湾曲部３３１ｄと軸棒部３３２との間の距離が長さＬ５１であるとすると、傾倒前の上下寸法（Ｌ５１×ＣＯＳ４５°）と傾倒後の上下寸法（Ｌ５１×ＣＯＳ３１°）との差が球の半径ｒａの半分以上であることを要する（Ｌ５１×（（ＣＯＳ４５°）−（ＣＯＳ３１°））＞（１／２）×ｒａ）。この不等号を満たすには、長さＬ５１は、約２．４×ｒａよりも長いことを要する。また、湾曲部３３１ｄと軸棒部３３２を結ぶ長さＬ５１の線分の水平方向成分の長さは、約１．７×ｒａよりも長くなる。従って、軸棒部３３２は、図３７（ａ）に図示されるように、傾倒部材５３３０の傾倒前の状態において、湾曲部３３１ｄから水平方向背面側に球の半径ｒａの１．７倍以上離れた位置に配置されることを要する。なお、本実施形態では、湾曲部３３１ｄから水平方向背面側に球の直径以上離れた位置に軸棒部３３１ｄが配置される。
【０４６４】
これにより、本実施形態によれば、傾倒部材５３３０の傾倒前においては、湾曲部３３１ｄの上端位置が橋渡し球貯留領域１７ｅの上面よりも上方に配置され、傾倒部材５３３０の傾倒後においては、湾曲部３３１ｄの上端位置が橋渡し球貯留領域１７ｅの上面よりも下方に配置されるので、橋渡し球貯留領域１７ｅに配置された球の前後方向における流下傾向を反転させることができる。
【０４６５】
即ち、傾倒部材５３３０の傾倒前においては、球の半径ｒａの半分程度とはいえ、湾曲部３３１ｄが橋渡し球貯留領域１７ｅの上面よりも上方に配置されることから、湾曲部３３１ｄが、橋渡し球貯留領域１７ｅに貯留される球が正面側へ流下するのに対する抵抗を生じる部分として作用する（球が正面側へ流れてくるのを防止する部分として作用する）。そのため、橋渡し球貯留領域１７ｅに貯留された球の前後方向における流下傾向は、橋渡し球貯留領域１７ｅ内に維持されやすい傾向となる。
【０４６６】
一方、傾倒部材５３３０の傾倒後においては、湾曲部３３１ｄが橋渡し球貯留領域１７ｅの上面よりも下方に配置されるので、湾曲部３３１ｄから橋渡し球貯留領域１７ｅに貯留される球が正面側へ流下するのに対する抵抗が生じず、傾倒部材５３３０の傾倒により開口部１７ａから排出される球を追いかける態様で橋渡し球貯留領域１７ｅに貯留されていた球を流下させ易くすることができる。そのため、橋渡し球貯留領域１７ｅに貯留された球の前後方向における流下傾向は、傾倒部材５３３０の傾倒前に比較して、橋渡し球貯留領域１７ｅの正面側へ排出されやすい傾向となる。
【０４６７】
従って、傾倒部材５３３０の上面に乗っていた球に加えて、その背面側の領域である橋渡し球貯留領域１７ｅに貯留されていた球も、一緒に開口部１７ａを通して流下させることができるので、傾倒部材５３３０が傾倒するたびに開口部１７ａを通して流下する球の個数を、傾倒部材５３３０に乗りきる球の数以上に増大させることができる。
【０４６８】
次いで、図４０及び図４１を参照して、第６実施形態について説明する。第１実施形態では、流下装置３００から排出された球が下皿１５に貯留される場合を説明したが、第６実施形態における流下装置６３００は、その下端部から排出した球を遊技機の下方に排出する態様とされ（下皿１５の形成が省略され）、それに伴い、正面枠６０１４の背面側（ガラスユニット１６の背面側）に配設され、上皿１７又は下皿１５に球を分岐させて流下させる分岐流路（図示せず）の形成が省略される。なお、上述した各実施形態と同一の部分には同一の符号を付して、その説明は省略する。
【０４６９】
本実施形態では、流下装置６３００の下端部の開口の開閉を球抜きレバー５２の操作により行う（操作レバー５２を押し込むたびに、球が通過可能な開状態と球の通過を規制する閉状態とで切り替えられる）態様とされ、球抜きレバー５２の操作により流下装置６３００の下端部の開口が開状態となっている時に流下装置６３００の下端部に配置された球は正面枠６０１４の下方へ自然落下して排出される。一方、球抜きレバー５２の操作により流下装置６３００の下端部の開口が閉状態となっているときは、流下装置６３００の内部流路に球を貯留可能とされる。
【０４７０】
図４０は、第６実施形態におけるパチンコ機６０１０の側面図である。なお、図４０では、理解を容易とするために、被収容部材ＩＮＢの外形の一例が想像線で図示される。
【０４７１】
被収容部材ＩＮＢは、正面枠６０１４に固定され、その外形が正面枠６０１４の背側面（内枠１２の正面側端部と当接する面）よりも背面側へ突出する形状から形成される。即ち、被収容部材ＩＮＢの背面側部分は、正面枠６０１４を閉じた状態（図４０参照）において内枠１２の内部領域に侵入する（内枠１２の内部領域と干渉する）。なお、本実施形態では、内枠１２の内側に、被収容部材ＩＮＢを正面側から収容可能な大きさで正面側端部から背面側へ向けて凹設される収容凹部ＩＮＣが形成される。従って、正面枠６０１４を閉じた状態では、被収容部材ＩＮＢの背面側部分が収容凹部ＩＮＣに収容される。
【０４７２】
このように構成することにより、内枠１２を、背面側に突出する部分（例えば、被収容部材ＩＮＢ）を備える正面枠６０１４にも、背面側に突出する部分が形成されない正面枠１４にも、兼用することができる（内枠１２の共通化を図ることができる）。即ち、本実施形態における内枠１２を正面枠１４に用いる場合には、収容凹部ＩＮＣの内部が空の状態とされるだけであって、使用に支障をきたすものでは無い。
【０４７３】
なお、被収容部材ＩＮＢについては、何ら限定されるものでは無く、種々の態様が例示される。例えば、音響装置でも良いし、遊技者が操作する操作ボタンの構造の一部でも良いし、配線でも良いし、可動役物やモータなどの駆動装置の一部でも良いし、位置決め用の突起でも良い。
【０４７４】
被収容部材ＩＮＢがスピーカーなどの音響装置である場合、音を遊技者へ向けて発する部分であるスピーカーユニットが遊技者側に露出するため、不正行為の進入経路となりやすい。これに対し、本実施形態では、音響装置の背面側部分は収容凹部ＩＮＣに収容され、その収容凹部ＩＮＣの凹設底面は基板ボックス１００〜１０４よりも正面側に配置されることから、被収容部材ＩＮＢの内部を通ってピアノ線がパチンコ機１０の内部に進入した場合であっても、そのピアノ線が基板ボックス１００〜１０４に到達する前に、ピアノ線の進行を収容凹部ＩＮＣで止めることができる。
【０４７５】
この目的において、収容凹部ＩＮＣの内壁は、金属性の部材で覆われる（カバーされる）ことが望ましい。これにより、ピアノ線の先端を高温に熱して進入させる不正に対しても対応することができる（収容凹部ＩＮＣの内壁が樹脂で形成される場合に比較して、不正を防止し易くすることができる）。
【０４７６】
本実施形態では、被収容部材ＩＮＢは、正面側端部が第１板部材３１０の延設板部３１２ｂ又は連設板部３１４の背面側面付近（本実施形態では若干離間した位置）に配置される。従って、被収容部材ＩＮＢは、延設板部３１２ｂ又は連設板部３１４の背面側側面から収容凹部ＩＮＣの凹設底面（背面側に配置される側面）までに収まる前後寸法長さで形成される。このように、被収容部材ＩＮＢの配設スペースを正面枠６０１４の背面側に配置される内枠１２の内部にまで広げることにより、同じ寸法の被収容部材ＩＮＢであっても、内枠１２の正面側に被収容部材ＩＮＢが配置される場合に比較して正面枠６０１４の正面側に被収容部材ＩＮＢが張り出す長さを抑えることができる。これにより、遊技者に圧迫感を与えることなく、大型の被収容部材ＩＮＢを配置することができる。
【０４７７】
ここで、収容凹部ＩＮＣの前後方向寸法は、遊技機ごとにそれほど寸法設定の自由が無い内枠１２の幅寸法（例えば、約４０ｍｍ〜６０ｍｍ）以下に制限されるので、被収容部材ＩＮＢの前後方向寸法を長くしたい場合（例えば、内枠１２の幅寸法よりも長くしたい場合）、第１板部材３１０の延設板部３１２ｂ又は連設板部３１４の配置を正面側に寄せることで対応することになる。この点において、本実施形態の構成は好適に作用する。
【０４７８】
例えば、第１板部材３１０の延設板部３１２ｂ又は連設板部３１４の配置を正面側に寄せることにより、流下装置６３００に形成される内部流路を正面側（遊技者に近接する側）に配置することができる。これにより、遊技者に、より近い位置に配置された流路内で球を流下させることができるので、流下する球を遊技者に視認させることによる演出効果を高めることができる。
【０４７９】
また、例えば、第１板部材３１０の延設板部３１２ｂ又は連設板部３１４の配置を正面側に寄せることにより、流下装置６３００の内部流路への入口（上部開口）を、上皿１７の正面側縁に近接配置させることができる。即ち、上皿１７へ球を供給する供給開口１７ｇの反対側（上皿１７を挟んで前後反対側）に流下装置６３００の内部流路への入口が配置されるので、供給開口１７ｇから上皿１７へ供給された球がそのまま（直通で）流下装置６３００の内部流路に流入することを、防止し易くすることができる。この場合、上皿１７の前後幅を十分に利用して多くの球を上皿１７に貯留することができる。
【０４８０】
また、例えば、第１板部材３１０の延設板部３１２ｂ又は連設板部３１４の配置を正面側に寄せることにより、本実施形態のように流下装置６３００の下端から排出された球がパチンコ機１０の下方に排出される箱（例えば、上述した千両箱）から球が溢れにくくすることができたり、パチンコ機１０の下方に排出された球を遊技者が手で直接受ける場合に球をこぼさずに受け取り易くしたりすることができる。加えて、この受け取り易い位置に上下方向の最短経路（水平方向の流路長さが短い経路）で球を流下させることができるので、流下装置６３００の内部流路に球が流入してからパチンコ機１０の下方に排出されるまでの期間を短くすることができる。
【０４８１】
従って、本実施形態によれば、流下装置６３００を正面側に寄せることにより、上述した効果を奏しながら、被収容部材ＩＮＢを収容する領域（例えば、第１板部材３１０の延設板部３１２ｂ又は連設板部３１４の背面側であって、収容凹部ＩＮＣの正面側の領域）を十分に確保することができる。
【０４８２】
この場合において、被収容部材ＩＮＢがスピーカーなどの音響装置であれば、流下装置６３００を正面側に寄せるほど被収容部材ＩＮＢの配置を正面側に寄せることができ、遊技者に音声を届けやすくすることができるので、音響装置の演出効果を向上させることができる。
【０４８３】
収容凹部ＩＮＣは、図４０に示すように、供給開口１７ｇよりも下側に配置される。即ち、収容凹部ＩＮＣは、供給開口１７ｇを挟んで遊技盤１３の上下方向反対側（本実施形態では下側）に配置される。また、収容凹部ＩＮＣは、制御基板ユニット９１の正面側に配置される。次いで、収容凹部ＩＮＣ及び被収容部材ＩＮＢの配置により生じる効果について説明する。
【０４８４】
図４１（ａ）及び図４１（ｂ）は、パチンコ機６０１０の上面図である。なお、図４１（ａ）では、正面枠６０１４が外枠１１に対して閉鎖された状態が図示され、図４１（ｂ）では、正面枠６０１４が外枠１１に対して、内枠１２（例えば、内枠１２に固定された遊技盤１３）を対象とした作業を作業者が行うことが可能な程度に開放された状態が図示される。
【０４８５】
図４１（ａ）及び図４１（ｂ）に示すように、被収容部材ＩＮＢは、左右方向において、ヒンジ１９が取り付けられる開閉軸に近接する側（左端位置付近）に配置される。そのため、正面枠６０１４を開放した場合であっても（図４１（ｂ）参照）、被収容部材ＩＮＢの移動量が最小に抑えられると共に、作業者が内枠１２を対象とした作業（例えば、発射装置の球詰まりを解消する作業や、エラーなどで大当たり中に誤って払い出されなかった賞球の補填として入賞口に手で球を入れる作業など）をするために進入する側（開閉軸の反対側）の空間を十分に空けることができる。従って、被収容部材ＩＮＢが作業者の作業の邪魔となることを防止することができ、作業時間を短縮することができる。営業時間内で作業者が作業を行う場合、その作業時間外において遊技者が遊技を行うことになるので、作業者の作業時間を短縮することにより、結果的に、遊技者の遊技時間を確保することができる。
【０４８６】
同時に、作業者が進入する側の反対側に被収容部材ＩＮＢを配置することにより、作業者が内枠１２を対象とした作業中に誤って被収容部材ＩＮＢに触れてしまい、それが原因で被収容部材ＩＮＢが故障することを防止することができる。
【０４８７】
加えて、例えば、被収容部材ＩＮＢが音響装置である場合、制御基板ユニット９０と被収容部材ＩＮＢ（外枠１１の背面側部分と正面枠６０１４の背面側部分）とを配線等により電気的に接続する必要があるところ、配線は、作業者が誤った処理を行うことで生じる断線のおそれを低くできることや、正面枠６０１４の開閉時の変形量を小さくすることで耐久性を向上できるという観点から、開閉軸側を経由させて這わせるのが望ましい。本実施形態では、被収容部材ＩＮＢが開閉軸付近に配置されるので、開閉軸から遠く離れた位置に配置される場合に比較して、開閉軸まで延ばす配線の長さを短くすることができる。これにより、必要となる配線長さを短くすることができ、銅線などを使用する配線にかかる材料コストを低減することができる。
【０４８８】
また、同じ大きさの被収容部材ＩＮＢを配設するのであれば、開閉軸付近において被収容部材ＩＮＢを配置する方が、開閉軸から遠い位置に配置する場合に比較して、被収容部材ＩＮＢの変位量を小さくすることができるので、収容凹部ＩＮＣの形成範囲を狭めることができる。従って、パチンコ機１０のように、外形の大きさが規格化され、内部空間が限られている機械において、収容凹部ＩＮＣの形成範囲を狭めつつ、被収容部材ＩＮＢの大型化を最大限図ることができる。
【０４８９】
図４１に示すように、被収容部材ＩＮＢは開閉軸付近に配置されると共に、被収容部材ＩＮＢが遊技盤１３や払出装置１３３よりも下方において内枠１２と正面枠６０１４とを連通する領域に配置されることから（図４０参照）、開閉軸付近において無理やり隙間を作り、その隙間にピアノ線等を通して、そのピアノ線等を遊技領域や払い出し装置１３３に到達させて、不正な利益を得ようとする不正行為を予防することができる。以下、これについて説明する。
【０４９０】
このような不正行為を行う不正行為者は、例えば、下側のヒンジ１９付近において正面枠６０１４と外枠１１との間の隙間を広げる方向（矢印Ｆ−Ｂ方向）の負荷を加え、無理やり隙間を作り、その隙間にピアノ線を通し、パチンコ機６０１０の内部にピアノ線を進入させる（例えば、図４０の矢印ＦＩＮ参照）。
【０４９１】
そして、例えば、ピアノ線の先端を遊技領域に案内し、ピアノ線を介して、第２入球口６４０に付随する電動役物６４０ａを開放する側に力をかけ、不正に第２入球口６４０に球が入り易い状態を維持させたり、第１特定入賞口６５ａを開閉する開閉板を開閉する側に力をかけ、不正に第１特定入賞口６５ａに球が入り易い状態を維持させたりして、不正の賞球を獲得しようとする。
【０４９２】
また、例えば、ピアノ線の先端を払出装置１３３の内部に案内し、払出装置１３３の内部機構を不正に操作して、不正の出玉を獲得しようとする。
【０４９３】
これに対し、本実施形態によれば、被収容部材ＩＮＢが、下側のヒンジ１９付近において、正面枠６０１４の背面側から内枠１２の内部へ張り出して配設される。そのため、不正行為者が、正面枠６０１４と内枠１２との間においてピアノ線を進入させる経路を被収容部材ＩＮＢにより埋めることができるので、ビアノ線の侵入を防止することができる。
【０４９４】
加えて、被収容部材ＩＮＢは開閉軸付近に配置されることから、正面枠６０１４の回転に伴う被収容部材ＩＮＢの移動量が低減される。そのため、無理に負荷をかけられることにより、内枠１２と正面枠６０１４との間に隙間が生じた場合であっても、被収容部材ＩＮＢが、依然として内枠１２と正面枠６０１４とを連通する領域を埋める位置に配置されており（図４１（ｂ）参照）、内枠１２と正面枠６０１４との間に下側のヒンジ１９付近において生じる隙間からのピアノ線の進入を防止することができる。
【０４９５】
なお、図４０の矢印ＦＩＮは、ピアノ線の進入経路の一例を示すものであり、その進入経路は種々の態様が例示される。例えば、正面枠６０１４の背面側伝いにピアノ線の先端を上昇させ遊技盤１３の正面側を目指す進入経路が考えられる。この場合、正面枠６０１４の背面側において正面枠６０１４に近接する範囲がピアノ線の経路となるので、正面枠６０１４の背面側において正面枠６０１４に近接する範囲の空間を埋めることが望ましい。これに対し、本実施形態によれば、被収容部材ＩＮＢが正面枠６０１４の内部から、背面側へ突出する態様で配置されるので、正面枠６０１４の開閉の度合いに因らず、正面枠６０１４の背面側において正面枠６０１４に近接する範囲を被収容部材ＩＮＢにより埋めることができる。従って、被収容部材ＩＮＢにより、ピアノ線の進入を防止することができる。
【０４９６】
また、開閉軸の径方向外側における収容凹部ＩＮＣの右側側壁ＩＮＣＲの形状（矢印Ｒ側の側面の形状）は、被収容部材ＩＮＢの移動軌跡を通る円弧であって、ヒンジ１９に形成される開閉軸を中心軸とした円弧の内で最大径の円弧よりも、若干大きな円弧に沿った形状とされる。そのため、正面枠６０１４が開閉する際、被収容部材ＩＮＢは右側側壁ＩＮＣＲと若干の寸法を空けた（例えば、１ｍｍ程度空けた）状態を維持しながら、右側側壁ＩＮＣＲと対向配置される。
【０４９７】
従って、正面枠６０１４が閉鎖された状態（図４１（ａ））において、右側側壁ＩＮＣＲと被収容部材ＩＮＢとの間に形成される隙間に不正基板を隠された場合であっても、ホール店員などが正面枠６０１４を開閉動作した際に、被収容部材ＩＮＢが不正基板に当接する（衝突する）ことになるので、困難無く不正基板の存在に気付くことができる。そのため、不正を見つけやすくすることができる。
【０４９８】
なお、被収容部材ＩＮＢと右側側壁ＩＮＣＲとの間の寸法を微少な長さ（例えば、０．１ｍｍ）とすることで、正面枠６０１４の開閉動作時に、被収容部材ＩＮＢと右側側壁ＩＮＣＲとの位置関係を利用して、正面枠６０１４と内枠１２との位置合わせを行うことができる。
【０４９９】
なお、被収容部材ＩＮＢの水平方向側面の上端部から壁が延設されることにより、上方に開口した容器上（例えば、カップ形状）に被収容部材ＩＮＢの上面側が形成されても良い。この場合、正面枠６０１４を開放した状態（図４１（ｂ）参照）において（本実施形態では、この状態において、被収容部材ＩＮＢの背面側先端部が収容凹部ＩＮＣの内部に配置される。即ち、被収容部材ＩＮＢにより、正面枠６０１４と、外枠１１とが上面視で連結される。そのような状態において）、被収容部材ＩＮＢの上面に球が落下した場合であっても、その球を被収容部材ＩＮＢの上面に留めることができるので、開閉軸付近においてこぼれた球がパチンコ機６０１０の下方に落ちることを防止することができる。これにより、球こぼれにより作業者の作業が長期化することを防止することができる。
【０５００】
また、被収容部材ＩＮＢの上面は、柔軟な部材から形成されても良い。この場合、被収容部材ＩＮＢの上面に落下した球の跳ね返り高さを低くすることができるので、球を被収容部材ＩＮＢの上面に留め易くすることができる。
【０５０１】
なお、本実施形態では、被収容部材ＩＮＢが開閉軸付近、即ち、球発射ユニット１１２ａよりも開閉軸側に配置されることから、球発射ユニット１１２ａから発射された球の内、発射強度が不十分で遊技領域に入らなかった球（所謂、「ファール球」）を被収容部材ＩＮＢで受けとめることができる。
【０５０２】
一方で、被収容部材ＩＮＢが球発射ユニット１１２ａを基準として開閉軸から離れた側（右側）に配置されても良い。この場合、「ファール球」が被収容部材ＩＮＢと衝突することを防止することができる。
【０５０３】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０５０４】
上記各実施形態において、一の実施形態における構成の一部または全部を、他の実施形態における構成の一部または全部の構成と組み合わせて或いは置き換えて、別の実施形態としても良い。
【０５０５】
上記各実施形態では、球被覆面１７ａ２が上皿１７の内面の外方に配設される場合について説明したが、必ずしもこれに限られるものではない。例えば、球被覆面１７ａ２が上皿１７の内面の内方へ張り出し可能な可動板から形成され、その張り出した部分の上面が正面視で右側へ向かうにつれて下降傾斜する形状から形成されても良い。この場合、上皿１７の上方から供給された球の内、張り出した球被覆面１７ａ２に着地した球は、球被覆面１７ａ２の上面の傾斜に沿って正面視右方へ流される。これにより、球被覆面１７ａ２の上方から落下した球が解除部材３４０の背面側に着地することを抑制することができ、その球の上皿１７の底面への着地位置を、解除部材３４０の配置位置よりも下流側にすることができる。従って、例えば、遊技者が手づかみで上皿１７に球を供給した場合、その供給された球が解除部材３４０の背面側に着地し、解除部材に負荷を与える可能性を低減することができる。なお、可動板で形成する場合に限られるものでは無く、球被覆面１７ａ２が上皿１７の内面の内方へ張り出した固定板により形成されても良い。
【０５０６】
この場合において、例えば、内方へ張り出される球被覆面１７ａ２の下面と、上皿１７の上面との間隔が、球の直径よりも若干長い寸法で設定されても良い。この場合、球被覆面１７ａ２の下側に球が侵入する際に、球の積層を解除することができる。そのため、球被覆面１７ａ２の下側に球が縦に積まれた（積層された）状態で侵入することを防止することができる。これにより、解除部材３４０に向かう球が縦に積層していることにより解除部材３４０に到達できないという不具合を防止することができる。
【０５０７】
上記各実施形態では、下皿１５に球を供給する供給開口１５ｂが配設され、その供給開口１５ｂを通って分岐流路から球が下皿１５に供給される場合について説明したが、必ずしもこれに限られるものではない。例えば、下皿１５への球の供給を流下装置３００からの供給で行い、供給開口１５ｂ、分岐流路の形成を省略しても良い。この場合、分岐流路および供給開口１５ｂが配設されていたスペースを他の用途に利用することができる。例えば、大型のスピーカーボックス等を配設するスペースとして利用することができる。
【０５０８】
上記各実施形態では、解除部材３４０の状態変化が、球からの負荷により自動で生じる場合を説明したが、必ずしもこれに限られるものではない。例えば、遊技者が操作部を操作することに伴い、解除部材３４０の状態が変化するようにしても良い。
【０５０９】
例えば、手動操作部がバネ弾性力により初期位置へ向けて付勢され遊技者の操作がその付勢の方向と逆方向に行われる場合において、手動操作部を操作していない時には球が解除部材３４０に到達することが規制される一方で、手動操作部を操作した時には、手動操作部の上流側に球が配置されていれば、その球が解除部材３４０に到達（流入）するようにしても良い。この場合、手動操作部を遊技者が操作したとしても、手動操作部の上流側に球が配置されていなければ、球は解除部材３４０に到達（流入）しないので、操作解除により元の状態に戻すことができる。
【０５１０】
加えて、手動操作部の操作を解除することにより、初期位置に復帰した手動操作部が球を押し出し、その押し出し負荷が解除部材３４０に与えられ、解除部材３４０が変位する位置関係で、手動操作部が配設されても良い。この場合、上皿１７に貯留される球の状態（個数）によって、手動操作部の操作により上皿１７から球が排出される場合と、排出が規制される場合とを形成することができる。
【０５１１】
上記各実施形態では、供給開口１７ｇは、前後方向に開口され、上面視において解除部材３４０よりも左方（上流側の一部）に配設されると共に、供給開口１７ｇが排出方向Ｎ１に沿って排出される場合を説明したが、必ずしもこれに限られるものでは無い。例えば、供給開口１７ｇが上面視において解除部材３４０の右方（下流側）に配設されても良いし、供給開口１７ｇが正面視で解除部材３４０と左右方向で一致する位置に配設され、供給開口１７ｇから排出される球が上皿１７の下流側（球発射ユニット１１２ａ側）に斜めに排出されても良い。この場合、供給開口１７ｇから排出された球は解除部材３４０に近接することなく上皿１７を流下するので、供給開口１７ｇから排出された球が勢い良く解除部材３４０に衝突することを防止することができる。なお、供給開口１７ｇの位置と、球の排出方向の向きとは、このほかにも様々な組み合わせが許容される。
【０５１２】
上記各実施形態では、傾倒部材３３０の本体枠３３１ａの下端部と第１板部材３１０の天板部３１２ａの抵抗凹設部３１２ａ１との当接による摩擦抵抗が、傾倒部材３３０の動作方向に因らず生じる場合を説明したが、必ずしもこれに限られるものでは無い。例えば、天板部３１２ａの上面から一部が張り出す態様で動作方向により動作抵抗が変化する装置（例えば、ラチェットやワンウェイギアを利用した装置）を配設しても良い。その装置を、傾倒部材３３０の傾倒時には傾倒部材３３０に与える抵抗が小さく、傾倒部材３３０の復帰動作時には傾倒部材３３０に与える抵抗が大きくなる態様（向き）で、傾倒部材３３０と当接可能に配設することで、傾倒時は傾倒部材３３０の動作をスムーズにしながら、復帰動作時には傾倒部材３３０の動作を緩慢にすることができる。
【０５１３】
また、傾倒部材３３０を付勢するダンパを配設しても良い。このとき、傾倒時（高速動作時）に生じる抵抗は小さく、復帰動作時（低速動作時）に生じる抵抗は大きくなる構造のダンパを傾倒部材３３０及び第１板部材３１０と連結し、ダンパから生じる抵抗を傾倒部材３３０の動作抵抗としてかけることにより、傾倒時は傾倒部材３３０の動作をスムーズにしながら、復帰動作時には傾倒部材３３０の動作を緩慢にすることができる。
【０５１４】
また、抵抗凹設部３１２ａ１に当接する傾倒部材３３０の本体枠３３１ａの下端部分が、出没動作可能な可動部として傾倒部材３３０に配設されても良い。即ち、突出状態では、抵抗凹設部３１２ａ１と当接する一方、没入状態では、抵抗凹設部３１２ａ１から間隔を空ける可動部として傾倒部材３３０に配設されても良い。この場合、その可動部が、規定個数以上の球が傾倒部材３３０に乗っている時に突出し、それ以外の場合に没入する構成とすることで、傾倒部材３３０の傾倒時には抵抗凹設部３１２ａ１との間で摩擦を生じさせ、復帰時（傾倒部材３３０の上面から球が流下した後）には、抵抗凹設部３１２ａ１との間で摩擦を生じないものとすることができる。
【０５１５】
この場合において、球が軸棒部３３２の軸方向のどの位置に配置されるかにより、可動部の出没の態様が変化するように構成しても良い。これにより、例えば、傾倒部材３３０の傾倒開始時に傾倒部材３３０の上面に乗っている球の配置により、抵抗凹設部３１２ａ１と傾倒部材３３０との間で生じる摩擦力の大きさを変化させることができる。
【０５１６】
また、抵抗凹設部３１２ａ１と当接可能とされる可動部の出没は、傾倒部材３３０に乗る球により行われる場合に限られない。例えば、傾倒部材３３０の周囲で可動とされる可動部（例えば、第２実施形態における移動部材２３５０）の状態の違いにより、抵抗凹設部３１２ａ１と当接可能とされる可動部の出没動作がおこなわれるものとしても良い。
【０５１７】
上記各実施形態では、上皿１７の底板の上端位置付近（左端付近）に配置された球が開口部１７ａを通して上皿１７の外部に排出される場合について説明したが、必ずしもこれに限られるものでは無い。例えば、上皿１７の左端付近（供給開口１７ｇよりも左方）に縦長の凹み（中皿）を設けて、その凹みの下端に傾倒部材３３０と同様の機構が配設されることで、凹みに所定個数以上の球が貯留される度に球が排出される構造としても良い。この場合、凹みに、上皿１７の上面視の広さに限定されることなく球を貯留させることができ（球を縦に積むことができ）、傾倒部材３３０の動作により多くの球を排出することができる。
【０５１８】
上記各実施形態では、傾倒部材３３０の背面側端部において湾曲部３３１ｄが傾倒部材３３０の軸方向に亘って形成され、傾倒部材３３０が回転することにより上端位置が上昇する場合について説明したが、必ずしもこれに限られるものでは無い。例えば、湾曲部３３１ｄが傾倒部材３３０の軸方向に沿った一部の領域（例えば、一方の軸側の領域）にのみ配置され、その他の領域は軸側に若干窪む構成とされ、傾倒部材３３０の傾倒により、一部の領域は上昇する一方で、その他の領域の上端位置は維持される（上昇しない）ようにしても良い。この場合、傾倒部材３３０の傾倒時に、一部の領域から傾倒部材３３０の上面に球が流入することを防止できると共に、その他の領域からは傾倒部材３３０の上面に球が流入することを許容することができる。
【０５１９】
これにより、傾倒部材３３０の背面側からの球の流入の度合い（傾倒部材３３０の傾倒時に球を流入させるか否か）を設定することができる。例えば、一部の領域を極めて狭くし、傾倒部材３３０の背面側の部分のほとんどを、その他の領域（上端位置が上昇しない領域）として形成する場合、傾倒部材３３０の傾倒時において橋渡し球貯留領域１７ｅに貯留されていた球もまとめて傾倒部材３３０の上面に流入させることができる。従って、傾倒部材３３０が一回傾倒する際に流下させる球の個数を、橋渡し球貯留領域１７ｅに貯留される球の個数分増加させることができる。
【０５２０】
上記各実施形態では、傾倒部材３３０の傾倒前の状態において、傾倒部材３３０の上面に乗った球の一部が解除部材３４０と当接可能な場合について説明したが、必ずしもこれに限られるものでは無い。例えば、球被覆面１７ａ２の下方かつ傾倒前の傾倒部材３３０の上方の位置に配設される仕切板により、隙間が球の直径未満とされても良い。この場合、傾倒部材３３０の傾倒前の状態において球被覆面１７ａ２の下方を球が通過することを仕切板により防止することができるので、傾倒部材３３０の傾倒前の状態において球が解除部材３４０と当接することを防止することができる。従って、解除部材３４０が球の衝突で回転することを防止できるので、純粋に、傾倒部材３３０に乗る球の重さにより傾倒部材３３０が傾倒するか、否かを規定することができる。
【０５２１】
上記各実施形態では、傾倒部材３３０が傾倒する前の状態において、解除部材３４０に負荷を与える球が７５個貯留されていないと、解除部材３４０が回転開始しない角度（水平面に対して１度程度）で傾倒部材３３０の上面が形成される場合について説明したが、必ずしもこれに限られるものではない。例えば、水平面に対する、傾倒部材３３０の上面の傾倒前の前後方向に向いた角度が１５度程度に設定されても良い。この場合、解除部材３４０に負荷を与える球を６個程度貯留させることにより、解除部材３４０を回転開始させることができる。
【０５２２】
上記各実施形態では、傾倒部材３３０が許容状態と規制状態とで状態が変化する際に、傾倒部材３３０の上面の傾斜角度が変化する場合（規制状態では１°で、許容状態では１５°である場合）について説明したが、必ずしもこれに限られるものでは無い。例えば、傾倒部材３３０の状態変化時に、傾倒部材３３０が、傾倒動作と共に、上下方向にスライド動作を行う態様とされ（例えば、軸棒部３３２を上下に移動可能な態様で支持するように、第２支持凹部１７ｃが変位可能な部分として構成され）、そのスライド方向の移動量により、傾倒部材３３０と解除部材３４０との間に球の直径より大きな間隔を形成するものとしても良い。この場合、規制状態において、許容状態よりも、水平面に対する傾斜角度が小さくされても良いし、規制状態と許容状態とで水平面に対する傾斜角度が同じとされても良い。
【０５２３】
上記各実施形態では、球の払い出しが行われる際に、払出モータ２１６が一定速度で動作する場合について説明したが、必ずしもこれに限られるものでは無い。例えば、払い出しの速度を、現状のラウンド数（第１特定入賞口６５ａの開閉動作が何回行われたか）に因り変化させても良い。
【０５２４】
例えば、奇数ラウンドでは、払出モータ２１６が毎秒１個の払出速度で動作し、偶数ラウンドでは、払出モータ２１６が毎秒１０個の払出速度で動作する態様としても良い。この場合、奇数ラウンドの払い出し時に比較して、偶数ラウンドの払い出し時の方が、傾倒部材３３０に球が貯まる速度が速くされると共に、傾倒部材３３０の傾倒動作の頻度が高くなる。即ち、どのラウンドの払い出しなのかによって、傾倒部材３３０が傾倒動作する頻度を変化させることができ、流下装置３００の内部流路を球が流下する頻度を変化させることができる。
【０５２５】
上記第２実施形態では、解除部材３４０の回転を規制板２３５３で規制することにより球の排出を防止可能な場合について説明したが、必ずしもこれに限られるものではない。例えば、解除部材３４０の回転は許容しながら、規制板が傾倒部材３３０を下支えする態様で挿入されることで傾倒部材３３０の回転を規制するようにしても良い。
【０５２６】
また、上皿２０１７の正面側内面に沿ってスライド可能な仕切板が配設され、その仕切板を球案内天面１７ａ１の背面側から球被覆面１７ａ２の背面側へスライド移動させることにより、球と解除部材３４０との間を仕切板で遮蔽するようにしても良い。この場合、球が解除部材３４０に当接することを防止できるので、解除部材３４０に負荷がかけられることを回避することができる。
【０５２７】
上記第２実施形態では、開口部１７ａの球が通過可能な領域の大きさを変化させることで、開口部１７ａから排出される球の個数を変化させる場合について説明したが、必ずしもこれに限られるものではない。例えば、解除部材３４０に負荷を与える球の位置を、傾倒部材３３０の幅方向で変化可能としても良い。即ち、解除部材３４０の当接板部３４２が傾倒部材３３０の幅方向全領域に配置され、解除部材３４０に球を案内可能な球被覆面１７ａ２に対応する部分（球案内開口）が傾倒部材３３０の幅方向に移動可能に構成しても良い。この場合、第２実施形態のように傾倒部材３３０の上流側端部に配置される球が解除部材３４０に当接する場合に比較して、傾倒部材３３０の下流側端部に配置される球が解除部材３４０に当接して解除部材を回転させる場合（このとき、後追い球貯留領域１７ｆに球が満たされる前に解除部材３４０を回転させるのに十分な負荷が解除部材３４０に生じる）の方が、傾倒部材３３０が回転することに伴いまとまって排出される球の個数を少なくすることができる。これにより、遊技者は、遊技状態に応じて球の排出個数を調整することができる。
【０５２８】
一方で、傾倒部材３３０が回転し球が排出された時、上皿２０１７に残留される球は、発射球貯留領域１７ｄ及び橋渡し球貯留領域１７ｅに配置される球であり、解除部材３４０に当接する球の位置によらず同じとされる。従って、傾倒部材３３０の回転によりまとまって排出される球の個数を変化させながら、排出後に上皿２０１７に残留する球の個数が変化することを防止することができる。これにより、流下装置３００を利用した球の排出演出の演出効果を遊技者に選択させながら、その選択によらず、上皿２０１７に残る球が過度に減少することを防止することができる。
【０５２９】
上記第２実施形態では、第１遮蔽板２３５１及び第２遮蔽板２３５２を背面側位置に配置することにより、第１遮蔽板２３５１及び第２遮蔽板２３５２で傾倒部材３３０の上面を部分的に覆う場合について説明したが、必ずしもこれに限られるものではない。例えば、傾倒部材３３０の全範囲を遮蔽板２３５１，２３５２で覆うように構成しても良い。この場合、傾倒部材３３０及び解除部材３４０が許容状態となっても遮蔽板２３５１，２３５２の上に球を留めておくことができるので、開口部１７ａからの球の排出を防止することができる。
【０５３０】
上記第２実施形態では、傾倒部材３３０の上方に貯留される球を排出する際、開口部１７ａの一部の範囲から球が排出されることを防止することにより球の排出態様を変化させる場合について説明したが、必ずしもこれに限られるものではない。例えば、発射球貯留領域１７ｄの上面の内、開口部１７ａの下流側（正面視右側）に隣り合う部分に、前後方向に延びる軸を中心として開口部１７ａ側に傾倒する態様で状態変化可能な可動床を配設しても良い。この場合、可動床の傾倒角度により、可動床に乗る球が開口部１７ａを通して排出されるか否かを切り替えることができる。即ち、第２実施形態と同様に可動床が開口部１７ａから遠ざかるほど下降傾斜する状態では、傾倒部材３３０が回転し球が排出され始めたとしても可動床の上面に配置される球が開口部１７ａに流入することは無いが、一方で、可動床が開口部１７ａへ向けて下降傾斜する状態では、傾倒部材３３０が回転し球が排出され始めることに伴い可動床の上面に配置される球が開口部１７ａに流入するので、可動床付近において開口部１７ａを通過する球の個数（密度）が増加する。従って、傾倒部材３３０の下流側（正面視右側）に配置される可動床の状態により、傾倒部材３３０が回転することに伴い排出される球の流下態様を変化させることができる。
【０５３１】
なお、可動床は、傾倒部材３３０の下流側に配設するものに限られない。例えば、傾倒部材３３０の上流側である後追い球貯留領域１７ｆに可動床が配設されても良い。この場合、可動床の傾斜角度により、後追い球貯留領域１７ｆに貯留された球から傾倒部材３３０の上面に配置された球へ与える負荷の大きさを変化させることができるので、傾倒部材３３０及び解除部材３４０が許容状態となる時に後追い球貯留領域１７ｆに貯留される球の個数を変化させることができる。
【０５３２】
上記第２実施形態では、上皿２０１７に貯留される球の個数が所定個数（例えば、ＭＡＸ個）となることにより、傾倒部材３３０及び解除部材３４０が許容状態に状態変化し上皿２０１７から球が排出される場合について説明したが、必ずしもこれに限られるものではない。例えば、球の排出の開始は、球抜きレバー５２を操作して下皿１５から球を排出するのと同じように、上皿２０１７に配設される球抜きレバーを遊技者が操作することにより開口部１７ａを通して球が上皿２０１７から排出されるようにしても良い。この場合、遮蔽板２３５１，２３５２の配置により開口部１７ａの開口広さを変化させることができるので、球抜きレバーの動作量を調整しなくとも（二値的な開閉動作をするだけで）、球の排出流量を変化させることができる。
【０５３３】
上記第２実施形態では、順序規定装置４００を配設し、傾倒部材３００と解除部材３４０との動作順序を規定することで、傾倒部材３３０の復帰動作時に解除部材３４０との間で生じる摩擦が解消される場合について説明したが、必ずしもこれに限られるものではない。例えば、傾倒部材３３０又は解除部材３４０の少なくとも一方の形状を変化させることにより、当接時の摩擦を低減するようにしても良い。
【０５３４】
この場合において、例えば、解除部材３４０の係合凸部３４５と同じ役割の部材であって、前後および上下方向に沿った方向にスライド移動可能な態様で段違い板部３４４に支持されるスライド係合部材を備え、そのスライド係合部材は、傾倒部材３３０が上から当たる（スライド係合部材にのしかかる態様で当接する）場合には段違い板部３４４に対して固定される一方、傾倒部材３３０が下から当たる（スライド係合部材を押し上げる態様で当接する）場合には段違い板部３４４に対して滑らかに移動可能な態様で、案内支持されても良い（例えば、軸棒部３４１の軸方向視で軸棒部３４１に近づくほど当接板部３４２から離間する方向に傾斜する案内溝にスライド係合部材が支持され、軸棒部３４１から径方向に最も離れた位置にスライド係合部材が配置された状態で規制状態を形成する（解除部材３４０に固定される）態様）。これによれば、傾倒部材３３０がスライド係合部材に当接する方向が下向きである場合に比較して、上向きである場合の方が、スライド係合部材の段違い板部３４４に対する動作抵抗（摩擦抵抗）を小さくすることができるので、解除部材３４０から傾倒部材３３０に与えられる負荷により生じる摩擦抵抗により傾倒部材３３０が復帰途中で止まるという不具合を解消することができる。
【０５３５】
また、例えば、解除部材３４０が軸棒部３４１の軸方向に若干移動可能とされ、バネで軸方向の一端側に支持される場合において、解除部材３４０の傾倒部材３３０と当接する解除部材側当接部の一個あたりが軸方向の移動距離よりも短い幅で形成され、解除部材側当接部の下端面は軸方向に沿って一端側から他端側へ向かうにつれて下降傾斜する一方で、上端面は軸径方向に凹設される形状とされ、傾倒部材３３０の一部であって解除部材３４０と当接する傾倒部材側当接部は、軸方向で解除部材側当接部と対応する位置に配設されると共に、解除部材側当接部と同程度の幅で形成されるようにしても良い。この場合、傾倒部材３３０が解除部材３４０に下側から当接する場合（傾倒部材３３０の復帰時）には、解除部材側当接部の下端面の傾斜により解除部材３４０が軸方向他端側に移動し押しのけられることで、解除部材３４０を回転させることなく傾倒部材３３０を復帰させることができ、傾倒部材３３０の復帰後は、バネにより解除部材３４０を軸方向一端側へ戻すことで傾倒部材３３０及び解除部材３４０の当接部同士の軸方向位置を戻すことができる。一方で、傾倒部材３３０が解除部材３４０に上側から当接する場合（傾倒部材３３０の傾倒時）には、解除部材側当接部の上端面の凹設部分に傾倒部材側当接部が入ることにより解除部材３４０を回転させながら（解除部材３４０から回転方向の負荷を受けながら）傾倒部材３３０を回転させる態様とすることができる。従って、解除部材３４０の回転方向の負荷により傾倒部材３３０の傾倒開始に必要な球の個数を多くしながら、傾倒部材３３０の復帰時に解除部材３４０から傾倒部材３３０に与えられる負荷により生じる摩擦抵抗により傾倒部材３３０が復帰途中で止まるという不具合を解消することができる。
【０５３６】
また、例えば、傾倒部材３３０の係合部３３３ｂと同様の角度で傾倒部材３３０の先端部から出没する出没板が傾倒部材に配設され、その出没板は、傾倒部材３３０の下流側（１列目）に球が配置されることで突出状態（解除部材３４０の係合凸部３４５と当接する状態）とされ、傾倒部材３３０の傾倒時に１列目の球が無くなることにより没入状態（解除部材３４０の係合凸部３４５と当接しない状態）とされるように構成しても良い（例えば、傾倒部材３３０の復帰前の状態において鉛直方向を向く軸棒で軸支される板部材が傾倒部材３３０に軸支され、傾倒部材３３０の傾倒時には軸方向が水平方向成分を含むことから、重心の位置が軸に対して出没板を没入させる位置に配置される構成としても良い）。この場合、傾倒部材３３０が傾倒した後で球が流れ落ちることに伴い、傾倒部材３３０が復帰する前に出没板が没入状態となるので、解除部材３４０から傾倒部材３３０が負荷を受ける事態を回避することができる。一方で、傾倒部材３３０が起き上がり球が貯まっていくと（下流側一列目に球が貯まると）出没板は解除部材３４０と当接する位置まで張り出すので、傾倒部材３３０を傾倒開始させるために必要な球の個数を解除部材３４０の負荷により増大させることができる。従って、解除部材３４０の回転方向の負荷により傾倒部材３３０の傾倒開始に必要な球の個数を多くしながら、傾倒部材３３０の復帰時に解除部材３４０から傾倒部材３３０に与えられる負荷により生じる摩擦抵抗により傾倒部材３３０が復帰途中で止まるという不具合を解消することができる。
【０５３７】
上記第２実施形態では、順序規定装置４００により、傾倒部材３３０の復帰が完了してから解除部材３４０が傾倒部材３３０に近接する側に回転を開始するように動作順序が規定される場合について説明したが、必ずしもこれに限られるものではない。例えば、解除部材３４０の復帰が完了してから傾倒部材３３０の復帰が開始するように、順序規定装置４００が構成されても良い（各固着部材４１０，４２０の配設角度の変更により構成することができる）。この場合、解除部材３４０が復帰を完了する前（例えば、流下する球に衝突し、復帰しきらない状態）では、傾倒部材３３０が傾倒した姿勢を維持するので、開口部１７ａからの球の排出期間を確保することができる。
【０５３８】
上記第２実施形態では、移動部材２３５０の規制板２３５３により解除部材３４０の回転を規制し、球の排出を規制する場合について説明したが、必ずしもこれに限られるものではない。例えば、移動部材２３５０の配置を背面側寄りに変えることにより、傾倒部材３３０の傾倒時の傾斜角度を変更可能に構成しても良い。この場合、移動部材２３５０の配置を変えることにより、傾倒部材３３０の上面を流下する球の流下速度を変化させることができ、それに伴い、開口部１７ａを通過する球の流量を変化させることができる。
【０５３９】
例えば、各遮蔽板２３５１，２３５２が正面側位置に配置された場合よりも、背面側位置に配置された場合に、規制板２３５３を適した配置にすることで、傾倒部材３３０の傾倒時の傾斜角度を大きくする態様で構成することにより、各遮蔽板２３５１，２３５２が背面側に配置された状態における傾倒部材３３０の上面を流下して開口部１７ａから排出される球の排出流量が過度に小さくなることを防止することができる。
【０５４０】
上記第２実施形態では、各遮蔽板２３５１，２３５２が正面側から背面側へ向けてスライド動作する場合を説明したが、必ずしもこれに限られるものではない。例えば、部材のスライドする方向は、自由に設定することが可能であって、その移動態様も自由に設定することが可能である。例えば、直線的にスライド移動するものでも良いし、鉛直方向を向く回転軸を中心に回転動作するものでも良い。
【０５４１】
上記第２実施形態では、各遮蔽板２３５１，２３５２が正面側に配置される場合に比較して、各遮蔽板２３５１，２３５２が背面側に配置される場合の方が、開口部１７ａを通して排出される球の配置が上皿２０１７の上流側（左側）に寄る場合について説明したが、必ずしもこれに限られるものではない。例えば、開口部１７ａの下流側に外れた位置（右側、発射球貯留領域１７ｄの左端付近）に、各遮蔽板２３５１，２３５２が配設され、その上面が左方へ向けて下降傾斜する態様とされても良い。この場合、各遮蔽板２３５１，２３５２が正面側に配置される場合に開口部１７ａの下流側に外れた位置に貯留された球は、傾倒部材３３０の状態によらず発射球貯留領域１７ｄの上面の傾斜に沿って発射供給口１７ｋへ向けて流下する一方で、各遮蔽板２３５１，２３５２が背面側に配置される場合に開口部１７ａの下流側に外れた位置に貯留された球は、傾倒部材３３０が傾倒することに伴い、各遮蔽板２３５１，２３５２の上面の傾斜に沿って開口部１７ａへ向けて流下する。即ち、各遮蔽板２３５１，２３５２が正面側に配置される場合に比較して、各遮蔽板２３５１，２３５２が背面側に配置される場合の方が、開口部１７ａを通して排出される球の配置を上皿２０１７の下流側（右側）に寄せることができる。これにより、開口部１７ａの下流側に外れた位置からも開口部１７ａを通る球を開口部１７ａに案内できるので、傾倒部材３３０が傾倒することに伴い、開口部１７ａを通して流下する球の個数を増加させることができる（傾倒部材３３０の上面と、開口部１７ａの上流側に配置される後追い球貯留領域１７ｆと、に貯留される球の上限個数以上の球を流下させることができる）。
【０５４２】
上記第２実施形態では、球の直径（２×ｒａ）よりも若干長い幅で延設される延設溝２０１７ｈが傾倒部材３３０の下流側に配設される場合について説明したが、必ずしもこれに限られるものではない。例えば、傾倒部材３３０の背面側（橋渡し球貯留領域１７ｅの一部）に配設されても良い。この場合、傾倒部材３３０の上面で球の正面側への流下を規制せずとも、延設溝２０１７ｈにより、橋渡し球貯留領域１７ｅに貯留された球が正面側へ流下することを規制することができる。また、延設溝２０１７ｈに貯留される球の個数が一定個数を越えた後で延設溝２０１７ｈに球が到達した場合は、既に延設溝２０１７ｈに貯留されている球の上伝いに球を正面側へ流すことができる。
【０５４３】
上記第３実施形態では、傾倒部材３３０が傾倒することにより棒状の昇降部材５１０が上昇することにより、球の流下経路を規定する場合を説明したが、必ずしもこれに限られるものではない。例えば、傾倒部材３３０又は解除部材３４０の動作に伴い、リンクなどの伝達機構で連動して上皿１７の内部に出没する出没部材により球の流下経路を規定しても良い。
【０５４４】
例えば、傾倒部材３３０が傾倒することに伴い後追い球貯留領域１７ｆと傾倒部材３３０との境界面に沿って板状の出没部材が突出する態様とすると、傾倒部材３３０上に配置されていた球が排出される時には後追い球貯留領域１７ｆに配置された球が傾倒部材３３０に流入することが出没部材により規制され、傾倒部材３３０が再度起き上がり出没部材が没入した後で、後追い球貯留領域１７ｆに配置されていた球が傾倒部材３３０上に流入するようにすることができる。従って、傾倒部材３３０上に配置される球の排出タイミングと、後追い球貯留領域１７ｆに配置される球の排出タイミングとを分けることができるので、上皿１７の形状を変えることなく、一度の傾倒部材３３０の傾倒で排出される球の個数を少なくすることができる。
【０５４５】
また、出没部材は、橋渡し球貯留領域１７ｅと傾倒部材３３０との境界面に沿って突出する態様で配置されても良い。この場合、傾倒部材３３０の傾倒時に橋渡し球貯留領域１７ｅから傾倒部材３３０の上面へ球が流入することを防止することができる。
【０５４６】
例えば、橋渡し球貯留領域１７ｅを構成する床部分であって、傾倒部材３３０に近接する部分である近接床部分が、上下に昇降可能な構成とされ、近接床部分は傾倒部材３３０とリンクなどの伝達装置で連結され、傾倒部材３３０の傾倒動作に伴って近接床部分が昇降動作する態様としても良い。このとき、傾倒部材３３０が傾倒動作することにより近接床部分が傾倒部材３３０の上面から球の半径ｒａ以上の長さ下降する態様とすることで、傾倒部材３３０の傾倒前においては、近接床部分と傾倒部材３３０の上面との高低差を抑え、ある程度のバウンドや、貯留球同士の押し合いによる、橋渡し球貯留領域１７ｅから傾倒部材３３０の上面への球の流入を可能としながら、傾倒部材３３０の傾倒後においては、橋渡し球貯留領域１７ｅから傾倒部材３３０への球の流入を防止し易くすることができる。なお、近接床部分の動作方向は、昇降動作に限るものでは無い。例えば、水平方向にスライド移動する態様でも良い。
【０５４７】
例えば、傾倒部材３３０が傾倒する前は傾倒部材３３０の上面を延設方向で半分に区切る態様で傾倒部材３３０の上面から上方へ板状の出没部材が張り出され、その出没部材は傾倒部材３３０が傾倒することに伴い傾倒部材３３０の上面から下方へ退避する態様とすると、傾倒部材３３０に球が貯留されていく途中は出没部材により球の流下経路を規定できる一方、傾倒部材３３０が傾倒され球が排出される時には、出没部材は退避し、球と当たらないので、出没部材により球の流下抵抗が増加することを防止できる。
【０５４８】
上記第４実施形態では、枠外延設部４３３７が湾曲部３３１ｄに沿って延設される場合を説明したが、必ずしもこれに限られるものではない。例えば、枠外延設部４３３７が軸棒部３３２の軸方向に沿って延設される態様でも良い。この場合、橋渡し球貯留領域１７ｅの左右方向に対する傾斜との関係により、湾曲部３３１ｄの最上端部と橋渡し球貯留領域１７ｅの上面との間の高さ方向距離の方が、枠外延設部４３３７の最上端部と橋渡し球貯留領域１７ｅの上面との間の高さ方向距離よりも長くなる。これにより、傾倒部材４３３０の傾倒時において、湾曲部３３１ｄを越えて正面側に球が流入する場合に比較して、枠外延設部４３３７を越えて正面側に球が流入する場合の方が、小さな負荷で球が流入する態様とすることができる。
【０５４９】
上記第６実施形態では、正面枠６０１４を閉鎖した状態から、正面枠６０１４を開放するにつれて、開閉軸に近接する側において回転方向で互いに対向配置される被収容部材ＩＮＢ及び収容凹部ＩＮＣの側面の離間幅が大きくなる場合を説明したが、必ずしもこれに限られるものではない。例えば、被収容部材ＩＮＢ及び収容凹部ＩＮＣの側面に両端が貼り付けられ、両部材の間に形成される隙間を埋める態様で回転方向に変形自在に配設される被覆部材を備えても良い。この場合、正面枠６０１４を開放した状態においても、被覆部材により被収容部材ＩＮＢ及び収容凹部ＩＮＣの間の隙間を埋めることができるので、被覆部材によりピアノ線などの進入を防止することができる。なお、被覆部材の材料は、何ら限定されるものでは無い。例えば、布などの繊維部材でも良いし、低弾性の樹脂部材でも良い。
【０５５０】
上記第６実施形態では、正面枠に被収容部材ＩＮＢが固定される場合を説明したが、必ずしもこれに限られるものではない。例えば、内枠１２に被収容部材ＩＮＢが固定され、正面枠６０１４側に突出し、正面枠６０１４に被収容部材ＩＮＢを受け入れる開口部が配置されても良い。この場合、正面枠６０１４の開閉時に、被収容部材ＩＮＢが変位することを防止することができる。
【０５５１】
上記第６実施形態では、第１板部材３１０の案内板部３１２が孔の無い板形状で構成される場合を説明したが、必ずしもこれに限られるものではない。例えば、案内板部３１２がパンチングメタルのように複数の貫通孔を有する態様で構成されても良い。ここで、被収容部材ＩＮＢがスピーカー等の音響装置から構成される場合に、音響装置から発生する振動波を貫通孔伝いに第１板部材３１０及び第２板部材３２０の内部流路へ入れることができる。これにより、内部流路を流下する球の流下態様を、音響装置から発生する振動波の態様により変化させることができる。例えば、スピーカーの右半分（例えば、右半分のスピーカーユニット）から音を出す場合と、左半分から音を出す場合とで、遊技者が聞き取れる音の違いを抑制しながら、内部流路を流下する球への影響は左右で明確に変えることができる。従って、例えば、大当たり期待度が小さな演出（例えば、大当たりになる確率が１０％以下の演出）の際には、スピーカーの右半分から音を出し、大当たり期待度が大きな演出（例えば、大当たりになる確率が６０％以上の演出）の際には、スピーカーの左半分から音を出し、それ以外の演出では、スピーカーの左右両方から音を出すようにすることで、遊技者が聞き取れる音の違いを抑制しながら、大当たり期待度の違いと、第１板部材３１０及び第２板部材３２０の内部流路を流下する球の流下態様とを対応付けることができる。これにより、第１板部材３１０及び第２板部材３２０の内部流路を流下する球の流下態様に注目させることができる。
【０５５２】
上記第６実施形態では、流下装置６３００の内部流路が上下方向に延設され、その背面側に被収容部材ＩＮＢが配置される場合について説明したが、必ずしもこれに限られるものではない。例えば、流下装置６３００の内部流路がパチンコ機１０の左右方向中心位置へ向けて水平方向に沿って延設され、その延設端においてパチンコ機１０の左右方向中心位置付近で上下方向に延設される一方で、被収容部材ＩＮＢは、正面枠６０１４の開閉軸付近に配設されるものとしても良い。この場合、被収容部材ＩＮＢの正面側端部の配置が流下装置６３００に規制されることなく、内部流路の左側を越えて正面側へ張り出して配置することができる。従って、被収容部材ＩＮＢの背面側部分は収容凹部ＩＮＣに収容させながら、被収容部材ＩＮＢの正面側部分を遊技者に近い位置に配置することができる。これにより、被収容部材ＩＮＢの前後長さが長くても、最大限対応することができると共に、内部流路を流下する球を目出たせることができる。
【０５５３】
上記第６実施形態では、被収容部材ＩＮＢが一箇所に配置される場合を説明したが、必ずしもこれに限られるものではない。例えば、被収容部材ＩＮＢが正面枠６０１４の複数箇所から内枠１２側へ突出する態様で構成されても良い。この場合、被収容部材ＩＮＢと収容凹部ＩＮＣとによる位置決めを複数箇所で行うことができるので、正面枠６０１４と内枠１２との位置決め精度を高めることができると共に、位置決めのみを目的として正面枠６０１４から内枠１２側へ突出する嵌合突起の形成を省略することができる。
【０５５４】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５５５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５５６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５５７】
以下に、本発明の遊技機に加えて上述した実施形態に含まれる各種発明の概念を示す。
【０５５８】
＜所定個数の球の負荷で傾倒部材３３０を開放可能とするポイント。＞
球を貯留可能な貯留部と、その貯留部に球を供給する供給手段と、球が通過可能な開口として前記貯留部に形成される球排出開口と、を備える遊技機において、前記球排出開口を球が通過することを規制する規制状態と、前記球排出開口を球が通過することを許容する許容状態とで状態変化可能に構成されると共に、前記規制状態から前記許容状態に状態変化した後、所定期間内に前記球排出開口から排出される球の個数を規定範囲個数ずつに制限する規定球抜き手段、を備えることを特徴とする遊技機Ａ１。
【０５５９】
パチンコ機等の遊技機において、払い出し装置から払い出された球であって、発射前の球を上皿に貯留し、その貯留した球を球排出開口から下方へ流下可能な遊技機がある（例えば特開２００９−０００３０９号公報を参照）。しかし、上述した従来の遊技機では、上皿からの球の排出タイミング（球の貯まり具合）により、排出される球の個数が一定では無いため、球抜きのタイミングに神経を使う必要があり、遊技者が遊技に集中することの妨げとなるという問題点があった。
【０５６０】
これに対し、遊技機Ａ１によれば、規定球抜き手段により、遊技者が神経を使わずとも、供給手段から払い出された球を球排出開口から規定範囲個数ずつ排出可能とされるので、遊技者が遊技に集中し易くすることができる。
【０５６１】
ここで、規定範囲個数とは、範囲を持った個数を意味する。例えば、規定範囲個数を１０個以上と指定する場合、９個未満は、規定範囲個数から除かれる。例えば、規定範囲個数を１０個以上１５個未満または２０個以上と指定する場合、９個未満および１５個以上１９個未満は、規定範囲個数から除かれる。
【０５６２】
なお、規定範囲個数ずつ球を排出可能な態様は、何ら限定されるものでは無い。例えば、球排出開口の上流側に規定範囲個数の球が貯留されるまで球排出開口の球の通過を規定球抜き手段が規制し、球排出開口の上流側に規定範囲個数の球が貯留されることに伴いその規制が自動で解除される態様でも良いし、遊技者が規定球抜き手段を操作した際に規定範囲個数の球が球排出開口の上流側に配置されているか否かにより規定球抜き手段の挙動が変化する態様でも良い。
【０５６３】
なお、貯留部の態様は何ら限定されるものでは無い。例えば、払出装置から球が供給される上皿でも良いし、千両箱の真上に配置される下皿でも良いし、上皿と下皿との間に配置される第３の皿でも良い。
【０５６４】
遊技機Ａ１において、前記規定球抜き手段は、前記球排出開口の上流側に配置され前記規定球抜き手段により流下を規制される球である被規制球の個数が規定範囲個数となった後で、許容状態に状態変化可能とされることを特徴とする遊技機Ａ２。
【０５６５】
遊技機Ａ２によれば、遊技機Ａ１の奏する効果に加え、球排出開口を球が通過可能か、通過不可能かを切り替える規定球抜き手段が、規制状態から許容状態へ切り替えられる際には、規定球抜き手段により規定範囲個数の被規制球が球排出開口の上流側に滞留していることとなるので、規定球抜き手段が許容状態へ切り替えられることに伴い、球排出開口の上流側に滞留していた被規制球を一度に排出することができる。これにより、規定球抜き手段が許容状態とされた場合に、不十分な量（規定範囲個数未満の量）の球が球排出手段から排出されるという不具合を防止することができる。
【０５６６】
遊技機Ａ２において、前記貯留部に供給された球を発射装置に案内する発射供給口を備え、前記規定球抜き手段は、前記発射供給口よりも上流側に配置され、前記被規制球から与えられる負荷であって、前記発射供給口の逆側に貯留される球から生じる負荷により、前記許容状態へ切り替えられることを特徴とする遊技機Ａ３。
【０５６７】
遊技機Ａ３によれば、遊技機Ａ２の奏する効果に加え、貯留部に供給される球からの負荷で規定球抜き手段の状態が切り替えられることから遊技者の操作を不要とできる（自動開放にできる）ので、手動で球を排出する煩わしさから遊技者を開放できると共に、その負荷が発射供給口の逆側に貯留される球から生じる負荷により規定球抜き手段の状態が切り替えられることから、規定範囲個数の球が溜まる前に発射供給口へ向けて流下する球からの負荷で規定球抜き手段の状態が切り替えられる不具合を防止することができる。
【０５６８】
遊技機Ａ２又はＡ３において、前記規定球抜き手段は、前記貯留部に貯留される球から与えられる負荷により変位すると共に、変位前の状態において前記規定球抜き手段を前記規制状態へ維持する方向の負荷を生じる解除手段を備え、その解除手段の変位は、前記球排出開口から球が排出されている間維持されることを特徴とする遊技機Ａ４。
【０５６９】
遊技機Ａ４によれば、遊技機Ａ２又はＡ３の奏する効果に加え、球排出開口から球が排出されている間、解除手段の所定量の変位が維持されるので、規定球抜き手段上流から球排出開口へ球が流入する速度を整えることをしなくとも、途中で解除手段の変位が解消されることを防止することができる。
【０５７０】
遊技機Ａ４において、前記解除手段は、所定の軸を中心とした回転により変位され、前記規定球抜き手段の前記規制状態において球が前記解除手段に当接する場合に比較して、前記規定球抜き手段の前記許容状態において球が前記解除手段に当接する場合の方が、球と前記解除手段との当接位置が前記所定の軸から遠くに設定されることを特徴とする遊技機Ａ５。
【０５７１】
遊技機Ａ５によれば、遊技機Ａ４の奏する効果に加え、球の負荷による解除手段の変位し易さを、規定球抜き手段の状態により変化さえることができる。即ち、規定球抜き手段の規制状態では球は回転軸に近い位置で解除手段と当接することから、球から負荷を受けた場合に解除手段が姿勢を維持し易くされる一方、規定球抜き手段の許容状態では、規制状態の時に比較して回転軸から遠い位置で球と解除手段とが当接することから、同じ負荷を球から受けたとしても、解除手段を変位させやすくすることができる。
【０５７２】
これにより、球の流下により解除手段に継続的に負荷がかけられる場合に、解除手段の変位前は、解除手段は、そのままの姿勢を維持し易くなり、解除手段の変位後は、解除手段は、変位後の姿勢を維持し易くなる。即ち、変位前後の状態を安定化させることができる。
【０５７３】
遊技機Ａ４又はＡ５において、前記規定球抜き手段は前記貯留部の底面に形成され、前記解除手段は、前記規定球抜き手段の上流側端部であって、前記規定球抜き手段を基準として前記供給手段の反対側に配設されることを特徴とする遊技機Ａ６。
【０５７４】
遊技機Ａ６によれば、遊技機Ａ４又はＡ５の奏する効果に加え、供給手段から供給された球が規定球抜き手段の上を通過した後で解除手段に到達する条件のもとで、解除手段が規定球抜き手段の上流側端部に配置されることから、解除手段に球が負荷をかける前に規定球抜き手段の上面を球で埋め尽くし易くすることができる。従って、規定球抜き手段を、球の流下を規制するか許容するかを切り替える切り替え手段と、球に埋め尽くされる貯留領域を確保する手段とで兼用することができる。
【０５７５】
遊技機Ａ４からＡ６のいずれかにおいて、前記貯留部に供給された球に干渉すると共に前記解除手段に球が至る経路を制限する干渉手段を備えることを特徴とする遊技機Ａ７。
【０５７６】
遊技機Ａ７によれば、遊技機Ａ４からＡ６のいずれかの奏する効果に加え、球が解除手段へ至る経路を制限することができる。
【０５７７】
干渉手段の態様は何ら限定されるものでは無い。例えば、貯留部の底面の高さの違いにより形成される段差でも良いし、貯留部の内部を仕切る仕切板でも良い。
【０５７８】
なお、球が解除手段に流入する経路は、規定球抜き手段に球が乗る経路でも良いし、規定球抜き手段に球が乗らない経路でも良い。
【０５７９】
遊技機Ａ７において、前記干渉手段は、前記規定球抜き手段に配設されることを特徴とする遊技機Ａ８。
【０５８０】
遊技機Ａ８によれば、遊技機Ａ７の奏する効果に加え、用途の兼用により部材個数を削減することができる。なお、干渉手段は、規定球抜き手段のどの部分に配設されても良い。
【０５８１】
遊技機Ａ８において、前記干渉手段は、前記規定球抜き手段の、前記供給手段側の端部に配設され、前記解除手段は、前記規定球抜き手段を基準として前記供給手段の反対側に配設されることを特徴とする遊技機Ａ９。
【０５８２】
遊技機Ａ９によれば、遊技機Ａ８の奏する効果に加え、供給手段から供給された球が規定球抜き手段に乗り上げる前に球の経路を規制することができるので、予期せず球が規定球抜き手段に乗り上げることを防止することができると共に、規定球抜き手段を通過した球が解除手段に到達するという条件の下で規定球抜き手段に球が乗り上げることを防止することができるので、供給手段から供給された球が解除手段に到達する可能性を低減することができる。
【０５８３】
遊技機Ａ４からＡ９のいずれかにおいて、前記解除手段は、前記貯留部の内壁の外方に配設され、前記干渉手段は、前記貯留部の内壁から前記解除手段へ向けて延設される延設部を備えることを特徴とする遊技機Ａ１０。
【０５８４】
遊技機Ａ１０によれば、遊技機Ａ４からＡ９のいずれかの奏する効果に加え、貯留部の内壁に沿って転動する球が、貯留部の内壁に沿ったままの勢いで解除手段に当接し、負荷をかけることを防止することができる。
【０５８５】
なお、延設部としては、例えば、解除手段の横に配設される部分や、解除手段の上に配設される部分が例示される。解除手段の上に配設される場合、遊技者が貯留部に供給した球が解除手段へ向かうことを抑制することができる。
【０５８６】
遊技機Ａ１０において、前記解除手段の面であって球と当接する当接面と、前記貯留部の内壁との間隔が、球の半径以上とされることを特徴とする遊技機Ａ１１。
【０５８７】
遊技機Ａ１１によれば、遊技機Ａ１０の奏する効果に加え、当接面に当接する球と、内壁に沿って転動する球とが衝突した際に、当接面と当接する球へ与えられる負荷が解除手段へ向かう方向となるので、衝突により当接面と当接している球が解除手段から遠ざかる方向に押しのけられることを防止することができる。
【０５８８】
遊技機Ａ４からＡ１１において、前記解除手段に隣設されると共に前記解除手段を囲う囲い壁部を備え、その囲い壁部は、前記貯留部内側の端部が、前記解除手段へ近づくほど上昇傾斜する形状から形成されることを特徴とする遊技機Ａ１２。
【０５８９】
遊技機Ａ１２によれば、遊技機Ａ４からＡ１１のいずれかの奏する効果に加え、囲い壁部の形状により、貯留部から解除手段へ向けて流下し解除手段へ近づく球の速度方向を、上方へ向く方向に切り替えることができる。これにより、その球が解除手段に到達する前に、球の速度の水平方向成分を低減させることができる。
【０５９０】
遊技機Ａ１からＡ１２のいずれかにおいて、前記貯留部は、前記供給手段から払い出された球の着地点と前記発射供給口との間に延設される溝である受け入れ溝を備え、前記供給手段から払い出された球は、前記受け入れ溝が満たされるまでは前記受け入れ溝に流入することを特徴とする遊技機Ａ１３。
【０５９１】
遊技機Ａ１３によれば、遊技機Ａ１からＡ１２のいずれかの奏する効果に加え、供給手段から払い出された球は、受け入れ溝が満たされるまでは受け入れ溝に流入するので、受け入れ溝が十分な数量の球で満たされる態様とすることにより、供給手段から払い出された球が受け入れ溝に流入するか否かにより貯留部に貯留された球が十分な数量を越えているのか否かを目視で容易に把握することができる。これにより、貯留部に球を供給するタイミングを容易に予想することができるので、貯留部の球数に気を使うことなく、遊技に集中することができる。
【０５９２】
遊技機Ａ１３において、前記受け入れ溝は、深さが球の半径以上であって、幅が球の直径と同程度に設定されることを特徴とする遊技機Ａ１４。
【０５９３】
遊技機Ａ１４によれば、遊技機Ａ１３の奏する効果に加え、受け入れ溝の深さが球の半径以上であることから、一度受け入れ溝に流入した球を受け入れ溝に維持し易くでき、受け入れ溝の幅が球の直径と同程度に設定されることから、受け入れ溝に流入した球を一列に並べることができる。従って、受け入れ溝の球の保持力向上と、受け入れ溝に保持される球の数ズレの防止とを図ることができる。
【０５９４】
遊技機Ａ１４において、前記受け入れ溝は、溝深さが、球の直径以下とされることを特徴とする遊技機Ａ１５。
【０５９５】
遊技機Ａ１５によれば、遊技機Ａ１４の奏する効果に加え、受け入れ溝が球で満たされた状態で、受け入れ溝に球が着地した場合であっても、受け入れ溝の溝深さが球の直径以下とされるので、後から着地した球を受け入れ溝の外方へ流すことができる。
【０５９６】
＜最大排出流量を変化させる＞
球を貯留可能な貯留部と、その貯留部に球を供給する供給手段と、球が通過可能な開口として前記貯留部に形成される球排出開口と、を備える遊技機において、所定期間に球排出開口を通過する球の最大個数としての最大排出流量を変化可能な流量変化手段を備えることを特徴とする遊技機Ｂ１。
【０５９７】
パチンコ機等の遊技機において、払い出し装置から払い出された球であって、発射前の球を上皿に貯留し、その貯留した球を球排出開口から遊技機外へ流下可能な遊技機がある（例えば特開２００９−０００３０９号公報を参照）。しかし、上述した従来の遊技機では、遊技の途中で球排出開口から球を排出する操作を行うので、遊技に集中する余り、閉じるタイミングが遅れ、球を排出しすぎることがあるという問題点があった。この場合、上皿から排出した球を再度上皿に戻すという、無意味な行為を行うことにつながり、遊技者の不満の原因となっていた。
【０５９８】
これに対し、遊技機Ｂ１によれば、流量変化手段により最大排出流量を変化させることができるので、予め最大排出流量を抑制しておくことにより、球排出開口を閉じるタイミングが遅れたとしても球排出開口から球が排出されすぎることを防止できる。従って、遊技者が、排出された球を無意味に上皿に戻す行為をすることを不要とでき、遊技者が遊技に集中し易くすることができる。
【０５９９】
なお、最大排出流量とは、重力の作用で球が流下する前提の元で球が流下する時に生じ得る最大流量のことを意味する。最大排出流量を変化させる方法としては、例えば、球が通過する領域の広さを変える方法や、球が転動する転動面の傾斜角度を変化させることにより球の流下速度を変化させる方法等が例示される。
【０６００】
遊技機Ｂ１において、前記流量変化手段は、前記球排出開口を球が通過することを規制する規制状態と、前記球排出開口を球が通過することを許容する許容状態とで状態変化可能とされる規制手段と、その規制手段を前記規制状態に復帰させるための負荷を生じる維持手段と、を備えることを特徴とする遊技機Ｂ２。
【０６０１】
遊技機Ｂ２によれば、遊技機Ｂ１の奏する効果に加え、維持手段により規制手段が規制状態に戻り易くなるので、球排出開口からの球の過排出を防止し易くすることができる。
【０６０２】
なお、維持手段は力を発生する手段として構成されても良い。維持手段から発生する力としては、規制手段の変位量に比例する弾性的な負荷や、規制手段が許容状態へ変化する際に上昇する態様とされる場合における重力などが例示される。
【０６０３】
また、維持手段から発生する力が弾性的な負荷である場合には、規制手段の規制状態からの状態変化の程度が大きい程、維持手段から発生する力が大きくなるので、規制手段を規制状態に復帰させ易くすることができる。
【０６０４】
遊技機Ｂ２において、前記流量変化手段は、前記規制手段よりも上流側に配置され、前記規制手段に到達する球の経路を変化可能な経路変化手段を備えることを特徴とする遊技機Ｂ３。
【０６０５】
遊技機Ｂ３によれば、遊技機Ｂ２の奏する効果に加え、経路変化手段により、規制手段が状態変化する際に規制手段に到達する球の経路が変化され、規制手段を越えて球排出開口に到達する球の流下経路が変化することにより、球数が変化するので、規制手段の許容状態へのなり始めに球排出開口を通って排出される球の個数を変化させることができる。これにより、手動で球排出開口を開く場合のように、開き具合を遊技者が球排出開口の開放時に調整することを不要とできる。
【０６０６】
遊技機Ｂ３において、前記経路変化手段は、前記経路変化手段により規制手段に到達する球の経路が変化されることに伴って前記規制手段に流下を規制される球の配置を上流側に変化させることを特徴とする遊技機Ｂ４。
【０６０７】
遊技機Ｂ４によれば、遊技機Ｂ３の奏する効果に加え、規制手段に到達する球の経路が変化されるほど規制手段の状態変化により排出される球の配置を上流側に変化させることができるので、規制手段に到達する球を絞ることで、上皿に貯留される球の個数（球排出開口の下流側の個数）を増加させることができる。
【０６０８】
遊技機Ｂ１からＢ４のいずれかにおいて、前記流量変化手段は、前記球排出開口の上端位置よりも下流側に配設されることを特徴とする遊技機Ｂ５。
【０６０９】
遊技機Ｂ５によれば、遊技機Ｂ１からＢ４のいずれかの奏する効果に加え、流量変化手段が球排出開口の上端位置よりも下流側に配設されることにより、球排出開口の下流側に滞留する球が、どの程度の量、どの程度の流速で排出されるかを変化させることができる。そのため、球排出開口の広さは固定した状態で、球排出開口から排出される球の流下態様を変化させることができる。
【０６１０】
遊技機Ｂ２からＢ５のいずれかにおいて、前記規制手段は、前記球排出開口を通過しようとする球が所定の基準よりも少なくなることに伴い、規制状態に状態変化することを特徴とする遊技機Ｂ６。
【０６１１】
遊技機Ｂ６によれば、遊技機Ｂ２からＢ５のいずれかの奏する効果に加え、球排出開口を通過しようとする球が所定の基準から外れることに伴い規制手段が規制状態に状態変化するので、規制手段を許容状態としたまま放置した場合であっても、そのまま規制手段が許容状態を維持することを防止することができるので、貯留部から必要以上の球が排出されることを防止することができる。
【０６１２】
また、規制手段が自動で規制状態に状態変化するので、規制手段の状態を手動で切り替える場合のように、球を球排出開口から排出するタイミングを見計らう必要が無いので、遊技者が遊技に集中できる。
【０６１３】
加えて、排出流量を基準として規制手段が規制状態に状態変化するので、所定間隔で規制手段が状態変化したり、所定個数の排出で規制手段が状態変化したりする場合に比較して、特に所定流量の払い出しが継続して行われる場合において、規制手段の状態を切り替える回数を少なくすることができる。従って、遊技者が規制手段の状態に気を使う必要が無いので、遊技者が遊技に集中できる。
【０６１４】
遊技機Ｂ２からＢ６のいずれかにおいて、前記規制手段が前記許容状態の場合に比較して、前記規制状態の場合に、前記規制手段に与える摩擦力が大きくなる復帰減速手段を備えることを特徴とする遊技機Ｂ７。
【０６１５】
遊技機Ｂ７によれば、遊技機Ｂ２からＢ６のいずれかの奏する効果に加え、規制手段が規制状態から状態変化する際に大きな摩擦力を生じることができるので、規制手段の規制状態からの状態変化開始時の動作速度を遅くすることができる。これにより、規制手段が早期に規制状態へ復帰することにより、球の排出途中で規制手段が規制状態となることを防止することができる。
【０６１６】
遊技機Ｂ１からＢ７のいずれかにおいて、前記貯留部は、前記供給手段から払い出された球の着地点と、その供給手段から貯留部に供給された球を発射装置に案内する発射供給口との間に延設される溝である受け入れ溝を備え、前記供給手段から払い出された球は、前記受け入れ溝が満たされるまでは前記受け入れ溝に流入することを特徴とする遊技機Ｂ８。
【０６１７】
遊技機Ｂ８によれば、遊技機Ｂ１からＢ７のいずれかの奏する効果に加え、供給手段から払い出された球は、受け入れ溝が満たされるまでは受け入れ溝に流入するので、受け入れ溝が十分な数量の球で満たされる態様とすることにより、供給手段から払い出された球が受け入れ溝に流入するか否かにより貯留部に貯留された球が十分な数量を越えているのか否かを目視で容易に把握することができる。これにより、貯留部に球を供給するタイミングを容易に予想することができるので、貯留部の球数に気を使うことなく、遊技に集中することができる。
【０６１８】
遊技機Ｂ８において、前記受け入れ溝は、深さが球の半径以上であって、幅が球の直径と同程度に設定されることを特徴とする遊技機Ｂ９。
【０６１９】
遊技機Ｂ９によれば、遊技機Ｂ８の奏する効果に加え、受け入れ溝の深さが球の半径以上であることから、一度受け入れ溝に流入した球を受け入れ溝に維持し易くでき、受け入れ溝の幅が球の直径と同程度に設定されることから、受け入れ溝に流入した球を一列に並べることができる。従って、受け入れ溝の球の保持力向上と、受け入れ溝に保持される球の数ズレの防止とを図ることができる。
【０６２０】
遊技機Ｂ９において、前記受け入れ溝は、溝深さが、球の直径以下とされることを特徴とする遊技機Ｂ１０。
【０６２１】
遊技機Ｂ１０によれば、遊技機Ｂ９の奏する効果に加え、受け入れ溝が球で満たされた状態で、受け入れ溝に球が着地した場合であっても、受け入れ溝の溝深さが球の直径以下とされるので、後から着地した球を受け入れ溝の外方へ流すことができる。
【０６２２】
遊技機Ｂ３からＢ１０のいずれかにおいて、前記流量変化手段は、前記球排出開口を球が通過することを規制する規制状態と、前記球排出開口を球が通過することを許容する許容状態とで状態変化可能とされる規制手段と、その規制手段を前記規制状態に復帰させるための負荷を生じる維持手段と、前記規制手段よりも上流側に配置され、前記規制手段に到達する球の経路を変化可能な経路変化手段と、を備え、前記規制手段は、前記許容状態において球を一の方向に沿って流下させるものであることを特徴とする遊技機Ｂ１１。
【０６２３】
遊技機Ｂ１１によれば、遊技機Ｂ３からＢ１０のいずれかの奏する効果に加え、球排出開口を通過する球が複数の方向から流下する場合（例えば、円形孔の中心から延びる放射線に沿って球が球排出開口に向かう場合）に比較して、球が一の方向に沿って流下するので、球排出開口の開口広さが狭められた場合であっても、球同士がぶつかる等により球詰まりが生じることを防止することができる。
【０６２４】
＜正面枠と内枠とを連通する収容部に被収容部材を配置するポイント。＞
球を貯留可能な貯留部と、その貯留部に球を供給する供給手段と、球が通過可能な開口として前記貯留部に形成される球排出開口と、を備える遊技機において、前記球排出開口を通過した球が流下可能な球流路を備え、その球流路の前記供給手段側に、所定の構造物を収容可能な収容部が形成されることを特徴とする遊技機Ｃ１。
【０６２５】
パチンコ機等の遊技機において、払い出し装置から払い出された球であって、発射前の球を上皿に貯留し、上皿が満タンになった後は払い出された球を下皿への誘導路へ落下させる上皿オーバーフロー装置を備える遊技機がある（例えば特開２００１−０８７５１８号公報を参照）。しかし、上述した従来の遊技機では、下皿への誘導路が遊技盤の下方において、遊技盤の厚み範囲内に形成されており、下皿への誘導路が遊技盤の下方における内部空間を分断するので、その前後の空間を別々の空間として利用することに留まり、遊技盤の下方における内部空間を連続的な空間として利用することができないという問題点があった。
【０６２６】
これに対し、遊技機Ｃ１によれば、貯留部に形成される球排出開口を通過した球が流下可能な球流路を備え、その球排出流路の供給手段側に所定の構造物を収容可能な収容部が形成されることから、遊技盤の厚み範囲よりも正面側に、球を排出する流路を配置することができると共に、その流路の供給手段側（遊技盤側、背面側）の領域を収容部として有効利用することができる。
【０６２７】
なお、所定の構造物の態様は、何ら限定されるものでは無く、種々の態様が例示される。例えば、音響装置でも良いし、遊技者が操作する操作ボタンの構造の一部でも良いし、配線でも良いし、可動役物やモータなどの駆動装置の一部でも良いし、制御基板を収容する基板ボックスでも良い。
【０６２８】
なお、所定の構造物を収容する収容部が、従来機において下皿が配置される領域を埋めることになる場合は、下皿の形成を省略し、球流路から排出された球がそのまま千両箱に供給される態様とすることが好ましい。
【０６２９】
なお、貯留部に球を供給する手段としては、種々の態様が例示される。例えば、払出装置の動作により球を供給する開口としての供給開口や、正面枠の正面側で、鉛直方向に球を落下させて貯留部に球を供給する経路を持つ手段（所謂「パーソナルシステム」）でも良い。
【０６３０】
遊技機Ｃ１において、前記貯留部が配設される第１部材と、その第１部材と対向配置される第２部材と、を備え、前記収容部は、前記第１部材および第２部材の内部を連通して形成されることを特徴とする遊技機Ｃ２。
【０６３１】
遊技機Ｃ２によれば、遊技機Ｃ１の奏する効果に加え、所定の構造物を収容可能な収容部は、第１部材の内部だけでなく、第１部材および第２部材の内部を連通して形成されるので、第１部材の寸法（例えば、前後幅）以上の寸法で収容部を形成することができる。これにより、所定の構造物を収容する収容部を大きく確保することができる。
【０６３２】
なお、第２部材の内部における所定の構造物を収容する収容部の形成態様は何ら限定されるものでは無い。例えば、第２部材に凹設される凹部と第１部材とで囲まれる空間として形成されても良いし、第２部材に第１部材および第２部材を結ぶ方向に貫通する貫通孔が形成され、その貫通孔に囲まれる空間（第１部材と対向する側の反対側が開放された空間）として形成されても良い。
【０６３３】
遊技機Ｃ２において、前記第１部材および第２部材を開閉可能に軸支する軸支手段を備え、前記収容部は、前記第１部材および第２部材の軸径方向長さの中間位置よりも前記軸支手段に近接する側に配置されることを特徴とする遊技機Ｃ３。
【０６３４】
遊技機Ｃ３によれば、遊技機Ｃ２の奏する効果に加え、所定の構造物を収容可能な収容部が軸支手段に近接する側に配置されるので、第１部材および第２部材を開放して作業者が作業を行う際に、所定の構造物が作業者の遊技機への進入経路に入り、作業者の作業の邪魔となることを防ぐことができる。
【０６３５】
また、軸支手段から所定の構造物までの距離を短縮できることに伴い、所定の構造物に通す配線の配線長さを短縮することができる。これにより、配線の材料コストを削減することができる。
【０６３６】
また、第１部材または第２部材の一方に所定の構造物が固定され、他方に受け入れ空間が形成される場合において、所定の構造物が軸径方外側に配置される場合よりも、第１部材および第２部材の開閉動作時における所定の構造物の変位量を小さくすることができるので、受け入れ空間の大きさに対して許容される所定の構造物の大きさを、最大限確保することができる。換言すれば、同じ大きさの所定の構造物を収容するために必要となる受け入れ空間の大きさを、受け入れ空間が軸径方向外側に配置される場合に比較して、小さくすることができる。これにより、遊技機の内部の限定された大きさの空間を最大限大きな収容部として利用することができる。
【０６３７】
遊技機Ｃ３において、前記所定の構造物は、前記第１部材または第２部材の一方に固定され、前記第１部材または第２部材の他方は、前記所定の構造物を収容可能に凹設される収容凹設部を備え、その収容凹設部は、前記第１部材および第２部材の開閉動作時の前記所定の構造物の移動軌跡に沿った内形で形成されることを特徴とする遊技機Ｃ４。
【０６３８】
遊技機Ｃ４によれば、遊技機Ｃ３の奏する効果に加え、所定の構造物の移動軌跡に沿った内形で収容凹設部が形成されることに伴い、第１部材および第２部材の開閉動作時に収容凹設部の内側面に沿って所定の構造物が移動するので、第１部材および第２部材の閉鎖時において第１部材と第２部材との間に形成される隙間があったとしても、開閉時にその隙間を埋める態様で第１部材および第２部材を動作させることができる。
【０６３９】
従って、第１部材と第２部材との間に形成される隙間に不正な基板が隠されることを防止することができる。また、第１部材と第２部材との間に形成される隙間に不正な基板が隠されたとしても、第１部材および第２部材の開閉時にその隙間を埋める態様で第１部材または第２部材が動作するため、動作時に不正な基板と衝突させることができ、不正な基板が隠されていることに気付くことができる。
【０６４０】
遊技機Ｃ３又はＣ４において、前記収容部は、遊技領域を構成する遊技盤の下方に配置されることを特徴とする遊技機Ｃ５。
【０６４１】
遊技機Ｃ５によれば、遊技機Ｃ３又はＣ４の奏する効果に加え、所定の構造物が収容される収容部が遊技盤の下方に配置されるので、収容部に所定の構造物を配置することにより、遊技機の開閉軸側下端部からの進入経路を塞ぐことができる。これにより、ピアノ線等の細線を遊技機の開閉軸側下端部から進入させ、不正の利益を得ようとする不正行為を抑制することができる。
【０６４２】
また、収容部が開閉軸付近に配置される場合、第１部材の変位に対する所定の構造物の変位量が抑えられることから、第１部材の変位後においても進入経路を塞ぐことができる。
【０６４３】
遊技機Ａ１からＡ１５，Ｂ１からＢ１１，Ｃ１からＣ５のいずれかにおいて、前記遊技機はスロットマシンであることを特徴とする遊技機Ｚ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６４４】
遊技機Ａ１からＡ１５，Ｂ１からＢ１１，Ｃ１からＣ５のいずれかにおいて、前記遊技機はパチンコ遊技機であることを特徴とする遊技機Ｚ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６４５】
遊技機Ａ１からＡ１５，Ｂ１からＢ１１，Ｃ１からＣ５のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
ここで、パチンコ機等の遊技機において、発射前の球を上皿に貯留し、上皿が満タンになった後は払い出された球を下皿への誘導路へ落下させる上皿オーバーフロー装置を備える遊技機がある（例えば、特許文献１：特開２００１−０８７５１８号公報）。
しかしながら、上述した従来の遊技機では、内部空間の利用方法に改良の余地があるという問題点があった。
本技術的思想は、上記例示した問題点を解決するためになされたものであり、内部空間の利用方法の良好な遊技機を提供することを目的とする。
＜手段＞
この目的を達成するために技術的思想１の遊技機は、球を貯留可能な貯留部と、その貯留部に球を供給する供給手段と、球が通過可能な開口として前記貯留部に形成される球排出開口と、を備える遊技機において、前記球排出開口を通過した球が流下可能な球流路を備え、その球流路の前記供給手段側に、所定の構造物を収容可能な収容部が形成される。
技術的思想２の遊技機は、技術的思想１記載の遊技機において、前記貯留部が配設される第１部材と、その第１部材と対向配置される第２部材と、を備え、前記収容部は、前記第１部材および第２部材の内部を連通して形成される。
技術的思想３の遊技機は、技術的思想２記載の遊技機において、前記第１部材および第２部材を開閉可能に軸支する軸支手段を備え、前記収容部は、前記第１部材および第２部材の軸径方向長さの中間位置よりも前記軸支手段に近接する側に配置される。
＜効果＞
技術的思想１記載の遊技機によれば、収容部を球流路の供給手段側に形成することにより、内部空間を良好に利用することができる。
技術的思想２記載の遊技機によれば、技術的思想１記載の遊技機の奏する効果に加え、収容部が第１部材および第２部材の内部を連通して形成されるので、収容部の寸法が第１部材の寸法よりも大きくなっても対応することができる。
技術的思想３記載の遊技機によれば、技術的思想２記載の遊技機の奏する効果に加え、収容部が軸支手段に近接する側に配置されるので、収容部として確保すべき範囲を最小限に抑えることができる。
【符号の説明】
【０６４６】
１０                      パチンコ機（遊技機）
１２                      内枠（第２部材）
１３                      遊技盤
１７，２０１７            上皿（貯留部）
１７ａ                    開口部（球排出開口）
１７ａ１                  球案内天面（延設部の一部）
１７ａ２                  球被覆面（延設部の一部）
１７ｄ                    発射球貯留領域（受け入れ溝の一部）
１７ｅ                    橋渡し球貯留領域（受け入れ溝の一部）
１７ｆ                    後追い球貯留領域（干渉手段の一部）
１７ｆ１                  湾曲部（囲い壁部の一部）
１７ｇ                    供給開口（供給手段の一部）
１７ｋ                    発射供給口
１９                      ヒンジ（軸支手段の一部）
９３                      払出ユニット（払い出し装置）
１１２ａ                  球発射ユニット（発射装置）
３１０                    第１板部材（球流路の一部）
３２０                    第２板部材（球流路の一部）
３３０                    傾倒部材（規定球抜き手段の一部、流量変化手段の一部、規制手段）
３３１ｂ                  上底板部（干渉手段の一部）
３３１ｄ                  湾曲部（干渉手段の一部）
３３４                    弾性バネ（流量変化手段の一部、維持手段）
３４０                    解除部材（規定球抜き手段の一部、解除手段、流量変化手段の一部）
３４１                    軸棒部（所定の軸）
２０１７ｈ                延設溝（受け入れ溝の一部）
２３５０                  移動部材（流量変化手段の一部）
２３５１                  第１遮蔽板（流量変化手段の一部、経路変化手段の一部、変位閉鎖手段の一部）
２３５２                  第２遮蔽板（流量変化手段の一部、経路変化手段の一部、変位閉鎖手段の一部）
２３５３                  規制板（流量変化手段の一部）
５１０                    昇降部材（干渉手段の一部）
４３３０，５３３０        傾倒部材（規定球抜き手段の一部、流量変化手段の一部、規制手段）
６０１４                  正面枠（第１部材）
ＩＮＢ                    被収容部材（所定の構造物の一部）
ＩＮＣ                    収容凹部（収容部の一部、収容凹設部の一部）
Ｐ１                      球（被規制球の一部）